(57)【要約】【課題】コンプトン散乱Ｘ線深度視覚化、画像化、または情報プロバイダを提供すること。【解決手段】一態様は、対象の少なくとも一部の少なくとも１つの物質に少なくとも部分的に対応する１組の散乱特性に少なくとも部分的に基づいて、対象（例えば、個体）の少なくとも一部の少なくとも１つの物質内で、１つまたは複数の所定の実質的散乱深度までの実質的散乱深度範囲を通して散乱された少なくとも１つのコンプトン散乱Ｘ線を受けるように構成され、対象の少なくとも一部の少なくとも１つの物質内への１つまたは複数の所定の視覚化する、画像化する、または情報を提供する深度に対する１つまたは複数の視覚化する、画像化する、または情報を提供する深度範囲を通して、少なくとも１つのコンプトン散乱Ｘ線を視覚化する、画像化する、または情報を提供するように構成された、少なくとも１つのコンプトン散乱Ｘ線視覚化装置、画像化装置、または情報プロバイダの少なくとも一部に関する。【選択図】図１
2008302211.tif 000002
【特許請求の範囲】
【請求項１】
対象者の少なくとも一部の少なくとも１つの物質に少なくとも部分的に対応する１組の散乱特性に少なくとも部分的に基づいて、前記対象者の前記少なくとも前記一部の前記少なくとも１つの物質内で、１つまたは複数の所定の実質的散乱深度までの実質的散乱深度範囲を通して散乱された少なくとも１つのコンプトン散乱Ｘ線を受けるように構成され、
前記対象者の前記少なくとも一部の前記少なくとも１つの物質内への１つまたは複数の所定の視覚化する、画像化する、または情報を提供する深度までの１つまたは複数の視覚化する、画像化する、または情報を提供する深度範囲を通して、少なくとも１つのコンプトン散乱Ｘ線を視覚化する、画像化する、または情報を提供するように構成された、
少なくとも１つのコンプトン散乱Ｘ線の視覚化装置、画像化装置、または情報プロバイダの少なくとも一部
を備えることを特徴とする装置。
【請求項２】
前記対象者の前記少なくとも前記一部の前記少なくとも１つの物質内への１つまたは複数の所定の視覚化する、画像化する、または情報を提供する深度までの前記視覚化する、画像化する、または情報を提供する深度範囲での前記少なくとも１つのコンプトン散乱Ｘ線を視覚化する、画像化する、または情報を提供することは、
前記対象者の前記少なくとも一部の前記少なくとも１つの物質の少なくとも１つの表面の前記少なくとも１つのコンプトン散乱Ｘ線を視覚化する、画像化する、または情報を提供すること
を含むことを特徴とする請求項１に記載の装置。
【請求項３】
前記少なくとも１つのコンプトン散乱Ｘ線を視覚化する、画像化する、または情報を提供することの少なくとも一部は、
電池から供給されるエネルギーに少なくとも部分的による
ことを特徴とする請求項１または２に記載の装置。
【請求項４】
前記少なくとも１つのコンプトン散乱Ｘ線を視覚化する、画像化する、または情報を提供することの少なくとも一部は、
コンデンサから供給されるエネルギーに少なくとも部分的による
ことを特徴とする請求項１から３のいずれかに記載の装置。
【請求項５】
前記対象者の前記少なくとも前記一部の前記少なくとも１つの物質は、少なくとも部分的に、
組織、
体液、
骨の一部、
骨性部分、または少なくとも１つの骨部分または骨断片、
歯、またはその一部、および
少なくとも部分的内部インサート
のうちの１つまたは複数を含む
ことを特徴とする請求項１から４のいずれかに記載の装置。
【請求項６】
前記１組の散乱特性は少なくとも部分的に、
前記対象者の前記少なくとも前記一部の前記少なくとも１つの物質のターゲット領域の少なくとも１つの特性に対応する
ことを特徴とする請求項１から５のいずれかに記載の装置。
【請求項７】
前記少なくとも１つのコンプトン散乱Ｘ線を視覚化する、画像化する、または情報を提供することについての１つまたは複数の所定の視覚化する、画像化する、または情報を提供する深度までの前記視覚化する、画像化する、または情報を提供する深度範囲での、前記少なくとも１つのコンプトン散乱Ｘ線を視覚化する、画像化する、または情報を提供することは、
前記対象者の前記少なくとも前記一部の前記少なくとも１つの物質に印加されている、少なくとも１つの印可されるＸ線に含まれる１つまたは複数のＸ線光子のエネルギー・レベルに少なくとも部分的に基づいて導き出され、
前記少なくとも１つの印加されるＸ線は、前記少なくとも１つのコンプトン散乱Ｘ線を視覚化する、画像化する、または情報を提供する内部に少なくとも部分的に散乱し、前記少なくとも１つのコンプトン散乱Ｘ線を少なくとも部分的に提供する
ことを特徴とする請求項１から６のいずれかに記載の装置。
【請求項８】
前記少なくとも１つのコンプトン散乱Ｘ線の視覚化装置、画像化装置、または情報プロバイダの前記少なくとも前記一部は、
前記少なくとも１つの印加されるＸ線のＸ線光子の限られたエネルギー・レベルに少なくとも部分的に基づいて、前記対象者の前記少なくとも一部の前記少なくとも１つの物質の前記表面の前記少なくとも一部から、１つまたは複数の所定の視覚化する、画像化する、または情報を提供する深度までの前記視覚化する、画像化する、または情報を提供する深度範囲によって画定される領域を越えた部分に位置する、前記対象者の前記少なくとも前記一部の前記少なくとも１つの物質の少なくとも特定部分への前記少なくとも１つの印加されるＸ線の通過を制限するように構成される
ことを特徴とする請求項１から７のいずれかに記載の装置。
【請求項９】
前記少なくとも１つのコンプトン散乱Ｘ線の視覚化装置、画像化装置、または情報プロバイダの前記少なくとも前記一部は、
前記少なくとも１つの印加されるＸ線の周波数に少なくとも部分的に基づいて、前記少なくとも１つの印加されるＸ線からの前記少なくとも１つのコンプトン散乱Ｘ線の散乱により得られるコンプトン散乱エネルギーを受けるように構成される
ことを特徴とする請求項１から８のいずれかに記載の装置。
【請求項１０】
前記少なくとも１つのコンプトン散乱Ｘ線の視覚化装置、画像化装置、または情報プロバイダの前記少なくとも前記一部は、
前記少なくとも１つの印加されるＸ線のエネルギー・レベルに少なくとも部分的に基づいて、前記少なくとも１つの印加されるＸ線からの前記少なくとも１つのコンプトン散乱Ｘ線の散乱により得られるコンプトン散乱エネルギーを受けるように構成される
ことを特徴とする請求項１から９のいずれかに記載の装置。
【請求項１１】
前記少なくとも１つのコンプトン散乱Ｘ線を視覚化する、画像化する、または情報を提供することの、１つまたは複数の所定の視覚化する、画像化する、または情報を提供する深度までの前記視覚化する、画像化する、または情報を提供する深度範囲は、
前記少なくとも１つのコンプトン散乱Ｘ線を視覚化する、画像化する、または情報を提供することを受ける、前記対象者の前記少なくとも前記一部の前記少なくとも１つの物質の１つまたは複数の表面の少なくとも一部から、
前記対象者の前記少なくとも一部の少なくとも１つの物質を通して、１つまたは複数の所定の視覚化する、画像化する、または情報を提供する深度までの前記視覚化する、画像化する、または情報を提供する深度範囲まで
にわたる
ことを特徴とする請求項１から１０のいずれかに記載の装置。
【請求項１２】
前記少なくとも１つのコンプトン散乱Ｘ線を視覚化する、画像化する、または情報を提供することの１つまたは複数の所定の視覚化する、画像化する、または情報を提供する深度までの前記視覚化する、画像化する、または情報を提供する深度範囲は、
１つまたは複数の所定の視覚化する、画像化する、または情報を提供する深度までの第１の前記視覚化する、画像化する、または情報を提供する深度範囲から、
１つまたは複数の所定の視覚化する、画像化する、または情報を提供する深度までの第２の前記視覚化する、画像化する、または情報を提供する深度範囲にわたり、
１つまたは複数の所定の視覚化する、画像化する、または情報を提供する深度までの前記第１の前記視覚化する、画像化する、または情報を提供する深度範囲、および１つまたは複数の所定の視覚化する、画像化する、または情報を提供する深度までの前記第２の前記視覚化する、画像化する、または情報を提供する深度範囲は両方とも、
前記対象者の前記少なくとも前記一部の前記少なくとも１つの物質を通して、前記対象者の前記少なくとも前記一部の前記少なくとも１つの物質の１つまたは複数の表面の少なくとも一部から離れている
ことを特徴とする請求項１から１１のいずれかに記載の装置。
【請求項１３】
前記少なくとも１つのコンプトン散乱Ｘ線の視覚化装置、画像化装置、または情報プロバイダの前記少なくとも前記一部は、
前記少なくとも１つのコンプトン散乱Ｘ線からの少なくとも一部の望ましくない電磁放射をフィルタリングすることができるフィルタを備える
ことを特徴とする請求項１から１２のいずれかに記載の装置。
【請求項１４】
前記少なくとも１つのコンプトン散乱Ｘ線の視覚化装置、画像化装置、または情報プロバイダの前記少なくとも前記一部は、
前記少なくとも１つのコンプトン散乱Ｘ線を視覚化する、画像化する、または情報を提供することを前記受けることに少なくとも部分的に基づくパターンを分析するように構成される
ことを特徴とする請求項１から１３のいずれかに記載の装置。
【請求項１５】
前記少なくとも１つのコンプトン散乱Ｘ線の視覚化装置、画像化装置、または情報プロバイダの前記少なくとも前記一部は、
前記少なくとも１つのコンプトン散乱Ｘ線を視覚化する、画像化する、または情報を提供することを前記受けることに少なくとも部分的に基づくパターンの状態の変化を検出するように構成される
ことを特徴とする請求項１から１４のいずれかに記載の装置。
【請求項１６】
前記少なくとも１つのコンプトン散乱Ｘ線の視覚化装置、画像化装置、または情報プロバイダの前記少なくとも前記一部は、
前記対象者の前記少なくとも前記一部の前記少なくとも１つの物質の物質異常の少なくとも一部を検出するように構成される
ことを特徴とする請求項１から１５のいずれかに記載の装置。
【請求項１７】
前記少なくとも１つのコンプトン散乱Ｘ線の視覚化装置、画像化装置、または情報プロバイダの前記少なくとも前記一部は、
１つまたは複数の腫瘍またはガン、器官、または前記対象者の前記少なくとも前記一部の前記少なくとも１つの物質の少なくとも１つの縁部、の少なくとも一部を検出または位置決めするように構成される
ことを特徴とする請求項１から１６のいずれかに記載の装置。
【請求項１８】
前記少なくとも１つのコンプトン散乱Ｘ線の視覚化装置、画像化装置、または情報プロバイダの前記少なくとも前記一部は、
前記対象者の前記少なくとも前記一部の前記少なくとも１つの物質内への１つまたは複数の所定の視覚化する、画像化する、または情報を提供する深度までの前記視覚化する、画像化する、または情報を提供する深度範囲を制御するように制御可能である
ことを特徴とする請求項１から１７のいずれかに記載の装置。
【請求項１９】
前記少なくとも１つのコンプトン散乱Ｘ線の視覚化装置、画像化装置、または情報プロバイダの前記少なくとも前記一部は、
前記対象者の前記少なくとも前記一部の前記少なくとも１つの物質内への１つまたは複数の所定の視覚化する、画像化する、または情報を提供する深度までの前記視覚化する、画像化する、または情報を提供する深度範囲を調節するように調節可能である
ことを特徴とする請求項１から１８のいずれかに記載の装置。
【請求項２０】
前記対象者は、
人、動物、植物、または有機的組織体のうちの少なくとも１つを含むことを特徴とする請求項１から１９のいずれかに記載の装置。
【請求項２１】
前記少なくとも１つのコンプトン散乱Ｘ線の視覚化装置、画像化装置、または情報プロバイダの前記少なくとも前記一部はさらに、
少なくとも１つのパーソナル・ディスプレイ・タイプのコンプトン散乱Ｘ線の視覚化装置、画像化装置、または情報プロバイダを備える
ことを特徴とする請求項１から２０のいずれかに記載の装置。
【請求項２２】
前記少なくとも１つのコンプトン散乱Ｘ線の視覚化装置、画像化装置、または情報プロバイダの前記少なくとも前記一部はさらに、
少なくとも１つのグループ・ディスプレイ・タイプのコンプトン散乱Ｘ線の視覚化装置、画像化装置、または情報プロバイダを備える
ことを特徴とする請求項１から２１のいずれかに記載の装置。
【請求項２３】
前記少なくとも１つのコンプトン散乱Ｘ線の受信アセンブリの前記少なくとも前記一部は、前記対象者の前記少なくとも前記一部の前記少なくとも１つの物質の容積に関して、
深度を視覚化する、
画像化する、および／または
情報提供を行う
ように動作可能である
ことを特徴とする請求項１から２２にいずれかに記載の装置。
【請求項２４】
前記少なくとも１つのコンプトン散乱Ｘ線の視覚化装置、画像化装置、または情報プロバイダの前記少なくとも前記一部は、
少なくとも１つの飛翔時間計算、
画像減算または組合せ計算、および
散乱イベントは受けた、低下したＸ線光子のエネルギー
のうちの少なくとも１つに、少なくとも部分的に基づいて、前記少なくとも１つのコンプトン散乱Ｘ線を視覚化する、画像化する、または情報を提供することを行うように構成されることを特徴とする請求項１から２３のいずれかに記載の装置。
【請求項２５】
前記対象者の前記少なくとも前記一部の前記少なくとも１つの物質内に少なくとも１つの印加されるＸ線を方向付けするように構成されたエミッタ部と、
その中でおよびそこから前記少なくとも１つのコンプトン散乱Ｘ線が散乱される、前記対象者の前記少なくとも前記一部の前記少なくとも１つの物質に、少なくとも部分的に向かって、前記印加されるＸ線が方向付けされる場所を、前記対象者の前記少なくとも前記一部の前記少なくとも１つの物質に、一致させるように構成される相関器と
をさらに備えることを特徴とする請求項１から２４のいずれかに記載の装置。
【請求項２６】
対象者の少なくとも一部の少なくとも１つの物質内で散乱する少なくとも１つのコンプトン散乱Ｘ線を形成する少なくとも１つの印加されるＸ線の散乱から少なくとも部分的に得られる、低下したＸ線光子エネルギー・レベルを検出するように構成され、
前記対象者の前記少なくとも一部の前記少なくとも１つの物質内に前記少なくとも１つのコンプトン散乱Ｘ線を形成する前記少なくとも１つの印加されるＸ線の前記散乱から少なくとも部分的に得られる、低下した前記Ｘ線光子エネルギー・レベルに対応する少なくとも１つの検出された指標を生成するように構成される、
少なくとも１つのコンプトン散乱Ｘ線の視覚化装置、画像化装置、または情報プロバイダの少なくとも一部と、
前記少なくとも１つの検出された指標に少なくとも部分的に応じて、前記対象者の前記少なくとも一部の前記少なくとも１つの物質のＸ線ベースの特性に少なくとも部分的に対応する、少なくともいくつかの所定の視覚化、画像、または提供される情報を生成するように、前記少なくとも１つのコンプトン散乱Ｘ線の視覚化装置、画像化装置、または情報プロバイダに結合された電気的に視覚化する、画像化する、または情報を提供する回路と
を備えることを特徴とする装置。
【請求項２７】
前記対象者の前記少なくとも一部の前記少なくとも１つの物質内で散乱する少なくとも１つのコンプトン散乱Ｘ線を形成する前記少なくとも１つの印加されるＸ線の前記散乱から少なくとも部分的に得られる、低下したＸ線光子エネルギー・レベルを検出するように構成された、前記少なくとも１つのコンプトン散乱Ｘ線の視覚化装置、画像化装置、または情報プロバイダの前記少なくとも前記一部は、
前記対象者の前記少なくとも一部の前記少なくとも１つの物質内の、所定のＸ線印加深度までの実質的なＸ線印加深度範囲を通して散乱する、少なくとも１つのコンプトン散乱Ｘ線を形成する前記少なくとも１つの印加されるＸ線の散乱から少なくとも部分的に得られる、低下したＸ線光子エネルギー・レベルを検出するように構成された、前記少なくとも１つのコンプトン散乱Ｘ線の視覚化装置、画像化装置、または情報プロバイダの前記少なくとも前記一部を含む
ことを特徴とする請求項２６に記載の装置。
【請求項２８】
前記少なくとも１つのコンプトン散乱Ｘ線の視覚化装置、画像化装置、または情報プロバイダの前記少なくとも前記一部は、
前記対象者の前記少なくとも一部の前記少なくとも１つの物質の表面を少なくとも部分的に通して、前記対象者の前記少なくとも一部の前記少なくとも前記１つの物質に関して、前記少なくともいくつかの所定の視覚化、画像、または提供情報を提供するように構成される
ことを特徴とする請求項２６または２７に記載の装置。
【請求項２９】
前記少なくとも１つのコンプトン散乱Ｘ線の視覚化装置、画像化装置、または情報プロバイダは、
前記対象者の前記少なくとも一部の前記少なくとも前記１つの物質を少なくとも部分的に通して、前記少なくともいくつかの所定の視覚化、画像、または提供される情報を提供するように構成される
ことを特徴とする請求項２６から２８のいずれかに記載の装置。
【請求項３０】
前記対象者は、人、動物、植物、およびは有機的組織体のうちの少なくとも１つを含む
ことを特徴とする請求項２６から２９のいずれかに記載の装置。
【請求項３１】
前記電気的に視覚化する、画像化する、または情報を提供する回路はさらに、
少なくとも１つのディスプレイ・タイプの電気的な視覚化する、画像化する、または情報提供する回路を含む
ことを特徴とする請求項２６から３０のいずれかに記載の装置。
【請求項３２】
前記電気に視覚化する、画像化する、または情報を提供する回路はさらに、
少なくとも１つのパーソナル・ディスプレイ・タイプの電気的に視覚化する、画像化する、または情報を提供する回路を含む
ことを特徴とする請求項２６から３１のいずれかに記載の装置。
【請求項３３】
前記電気に視覚化する、画像化する、または情報を提供する回路はさらに、
少なくとも１つのグループ・ディスプレイ・タイプの電気的に視覚化する、画像化する、または情報を提供する回路を備える
ことを特徴とする請求項２６から３２のいずれかに記載の装置。
【請求項３４】
前記電気的に視覚化する、画像化する、または情報を提供する回路は、
第１の深度にある前記対象者の前記少なくとも一部の前記少なくとも１つの物質の第１の部分から散乱された前記少なくとも１つのコンプトン散乱Ｘ線、および
前記第１の深度とは異なる第２の深度にある前記対象者の前記少なくとも一部の前記少なくとも前記１つの物質の第２の部分から散乱された前記少なくとも１つのコンプトン散乱Ｘ線
に選択的に応じるように、
前記少なくとも１つのコンプトン散乱Ｘ線の視覚化装置、画像化装置、または情報プロバイダの前記少なくとも前記一部を制御する論理を含む
ことを特徴とする請求項２６から３３のいずれかに記載の装置。
【請求項３５】
前記電気に視覚化する、画像化する、または情報を提供する回路は、
少なくとも１つの制御装置を備える
ことを特徴とする請求項２６から３４のいずれかに記載の装置。
【請求項３６】
前記少なくとも１つの制御装置は、
アナログ制御構成部品、
デジタル制御構成部品、
電子制御構成部品、
およびソフトウェア制御構成部品
のうちの少なくとも１つを備えることを特徴とする請求項３５に記載の装置。
【請求項３７】
前記少なくとも１つのコンプトン散乱Ｘ線の視覚化装置、画像化装置、または情報プロバイダは、
飛翔時間計算に少なくとも部分的に依存する
ことを特徴とする請求項２６から３６のいずれかに記載の装置。
【請求項３８】
前記少なくとも１つのコンプトン散乱Ｘ線の視覚化装置、画像化装置、または情報プロバイダは、
画像減算または組合せ計算に少なくとも部分的に依存する
ことを特徴とする請求項２６から３７のいずれかに記載の装置。
【請求項３９】
対象者の少なくとも一部の少なくとも１つの物質に少なくとも１つの印加されるＸ線を印加するように構成された少なくとも１つのエミッタ部と、
前記対象者の前記少なくとも一部の前記少なくとも１つの物質に少なくとも部分的に対応する１組の散乱特性に少なくとも部分的に基づいて、前記対象者の前記少なくとも一部の前記少なくとも１つの物質内の前記少なくとも１つの印加されるＸ線散乱から散乱した少なくとも１つのコンプトン散乱Ｘ線を受けるように構成され、前記対象者の前記少なくとも一部の前記少なくとも１つの物質内への少なくとも１つの所定の深度までの少なくとも１つの深度範囲を通して、少なくとも１つのコンプトン散乱Ｘ線を視覚化する、画像化する、または情報を提供するように構成された、少なくとも１つのコンプトン散乱Ｘ線の受信アセンブリと
を備えることを特徴とするシステム。
【請求項４０】
前記少なくとも１つのコンプトン散乱Ｘ線の受信アセンブリは、
前記少なくとも１つのコンプトン散乱Ｘ線を少なくとも部分的に形成する前記対象者の前記少なくとも一部の前記少なくとも１つの物質内で散乱するように、前記対象者の前記少なくとも一部の前記少なくとも１つの物質に方向付けされる前記少なくとも１つの印加されるＸ線の多数のものを一致させるように構成された相関器を備える
ことを特徴とする請求項３９に記載のシステム。
【請求項４１】
前記少なくとも１つのコンプトン散乱Ｘ線の受信アセンブリは、
前記少なくとも１つの所定の深度を含む多数の深度で散乱された前記少なくとも１つのコンプトン散乱Ｘ線を受けるように構成され、
前記少なくとも１つの所定の深度を含む多数の深度で散乱された前記少なくとも１つのコンプトン散乱Ｘ線は、前記少なくとも１つの所定の深度で前記少なくとも１つのコンプトン散乱Ｘ線を視覚化する、画像化する、または情報を提供するように組み合わされる
ことを特徴とする請求項３９から４０に記載のシステム。
【請求項４２】
前記少なくとも１つの所定の深度の前記対象者の前記少なくとも一部の前記少なくとも１つの物質までの少なくとも１つのコンプトン散乱Ｘ線を視覚化する、画像化する、または情報を提供するように構成された、前記少なくとも１つのコンプトン散乱Ｘ線の受信アセンブリは、
所定の深度に対する前記対象者の前記少なくとも一部の前記少なくとも１つの物質の前記少なくとも一部外部表面の前記少なくとも前記一部からの前記少なくとも１つの物質の容積に関して、視覚化する、画像化する、または情報を提供する、少なくとも１つのコンプトン散乱Ｘ線の受信アセンブリを含む
ことを特徴とする請求項３９から４１のいずれかに記載のシステム。
【請求項４３】
前記少なくとも１つのコンプトン散乱Ｘ線の受信アセンブリは、
前記対象者の前記少なくとも一部の前記少なくとも１つの物質の前記少なくとも一部外部表面の前記少なくとも前記一部を含む、前記少なくとも１つの物質の容積に関して、視覚化する、画像化する、または情報を提供する、少なくとも１つのコンプトン散乱Ｘ線の受信アセンブリを含むことを特徴とする請求項３９から４２のいずれかに記載のシステム。
【請求項４４】
前記少なくとも１つの所定の深度は、
前記印加されるＸ線の周波数またはエネルギーの少なくとも一方の関数であることを特徴とする請求項３９から４３のいずれかに記載のシステム。
【請求項４５】
前記少なくとも１つの所定の深度での、前記対象者の前記少なくとも一部の前記少なくとも１つの物質に関して、視覚化する、画像化する、または情報を提供する、前記少なくとも１つのコンプトン散乱Ｘ線の受信アセンブリは、
少なくともいくつかの画像減算または組合せ技術、および
少なくともいくつかの飛翔時間技術
のうちの１つまたは複数に基づき、少なくとも部分的に行われる
ことを特徴とする請求項３９から４４のいずれかに記載のシステム。
【請求項４６】
前記少なくとも１つのエミッタ部は、
前記対象者の前記少なくとも１つの断片まで通過するのには不十分な前記印加されるＸ線のエネルギー・レベルに少なくとも部分的に基づいて、前記対象者の少なくとも１つの部位までの前記印加されるＸ線の通過を少なくする仕方で、通常動作中に動作するように構成可能である
ことを特徴とする請求項３９から４５のいずれかに記載のシステム。
【請求項４７】
前記少なくとも１つのエミッタ部は、
Ｘ線ベース放射構造、
マンソン（Manson）源、
正確なライン源、
ナノ構造Ｘ線ベース放射構造、
電子エミッタ先端を含むＸ線ベース放射構造、および
三極管を含む電子エミッタ先端を含むＸ線ベース放射構造
のうちの１つまたは複数を備える、
ことを特徴とする請求項３９から４６のいずれかに記載のシステム。
【請求項４８】
前記少なくとも１つのエミッタ部によって印加される前記印加されるＸ線ベース電磁放射の周波数は、
調節可能である
ことを特徴とする請求項３９から４７のいずれかに記載のシステム。
【請求項４９】
対象者の少なくとも一部の少なくとも１つの物質に少なくとも部分的に対応する１組の散乱特性に少なくとも部分的に基づいて、前記対象者の前記少なくとも前記一部の前記少なくとも１つの物質内で散乱した少なくとも１つのコンプトン散乱Ｘ線を受けることに少なくとも部分的に基づいた仕方で、前記対象者の前記少なくとも前記一部の前記少なくとも１つの物質内への少なくとも１つの所定の深度までの少なくとも１つの深度範囲を通して、少なくとも１つのコンプトン散乱Ｘ線を視覚化する、画像化する、または情報を提供することを導き出すことを含むことを特徴とする方法。
【請求項５０】
前記少なくとも１つのコンプトン散乱Ｘ線を視覚化する、画像化する、または情報を提供することに少なくとも部分的に応じて、実行される前記少なくとも１つのコンプトン散乱Ｘ線の視覚化、画像、または提供される情報を表示することをさらに含むことを特徴とする請求項４９に記載の方法。
【請求項５１】
前記少なくとも１つのコンプトン散乱Ｘ線を視覚化する、画像化する、または情報を提供することを前記導き出すことは、
対象者ベースの生理的プロセスと対応する物理的動作を実質的に捕捉するのに十分な速度で行われることを特徴とする請求項４９または５０に記載の方法。
【請求項５２】
前記少なくとも１つのコンプトン散乱Ｘ線を視覚化する、画像化する、または情報を提供することを前記導き出すことは、
ユーザ観察可能な生理的プロセスと対応する物理的動作を実質的に捕捉するのに十分な速度で行われることを特徴とする請求項４９から５１のいずれかに記載の方法。
【請求項５３】
前記少なくとも１つのコンプトン散乱Ｘ線を視覚化する、画像化する、または情報を提供することを前記導き出すことは、
血流に関する情報を視覚化する、画像化する、または提供することを含むことを特徴とする請求項４９から５２のいずれかに記載の方法。
【請求項５４】
前記少なくとも１つのコンプトン散乱Ｘ線を視覚化する、画像化する、または情報を提供することを前記導き出すことは、
目に見える視覚化、
画像、および
提供情報
のうちの１つを含む
ことを特徴とする請求項４９から５３のいずれかに記載の方法。
【請求項５５】
前記少なくとも１つのコンプトン散乱Ｘ線を視覚化する、画像化する、または情報を提供することは、
前記対象者の前記少なくとも前記一部の前記少なくとも１つの物質に関すること
を特徴とする請求項４９から５４のいずれかに記載の方法。
【請求項５６】
前記少なくとも１つのコンプトン散乱Ｘ線を視覚化する、画像化する、または情報を提供することは、
前記対象者の前記少なくとも前記一部の前記少なくとも１つの物質の少なくとも縁部に関する
ことを特徴とする請求項４９から５５のいずれかに記載の方法。
【請求項５７】
前記少なくとも１つのコンプトン散乱Ｘ線を視覚化する、画像化する、または情報を提供することは、
前記少なくとも１つの物質内の異常を指し示す
ことを特徴とする請求項４９から５６のいずれかに記載の方法。
【請求項５８】
前記対象者の前記少なくとも前記一部の前記少なくとも１つの物質の少なくとも１つの所定の深度までの前記少なくとも１つの深度範囲を通るエネルギー侵入レベルは、
少なくとも一部が前記対象者の前記少なくとも一部の前記少なくとも１つの物質を含む、前記対象者の対象とする前記一部全体を通る前記エネルギー侵入レベルより小さい
ことを特徴とする請求項４９から５７のいずれかに記載の方法。
【請求項５９】
マクロ状態に対応するパターンの状態の変化に相互関連するパターンの傾向を特定することをさらに含むことを特徴とする請求項４９から５８のいずれかに記載の方法。
【請求項６０】
前記対象者の前記少なくとも前記一部の前記少なくとも１つの物質の密閉された深度領域の前記少なくとも１つのコンプトン散乱Ｘ線を視覚化する、画像化する、または情報を提供することと組み合わせて、造影剤を加えることをさらに含むことを特徴とする請求項４９から５９のいずれかに記載の方法。
【請求項６１】
前記視覚化する、画像する、または情報を提供することに少なくとも部分的に応じて、組み合わせた深度の視覚化、画像、または提供される情報を生成することをさらに含むことを特徴とする請求項４９から６０のいずれかに記載の方法。
【請求項６２】
解剖学的に得られる、および／または機能的に得られる情報を検討することをさらに含むことを特徴とする請求項４９から６１のいずれかに記載の方法。
【請求項６３】
前記少なくとも一部のＸ線コンプトン散乱Ｘ線の情報を得ることに少なくとも部分的に基づいて、パターンを分析することをさらに含むことを特徴とする請求項４９から６２のいずれかに記載の方法。
【請求項６４】
前記少なくとも１つのコンプトン散乱Ｘ線を視覚化する、画像化する、または情報を提供することを前記導き出すことはさらに、
前記少なくとも１つの所定の深度の第１の深度で、前記少なくとも１つのコンプトン散乱Ｘ線を視覚化する、画像化する、または情報を提供する第１のものを導き出すこと、
前記少なくとも１つの所定の深度の第２の深度で前記少なくとも１つのコンプトン散乱Ｘ線を視覚化する、画像化する、または情報を提供する第２のものを導き出すこと、および
前記少なくとも１つの所定の深度の前記第１の深度と前記少なくとも１つの所定の深度の前記第２の深度の間で、前記少なくとも１つのコンプトン散乱Ｘ線の視覚化する、画像化する、または情報を提供するものを得るように、前記少なくとも１つのコンプトン散乱Ｘ線を視覚化する、画像化する、または情報を提供する前記第１のものおよび前記少なくとも１つのコンプトン散乱Ｘ線を視覚化する、画像化する、または情報を提供する前記第２のものの計算的画像組合せまたは減算を含む
ことを特徴とする請求項４９から６３のいずれかに記載の方法。
【請求項６５】
少なくともその一部が、対象者の少なくとも一部の少なくとも１つの物質内で散乱される、第１のエネルギー・レベルを有する印加されるＸ線を、前記対象者の前記少なくとも前記一部の前記少なくとも１つの物質に印可すること、
前記印加されるＸ線の少なくとも一部によって散乱され、第２のエネルギー・レベルを有するコンプトン散乱Ｘ線を検出すること、および
前記第１のエネルギー・レベルと前記第２のエネルギー・レベルの間の差に少なくとも部分的に基づいて、前記対象者の前記少なくとも前記一部の前記少なくとも１つの物質内の前記印加されるＸ線の少なくとも１つの散乱イベントの位置を幾何的に決定することを含む
ことを特徴とする方法。
【請求項６６】
前記第１のエネルギー・レベルと前記第２のエネルギー・レベルの間の差に少なくとも部分的に基づいて、前記対象者の前記少なくとも前記一部の前記少なくとも１つの物質内の前記印加されるＸ線の前記少なくとも１つの散乱イベントの位置を前記幾何的に決定することは、
前記少なくとも１つの散乱イベントに対応する、前記対象者の前記少なくとも前記一部の前記少なくとも１つの物質に少なくとも部分的に対応する１組の決定した散乱特性に少なくとも部分的に基づいて得られる
ことを特徴とする請求項６５に記載の方法。
【発明の詳細な説明】
【技術分野】
【０００１】
本開示の特定の態様は、これに限らないが、コンプトン散乱Ｘ線視覚化装置、画像化装置、または情報プロバイダ、および関連する機構および／または技術の様々な実施形態に関しうる。
【０００２】
【特許文献１】米国特許第７，０５７，１８７号明細書
【特許文献２】米国特許第６，８９５，０７７号明細書
【非特許文献１】「The Essential Physics of Medical Imaging, Second Edition」、J.T.Bushburg他、Lippincott Williams and Wilkins、2002年のX-ray 13
【非特許文献２】「The Essential Physics of Medical Imaging, Second Edition」、J.T.Bushburg他、Lippincott Williams and Wilkins、2002年の第5章
【非特許文献３】The Electrical Engineering Handbook, Second Edition、Richard C.Dorf、CRC Press/IEEE Press
【発明を実施するための最良の形態】
【０００３】
本開示の内容（本明細書に記載するような特許請求の範囲、詳細な説明、および／または図面）の少なくとも特定の部分は、様々な異なる特許請求の範囲のグループ化、および／または様々な異なる応用例を裏付けることができる。便宜的および理解のために、詳細な説明は、普通は特許請求の範囲またはその中に含まれる一般的概念に関連する様々な異なる概念を追跡する部分の見出しを含むことができるが、詳細な説明は特定の特許請求の範囲それぞれに記載されたような発明の範囲を制限することを意図したものではない。様々な応用例またはその部分に対する裏付けはしたがって、部分の見出しと関係なく、１つまたは複数の位置で内容および／または図面全体を通して見ることができることを理解すべきである。
【０００４】
１．コンプトン散乱Ｘ線視覚化装置、画像化装置、または情報プロバイダの特定（Compton Scattered X-ray Visualizer, Imager, or Information Provider）の実施形態、および関連する視覚化、画像化、または情報提供技術
【０００５】
この開示は、図１に関してブロックの形で記載されたような、コンプトン散乱Ｘ線視覚化装置、画像化装置、または情報プロバイダ１００の異なる実施形態に関する、いくつかの応用例、様々な実施形態、および関連技術を記載している。本開示に記載されるようなコンプトン散乱Ｘ線視覚化装置、画像化装置、または情報プロバイダ１００の特定の実施形態は、対象（例えば、個体）の少なくとも一部の様々な物体に関する情報を視覚化、画像化、および／または提供することができる。コンプトン散乱Ｘ線視覚化装置、画像化装置、または情報プロバイダ１００の特定の実施形態は、少なくとも１つの所定の視覚化、画像化、または情報提供深度１７０に対する視覚化、画像化、または情報提供深度の少なくとも１つの範囲内で、個体の少なくとも一部の物体に関する情報を視覚化、画像化、または提供するように構成することができる。
【０００６】
視覚化すること、画像化すること、または情報を提供することは、少なくとも１つの表面（または、物質、組織などに埋め込まれた実施形態などのいくつかの他の位置）にわたって少なくとも１つの印加されるＸ線についてのアプリケーションに帰着することになる。このような散乱Ｘ線は、少なくとも１つの所定の実質的に散乱される深度までの少なくとも１つの実質的に散乱される深度範囲内の１つまたは複数の散乱イベントで散乱する可能性がある。コンプトン散乱Ｘ線視覚化装置、画像化装置、または情報プロバイダ１００の特定の実施形態は、個体の少なくとも一部の少なくとも１つの物質内での、少なくとも１つの所定の視覚化する、画像化する、または情報を提供する深度１７０までの視覚化する、画像化する、または情報を提供する深度の少なくとも１つの範囲内で、運用することができる。コンプトン散乱Ｘ線視覚化装置、画像化装置、または情報プロバイダ１００の特定の実施形態は、少なくとも２つの所定の視覚化する、画像化する、または情報を提供する深度１７０の間に延在する領域または容積内の、情報を視覚化する、画像化する、および／または提供することができる。各領域または容積は、個体の少なくとも一部の表面１６８（または、コンプトン散乱Ｘ線視覚化装置、画像化装置、または情報プロバイダ１００の少なくとも一部の位置）からある範囲の深度または距離だけの空間を占めることができる。この領域または容積は、いくつかの選択される厚さのものとすることができ、より薄くされる場合に二次元表面に近づく可能性がある。
【０００７】
本開示に記載されるような「所定の深度までの深度の範囲」のいくつかは、少なくとも１つの所定の視覚化する、画像化する、または情報を提供する深度までの視覚化する、画像化する、または情報を提供する深度の少なくとも１つの範囲、あるいは少なくとも１つの所定の実質的に散乱される深度間での少なくとも１つの実質的に散乱される深度範囲、のいずれかによって特徴付けられる。少なくとも１つの所定の視覚化する、画像化する、または情報を提供する深度までの視覚化する、画像化する、または情報を提供する深度の少なくとも１つの範囲は、視覚化する、画像化する、または情報を提供することが行われている（被る）個体の少なくとも一部の物質の領域に関連する。少なくとも１つの所定の実質的に散乱される深度までの少なくとも１つの実質的に散乱される深度範囲は、印加されるＸ線が、所定の実質的に散乱される深度（および様々な潜在的な実質的に散乱された深度の範囲）にまで、実質的に下方に印加されている、個体の少なくとも一部の物質の領域に関連する。
【０００８】
印加されるＸ線の特定のＸ線光子は、所定の実質的に散乱される深度までの実質的に散乱される深度範囲より、個体の少なくとも一部の物質内に、深く進み続けることができ、そこで散乱される可能性がある。個体の少なくとも一部の少なくともいくつかの物質内の視覚化、画像化、または情報が提供される領域は、コンプトン散乱Ｘ線視覚化装置、画像化装置、または情報プロバイダ１００の異なる実施形態では、またはその異なる個体、またはその部分では、寸法的に大きく変化する可能性がある。例えば、所定の深度についてのこのような深度範囲は、構成、タイプ、使用、コンプトン散乱Ｘ線視覚化装置、画像化装置、または情報プロバイダ１００によって画像化されているまたは物質によって、極小次元、数ミクロンから数百ミクロンを通して、人間または動物などの個体にわたるかなりの量の距離まで、変化することができる。
【０００９】
視覚化、画像化、または情報提供の品質、分解能、潜在的応用例、および／または精度は、異なる実施形態では、１つまたは複数のエミッタ部１５０、および／または１つまたは複数のコンプトン散乱Ｘ線受信アセンブリ１５１を使用するプローブにより、変化する可能性がある。視覚化、画像化、または情報提供の品質、分解能、潜在的応用例、および／または精度の変更形態は、１つまたは複数のエミッタ部１５０を含む視覚化装置まで続くことができ、および／またはコンプトン散乱Ｘ線受信アセンブリ１５１を使用して個体の少なくとも一部内で少なくともいくつかの物質周りでいくつかの深度情報を得ることができる。視覚化、画像化、または情報提供の品質、分解能、潜在的応用例、および／または精度の変更形態はさらに、詳細な視覚化、画像化、または情報提供を可能にする洗練された画像化システムに続くことができる。
【００１０】
添付の特許請求の範囲を含む、本開示内では、「画像化する」、「視覚化する」、「プロービング（探索する）」、および／または「情報提供する」という用語は、文脈によって、「視覚化する、画像化する、または情報を提供する」という包括的な用語内に含まれると考えることができる。本開示内では、コンプトン散乱Ｘ線受信アセンブリ１５１の特定の実施形態は、個体に対して少なくとも部分的に内部に、個体に対して少なくとも部分的に外部に存在し、完全ユニットとして構成され、および／または少なくとも一部が互いに相互作用することができるいくつかの組み合わせたユニットとして構成することができる。
【００１１】
１つまたは複数のエミッタ部１５０および／または１つまたは複数のコンプトン散乱Ｘ線受信アセンブリ１５１の特定の実施形態は、個別ユニット、相違する複数の装置からなるアレイ、あるいは半導体処理、超大規模集積回路（ＶＬＳＩ）、超々大規模集積回路（ＵＬＳＩ）、および／または他の知られている半導体または他の製造プロセスなどのプロセスを使用して作られた複合装置のアレイとして構成することができる。１つまたは複数のエミッタ部１５０および／または１つまたは複数のコンプトン散乱Ｘ線受信アセンブリ１５１に関連付けられた深度視覚化する、画像化する、または情報処理することは、（１つまたは複数の）特定の装置の運用（operation）、および潜在的なユーザ入力に適切であるように選択すべきである。
【００１２】
関連付けられた視覚化する、画像化する、情報提供する、および／または処理する技術はしたがって、視覚化する、画像化する、または情報を提供することを行うコンプトン散乱Ｘ線視覚化装置、画像化装置、または情報プロバイダ１００の精巧性および複雑性に少なくとも部分的に基づいて、設計、使用、および／または調整されることができる。コンプトン散乱Ｘ線の視覚化すること、画像化すること、または情報を提供することは、様々な、少なくとも部分的に内部の実施形態、および／または少なくとも部分的に外部の実施形態、のいずれかによって行うことができる。開示に記載されるようなコンプトン散乱Ｘ線視覚化装置、画像化装置、または情報プロバイダ１００の特定の実施形態は、図１のブロック図に関して記載したような開示に、少なくとも部分的に一般化することができ、この開示にしたがって少なくとも部分的に、概ね、運用することができる。
【００１３】
一般的に様々な理由により、特定の従来のタイプの視覚化する、画像化する、または情報を提供することは、その他より良いまたは悪い診断のタイプの特定の動作を行う可能性がある。この開示は、それぞれ、専用または多目的の方法のいずれかで、特定の疾病、傷害、癌、腫瘍、骨状態、歯、移植片などを検出するために、視覚化する、画像化する、または情報を提供するように構成することができるコンプトン散乱Ｘ線視覚化装置、画像化装置、または情報プロバイダ１００のいくつかの実施形態を記載している。ブロック図の形式で示すコンプトン散乱Ｘ線視覚化装置、画像化装置、または情報プロバイダ１００の図１の実施形態は、様々な構成、および応用例などに適用することができる。
【００１４】
図２は、全体的に、散乱Ｘ線１２２のＸ線光子を形成する、ターゲット電子１２０（ターゲット電子は、この開示で記載されるように個体の「物質」に含めることができる）と接触する、印可されるＸ線のＸ線光子１２０に関連付けられた散乱イベントを示している。印加されるＸ線のＸ線光子１２０は、普通、散乱されたＸ線１２２への遷移中に、散乱イベント内の散乱によってエネルギーが伝達／使用される結果として、エネルギーを失う。
【００１５】
コンプトン散乱Ｘ線視覚化装置、画像化装置、または情報プロバイダ１００の特定の実施形態はしたがって、これに限らないが、少なくとも１つのエミッタ部１５０、および少なくとも１つのコンプトン散乱Ｘ線受信アセンブリ１５１を備えることができる。コンプトン散乱Ｘ線受信アセンブリ１５１の特定の実施形態は、それにより分析、表示、算出、および／または処理などすることができる情報を視覚化、画像化、および／または提供することができる。少なくとも１つのコンプトン散乱Ｘ線受信アセンブリ１５１の特定の実施形態は、これに限らないが、少なくとも１つの検出部１５２、および／または少なくとも１つの表示部１５４を備えることができる。コンプトン散乱Ｘ線視覚化装置、画像化装置、または情報プロバイダの特定の実施形態は、視覚化、画像化、または情報提供が、デコンボリューション（deconvolution）、変換（例えば、積分変換、逆フーリエ変換、逆ＦＦＴなど）、画像減算、加重減算、関数減算、逆積分変換、減算的逆積分変換（subtractive inverse integral transform）、逆関数変換、および減算的逆関数変換（subtractive inverse functional transform）、または他のこのようなプロセスまたは計算に少なくとも部分的に基づき、捕捉されるおよび／または組み合わされることを可能にする。このような視覚化する、画像化する、または情報を提供することは、おそらく、プログラミングされた形で、ユーザ制御の形で、所望の形で、または他の適切な方法で、１回、多数回、繰返し、連続、または他の同様なやり方、のいずれかで起こることになる。
【００１６】
この開示内では、デコンボリューション技術を使用して、不透明な所望の像などに適用される、物質、組織、Ｘ線不透過物質、雑音などの、深度についての（１つまたは複数の）覆い隠し効果（obscuring effect(s)）を制限するまたは小さくするのに使用することができる。このように、デコンボリューションは、（１つまたは複数の）視覚化、（１つまたは複数の）画像、および／または提供される情報を、明確にするのに使用することができる。デコンボリューション技術およびテクノロジーは十分に確立されおよび理解され、第二次世界大戦の前から特定の技術分野で使用されてきた。デコンボリューションは、従来から、画像処理、信号処理、および他のコンピュータベース画像技術で使用されている。コンプトン散乱Ｘ線視覚化装置、画像化装置、または情報プロバイダ１００の特定の実施形態は、デコンボリューション、変換、および他の歪み除去技術を利用することができる。このような歪み除去技術を使用して、雲の中に隠れた航空機を特定または視覚化し、雑音背景内などでの信号および／または画像を制限するために、例えば、Ｘ線透過物質、光吸収物質、信号雑音などから少なくとも部分的に生じる歪み影響を制限することができる。このような他の歪み制限画像処理技術は、必要に応じて、当業者には自明である方法で、適用することができる。
【００１７】
人間または動物個体の「物質」としては、文脈によって、しかし、これに限らないが、組織、肉体、筋肉、光不透過組織、（１つまたは複数の）器官、（１つまたは複数の）骨、（１つまたは複数の）骨部、毛髪、（１つまたは複数の）骨断片、（１つまたは複数の）移植片（implant(s)）、脂肪、（１つまたは複数の）血管、（１つまたは複数の）毛細血管、（１つまたは複数の）皮膚、歯、表皮、真皮、脳、腫瘍、嚢胞、ヨード造影剤などの造影剤、ガドリニウム、（１つまたは複数の）特定の流体、血液または（１つまたは複数の）血液成分、ＣＳＦ、潅注剤（irrigant）、ＩＶ流体、水、水溶液、セラミック、スチール、チタン、ニチノールなどの移植片（implant）材料を挙げることができる。植物および有機的組織体（organism）の実施形態は、植物または有機的組織体（organism）の一部としてイメージされる、および／またはこれに関連付けられた構造および／または位置によってイメージされることができる、このような物質（自然に発生するまたは人工的に作られるまたは利用される）を含むことができる。
【００１８】
コンプトン散乱Ｘ線視覚化装置、画像化装置、または情報プロバイダ１００の特定の実施形態は、それらの深度視覚化、画像化、および／または情報提供について比較的高い分解能を達成することができる。このようにして、コンプトン散乱Ｘ線視覚化装置、画像化装置、または情報プロバイダ１００の特定の実施形態は、個体の少なくとも一部の物質が個体８２の少なくとも一部として包括的に画像化されることができるように、構成することができる。コンプトン散乱Ｘ線視覚化装置、画像化装置、または情報プロバイダ１００の特定の実施形態は、例えば特定の従来のＸ線技術と比較して、かなりの数の相違するタイプの物質に関する深度視覚化、画像化、および／または情報を提供することができる。
【００１９】
コンプトン散乱Ｘ線視覚化装置、画像化装置、または情報プロバイダ１００の特定の実施形態はしたがって、制御可能なおよび／または調節可能な方法で肉体、組織、筋肉、脂肪、流体（血液、リンパ液、髄液など）などの組織などの個体の少なくとも一部の物質に関する情報を視覚化、画像化、および／または提供することができる。このような態様で、初期深度視覚化する、画像化する、または情報を提供することをある領域について行うことができ、関心領域の配置に基づいて、所望の領域に関する情報を視覚化する、画像化する、および／または提供するために、本開示に記載されるように、コンプトン散乱Ｘ線視覚化、画像化、または情報提供をフィルタリングし、処理し、分析し、比較し、変換し、調節し、拡大し、角度付けすることなどができる。
【００２０】
コンプトン散乱Ｘ線視覚化装置、画像化装置、または情報プロバイダ１００の特定の実施形態は、特定の脊椎手術と同様に、人体または動物の脊柱に関する情報を視覚化し、画像化し、および／または提供するのに使用することができる。脊柱（および、関連するプレート、ピン、血管、筋肉など）についてのこのような深度視覚化する、画像化する、または情報を提供することは、手術の前、その間、および／またはその後に行うことができ、所望の目的、機器、状態、または応用によって適当なまたは所望の品質で画像化する、視覚化する、または情報を提供することを行うことができる。手術後のこのようなコンプトン散乱Ｘ線視覚化、画像化、または情報提供は、脊椎、関連する神経、骨、および関連するピン、構築物などに対するプレート、ピン、構築物などとの相互作用を示すために、１つまたは複数の適切な角度で行うことができる。物質、脊椎、骨、組織、移植片などを画像化するように構成されたコンプトン散乱Ｘ線視覚化装置、画像化装置、または情報プロバイダ１００のこれらの実施形態は、所望の深度の画像化、深度の視覚化、および／または検査に基づいて構成されるべきであり、おそらくリアル・タイム・ベースに近い形で調節および／または制御することができる。
【００２１】
図面に関して記載するような、本開示を通して他の位置にあるコンプトン散乱Ｘ線視覚化装置、画像化装置、または情報プロバイダ１００の特定の実施形態は、基本的に、コンプトン散乱Ｘ線受信アセンブリ１５１の様々な実施形態にわたって視覚化するおよび／または画像を表示することができるディスプレイに関する。比較として、図３８に記載されるような、本開示を通して他の位置にあるコンプトン散乱Ｘ線視覚化装置、画像化装置、または情報プロバイダ１００の特定の実施形態は、基本的に、情報を、テキスト、データ、グラフ、または他の処理された情報、またはその組合せまたはその変更形態などの形式で、表示することができるディスプレイに関する。より詳細には、図３８は、他の非画像または非視覚形式で示されているテキスト、データなどの例を示している。本開示に記載するようなコンプトン散乱Ｘ線視覚化装置、画像化装置、または情報プロバイダ１００の様々な実施形態は、また、ユーザまたは個人が、所望する、適切な、および／または意図する視覚化、画像化、または情報提供に関する入力を与えることができるように、グラフィカル・ユーザ・インターフェース、ボタン、スイッチ、または他の機構を備えることができる。このように、本開示内では、「視覚化する」、「画像」、または「情報提供する」という用語はそれぞれ、文脈によって、これらの用語それぞれを含むことを意図している。
【００２２】
コンプトン散乱Ｘ線視覚化装置、画像化装置、または情報プロバイダ１００の特定の実施形態は、様々な特定の応用例に対して構成することができる。コンプトン散乱Ｘ線視覚化装置、画像化装置、または情報プロバイダ１００の特定の実施形態のユーザは、手元の特定の作業に基づき品質、リフレッシュ速度、リアルタイム・アスペクト、分解能、色などの特定の態様を選択することができる。例えば、患者の外表皮膚を検査する医者は、１つまたは複数の視覚化、画像、または提供される情報を得ることができる、またはコンプトン散乱Ｘ線視覚化装置、画像化装置、または情報プロバイダ１００の特定の実施形態を使用して特定の表面収差を処理することができる。また、外科医／ユーザは、切断、分離、除去、変形、処理、触覚フィードバック提供、材料の添加、材料の除去、あるいは組織、骨、流体、血液などの物質の処理などの処置で使用することができる外科用器具に取り付ける、一体化する、あるいは固定することができるコンプトン散乱Ｘ線視覚化装置、画像化装置、または情報プロバイダ１００の特定の実施形態を使用することができる。
【００２３】
コンプトン散乱Ｘ線視覚化装置、画像化装置、または情報プロバイダ１００の特定の実施形態は、極めて詳細なまたは優れた画像から比較的大雑把な画像にわたる可能性がある比較的様々な品質の深度視覚化または画像を満足させることができる。詳細な画像は例えば、個体の少なくとも一部の物質の優れた表示を提供することができる。比較的大雑把な視覚は、血管、骨、部位、神経、構築物などの所望の視覚化された物質の相対位置を示すのに適切である可能性がある。コンプトン散乱Ｘ線視覚化装置、画像化装置、または情報プロバイダ１００の特定の実施形態は、例えば個体内で保護されるべき血管、神経、または他の物質に接触することなく、所望の通り操作するのに、または組み合わせて器具を操作するのに十分なリフレッシュ速度で提供することができる。このように、コンプトン散乱Ｘ線視覚化装置、画像化装置、または情報プロバイダ１００の特定の実施形態は、様々な器具に関連付けることができ、この器具について、変形したり、分離したり、歪ませたり、案内したり、切断したり、回避したり、および他のこのような実施形態を助けるのに使用することができる。
【００２４】
コンプトン散乱Ｘ線視覚化装置、画像化装置、または情報プロバイダ１００の特定の実施形態に関連する、または動作可能に結合することができる特定の器具は、ユーザに触覚フィードバックを提供することができる。このような触覚フィードバック提供器具は特に、（領域を同様に観察しながら遠隔的のみである場合でさえも）治療または検査の目的で個体の様々な領域を、ユーザが「感じる」または「触る」ことを可能にするように、コンプトン散乱Ｘ線視覚化装置、画像化装置、または情報プロバイダ１００の特定の実施形態と特に組み合わせて使用することができる。触覚フィードバック機構は図には示されていないかもしれないが、これは全体的にロボット工学、自動化、外科手術、および他のこのような技術分野または技術領域の当業者によって理解される。骨、器官などの特定の物質の一般的位置に興味のある特定の整形外科医などは、限られた分解能または画質を有する深度視覚および／または画像に満足することができる。このように、触覚フィードバック・プロバイダの特定の実施形態は、本開示内で適用されるように、特定の意味および／または特定の文脈で「器具」として考えることができる。加えて、特定のユーザはコンプトン散乱Ｘ線視覚化装置、画像化装置、または情報プロバイダ１００の特定のシンチレータまたはフルオロスコープ（fluoroscope）実施形態を使用するように選択することができる。
【００２５】
ユーザは、組織内へのかなりの深度で情報を画像化する、視覚化する、および／または提供する、および／または高い分解能または品質を有することができる深度の視覚化または画像を得るために、コンプトン散乱Ｘ線視覚化装置、画像化装置、または情報プロバイダ１００の特定の実施形態を使用することを望む可能性がある。コンプトン散乱Ｘ線視覚化装置、画像化装置、または情報プロバイダ１００の特定の実施形態によって生成することができる特定の視覚化または画像は、ＭＲＩ、ＣＡＴスキャン、ＰＥＴスキャンなどと同様の品質の画像である可能性がある。コンプトン散乱Ｘ線視覚化装置、画像化装置、または情報プロバイダ１００の特定の実施形態は、リアル・タイム・ベースに近い形で適用される特定の例などで、従来の画像モダリティ（imaging modality）と比べて比較的迅速に行うことができる。ユーザはそれにより、本開示で記載するように、適切な視覚化、画像化、または情報提供の品質を得るために、画像処理を当てにするコンプトン散乱Ｘ線視覚化装置、画像化装置、または情報プロバイダ１００の特定の実施形態を使用するように選択することができる。このように、ユーザは手元の特定の作業に少なくとも部分的に基づき、コンプトン散乱Ｘ線視覚化装置、画像化装置、または情報プロバイダの１つまたは複数の適切な実施形態を選択することができる。
【００２６】
コンプトン散乱Ｘ線視覚化装置、画像化装置、または情報プロバイダ１００の特定の実施形態は、文脈によって、これに限らないが、プラットフォーム、テーブル、手持ち式、内視鏡、器具に取り付けられたまたは一体化されたものなどを含む、視覚化する、画像化する、または情報を提供する構造を提供するように構成することができる様々な実施形態の機構に対して適用することができる。本開示内では、使用されている特定の視覚化する、画像化する、または情報を提供する構造の説明は、元々、例示的なものであって、範囲を限定することを意図したものではない。このように、特定の視覚化する、画像化する、または情報を提供する構造に適用されているコンプトン散乱Ｘ線視覚化装置、画像化装置、または情報プロバイダ１００の一実施形態の説明は、他の視覚化する、画像化する、または情報を提供する構造に適用することができ、文脈によって本開示の範囲内にあることを意図している。
【００２７】
コンプトン散乱Ｘ線視覚化装置、画像化装置、または情報プロバイダ１００の特定の実施形態は、散乱イベントによる結果を利用して、エネルギー損失量、および／または電子、中性子、陽子、または原子および／または物質の他の部分との接触（または密接な相互作用）によるＸ線光子の方向の変化、決定することができる。散乱イベントの際に、散乱Ｘ線１２２となる、印加されるＸ線１２０のＸ線光子のエネルギー・レベル変化（ほぼ常に、エネルギー保存の原理の結果による損失）、および散乱エネルギー・レベルは、図２に関して記載するようなコンプトン等式に基づいてエネルギー伝達を導き出すのに使用することができる。散乱イベントにより生じる散乱Ｘ線の散乱角度、およびその散乱イベントの位置は、ａ）印可されるＸ線の初期エネルギー・レベルおよび軌跡、ｂ）コンプトン散乱Ｘ線受信アセンブリ１５１の検出位置、ｃ）散乱Ｘ線１２２の散乱エネルギー・レベル、およびｄ）少なくとも部分的に散乱イベントによるエネルギー損失、の組合せに基づいて導き出すことができる。散乱イベントの散乱角度および位置は、本明細書で使用されるようなコンプトン散乱Ｘ線等式、および幾何学式に少なくとも部分的に基づいて決定することができる。コンプトン散乱Ｘ線受信アセンブリ１５１の１つまたは複数により散乱イベントの多数の散乱角度および位置を集めることによって、連続して改善される画像品質を有する画像を導き出すことができる。
【００２８】
コンプトン散乱Ｘ線視覚化する、画像化する、または情報を提供することは、様々な機構を使用し、様々な技術を伴って行うことができる。視覚化される、画像化される、および／または情報が提供されている個体の少なくとも一部の物質内の深度の決定は、コンピュータおよび／またはコントローラによって行われるような分析的決定、計算、および数学的計算を伴なって少なくとも部分的に導き出すことができる、または別の方法では実験または分析を伴う可能性がある。視覚化する、画像化する、または情報を提供することの特定の態様は、視覚化、画像化、または情報提供されている各特定の物質、印加されるＸ線１２０および／または散乱Ｘ線１２２のＸ線光子のエネルギー・レベルおよび／または周波数（frequency）などの要因、および／または他のこのような要因に基づく可能性がある。断層撮影法によるこのような視覚化する、画像化する、または情報を提供する特定の変形は、比較的薄くすることによって、各スライスにわたって視覚化する、画像化する、または情報を提供することの一貫性または均質性を改善することができる、一連のまたはいくつかの比較的薄いスライスを生成することによるものである可能性がある。
【００２９】
ある厚さにわたって視覚化および画像化されている物質の一貫性はしたがって、特に（例えば、視覚化する、画像化する、または情報を提供する軸スライスの厚さを通して）視覚化する、画像化する、または情報を提供することが行われている方向と平行な方向で画質を改善することができる。同様に、画質は、物質が画像化スライスの厚さにわたってより異質となるので、コンプトン散乱Ｘ線視覚化装置、画像化装置、または情報プロバイダ１００の特定の実施形態において劣化する可能性がある。このような視覚化する、画像化する、または情報を提供することは、直線、湾曲、複雑、またはいくつかの他の所望のまたは適切なまたは所望の形状をとることができる。
【００３０】
従来の断層撮影画像化技術で使用されるようなスライスを提供するものに類似する特定の技術は、また、コンプトン散乱Ｘ線視覚化装置、画像化装置、または情報プロバイダ１００の特定の実施形態に適用することができる。コンプトン散乱Ｘ線視覚化装置、画像化装置、または情報プロバイダ１００による視覚化する、画像化する、および情報を提供する際に利用することができるような特定の実施形態のスライスは、直線、湾曲、複雑、またはいくつかの他の所望のまたは適切なまたは所望の形状で配置することができる。コンプトン散乱Ｘ線視覚化装置、画像化装置、または情報プロバイダ１００によって画像化することができる、限られた厚さを有する視覚化する、画像化する、または情報プロバイダによる三次元領域として考えることができるいくつかのスライスを組み合わせは、特定の物質についてのより厚い画像を作り出すことができる。この開示は、先ず、このようなコンプトン散乱Ｘ線を視覚化する、画像化する、または情報を提供することに対する様々な技術を記載している。
【００３１】
視覚化する、画像化する、または情報を提供する特定の実施形態は、少なくとも１つの所定の視覚化する、画像化する、または情報を提供する深度（例えば、表面からの、あるいは表面から離れた）までの少なくとも１つの視覚化する、画像化する、または情報を提供する深度範囲内で、視覚化する、画像化する、または情報を提供するのに使用することができる。視覚化されている、画像化されている、または情報が提供されている少なくとも１つの所定の視覚化する、画像化する、または情報を提供する深度までの少なくとも１つの実際または最大の視覚化する、画像化する、または情報を提供する深度範囲は、コンプトン散乱Ｘ線視覚化装置、画像化装置、または情報プロバイダ１００の異なる実施形態の間で異なる可能性があり、散乱Ｘ線の深度視覚化する、画像化する、または情報を提供することの詳細、深度の視覚化、画像化、または情報提供が行われる（被る）物質、および視覚化する、画像化する、または情報を提供するコントローラ９７のプロセッサの特徴および運用（operation）に基づく可能性がある。印加されるＸ線のＸ線光子のいくつかは、散乱して散乱イベントを提供し、ここで、Ｘ線は、少なくとも１つの所定の実質的に散乱深度までの少なくとも１つの実質的な散乱深度範囲よりも大きい深度で散乱する可能性がある。
【００３２】
印加されるＸ線のＸ線光子のエネルギー・レベルに基づいて、少なくとも１つの所定の実質的に散乱する深度までの少なくとも１つの実質的に散乱する深度範囲より大きい深度の範囲で起こる散乱イベントでの印加されるＸ線の数は、特定の視覚化、画像化、または画像提供に対して、計算的に無視する、効果的に除去する、加重技術によって制限する、または画像処理技術を使用して除去することを前提とすることができる、または認めることができる。特定の視覚化、画像、または提供される情報は、より深い散乱Ｘ線の限られた割合を無視することによってさえも、提供することができる。コンプトン散乱Ｘ線視覚化装置、画像化装置、または情報プロバイダ１００の特定の実施形態は、少なくとも１つの所定の実質的に散乱する深度１７０までの少なくとも１つの実質的に散乱する深度範囲より大きい深度により生じる散乱イベントから戻っているコンプトン散乱Ｘ線１２０のＸ線光子の効果を制限するように構成することができる。加えて、少なくとも１つの所定の実質的に散乱する深度までの少なくとも１つの実質的に散乱する深度範囲より大きい散乱深度の範囲で散乱する、コンプトン散乱Ｘ線１２０のこれらのＸ線光子の深度視覚化する、画像化する、または情報を提供する効果の特定のものは、画像処理技術、デコンボリューション、および他の技術を使用して無視、フィルタリング、および／あるいは制限される歪み効果の少なくとも一部に含めることができる。
【００３３】
コンプトン散乱Ｘ線の視覚化する、画像化する、または情報を提供する別の実施形態は、印加されるＸ線の光子のエネルギーを、増加させることなど、大きくすることによって少なくとも部分的に視覚化する、画像化する、または情報を提供する深度を制御または調節することができる。印加されるＸ線１２０のＸ線光子のエネルギー・レベルまたは周波数を変えることによって、個体の少なくとも一部の物質内への所定の視覚化する、画像化する、または情報を提供する深度までの視覚化する、画像化する、または情報を提供する深度の有効範囲を変更することができる。このように、視覚化する、画像化する、および／または情報を提供するのに使用されている印加されるＸ線のＸ線光子の少なくとも一部のエネルギー・レベルおよび／または周波数は、コンプトン散乱Ｘ線の視覚化する、画像化する、または情報を提供する深度の変化をもたらすように調節することができる。
【００３４】
本開示内では、「個体」という用語は、文脈によって、その少なくとも一部がコンプトン散乱Ｘ線視覚化装置、画像化装置、または情報プロバイダ１００によって画像化および／または観察されている、人、動物、植物、有機的組織体（organism）に関する。「ユーザ」という用語は文脈によって、これに限らないが、医者、医師、歯科医、獣医、研究者、助手、技術者、法医学および／または死体解剖を行う人、ユーザ、および／またはコンプトン散乱Ｘ線視覚化装置、画像化装置、または情報プロバイダ１００の特定の実施形態を使用して個体の視覚化された、画像化された、または情報提供された部分を見るまたは利用することができる他の人、助手、またはその派生による人などの、コンプトン散乱Ｘ線視覚化装置、画像化装置、または情報プロバイダ１００の特定の実施形態を使用および／または操作する人に関する。
【００３５】
本開示内では、「ユーザ」という用語はまた、上記のような人間のユーザに加えて、コンプトン散乱Ｘ線視覚化装置、画像化装置、または情報プロバイダ１００の特定の実施形態による出力として特定の深度画像情報の視覚化、画像化、情報提供、検査、または分析を自動化するのに使用することができるコンピュータ、自動システム、コントローラ、ロボット装置、他の装置などを含むことができる。例えば、特定の深度画像情報は、その特定の態様を決定するために、コンピュータ・ビジョンに基づくコンピュータ、マシン・ベース・イメージング、マシン・ビジョン、マシン・ベース・デバイスなどによってより簡単に利用または処理することができるとする。例えば、外科用器具に取り付けられているコンプトン散乱Ｘ線視覚化装置、画像化装置、または情報プロバイダ１００の特定のコンピュータ・ベースの実施形態は、特定の血管、神経などの相対深度を定量的に決定または解釈するようになっている可能性がある。このような視覚化、画像化、または情報提供は、特定の実施形態に対して、非均質性物質の近くで効果的であることがある。
【００３６】
コンプトン散乱Ｘ線視覚化装置、画像化装置、または情報プロバイダの特定のコンピュータベースまたは機械ベースの実施形態は、視覚化、画像化、情報提供、あるいは特定のＸ線不透明物質（おそらく、少なくとも部分的に、デコンボリューション、変換、または覆い隠し効果を制限する他のこのような技術による）による分析において極めて効果的であることを証明することができる。このような技術は、個体内のガン、腫瘍、骨または他の物質の深度を決定することなどの作業を達成することができ、それによって、個体の大きな領域上の人間の走査が行われてしまうことを制限する、少なくする、または二重検査することができる。コンプトン散乱Ｘ線視覚化装置、画像化装置、または情報プロバイダ１００の特定のコンピュータベース実施形態（または、さらにヒューマン・ビジョン実施形態）は、家庭検査の形態（home-test form）、緊急の形態、作業特定の形態、比較的低電力の形態、またはさらに技術のあるユーザの助けなしで使用することができる形態、で構成することができる。このように、本開示内では、特にコンプトン散乱Ｘ線視覚化装置、画像化装置、または情報プロバイダ１００の特定な単純化したまたは特化した実施形態の特定の例では、「ユーザ」という用語はまた、個人、個人の家族または友人、および／または個人に対する特定の実施形態のコンプトン散乱Ｘ線視覚化装置、画像化装置、または情報プロバイダを操作するのを助けることができる個人に対する介添え人を含むことができる。コンプトン散乱Ｘ線視覚化装置、画像化装置、または情報プロバイダのこのような特定の家庭検査実施形態は、これに限らないが、本開示に記載するように、マンモグラム、ガンまたは腫瘍スクリーニング、血流、組織異常、可能性のある骨折または組織裂傷などの１つまたはいくつかの特化した目的に対して使用することができることが好ましい。
【００３７】
コンプトン散乱Ｘ線視覚化装置、画像化装置、または情報プロバイダ１００の特定のコンピュータ・ビジョン・ベース実施形態は、おそらくデコンボリューション、変換、または他のこのような技術を使用して、または使用することなく、個体の少なくとも一部内で特定の物質異常をモデリングするように構成することができる。コンプトン散乱Ｘ線視覚化装置、画像化装置、または情報プロバイダの特定のコンピュータ・ビジョン・ベース実施形態は、断層撮影法、ＭＲＩ、および他の従来の画像化技術で普通に使用されるようなマッピング技術を使用することによって散乱したＸ線が黒色腫、腫瘍、ガン、骨成長などの特定の異常の範囲、程度、角度などを決定する際に特定のヒューマン・ビジョン実施形態より優れていることを証明することができる。
【００３８】
本開示内では、コンプトン散乱Ｘ線の視覚化する、画像化する、または情報を提供することは、コンテクストによって、その所望の視覚化する、画像化する、または情報を提供する応用例に応じて任意の厚さを有することができるが、三次元であると考えることができる物質の容積の深度を視覚化する、画像化する、または情報を提供することに関する。視覚化されている、画像化されている、または情報が提供されている三次元の容積（ある厚さを有する）は、外表皮膚または膜、内腔などの内部または外部表面から少なくとも部分的に分離することができる。特定の実施形態のコンプトン散乱Ｘ線視覚化装置、画像化装置、または情報プロバイダ１００は、個体の部分に関する情報を視覚化する、画像化する、および／または提供するように相対位置決めするように使用することができるいくつかの位置を提供するように、表面１６８に隣接する領域に位置決めすることができる。個体の表面１６８は、特定の実施形態のコンプトン散乱Ｘ線視覚化装置、画像化装置、または情報プロバイダ１００を、視覚化、画像化、または情報提供を改善するように位置決めする、角度付けする、移動させる、あるいは変位させることができるいくつかの位置を提供することができる。このように、特定の例では、そこから視覚化、画像化、または情報提供する優れた位置を表面に近接してまたは隣接して提供することができる。（訳者注；以下において、簡単化ために、基本的には、「コンプトン散乱Ｘ線を視覚化する」を「コンプトン散乱Ｘ線視覚化」、「視覚化する」を「視覚化」、「画像化する」を「画像化」、「情報を提供する」を単に「情報提供」または「情報提供する」と表現する）
【００３９】
図１に関して記載するように、また本開示の他の位置では、コンプトン散乱Ｘ線視覚化装置、画像化装置、または情報プロバイダ１００の特定の実施形態は、これに限らないが、少なくとも１つのエミッタ部１５０、および／または少なくとも１つのコンプトン散乱Ｘ線受信アセンブリ１５１を備えることができる。特定の実施形態の少なくとも１つのエミッタ部１５０は、個体８２の少なくとも一部に向かって少なくとも一部の印加されるＸ線１２０を放射または案内するように構成することができる。特定の実施形態の少なくとも１つのエミッタ部１５０は、個体の少なくとも一部の少なくとも一部の物質に印加されているＸ線の生成および／または方向をそれぞれ制御および／または調節することができるように、調節可能および／または制御可能である。印加されるＸ線の少なくとも一部は、散乱イベント内で散乱されて散乱Ｘ線を形成し、これは少なくとも１つのコンプトンＸ線受信アセンブリ１５１によって受けることができる。特定の実施形態の少なくとも１つのエミッタ部１５０を使用して、特定の実施形態のコンプトン散乱Ｘ線視覚化装置、画像化装置、または情報プロバイダ１００の少なくとも１つの所定の視覚化、画像化、または情報提供深度までの少なくとも１つの視覚化、画像化、または情報提供深度範囲内で少なくとも１つの視覚化、画像化、または情報提供を調節または制御することができる。本開示内では、印加されるＸ線１２０または散乱したＸ線１２２は、いくつかのＸ線光子を含む（例えば、備える）ことができ、その特性エネルギー・レベルおよび／または周波数は、Ｘ線ビームの特性を決定することができる。
【００４０】
特定の実施形態のコンプトン散乱Ｘ線受信アセンブリ１５１は、個体８２の少なくとも一部からコンプトン散乱されている少なくとも一部のコンプトン散乱Ｘ線１２２を検出するように構成することができる。特定の実施形態のコンプトン散乱Ｘ線受信アセンブリ１５１は、異なるコンプトン散乱Ｘ線視覚化装置、画像化装置、または情報プロバイダ１００によって生成された、印加されるＸ線１２０からの、散乱イベントで散乱された、第１のコンプトン散乱Ｘ線視覚化装置、画像化装置、または情報プロバイダ１００からの、散乱Ｘ線１２２を受けることによって少なくとも部分的に動作することができる。特定の実施形態のコンプトン散乱Ｘ線受信アセンブリ１５１は、検出することができる少なくとも一部のコンプトン散乱Ｘ線１２２の特性をそれぞれ制御および／または調節することができるように制御可能および／または調節可能である。特定の実施形態の少なくとも１つのコンプトン散乱Ｘ線受信アセンブリ１５１は、これに限らないが、少なくとも１つの検出部１５２、および／または少なくとも１つのディスプレイ部１５４それぞれ、またはいずれかの組合せを含むことができる。
【００４１】
エミッタ部１５０および／またはコンプトン散乱Ｘ線受信アセンブリ１５１の特定の実施形態の運用（operation）は、本開示に記載するように（、視覚化、画像化、または情報提供コントローラ９７しかし、特定の実施形態は、制御および／または調節を、比較的ほとんどまたは全く、利用しない）によって少なくとも部分的に利用することによって少なくとも部分的に、制御または調節することができる。特定の実施形態のコンプトン散乱Ｘ線受信アセンブリ１５１は、個体の少なくとも一部からコンプトン散乱されたコンプトン散乱Ｘ線１２２の検出の少なくとも一部に基づき、個体８２の少なくとも一部に関する情報を視覚化、画像化、および／または提供することができる。それぞれ少なくとも１つのエミッタ部要素１５０、少なくとも１つのコンプトン散乱Ｘ線受信アセンブリ１５１、少なくとも１つの検出部要素１５２、および／または少なくとも１つのディスプレイ部要素１５４の、それぞれの特定の、しかし非限定的な、実施形態の構造および運用（operation）は、明細書、特許請求の範囲、および／または図を含む、本開示においてかなり詳細に記載されている。
【００４２】
本開示に記載されたような、潜在的な様々な視覚化、画像化、または情報提供は、比較的単純なプローブから比較的複雑なシステムまで、複雑性を変えることができる、コンプトン散乱Ｘ線視覚化装置、画像化装置、または情報プロバイダ１００の様々な潜在的な実施形態を示すことができる。より複雑なシステムは、かなりの数の（１つまたは複数の）エミッタ部１５０、および／またはかなりの数の散乱Ｘ線受信アセンブリ１５１の列を含むことができる。異なる実施形態のコンプトン散乱Ｘ線視覚化装置、画像化装置、または情報プロバイダ１００は、様々な適切な構成で配置することができる。特定の実施形態の散乱Ｘ線受信アセンブリ１５１は、印加されるＸ線エネルギー・レベル、印加されるＸ線１２０の位置、および軌跡、および散乱したＸ線位置および散乱したＸ線１２２のエネルギー・レベルに少なくとも部分的に基づいて、散乱イベントの位置を決定することができる。特定の実施形態のコンプトン散乱Ｘ線視覚化装置、画像化装置、または情報プロバイダ１００は、コンテクストによって、別個の構成部品から半導体処理にわたる一連の装置、システム、または製造技術を使用して製造することができ、適切な画像デコンボリューション、変換、フィルタリング、変調などを行うように、適切な画像処理、ハードウェア、および／またはソフトウェアなどを必要とする可能性がある。
【００４３】
特定の実施形態のコンプトン散乱Ｘ線視覚化装置、画像化装置、または情報プロバイダ１００は、例えば、個体の少なくとも一部の少なくとも一部の物質に対する少なくとも１つの器具部に関連して動作するように構成される。選択した特定の構成部品、および／または構成は、コンプトン散乱Ｘ線視覚化装置、画像化装置、または情報プロバイダ１００および／または関連する器具の応用例に少なくとも部分的に依存する可能性がある。例えば、特定の実施形態のコンプトン散乱Ｘ線視覚化装置、画像化装置、または情報プロバイダ１００は、器具ベースプロセスが行われているときに、特定の構成部品、化学物質などに対する特定の領域内でユーザが調査、画像化、または視覚化することができるように、これに限らないが、切断器具、外科用メス、ガンマ・ナイフ、レーザ・カッタ、触覚フィードバック・プロバイダ、アブレータ、スコープ、Ｂｏｖｉｅ電気焼灼装置、材料付加器具、材料除去器具などを含む特定の器具に取り付けることができる。このような画像化、視覚化、または情報提供は、血管、ガン、腫瘍、器官などの位置に対して使用することができる。別の方法では、特定の実施形態のコンプトン散乱Ｘ線視覚化装置、画像化装置、または情報プロバイダ１００は、個体の少なくとも一部内で、外科手術の領域などの、潜在的な関心領域に対して情報を検出、視覚化、画像化、および／または提供するように構成することができる。
【００４４】
図３は、１つまたはいくつかのエミッタ部１５０、および１つまたはいくつかの散乱Ｘ線受信アセンブリ１５１を有するように構成されている、コンプトン散乱Ｘ線視覚化装置、画像化装置、または情報プロバイダ１００の一実施形態を示している。特定の実施形態のコンプトン散乱Ｘ線受信アセンブリ１５１は、本開示に記載するように、深度減算（depth subtraction）または組合せ、飛翔時間、および／またはシンチレータ（および／またはフルオロスコープ）態様などの適切なＸ線検出を利用することができる。特定の実施形態のコンプトン散乱Ｘ線視覚化装置、画像化装置、または情報プロバイダ１００は、印加されるＸ線１２０のＸ線光子を放出するエミッタ部１５０の少なくとも１つによって動作することができる。特定の実施形態のコンプトン散乱Ｘ線視覚化装置、画像化装置、または情報プロバイダ１００は、個体の少なくとも一部の物質内での散乱イベントの際に散乱する可能性がある、個体の少なくとも一部の少なくとも一部の物質内の特定の方向または、所定の深度に沿って、動作することができる。特定のシンチレータ、または他の実施形態のコンプトン散乱Ｘ線視覚化装置、画像化装置、または情報プロバイダ１００は、Ｘ線不透過または他の物質にわたる、視覚化、画像化、または情報提供などの画質を改善するように、畳み込み（convolution）またはデコンボリューション（deconvolution）、１つまたは複数の変換、および／または逆変換、および／または他の技術を利用することができる。特定の実施形態のコンプトン散乱Ｘ線視覚化装置、画像化装置、または情報プロバイダ１００は、いくつかの、分離しているが密接に位置合わせされた散乱イベントから、コンプトン散乱Ｘ線受信アセンブリ１５１に戻る、複数の散乱Ｘ線を明確にすることができる画像デコンボリューション動作を行うことができる。
【００４５】
いくつかのＸ線光子は、少なくとも部分的に散乱したＸ線からの少なくとも１つの所定の実質的に散乱された深度までの少なくとも１つの実質的に散乱した深度範囲内で散乱することを予測することができる。少なくとも１つの所定の実質的に散乱された深度までの少なくとも１つの実質的に散乱した深度範囲の詳細は、少なくとも部分的に、Ｘ線光子のエネルギー・レベル（印加されるＸ線１２０のＸ線光子の周波数に対応する）に対応する。コンプトン散乱Ｘ線視覚化装置、画像化装置、または情報プロバイダ１００の実施形態または応用例の少なくとも詳細を単純にすることが望ましい。単純化は、費用を少なくする、画像処理またはシステム計算を単純化する、黒色腫、腫瘍、ガン、組織端、血液プール、血管、液体、器官端、組織物質変化描写などの、単一のまたはいくつかの異常を画像化する深度への集中化、などの目的のためである可能性がある。
【００４６】
特定のこのような実施形態のコンプトン散乱Ｘ線視覚化装置、画像化装置、または情報プロバイダ１００は、特定の材料、要素、化学物質、流体、流体流、固体、または他の検出可能な態様を画像化するように構成することができる。例えば、特定のこれらの実施形態のコンプトン散乱Ｘ線視覚化装置、画像化装置、または情報プロバイダ１００は、プローブ、器具、カッタ、触覚フィードバック・プロバイダ、レーザ装置、Ｂｏｖｉｅ電気焼灼装置、分離装置、視覚化装置、画像化装置などに取り付けることができる。
【００４７】
特定の器具ベースの実施形態のコンプトン散乱Ｘ線視覚化装置、画像化装置、または情報プロバイダ１００は、本体内に挿入されたプローブの端部に配置することができる。例えば、プローブまたは他の器具が組織（例えば、脳、心臓、または他の器官、またはさらには肉体、筋肉など）を通過すると、プローブが血管またはその他の敏感な位置に近接していることをユーザに知らせる、音声、映像、またはその他である可能性がある警告を作動させることができる。別の例は、ドリルの先端が神経根、脊柱管、または動脈などの隣接する重要な構造物に密接しすぎているかどうかをユーザに知らせることができることなど、（例えば、脊柱の椎弓根を貫通するように使用することができる、または歯科医の）ドリルの一部である可能性があることである。さらに別の例は、これが、電気焼灼機器に取り付けられている場合であり、この機器が、血管、神経、重要な器官構造物などの定義された危険区域にあまりにも接近した位置に達した場合、電流を終了させることになる。
【００４８】
血管、神経などを避けて手術する特定の外科医は（一方、しばしば、彼らの患者の健康を維持しおよび／または活動的にする必要がある）、特定の状況において時間がかかり、および／または困難である可能性があり、手術の時間をかなり延長する可能性がある。スキューイングする物質、組織、骨などに起因して器具を介して外科医がはっきり見ることができない位置の、血管、神経などの存在は、患者（例えば、個体）に対する余分なリスクをもたらす可能性がある。あまりに迅速に手術しようとする外科医は、血管、神経、脳組織、または他の器官および／または物質に接触したり、これらを切断したり、またはこれらを破ることによって、患者を、損傷、またはさらには死亡の危険にさらす可能性がある。外科医が血管、神経、脊柱部、敏感な組織などを検出することを可能にすることは、例えば、敏感な物質または領域を視覚化、画像化、および情報提供することによって、敏感な物質または領域に接触することなく敏感な物質または領域内で手術する、またはその周りで上手く処置しようとする際に、利用することができる。このように外科医が、敏感な物質または領域に対する器具などの相対位置を効果的に決定することを可能にすることは、したがって、外科医が個体内の敏感な物質または領域を通して安全に上手く処置し、また安全および正確に手術することができる速度を大きくしながら、外科医が安全に手術することが可能である速度を大きくすることを期待することができる。
【００４９】
２つ以上のエミッタ部１５０が動作している場合、特定の実施形態のコンプトン散乱Ｘ線受信アセンブリ１５１によって検出される際に、各エミッタ部によって提供される印加されるＸ線の間の混乱を制限するためのいくつかの機構があるべきである。各エミッタ部１５０によって生成されている印加される複数のＸ線１２０間の、各コンプトン散乱Ｘ線受信アセンブリ１５１での散乱したＸ線のこのような区別または組合せは、本開示に記載されるように、例えば、伝送時間の変更、搬送波信号の符号化、信号加重の区別化、印加される複数のＸ線の個々の間での印加されるＸ線１２０の周波数のシフト、光子のエネルギー・レベルの変更、印加されるＸ線のパルス持続時間の変更、などに依存する可能性がある。あるいは、印加されるＸ線１２０それぞれを区別し、および／または潜在的な散乱イベントの非干渉方向および組に沿った異なる方向へ、印加されるＸ線１２０の少なくとも特定のものを案内し、これにより、異なる散乱イベントから戻る散乱Ｘ線を互いに区別することができる。デコンボリューション、逆変換、時分割多重化、（通信分野の技術者には知られている）に類似したこのような技術は、異なるエミッタ部１５０によって受け取られる、個々の印加される複数のＸ線を区別するのに、または明確にし、それによって、異なる散乱イベントから散乱されるＸ線の多数のそれぞれの間の少なくとも１つのコンプトン散乱Ｘ線受信アセンブリ１５１での干渉を制限するのに利用することができる。
【００５０】
図４は、１つまたは複数のエミッタ部１５０、および１つまたは複数のコンプトン散乱Ｘ線受信アセンブリ１５１（エミッタ部が１つだけ示されている図３に関して記載したのと同様である）で構成することができる、コンプトン散乱Ｘ線視覚化装置、画像化装置、または情報プロバイダ１００の別の実施形態を示している。多数のエミッタ部１５０は、少なくとも一つのアレイがその物質に適合するなど、所望の関連する相対構成に配置しても、しなくてもよい。特定の実施形態のエミッタ部１５０は、印加されるＸ線１２０（散乱Ｘ線１２２と同じように）を、デコンボリューション、変換、時分割多重化、周波数多重化、コード分割多重化、所望の位置へのペンシル・ビーム、ファン・ビームなどの様々なＸ線ビームの案内、および／または技術を区別するこのような他の散乱イベント、コリメータ、レンズ、フィルタなどの使用、に少なくとも部分的に基づき、他のもの（他の散乱Ｘ線１２２と同じように）と区別することができる方法で、放射するように構成することができる。例えば、特定の実施形態の多数のエミッタ部１５０は、印加されるＸ線を、異なるデコンボリューションまたは変換特性で、異なる回数で、異なる周波数を有し、異なる加重で、または様々な多重化技術で普通に理解されているような個々の符号化アルゴリズムに基づき、放射することができる。このような特定の実施形態のコンプトン散乱Ｘ線視覚化装置、画像化装置、または情報プロバイダ１００は、限られた分解能を有するＸ線視覚化装置として利用される可能性があり、また本開示に記載したような視覚化、画像化、または情報提供に対して、血管、ガン、または他の異常に対する視覚化、画像化、または情報提供を行う器具と合わせて特に有用である可能性がある。
【００５１】
特定の実施形態の１つまたは複数のコンプトン散乱Ｘ線受信アセンブリ１５１は、ストリーク・カメラ、ピクセル・ストリーク・カメラ、アバランシェ検出器、ＣＣＤカメラ、または好ましくは所望の分解能を与えるのに適切な速度で、散乱Ｘ線の存在、エネルギー・レベル、および／または状態を検出することができる他の装置を備えることができる。特定の実施形態のストリーク・カメラ、および／またはピクセル・ストリーク・カメラは、かなり迅速に動作するように構成することができ、特定のものは飛翔時間計算に特に有用であるように、数ピコ秒、または数分の１ピコ秒範囲で機能することができる。
【００５２】
特定の実施形態のコンプトン散乱Ｘ線視覚化装置、画像化装置、または情報プロバイダ１００は、図３および４に示すように、印加されるＸ線１２０の１つまたは複数の平行（例えば、「ペンシル」、「ファン（fan）」、または他の）ビームを含むことができる。特定の実施形態のこれらのビームは、２方向で個体の少なくとも一部を走査することができ、１つまたは複数の散乱Ｘ線受信アセンブリ１５１は、体内組織との一次Ｘ線の相互作用から得られるコンプトン散乱Ｘ線を測定することができる。特に１つまたは複数の散乱Ｘ線受信アセンブリ１５１のディスプレイ内の所与の３Ｄボクセルに対する、様々な深度視覚化および／または画像化情報は、二次元走査Ｘ線ビームを使用して導き出すことができ、これは、本明細書に記載するようないくつかの方法で検出することができる。
【００５３】
特定の実施形態のコンプトン散乱Ｘ線視覚化装置、画像化装置、または情報プロバイダ１００は、散乱Ｘ線１２２の時間分割検出を利用することができる。ここで、散乱イベントからの各散乱Ｘ線の戻り時間Δｔは、独自に、以下の式を満たすように、照明平行Ｘ線ビームに沿って位置ｘに、一意的に対応する。  
ｘ＝Ａ＊Δｔ＋Ｂ  （１）
式中、ＡおよびＢは、照明Ｘ線ビームおよびＸ線検出器の相対位置によって決まる比例定数である。各コンプトン散乱Ｘ線受信アセンブリ１５１で受けられる散乱Ｘ線の多数のものの間の散乱信号の混乱状態（confusion）を制限するように、特定の２Ｄ光線角度の照明の間に十分な時間的中断（または、多重化の当業者によって理解される他の時間、空間、または符号化技術）がある可能性がある。重要であると決定されると、多数の散乱Ｘ線からの背景は、各散乱イベントはＸ線光子エネルギー・レベルの減少をもたらすので、エネルギー識別を検出器に加えることによって、小さくすることができる。例えば、本開示に記載されている、あるいは一般的に知られているどこかに記載されているように、個体の少なくとも一部の物質を形成する他の移動粒子との衝突中に、移動しているＸ線光子粒子によってエネルギーが失われる、これは、ニュートンの方程式、コンプトンの方程式、および他の幾何式または他の方程式、に基づいて説明することができる。
【００５４】
身体（body）を、１つ、２つ、または３つの垂直方向に、その放射が、徐々に幾分か深く貫通するように、エネルギーを変化させて、繰り返し走査することによって、散乱イベントが、次第に、それぞれ、深い、または浅い所定の深度まで、発生することになる。その後、皮下身体構造のモデル（三次または二次元であってもよい）は、各照明ビーム角度からの時間積分後方散乱Ｘ線戻りと比較し、その後断層撮影画像化で使用されるものと同様のデコンボリューションを行うことによって、次第に改良（refine）することができる。深度識別を与えるのに役立つことに加えて、異なるエネルギーでのこのような漸進的な照明（progressive illumination）により、特定の物質で起こる様々な散乱イベントの吸収および／または散乱特性の差を明らかにすることができる。散乱イベントの散乱特性の値は、特定の例では、得られる画像のコントラストを大きくするために造影剤などを加えることによって、大きくするまたは小さくすることができる。特定の例では、印加されるＸ線のエネルギー・レベルは、特定の実施形態のコンプトン散乱Ｘ線視覚化装置、画像化装置、または情報プロバイダ１００による視覚化、画像化、または情報提供の調節または制御を可能にするように、（好ましくは、エネルギー・レベルの変化が画像化歪みにほとんど影響がないように、本開示のどこかに記載されている段階的な（gradual）および／または予測可能な方法で）大きくする、小さくする、傾斜させる、および／または変更することができる。
【００５５】
特定の実施形態のコンプトン散乱Ｘ線視覚化装置、画像化装置、または情報プロバイダ１００は、本開示に記載されているように、複数の技術からなるいくつかの制御された組合せで動作するように構成することができる。
【００５６】
特定の実施形態のコンプトン散乱Ｘ線視覚化装置、画像化装置、または情報プロバイダ１００はしたがって、ほぼモノクロの照明Ｘ線「ペンシル」ビーム、フラッディング・ビーム（flooding beam）、ファン・ビーム（fan-beam）、走査ビーム、または他のこのようなエミッタ部１５０、を少なくとも部分的に利用することによって、視覚化、画像化、および／または情報提供するように構成することができる。印加されるＸ線のビームの１つまたは複数に沿った散乱イベントの位置（特定の例では、強度を大きくするために、多数のものを交差させることができる）は、その波長Δλおよびその散乱角度θの変化の間の一意の関係に基づき、散乱するＸ線のＸ線光子が散乱する場所を決定することができる。それぞれ一度散乱したＸ線光子に対する散乱イベントの通常のケースでは、散乱の際のＸ線光子の波長の変化が、以下のコンプトン式によって与えられる。  
Δλ＝ｈ（１−ｃｏｓθ）／ｍｃ  （２）
式中、ｈはプランクの定数、ｍは電子の質量、およびｃは光速である。
【００５７】
必要に応じて、散乱イベントから発散される散乱Ｘ線による背景雑音または他の歪みの影響を抑圧するのを助けるように、時間分解能、方向分解能、デコンボリューション、または他のこのような画像組合せ技術を、本開示に記載するように少なくとも特定の解決法に加えることができる。このような画像組合せ技術としては、これに限らないが、画像減算、画像識別、画像変換、分解、加重減算、関数減算、および逆積分変換、減算逆積分変換、逆関数変換、および減算逆関数変換を含むグループ、または他の画像処理技術を挙げることができる。
【００５８】
コンプトン散乱Ｘ線受信アセンブリ１５１で受けられている散乱Ｘ線のいくつかの特性に少なくとも部分的に基づき、散乱の位置を決定するように構成することができる、いくつかの他の実施形態のコンプトン散乱Ｘ線視覚化装置、画像化装置、または情報プロバイダ１００が記載されている。図５は、１つまたは複数のエミッタ部１５０、および／または１つまたは複数の散乱Ｘ線受信アセンブリ１５１で構成された、コンプトン散乱Ｘ線視覚化装置、画像化装置、または情報プロバイダ１００の一実施形態を示している。特定の実施形態のコンプトン散乱Ｘ線受信アセンブリ１５１は、１つまたは複数のエミッタ部１５０、および１つまたは複数のコンプトン散乱Ｘ線受信アセンブリ１５１で構成することができると考える。図５に関して記載したような１つまたは複数のエミッタ部１５０は、ペンシル・ビーム・エミッタ、ファン（fan）・エミッタ、または特定の経路または方向、および／または特定のエネルギー・レベルを有する関連するＸ線光子内で望まれるまたは設計されるように印加されるＸ線１２０を制御可能に案内することができる他のエミッタとして構成することができる。例えば、いくつかの１つまたは複数のエミッタ部１５０がある場合、互いに干渉しないように、それぞれ制御可能な方向、時間、角度、深度などに沿ってＸ線を放射するように構成および設計することができる。
【００５９】
特定の実施形態のコンプトン散乱Ｘ線視覚化装置、画像化装置、または情報プロバイダ１００は、図５の印加されるＸ線１２０を、所定の方向にほぼ連続して延びている放射Ｘ線経路１２０’に沿って案内することができるように構成および／または設計することができる。図５は、個体の少なくとも一部の物質内で表面にわたってほぼ垂直である印加されるＸ線１２０を示しているが、いくつかの他の角度は表面を有することができ、さらに図２に記載したようなコンプトン方程式に従うことができる。少なくとも１つのコンプトン散乱Ｘ線受信アセンブリ１５１（受信アセンブリの配列として図５に示す）は、印加されるＸ線１２０に対してある角度で配置され、それによって、印加されるＸ線１２０の経路に沿って配置される散乱イベントから散乱された様々な例示的な位置１５２’、１５２”などで散乱された、様々な散乱Ｘ線１２２’、１２２” などを受けるように構成することができる。各散乱イベントの位置１５２’、１５２”は、印加されるＸ線１２０の経路に沿って配置することができ、少なくとも部分的に散乱角度θ1およびθ2などに基づいて決定することができ、散乱Ｘ線のＸ線光子は異なるエネルギー・レベル（異なるＸ線光子周波数に対応する）で示すことができる。例えば、散乱角度θ（図５のθ1およびθ2など）が大きければ大きいほど、関連するエネルギー損失も大きい。このように、散乱Ｘ線１２２内のＸ線光子のエネルギー・レベルに基づいて、散乱角度θ（図５のθ1およびθ2など）、および散乱イベント位置１５２’、１５２”を、上に記載するように方程式２を利用して導き出すことができる。本開示に記載するような様々な実施形態の様々な計算、特定のものを使用して、散乱イベント１５２’、１５２”などの位置を決めることができ、幾何的視覚化、画像化、または情報提供技術などを提供するように、デコンボリューション、変換などに少なくとも部分的に基づいて導き出すことができる。いくつかの一次元、二次元、または三次元配列のコンプトン散乱Ｘ線受信アセンブリ１５１は、散乱イベント１５２’、１５２”の位置の決定を改善するような方法で、印加されるＸ線１２０周りに配置することができる。このような決定は、受けた多数の配列のコンプトン散乱Ｘ線受信アセンブリ１５１の位置に少なくとも部分的に基づいている可能性がある。
【００６０】
図５の実施形態のコンプトン散乱Ｘ線受信アセンブリ１５１は、印加されるＸ線１２０のＸ線光子が原子、電子、中性子、またはその他のこのような物質に接触、または近接することなどによって散乱される、散乱イベント１５２の少なくとも１つの位置を導き出すのに使用することができる。図６に関して記載したようなエミッタ部１５０の実施形態は、図１から図９に関して、本開示では他の位置で記載したようなこれらの実施形態と同様または同一であってもよい。特定の実施形態のコンプトン散乱Ｘ線受信アセンブリ１５１は、図６に記載したように、スリット・コリメータ１７２、または散乱Ｘ線がコンプトン散乱Ｘ線受信アセンブリ１５１に到達することができる角度を制限することができるような他の装置を備えることができる。特定の実施形態のコリメータはまた、レンズ、フィルタ、相関器（correlator）、またはある範囲の角度内のみにコンプトン散乱Ｘ線受信アセンブリ１５１に対する散乱Ｘ線の通過を制限するように使用することができる他の装置などとして構成することができる。特定の実施形態のスリット・コリメータ、レンズ、フィルタなどは、印加されるＸ線１２０’の経路とコンプトン散乱Ｘ線受信アセンブリ１５１の間に設けることができる。コンプトン散乱Ｘ線受信アセンブリ１５１の散乱イベントの位置から加えられているこれらの散乱Ｘ線は、スリット・コリメータのスリットと実質的に位置合わせされた方向に流れている場合に検出されるだけである。スリット・コリメータ、レンズ、フィルタなどの構造および使用は普通、光学、Ｘ線、電磁気、または他の同様の分野の当業者に理解され、本開示ではさらには記載しない。散乱Ｘ線の通過を、ある角度範囲内のものに、例えば、使用することができる角度範囲内で散乱イベントを検出するように、制限することができる、代替タイプのコリメータ、レンズ、フィルタなども利用することができる。
【００６１】
図６に示すように、スリット・コリメータ１７２には、１つだけのスリットが示されている。スリット・コリメータ１７２の１つまたは複数のスリットは、コンプトン散乱Ｘ線受信アセンブリ１５１の特定の要素のみと位置合わせするように配置することができる。単一のスリット・コリメータが図６に関して記載されているが、多数のスリット・コリメータをそれぞれコンプトン散乱Ｘ線受信アセンブリ１５１の少なくとも１つのユニットに取り付けることができることを理解すべきである。加えて、普通に理解される１つまたは複数の様々な技術を利用して、散乱Ｘ線を案内する、ビーム成形する、あるいは必要に応じた方法で案内することができる。図６に記載したような実施形態のコンプトン散乱Ｘ線受信アセンブリ１５１を使用することによって、１つまたは複数の印加されたＸ線１２０に沿って起こる１つまたは複数の散乱イベントの位置を決定することができる。
【００６２】
図７に関して記載したように、特定の実施形態のコンプトン散乱Ｘ線視覚化装置、画像化装置、または情報プロバイダ１００は、コンプトン散乱Ｘ線受信アセンブリ１５１を、コンプトン散乱Ｘ線受信アセンブリが散乱イベントの位置を感知することができる平面と垂直な平面に案内することができるように構成することができる。例えば、図２に示すような印加されるこのＸ線１２０の経路は、紙面に対して実質的に垂直な方向に延びており、図１、図３〜図６などでは、印加されるＸ線１２０の経路が紙面の平面内に実質的に延びている。上に記載したような散乱イベント検出、画像化、視覚化、および／または情報提供機構の特定のものは、減算または組合せ、デコンボリューション、変換、飛翔時間、散乱角度、散乱するＸ線のＸ線光子のエネルギー・レベルの損失、幾何散乱計算、コリメータ、他の派生物など、および本開示による他の位置などの散乱イベントの位置を決定するための例示的な機構を利用することができる。図７に関して記載したような各コンプトン散乱Ｘ線受信アセンブリ１５１は、特定の角度範囲内のものを通過する光を制限するように構成することができる、走査遮蔽部１７８を備えている。より詳細には、アレイの、またはいくつかの印加されるＸ線１２０がある場合、走査遮蔽部１７８は、任意の期間で１つのまたはいくつかの印加される複数のＸ線１２０のみの通過を制限することができる。特定の実施形態の走査遮蔽部１７８および／または（１つまたは複数の）エミッタ部１５０は、回転可能など、動的であることができる、または別の方法では、走査遮蔽部１７８および（１つまたは複数の）エミッタ部１５０が固定または静的である場合に、１つのみのまたは特定の印加されるＸ線１２０のみの通過を連続して制限することができる。
【００６３】
このように、図６に関して記載したような、特定の実施形態の少なくとも１つのスリット・コリメータ１７２は、印加されるＸ線１２０から散乱し、印加されるＸ線１２０の軸方向にほぼ平行な方向でコンプトン散乱Ｘ線受信アセンブリ１５１に到達する、散乱Ｘ線１２２を制限するものと考えることができる。比較すると、図７に関して記載したような特定の実施形態の走査遮蔽部１７８は、印加されるＸ線１２０から散乱され、コンプトン散乱Ｘ線受信アセンブリ１５１に、印加されるＸ線１２０の軸方向とほぼ垂直な方向で、到達する散乱Ｘ線１２２に制限するものとして考えることができる。図７に関して記載した走査遮蔽部１７８、および図６に関して記載したスリット・コリメータ１７２は両方ともコリメータの実施形態として考えることができる。というのは両方とも、コンプトン散乱Ｘ線受信アセンブリ１５１に対してある角度範囲内に配置された散乱イベントからの散乱Ｘ線の通過を制限するからである。加えて、走査遮蔽部１７８、およびスリット・コリメータ１７２のハウジング材料を（空気、またはいくつかのＸ線透過材料であってもよいスリットと比較して）形成する材料は、コンプトン散乱Ｘ線受信アセンブリ１５１に印加される散乱Ｘ線を制限するなど、そこを通過するＸ線の通過を制限するべきである。
【００６４】
本開示内では、走査遮蔽部１７８およびスリット・コリメータ１７２は両方とも、（本発明の）範囲を制限するものではなく、単に例示的なものであることを意図したものである。走査遮蔽部１７８および／またはスリット・コリメータ１７２のいずれかによって行うように特定のプロセスは、また、レンズ、フィルタ、ビーム成形器（beamformer）、または他の電磁またはＸ線タイプ機構など、として構成することができることが考えられる。このように、特定の実施形態の走査遮蔽部１７８は、コンプトン散乱Ｘ線受信アセンブリ１５１に印加される散乱Ｘ線の通過をある範囲の角度内などに、制限することができる。
【００６５】
普通、特定の電磁、光学、および／またはＸ線技術で、特定の運用（operation）は２つ以上の装置および／または（１つまたは複数の）関連技術を利用して行うことができることは、一般に理解されることである。このような装置、または技術はしばしば、それぞれ所望の機能、運用（operation）、または技術を行うことが可能である相等物として考えられる。このように、特定の実施形態のコリメータ１７２、走査遮蔽部１７８などは、本明細書で記載された装置、または他の普通に知られている電磁、光学、またはＸ線等価装置、および／またはその変更形態のいずれかによって行うことができる。このような普通の等価装置は、当業者によって知られており、利用することができ、本開示の範囲内にあることを意図している。
【００６６】
本開示はそれによって、いくつかの物質内の散乱イベントの位置を、幾何的に、コンピュータ処理的に、あるいは別なやり方で、導き出すことができる、いくつかの例示的な機構（および、特定の実施形態のコンプトン散乱Ｘ線受信アセンブリ１５１の関連技術）を示している。このように散乱イベントの位置を導き出すことは、（静的または予測可能な印加されるＸ線を想定して）少なくとも一部の散乱Ｘ線１２２の特性に少なくとも部分的に基づいていてもよい。
【００６７】
図１０に関して記載したようなコンプトン散乱Ｘ線視覚化装置、画像化装置、または情報プロバイダ１００の実施形態を考慮すると、（図１に関して記載したような）少なくとも１つのエミッタ部１５０は、散乱イベントの位置を検出するために使用することができるそのエネルギー・レベルを有する、印加されるＸ線１２０を少なくとも部分的に利用することができる。特定の実施形態の少なくとも１つのエミッタ部１５０は、図１０に関して記載するように、寄与するＸ線（contributing X-ray）、ビーム、または他の電磁放射ビーム５９０（これに限らないが、所定のエネルギー・レベルを有する別の印加されるＸ線を含むことができる）と接触するように、印加されるＸ線１２０を案内することができる。このような寄与Ｘ線（contributing X-ray）は、、印加されるＸ線１２０が寄与Ｘ線、ビーム、または他の電磁放射ビーム５９０と干渉し（例えば、建設的に、または別の方法で）、識別可能な交差点５９２を少なくとも部分的に形成することを可能にすることによって、印加されるＸ線の強度を変えることができる。特定の実施形態のコンプトン散乱Ｘ線受信アセンブリ１５１によって選択的に考えることができる機能強化された散乱Ｘ線１２２によって証明されるように、強化された散乱Ｘ線は、印加されるＸ線１２０のみ、または、寄与するＸ線、ビーム、または他の電磁放射ビーム５９０のみのいずれかから得られる対応する散乱Ｘ線と比べて、大きなエネルギー・レベルに対応する改良された照明を有する。
【００６８】
加えて、寄与するＸ線、ビーム、または他の電磁放射ビーム５９０と接触するように印加されるＸ線１２０と交差または合流することにより、交差点５９２内で個体の少なくとも一部の物質内で生じる散乱イベント１５２の可能性を高めることができる。散乱イベントの確率を高めることにより、散乱イベント１５２の位置に関連する視覚化、画像化、または情報提供を改善することができる。この実施形態のコンプトン散乱Ｘ線視覚化装置、画像化装置、または情報プロバイダ１００内では、交差点５９２は、したがって、散乱イベント１５２の位置に対応することができる。交差点５９２でもたらされる強化された照明は、表示、視覚化、情報提供、画像化などでさらに簡単にするように、フィルタリングする、増幅する、および／または処理することができる。（医療用技術で一般的に理解されている）従来のガンマ・ナイフは、切断または破壊器具を呈することができ、それによって、本開示で記載されるようにより強い印加されるＸ線１２２の形で検出することができる、大きなまたは組み合わせたエネルギーの領域を提供するように、多数のガンマ光線が交差する。
【００６９】
図１１は、例えば、散乱イベント１５２から出力される、空間的に密閉された画像化に使用することができる、コンプトン散乱Ｘ線視覚化装置、画像化装置、または情報プロバイダ１００の一実施形態を示している。特定の実施形態のコンプトン散乱Ｘ線受信アセンブリ１５１は、本開示内で図６または図７に関して記載するように、コリメータ１７２または１７８に関連付けられている。このように、特定の実施形態のコンプトン散乱Ｘ線受信アセンブリ１５１は、空間的に密閉された領域内にある散乱イベント１５２から散乱する散乱Ｘ線を検出することしかできない。このように、特定の実施形態のエミッタ部１５０は、ペンシル・ビーム、ファン・ビーム、フラッディング・ビームとして、または他のビーム構成を有するものとして構成することができる。しかし、エミッタ部１５０によって与えられる各印加されるＸ線は、関連するコンプトン散乱Ｘ線受信アセンブリ１５１によって検出することができるようにその領域を十分に照明するために、（散乱イベントの）空間的に密閉された画像化領域内に案内することができる。
【００７０】
本開示で記載されたような、１つまたは複数のエミッタ部１５０のいずれか、およびコンプトン散乱Ｘ線受信アセンブリ１５１のいずれかの組合せのために、データベースなどに記憶することができる様々な散乱Ｘ線、印加されるＸ線、物質、および他のパラメータを決定することができ、その結果、知られている幾何形状、材料、Ｘ線、および他の計算を利用して、図５に関して記載されているように、印加されるＸ線経路１２０’に沿って、散乱イベント１５２’および／または１５２”などの位置を導き出すのに使用することができる。印加されるＸ線光子１２０の特定の散乱は、散乱イベント１５２’、１５２”などの特定の位置で中断することができるので、散乱イベントの様々な位置での視覚化、画像化、または情報提供パラメータを断続的に得ることができる。印加されるＸ線のＸ線光子が、コンプトン散乱Ｘ線に基づいて散乱イベントの各位置で散乱すると、散乱イベント１５２’、および／または１５２”などの各位置の視覚化、画像化、または情報提供のパラメータは、そこから画像化するために使用することができ、その（画像化を）決定することができる。
【００７１】
印加されるＸ線１２０の相対角度および／または位置はしたがって、各特定の散乱イベント位置１５２’、１５２”などからの１つまたは複数のエミッタ部の角度に少なくとも部分的に基づいて、決定したり、導き出したり、または算出したりすることができる。印加されるＸ線１２０を形成するＸ線光子の周波数（または、周波数に対応するエネルギー・レベル）は、１つまたは複数のエミッタ部１５０に対する知られているまたは所定の入力周波数（または、測定した出力）に少なくとも部分的に基づき決定することができる。１つまたは複数のコンプトン散乱Ｘ線受信アセンブリ１５１によって受けられる散乱Ｘ線光子の角度は、印加されるＸ線の元の経路、および散乱Ｘ線のＸ線光子の少なくとも一部の散乱周波数に少なくとも部分的に基づき決定することができる。
【００７２】
特定の視覚化、画像化、または情報提供技術は、データまたは他の形の情報を示すことができる、画像情報または視覚情報の生成に依存することができる。このようなデータ、テキスト、情報などは、図１に関して記載されたような特定の実施形態の視覚化、画像化、または情報提供コントローラ９７に関して記載したように、データベース記憶装置内に記憶または維持し、理解されている画像処理技術などを使用して処理することができる。
【００７３】
特定の実施形態のコンプトン散乱Ｘ線視覚化装置、画像化装置、または情報プロバイダ１００は、身体の外側で異なる「バンテージ点（vantage points；見晴らしポイント）」からの２Ｄスキャンを行い、各２Ｄ  Ｘ線／バンテージ点の組合せからの時間積分Ｘ線戻り信号を検出し、図１２ａ、図１２ｂおよび図１３に関して記載したようにこのような深度関連３Ｄ構造の断層撮影のような再構成を行うことによって、少なくとも部分的に視覚化、画像化、および／または情報提供を行うことができる。
【００７４】
図１２ａおよび図１２ｂは、矢印１２７によって示すように、１２２ａから、１２２ｂ、１２２ｃに散乱Ｘ線の角度が変化する、個体の一部を画像化するために使用することができる、画像化視野の形に、ちょうどに構成するおよび／または制御することができる、コンプトン散乱Ｘ線視覚化装置、画像化装置、または情報プロバイダ１００の一実施形態の２つの図を示している。図１２ａに関して記載するように、視覚化、画像化、および／または情報提供中に、（特定の方法で、従来の転倒グラフィック画像化（tumble graphic imaging）または容積測定（volumetric）画像化技術に類似する）様々な画像情報を導き出すことができる。しかし、特定の方向、または限られた範囲の方向からの印加されるＸ線の散乱に基づき決定することができる、かなりの量の情報が存在する可能性がある。例えば、組織異常（または他の断層撮影タイプのフィーチャ（feature））１２８の深度は、コンプトン散乱Ｘ線受信アセンブリ１５１が散乱Ｘ線を受ける相対的方向の結果として、図１２ａに関した記載したように、視覚化、画像化、または情報提供中は主に不確定である。
【００７５】
散乱Ｘ線の角度が、図１２ｂに関して１２２ｄ、１２２ｅ、および１２２ｆとして記載したように、ある角度にわたって大きくなり続けると、（容積測定（volumetric）、断層撮影、または他のこのような技術を使用して）フィーチャ１２８の深度決定または範囲は、散乱Ｘ線の角度が大きくなり続けるにつれて改善することができる。このように、散乱Ｘ線の角度が垂直から大きくなるときに、深度はより簡単におよび正確に決定することができる。フィーチャのこのような寸法、広がりなどは、組織、組織異常、器官、縁部特性、骨、構成物、挿入物、骨性部分、流体または血管、リザーバ、鬱血部などの、個体の少なくとも一部の物質に対する視覚、画像、または提供情報をより十分および正確にマッピングするために、決定されることができる。
【００７６】
図１２ａおよび図１２ｂに関して記載した画像化透視図は、個体の少なくとも一部の物質に対する散乱Ｘ線の角度を調節または制御することに使用することができ、同様に、調節され、制御され、および／または利用することができる様々な他の画像化透視図が存在する可能性がある。例えば、個体の少なくとも一部は、印加されるＸ線および／または散乱Ｘ線に対して移動させることができる。視覚化、画像化、または情報提供の視野が、ズーム、フォーカス、フィルタリング、変換、あるいは変更され、他の「新規の」または「変更した」（例えば、および／または調節または制御した）情報を提供すると、このような新規のまたは変更した情報は、強化されるモデル、視覚、画像、または情報に追加することができ、このような新規のまたは変更された情報は、元の情報と比較して、より正確なまたは詳細なモデル、視覚、画像、または情報を提供することができる。図４２から図４５に関して記載したような、視覚化、画像化、または情報提供の調節および／または制御のために使用される特定の技術は、様々なバンテージ点に基づいて、視覚化、画像化、または提供情報の品質を改善するのに使用することができ、断層撮影法または容積測定（volumetric）タイプ画像化に利用することができる。
【００７７】
特定の実施形態のコンプトン散乱Ｘ線視覚化装置、画像化装置、または情報プロバイダ１００は、したがって、断層撮影視覚化、画像化、または情報提供を行うように構成することができる。行われる断層撮影は、特定の実施形態のコンプトン散乱Ｘ線視覚化装置、画像化装置、または情報プロバイダが所定の画像化深度に対して物質を画像化することを除いて、ＣＡＴスキャン、ＰＥＴスキャン、およびＭＲＩなどの他の画像モダリティによって行われる断層撮影と同様であることが予期される。比較として、他の実施形態のコンプトン散乱Ｘ線視覚化装置、画像化装置、または情報プロバイダ１００は、個体の少なくとも一部の少なくとも一部の物質の物質全体を画像化することが予期される。加えて、コンプトン散乱Ｘ線視覚化装置、画像化装置、または情報プロバイダ１００の実施形態は、ＣＡＴスキャンでの透過性Ｘ線、ＰＥＴスキャンでの透過性陽電子、およびＭＲＩでの磁界と比べて、コンプトン散乱を普通に利用することができる。各画像モダリティは、したがって、潜在的にいくらか異なる出力で（造影剤を使用した、または使用しないいずれかで）、いくらか異なる方法で視覚化、画像化、または情報提供を行うことが予期される。
【００７８】
図１３は、これに限らないが、例示的なプロセス１３０２、１３０４、１３０６、および／または１３０８を含む方法で、断層撮影タイプおよび／または容積測定（volumetric）視覚、画像、または情報を提供するように構成することができる、コンプトン散乱Ｘ線視覚化装置、画像化装置、または情報プロバイダ１００の一実施形態のフローチャート１３００を示している。プロセス１３０２は、これに限らないが、少なくとも第１のセットの視覚、画像、または情報の視覚化、画像化、または導出を含むことができる。例えば、特定の視覚、画像、または提供情報（例えば、特定の例では比較的粗い）は、本開示で記載するような特定の実施形態のコンプトン散乱Ｘ線視覚化装置、画像化装置、または情報プロバイダ１００を使用して得ることができる。プロセス１３０４はこれに限らないが、視覚化、画像化、または「追加」情報を得るように、コンプトン散乱Ｘ線視覚化装置、画像化装置、または情報プロバイダ１００を制御または調節することを含むことができる。プロセス１３０６はこれに限らないが、変更したバンテージ点からの画像化を可能にするために、コンプトン散乱Ｘ線視覚化装置、画像化装置、または情報プロバイダ１００を操作して新規情報を捕捉する、あるいは得ることを含むことができる。プロセス１３０８はこれに限らないが、追加情報を断層撮影的にまたは容積測定（volumetric）的に一体化することによって、より詳細なまたは最終視覚、画像、または情報を得ることを含むことができる。このように、異なる透視図による特定の領域のビューイング、例えば、断層撮影タイプの実施形態のコンプトン散乱Ｘ線視覚化装置、画像化装置、または情報プロバイダ１００などの視覚化、画像化、または情報提供における未知のものおよび不確定なものを制限するなどの個々のビューイングは、視覚化、画像化、または情報提供の品質を改善するような方法で、いくつかの態様（例えば、エネルギー・レベル、方向、深度など）を変更する。
【００７９】
特定のシンチレーション、飛翔時間、エネルギー損失、および画像組合せタイプの実施形態のコンプトン散乱Ｘ線視覚化装置、画像化装置、または情報プロバイダ１００は普通、少なくとも１つのエミッタ部１５０、およびその関連する少なくとも１つのコンプトン散乱Ｘ線受信アセンブリ１５１の各相互作用の処理に基づいて、その最終品質の視覚化、画像化、または提供される情報を提供することができる。比較として、特定の断層撮影または容積測定（volumetric）実施形態のコンプトン散乱Ｘ線視覚化装置、画像化装置、または情報プロバイダ１００は、少なくとも１つのエミッタ部１５０、およびその関連する少なくとも１つのコンプトン散乱Ｘ線受信アセンブリ１５１の各相互作用の後に、かなりの数の未知のものを有し、このような未知のものは普通、普通は医療用画像化技術で理解されるような、従来の断層撮影法と同様の方法で断層撮影または容積測定（volumetric）技術を使用して少なくなるまたは制限される。
【００８０】
特定の断層撮影または容積測定（volumetric）態様の特定の実施形態（または出力）のコンプトン散乱Ｘ線視覚化装置、画像化装置、または情報プロバイダ１００はしたがって、（いくつかの二次元スライスの生成に起因する可能性があるように）ＣＡＴスキャン、ＰＥＴスキャンなどの、従来の断層撮影画像化装置と処理特徴が極めて似ている可能性がある。スライスは、必ずしも必要ではないが、普通は平面である。その結果、スライスは、従来のＣＡＴスキャン、ＭＲＩなどと同様の方法であらゆる三次元容積測定（volumetric）画像の情報を可能にするように組み合わせることができる。所望の構成によって、様々な形状、または他の構成のスライスを生成することができる。本開示内では、容積測定（volumetric）画像化はコンテクストによって、断層撮影法を含むと考えることができる。従来の医療用視覚化、画像化、または情報提供に利用することができるような、従来の断層撮影または容積測定（volumetric）画像化装置などの記載が、例えば、非特許文献１（全体を本明細書に参照として援用する）で行われている。このような従来の断層撮影装置は市販されており、より詳細には説明しない。
【００８１】
特定の実施形態のコンプトン散乱Ｘ線視覚化装置、画像化装置、または情報プロバイダ１００は、新しい方向、配置、位置、エネルギー・レベルなどの新規事項の画像化に影響を与えるように調節および／または制御に依存することができることが理解される。このような調節または制御は、断層撮影タイプのコンプトン散乱Ｘ線視覚化、画像化、または情報提供に有用である可能性がある。
【００８２】
このような運用（operation）を行うのに必要な特定の実施形態のデコンボリューションおよび／または断層撮影プロセスは、透過ではなく散乱されるＸ線が検出された（本開示で記載したように、コンプトン散乱が行われるＸ線と比べて、従来のＣＴスキャンの場合と同様に、個体を通して透過されたＸ線の代わりに）ことを除いて、通常のＸ線ＣＴスキャンで使用されるものと、計算処理的に同様であると考えることができる。
【００８３】
特定の実施形態のコンプトン散乱Ｘ線視覚化装置、画像化装置、または情報プロバイダ１００は、照明ビームおよび検出器感度方向の交差点が、図５に関して記載したように独自の３Ｄボクセルを定義することができるように、角度平行Ｘ線検出器（angle-collimated X-ray detector）を使用して少なくとも部分的に視覚化、画像化、および／または情報提供を行うことができる。このような角度平行Ｘ線検出器は、１つまたは複数のコンプトン散乱Ｘ線受信アセンブリ１５１内の視覚化、画像化、または情報提供の情報を導き出すのに使用することができる。特定の実施形態のコンプトン散乱Ｘ線視覚化装置、画像化装置、または情報プロバイダ１００は、皮下身体構造からのより高い分解能および／またはより高いコントラスト情報での視覚化、画像化、または情報提供を可能にする、本開示のどこかに記載した実施形態の組合せによって、少なくとも部分的に視覚化、画像化、および／または情報提供を行うことができる。
【００８４】
特定の実施形態のコンプトン散乱Ｘ線視覚化装置、画像化装置、または情報プロバイダ１００は、個体の少なくとも一部の物質に加えられたような、印加されるＸ線の光子エネルギー・レベルに少なくとも部分的に基づいて画像化を行うことができる深度を制御することができる。印加されるＸ線の光子のエネルギー・レベルが大きければ大きいほど（また、それに応じて、印加されるＸ線１２０の光子の周波数が小さければ小さいほど）、普通はより大きな深度で、より大きな割合の印加されるＸ線が、個体の少なくとも一部の物質内に前進し、散乱し、コンプトン散乱Ｘ線視覚化、画像化、または情報提供に影響を与えるように戻ることができる。このように普通は、より多くの、またはより大きな割合のより大きなエネルギー・レベル（および、したがってそれに応じたより低い周波数）を有するＸ線光子は、普通はより低いエネルギー・レベル（および、それに応じてより高い周波数）を有するＸ線光子より、少なくとも１つの所定の視覚化する、画像化する、または情報を提供する深度までの少なくとも１つの視覚化、画像化、または情報提供深度範囲をより大きな範囲に至るまで、視覚化、画像化、および、または情報提供を行うことができる。このような一般化は、印加されるＸ線、画像化されている材料（materials）などの角度または位置などの要因の一貫性を前提とする。図１４に関して本開示で記載するような、特定の実施形態のコンプトン散乱Ｘ線視覚化装置、画像化装置、または情報プロバイダ１００は、少なくとも表面１６８から延びる散乱イベントの領域のコンプトン散乱Ｘ線視覚化、画像化、または情報提供を容易にすることができる。
【００８５】
これらの実施形態のコンプトン散乱Ｘ線視覚化装置、画像化装置、または情報プロバイダ１００は、個体の表面１６８近くの個体の少なくとも一部に対するコンプトン散乱Ｘ線視覚化、画像化、または情報提供に特に有用である可能性がある（この表面は、下部、および少なくとも部分的に内部表面または少なくとも部分的に外部表面とすることができる）。例えば、少なくとも１つの所定の深度までの少なくとも１つの深度範囲内に表面から画像化することができる、特定の実施形態のコンプトン散乱Ｘ線視覚化装置、画像化装置、または情報プロバイダ１００は、複雑な画像処理なしでも、このようなコンプトン散乱Ｘ線視覚化、画像化、または情報提供に適切である可能性がある。異なる深度からのこのような視覚化、画像化、または情報提供は、視覚化する、画像化する、または情報を提供する深度範囲にわたって比較的均質な材料のときに、互いに干渉しない可能性がある。比較として、特定の実施形態のコンプトン散乱Ｘ線視覚化装置、画像化装置、または情報プロバイダ１００は、適切な処理能力のときに、少なくとも１つの視覚化する、画像化する、または情報を提供する深度範囲にわたって１つの比較的非均質な材料を視覚化、画像化、または情報提供することができる。
【００８６】
特定の実施形態のコンプトン散乱Ｘ線視覚化装置、画像化装置、または情報プロバイダ１００は、様々なコンプトン散乱Ｘ線視覚化、画像化、または情報提供技術を利用して、個体の少なくとも一部の少なくとも一部内部物質および／または少なくとも一部外部物質に関して視覚化、画像化、または情報提供を行うことができる。このような視覚化、画像化、または情報提供は、例えば、ガン、疾病、けが、組織異常などの実験、検査（このようなガンおよび／または腫瘍としては、これに限らないが、乳ガン、肺ガン、前立腺ガン、膀胱ガン、子宮頸ガンなどを挙げることができる）、個体の少なくとも一部の特定の物質（組織、骨、歯など、またはその組合せ）の異常の内部または外部の両方での視覚化、画像化、または情報提供、管腔物質および物質検査のコンプトン散乱Ｘ線視覚化、画像化、または情報提供、器官、組織、または他の物質の縁部、切れ目、または物質不一致（matter inconsistencies）または異常のコンプトン散乱Ｘ線視覚化、画像化、または情報提供、様々な心臓検査および／または治療、心臓弁手術検査および／または治療、脳検査および／または治療、肺検査、肝臓検査、他の器官、物質、または組織検査および／または治療などを行うコンプトン散乱Ｘ線視覚化、画像化、または情報提供を提供するように構成することができる。本開示内では、「深度」視覚化、画像化、または情報提供という用語は、これに限らないが、おそらく、個体の少なくとも一部の表面１６８を含む、個体の少なくとも一部の表面１６８の下の少なくともある容積の物質の深度視覚化、画像化、または情報提供を含むことができる。
【００８７】
特定の実施形態のコンプトン散乱Ｘ線視覚化装置、画像化装置、または情報プロバイダ１００は、病理学状態または組織識別の痕跡（signatures）を得るために使用することができるような、特定の元素、または特定の元素のセット、組合せ、合金、および／または混合物を検出するように構成することができる。鉄およびカルシウムが、視覚化、画像化、および／または情報提供を改善するように使用することができる物質内に含めることができる元素の例として本開示に記載されているが、他の元素または元素のセットを検出するのにも望ましいまたは有用である可能性がある。コンテクストによって、組織のＸ線散乱痕跡（X-ray scattering signatures）（視覚化、画像化、または情報提供の一実施形態であると考えることができる）は、例えば様々な診断または検査の目的で極めて有用であることがある。
【００８８】
特定の実施形態のコンプトン散乱Ｘ線視覚化装置、画像化装置、または情報プロバイダ１００によって検出することができる元素の別の例は、亜鉛である。亜鉛は、特定のタイプの病理脳組織の自然発生指標として使用することができる。例えば、脳内の亜鉛の存在が大きいことは、海馬内のてんかん領域を特定するのに使用することができる。このように、特定の実施形態のコンプトン散乱Ｘ線視覚化装置、画像化装置、または情報プロバイダ１００は、特定の元素、物質、物質の組合せ、材料、金属、合金、流体、骨などを検出するように構成することができ、このようにして、特定の応用例に対する視覚化、画像化、または情報提供に特に有用であることがある。特定の実施形態のコンプトン散乱Ｘ線視覚化装置、画像化装置、または情報プロバイダ１００は、特定の視覚化、画像化、または情報提供応用例に対する設定または調節を可能にするように、制御可能および／または調節可能である。
【００８９】
表面１６８からの特定の実施形態のこのようなコンプトン散乱Ｘ線視覚化、画像化、または情報提供は、少なくとも１つの所定の視覚化する、画像化する、または情報を提供する深度までの少なくとも１つの視覚化する、画像化する、または情報を提供する深度範囲内から行うことができる。少なくとも１つの散乱深度に対する少なくとも１つの実質的な散乱範囲の異なるものからの物質からの散乱イベントで散乱する、コンプトン散乱Ｘ線受信アセンブリ１５１に戻る特定のコンプトン散乱Ｘ線は、異なる散乱イベントからの寄与Ｘ線を有する散乱Ｘ線と重なり、潜在的にこれと干渉する可能性がある。異なる深度、および／または位置などでの異なる散乱イベントによる干渉散乱Ｘ線間のこのような明確化により、様々な深度での異なる散乱イベントから得られる画像情報間の混同を制限することができる。
【００９０】
少なくとも１つの所定の視覚化する、画像化する、または情報を提供する深度に対する比較的狭い視覚化する、画像化する、または情報を提供する深度範囲が、散乱イベントからの散乱に少なくとも部分的に基づいていると仮定する。異なる深度からコンプトン散乱されたＸ線の重なりは、材料が深度の範囲にわたってほぼ均質であると仮定して、少なくとも１つの散乱深度に対する少なくとも１つの実質的な散乱範囲の単一のものから始まると考えることができる。重なったＸ線はその結果、同じ位置から始まるものとして処理するまたは取り扱うことができる。例えば、人の皮膚、および／または他のいくつかの比較的均質な物質のコンプトン散乱Ｘ線を視覚化する、画像化する、または情報を提供することは、コンプトン散乱Ｘ線が、少なくとも１つの所定の実質的な散乱深度に対する少なくとも１つの実質的な散乱深度範囲内から散乱する場合でも、一貫していると考えることができる。
【００９１】
特定の実施形態のコンプトン散乱Ｘ線視覚化装置、画像化装置、または情報プロバイダ１００は、散乱イベントの僅かに重なった深度で散乱された散乱Ｘ線に少なくとも部分的に基づき、視覚化、画像化、または情報提供を行うように構成することができ、それによって、画像化または視覚化の品質または均一性を小さくする可能性がある。例えば、画像化深度まで実質的に均質または一貫した物質である前提で、コンプトン散乱Ｘ線が、人の同様のタイプの物質内で同様の散乱深度までコンプトン散乱されることが期待されると考える。特定のタイプのコンプトン散乱Ｘ線視覚化、画像化、または情報提供は、ガン、病巣、腫瘍、ほくろ、切り傷、擦り傷などの物質（例えば、皮膚）の異常を選択または検出するために、走査として行うことができる。特定の実施形態のコンプトン散乱Ｘ線受信アセンブリは、部位の均質性を大きくするように選択された比較的薄い物質でできた試薬などの、かなり様々な物質に関して視覚化、画像化、または情報提供を行うのに使用することができる。比較的薄い画像領域を選択または使用することによって、物質の均質性はしたがって普通大きくなって、改良された視覚化、画像化、または情報提供を行う。したがってより均質である比較的薄い画像領域を使用することによって、特定の実施形態のコンプトン散乱Ｘ線視覚化装置、画像化装置、または情報プロバイダ１００は、本開示に記載されたように、観察可能なおよび／または可視可能な光に散乱Ｘ線を直接変換することができるシンチレータ（および／または、その詳細がシンチレータを含むことができるフルオロスコープ）などの装置を利用することができる。本開示内では、「観察可能な」光という用語はコンテクストによって、これに限らないが、最大視力の人間によって観察することが可能であると認識されるような可視光、および少なくとも特定の赤外線および紫外線光を含むことを意図している。
【００９２】
本開示内では、観察可能なおよび／または可視可能な光へのシンチレータによるＸ線光子のこのような変換は、ある実施形態のコンプトン散乱Ｘ線視覚化装置、画像化装置、または情報プロバイダ１００の特定のユーザによって（直接、またはその後の処理によって）見ることができる。比較として、特定の実施形態のコンプトン散乱Ｘ線受信アセンブリ１５１としては、コンプトン散乱Ｘ線受信アセンブリの特定部分に出力することができる、シンチレータの出力に操作可能に取り付けた光ダイオードまたは他の光検出器（図示せず、シンチレータの一部と考える）を備えることができる。このように、特定のシンチレータ・ベースの実施形態のコンプトン散乱Ｘ線視覚化装置、画像化装置、または情報プロバイダ１００は、観察可能および／または可視光をユーザに直接与えることができる、または別の方法では、機械、機械ベース・プロセッサ、光学処理装置などによる多数のステップの後に、ユーザが見ることができるような、さらに分析、増幅、フィルタリング、あるいは処理することができる、観察可能なおよび／または可視可能な光を出力することができる。特定のシンチレータは例えば、その出力をさらに分析することができる、光ダイオードに操作可能に結合することができる。
【００９３】
特定の比較的薄い有機的組織体（organism）、植物などに利用されている、特定のシンチレータ実施形態のコンプトン散乱Ｘ線視覚化装置、画像化装置、または情報プロバイダ１００はまた、このような技術を使用して、個体の少なくとも特定の部分の少なくとも一部の物質の厚さに関して視覚化、画像化、または情報提供することもできる。このような特定のシンチレータ（および／またはフルオロスコープ）実施形態のコンプトン散乱Ｘ線視覚化装置、画像化装置、または情報プロバイダ１００は、運用的（operationally）により簡単であってもよく、したがって、他の（プロセッサがより複雑な）実施形態のコンプトン散乱Ｘ線視覚化装置、画像化装置、または情報プロバイダ１００による他の視覚化、画像化、または情報提供技術と比べて、比較的少ない処理しか必要ない。シンチレータ実施形態のコンプトン散乱Ｘ線視覚化装置、画像化装置、または情報プロバイダ１００は、コンプトン散乱Ｘ線受信アセンブリ１５１によって受けられる散乱Ｘ線１２２に少なくとも部分的に基づいて、画像を生成することができる。というのは、前者によって生成されているコンプトン散乱Ｘ線は、シンチレータ（および／またはフルオロスコープ・ベース技術）を使用して、観察可能または可視光に直接変換されているからである。
【００９４】
図１５および図１６に関して本実施形態で記載するような、特定の実施形態のコンプトン散乱Ｘ線視覚化装置、画像化装置、または情報プロバイダ１００は、表面１６８からの少なくとも１つの所定の視覚化する、画像化する、または情報を提供する深度の第１の深度までの少なくとも１つの視覚化する、画像化する、または情報を提供する深度範囲の第１の深度範囲間のコンプトン散乱Ｘ線の視覚化、画像化、または情報提供を容易にすることができる。このような視覚化、画像化、または情報提供は、個体の一部の内部または外部表面から（または、表面１６８からの少なくとも１つの所定の視覚化、画像化、または情報提供深度の第１の深度までの少なくとも１つの視覚化、画像化、または情報提供深度範囲の第１の深度範囲）から、表面からの少なくとも１つの所定の視覚化する、画像化する、または情報を提供する深度の第２の深度までの少なくとも１つの視覚化する、画像化する、または情報を提供する深度範囲の第２の深度範囲までのいずれかで起こる可能性がある。
【００９５】
特定のこのようなコンプトン散乱Ｘ線視覚化、画像化、または情報提供技術は、組合せ（例えば、画像微分、画像減算、画像変換、デコンボリューション、加重減算、関数減算、および逆積分変換、減算逆積分変換、逆関数変換、および減算逆関数変換を含むグループ、飛翔時間計算、またはこのような他の計算または画像処理技術）によって少なくとも部分的に得ることができる。画像のこのような組合せなどでは、多数の視覚化または画像は、表面１６８から、複数の異なる深度１６９、１７０に至るまで、コンプトン散乱Ｘ線視覚化、画像化、または情報提供により、深度視覚化または画像情報の形で得ることができ、それによって深度１７２にわたる画像化を行うことができる。
【００９６】
その結果、深度の視覚化、画像、および／または提供情報の特定の発生が、多数の深度の視覚化、画像、および／または提供情報値の間から、画像組合せを使用して（画像減算、画像微分、画像変換、デコンボリューション、加重減算、関数減算、および逆積分変換、減算逆積分変換、逆関数変換、および減算逆関数変換を含むグループ、またはこのような他の画像処理または計算技術を使用することなどによって）、より浅い深度の視覚化、画像、および／または提供情報値から達成することができる。個体の比較的厚い部分（例えば、所望の分解能、画質などで、それ自身で深度画像化することができるスライスよりも厚いスライス）を深度画像化するために、いくつかの比較的薄い画像スライスを画像化することができ、複数の画像はその結果、様々な適当な画像処理技術を使用して加える、合計する、あるいは組み合わせることができる。
【００９７】
本開示で記載するように、スライスの視覚化、画像化、または情報提供は連続的な画像の組合せによって行うことができ、それによってより浅い画像の情報、データ、値などを、組み合わせたり、減算したり、あるいは各連続画像スライスに対する、より厚い画像のものから変換したりして、特定の画像スライスの画像情報を得ることができる。
【００９８】
このような技術はまた、特定の画像組合せプロセス（例えば、画像減算、画像微分、画像変換、デコンボリューション、加重減算、関数減算、および逆積分変換、減算逆積分変換、逆関数変換、および減算逆関数変換を含むグループ、飛翔時間技術、シンチレータ（または、フルオロスコープ）技術、または他のコンプトン・ベース技術）によって利用することができる。画像スライスは、個体の比較的厚い部分を組み合わせることを少なくとも部分的に含むことができ、それにより、デジタル、アナログ、あるいは組合せ画像処理技術を使用して組み合わせることができ、デコンボリューション、変換などを必要とするような、不透明Ｘ線物質、雑音などの歪みアスペクトを制限するように、明確化することができる。特定の視覚、画像、および／または情報を維持して、視覚化、画像化、または情報提供の目的で依存することができるモデルを形成することができる。別の方法では、ある程度の厚さ、およびほぼ平面のまたは曲線の平面（単純曲線、複雑曲線、またはその他）のいずれかを有する二次元画像スライスを、個体の少なくとも一部の表面の近くで、またはそこから離れた位置で、個体の少なくとも一部内で、視覚化、画像化、または情報提供することができる。例えば、特定の例の視覚化、画像化、または情報提供は、管腔内などで皮膚に隣接して位置決めされている少なくとも１つのエミッタを使用して起こる可能性がある。
【００９９】
別の方法では、飛翔時間計算を使用して、本開示に記載するように、視覚化、画像化、または情報提供情報を導き出すことができる。特定の実施形態のコンプトン散乱Ｘ線視覚化装置、画像化装置、または情報プロバイダ１００は、表面１６８からの少なくとも１つの視覚化する、画像化する、または情報を提供する深度範囲の２つ範囲の間に延びる容積または部分を視覚化、または画像化することができ、飛翔時間計算機（図１７に関して記載したような）を利用することができる。特定の飛翔時間計算は、エミッタ部１５０から、個体の少なくとも一部の特定の散乱イベントまで、そこから、コンプトン散乱Ｘ線受信アセンブリ１５１まで続く、合計距離を決定することによって少なくとも部分的に行うことができ、このような距離は、例えば、Ｘ線がその距離だけ進む持続時間を測定することによって決定することができる。この距離はしたがって、印加されるＸ線１２０および／または散乱Ｘ線１２２による移動の組み合わせた一時持続時間（時間）に少なくとも部分的に基づき、決定することができる。図１７の特定の実施形態のコンプトン散乱Ｘ線視覚化装置、画像化装置、または情報プロバイダ１００は、（１つまたは複数の）飛翔持続時間を導き出し、それによって（１つまたは複数の）合計飛翔時間距離を計算することができる、飛翔時間計算機１６０（図１の視覚化、画像化、または情報提供コントローラ９７内に含めることができる）を備えることができる。
【０１００】
図１７に関して記載したような、特定の実施形態の飛翔行時間計算機１６０を利用することができるような飛翔時間計算は、個体の少なくとも一部の画像化領域に向かって少なくとも１つのエミッタ部１５０によって案内される、印加されるＸ線の比較的短いパルス（例えば、Ｘ線光子放射）の生成を伴う可能性がある。その結果、印加されるＸ線のパルスまたはバーストを形成するＸ線は、散乱イベントで、個体の少なくとも一部の物質内でコンプトン散乱させられ、短いパルス（時間変調の形とも考えられる）の散乱に続いて、少なくとも１つのコンプトン散乱Ｘ線受信アセンブリ１５１によって検出することができる。飛翔時間計算は、印加されるＸ線が、散乱イベントまで進み、そこで（個体の少なくとも一部の物質内で）散乱し、そこから、散乱Ｘ線を少なくとも１つのコンプトン散乱Ｘ線受信アセンブリ１５１まで進ませるのに必要な時間に少なくとも部分的に基づいて導き出すことができる。散乱イベントにおけるコンプトン散乱Ｘ線の点と、コンプトン散乱Ｘ線受信アセンブリとの間の合計距離、およびそれによって、Ｘ線が個体の少なくとも一部を通して進む散乱角度および散乱イベントを考慮する。個体の少なくとも一部の物質内の散乱イベントの位置はその結果、Ｘ線の速度、進む方向、およびそれによって進む距離（Ｘ線の速度は光の速度に対応する）に基づいた計算により決定することができる。
【０１０１】
エミッタ部１５０から、散乱イベントの位置、したがってコンプトン散乱Ｘ線受信アセンブリ１５１までの合計距離は、したがって、少なくとも部分的に飛翔時間計算を使用して、少なくとも１つの所定の視覚化、画像化、または情報提供深度に対する少なくとも１つの視覚化、画像化、または情報提供深度範囲を導き出すのに使用することができる。飛翔時間計算では、検出タイミングおよび測定距離の精度は、物質内の散乱位置を正確に決定する際に重要である。したがって、図１７に関して記載するような、特定の実施形態のコンプトン散乱Ｘ線受信アセンブリ、および／またはエミッタ部の検出器部は、適切な精度を与えるように、少なくとも低いピコ秒範囲の検出動作持続時間を有することができる。適切な精度を提供するためのこのようなピコ秒範囲の検出動作持続時間は、例えば、特定のストリーク・カメラ、ピクセル・ストリーク・カメラ、アバランシェ検出器、ＣＣＤ、または他の検出器実施形態のコンプトン散乱Ｘ線受信アセンブリ１５１を使用して行うことができる。他の実施形態の検出器部は、おそらく、視覚化、画像化、または情報提供の際に、低い品質または分解能を許可しながら、かなり長いほうの信号検出持続時間率で動作することができる。
【０１０２】
特定の実施形態のコンプトン散乱Ｘ線視覚化装置、画像化装置、または情報プロバイダ１００は、操作または分析の様々な自動化および／または優れた信頼性を与えるように、特定のユーザとして様々なコントローラ、コンピュータなど（視覚化、画像化、または情報提供コントローラ９７の一部として考えられる）を利用することができる。このように、特定の実施形態のコンプトン散乱Ｘ線視覚化装置、画像化装置、または情報プロバイダ１００では、様々な人間または自動化ユーザは、特定の普通に制御可能な深度で個体８２の少なくとも一部の表面下に関して視覚化、画像化、および／または情報提供を行うことができる。コンプトンタイプの散乱のための機構は普通、Ｘ線技術の当業者によって理解され、この特定の開示に適している場合を除いて、より詳細には説明しない。
【０１０３】
人間および／または動物などの個体では、例えば、外部表面１６８は、皮膚、粘膜、および他のこのような外部表面などの表面を含むことができる。植物または有機的組織体（organism）などの特定の個体（外部などの環境で生きている、人間、動物、植物、または他の有機的組織体（organism）内で生きている、および／または人間により設計または人間により作り出された）は、潜在的な視覚化、画像化、または情報提供の多くを行うことができる、外部環境と接触する可能性がある少なくとも１つの外部表面１６８を有することができる。外部表面の例としては、葉、幹、茎、果実、根部分、野菜などの外層を挙げることができる。個体の物質内に加えられた（表面の切開、またはその他の切り目などにより）これらの実施形態のコンプトン散乱Ｘ線視覚化装置、画像化装置、または情報プロバイダ１００では、少なくとも部分的に表面を通して視覚化、画像化、および／または情報提供を行う必要はない。
【０１０４】
有機的組織体（organism）、植物、またはその一部などの特定の個体は、健康状態、内部構造、昆虫侵入、汚染、疾病などを決定するような目的で、特定の実施形態のコンプトン散乱Ｘ線視覚化装置、画像化装置、または情報プロバイダ１００を使用して、視覚化、画像化、または情報提供を行うことができる。植物によって生成されるような、果実、根、または野菜などの特定のタイプの個体は、物質の新鮮度、物質の適切性、昆虫侵入、疾病、汚染、所望の状態からの不一致などを決定するように、特定の実施形態のコンプトン散乱Ｘ線視覚化装置、画像化装置、または情報プロバイダ１００を使用して、視覚化、画像化、または情報提供を行うことができる。（例えば特定の肉、野菜、果物、植物などを商業的に販売することができる）林業店舗または市場は、肉、植物、野菜、果物などに関して視覚化、画像化、および／または情報提供を行ってその健康状態、状態などを決定するように、特定の実施形態のコンプトン散乱Ｘ線視覚化装置、画像化装置、または情報プロバイダ１００を利用することができる。このような状態の決定は、購入の前、ある期間の貯蔵の後、または販売の前などに行うことができ、このような植物、有機的組織体（organism）、群れ、根などの視覚化、画像化、または情報提供は、少なくとも部分的に、物質が腐敗、分解、溶解、歪曲、熟成、あるいは変化するときにＸ線散乱特徴を変化させることに基づいている可能性がある。
【０１０５】
人間および／または動物などの個体では、「内部」という用語は、普通は開いている開口部（例えば、口、耳、鼻、様々な管腔、血管、尿道、肛門など）、および／または本開示で記載するように切開によりアクセス可能であるような普通は閉じている開口部を通して、アクセス可能なこれらの位置に関することがある。有機的組織体（organism）、細胞、微生物、ウィルスなどの個体の内部は、切開、ピペット、プローブ、器具、触覚フィードバック装置、カッタ、ディスプレイなどの普通は閉じている開口を通してアクセス可能である。このように、個体の少なくとも一部に対して少なくとも部分的に内部に、および／または少なくとも部分的に外部に配置されているかどうかに関わらず、「表面」という用語は、個体の少なくとも一部の特定の態様、状態、および／または詳細に関する、および／またはそれに対しておよびそれに基づき考慮すべきである。
【０１０６】
特定の実施形態のコンプトン散乱Ｘ線視覚化装置、画像化装置、または情報プロバイダ１００は、特定の少なくとも１つのエミッタ部１５０、および／または少なくとも１つの検出器部１５２（および／または少なくとも１つのコンプトン散乱Ｘ線受信アセンブリ１５１）の位置決定、制御、および／または調節を行うことができる。コンプトン散乱Ｘ線視覚化装置、画像化装置、または情報プロバイダ１００の一部または全体のこのような調節および／または制御を使用して、（少なくとも１つの所定の視覚化する、画像化する、または情報を提供する深度までの少なくとも１つの視覚化する、画像化する、または情報を提供する深度範囲内での）コンプトン散乱Ｘ線視覚化、画像化、または情報提供の場合などに、コンプトン散乱Ｘ線視覚化装置、画像化装置、または情報プロバイダ１００が視覚化、画像化、および／または情報提供を行うことができる物質の量を制御および／または調節することができる。このような制御および／または調節は普通、Ｘ線光子のエネルギー・レベル、および／または周波数を特徴としている。
【０１０７】
例えば、特定のコンプトン散乱Ｘ線視覚化装置、画像化装置、または情報プロバイダ１００は、少なくとも１つの制御可能および／または調節可能な所定の視覚化する、画像化する、または情報を提供する深度で視覚化、画像化、および／または情報提供を行うように（例えば、Ｘ線光子エネルギーおよび／または周波数に基づき）構成されていることとする。少なくとも１つのエミッタ部１５０が、個体の少なくとも一部の表面１６８とほぼ垂直に印加されるＸ線１２２を案内するように配置することができる場合、例えば５ｍｍの少なくとも１つの所定の視覚化、画像化、または情報提供深度内で、視覚化、画像化、または情報提供が起こる可能性がある。しかし、物質の表面１６８に対するエミッタ部による印加されるＸ線の角度が、図１６から図１７に示すように、垂直から、個体の少なくとも一部の表面からいくらか傾斜するように変わると、少なくとも１つの所定の視覚化する、画像化する、または情報を提供する深度も変化する。少なくとも１つの所定の視覚化する、画像化する、または情報を提供する深度は、Ｘ線が、コンプトン散乱Ｘ線視覚化、画像化、または情報提供中に通過し、そこで散乱し、そこから戻ることができる最大深度に対応する。したがって、個体の少なくとも一部の少なくとも一部の物質の表面１６８に対するエミッタ部により印加されるＸ線の角度が変化すると（例えば、垂直からある角度まで）、効果的な垂直深度視覚化、画像化、または情報提供が変化する可能性があり、それにより普通は角度変化の余弦関数として変化する。
【０１０８】
ほとんど全てのタイプの個体では、ほとんどの表面１６８は完全には平面ではない。人間、動物、有機的組織体（organism）、および植物は普通は平らではなく、代わりに、表面上にある程度の湾曲を有することを考慮する。本開示の目的では、深度画像化または視覚化領域が徐々に小さくなるときにより当てはまるようになる、平面的な初期接触表面を前提として、このような視覚化、画像化、または情報提供概念を説明することができ、より簡単にモデル化することができる。
【０１０９】
本開示内では、したがって、「コンプトン散乱Ｘ線の視覚化する、画像化する、または情報を提供する」は、コンプトン散乱Ｘ線視覚化装置、画像化装置、または情報プロバイダ１００からのＸ線ベース電磁放射が放射およびコンプトン散乱されており、それによって検出することができる、表面１６８からのあるセットの距離内で行うことができる。特定の態様のこのようなコンプトン散乱Ｘ線視覚化、画像化、または情報提供は、個体の少なくとも一部の表面１６８に近接してＸ線をそれぞれ加える、および／またはそこからＸ線を受けることができる、それぞれのエミッタ部および／または検出器部の構成および／または運用（operation）に依存する可能性がある。
【０１１０】
様々な実施形態および／または構成のコンプトン散乱Ｘ線視覚化装置、画像化装置、または情報プロバイダ１００を使用して、視覚化、画像化、または情報提供を行うことができる、個体の少なくとも一部の物質は変化する可能性がある。例えば、人間または動物のコンプトン散乱Ｘ線視覚化、画像化、または情報提供では、視覚化、画像化、または情報提供を行うことができる柔らかい物質としては、これに限らないが、軟組織、流体（血液、髄液、リンパ液など）、組織の間で散在する骨部分、器官、筋肉、脂肪、肉体を形成する組織などを挙げることができる。加えて、骨、骨部分、関節、脊椎部、歯などの比較的固い物質は、特定の構成または実施形態のコンプトン散乱Ｘ線視覚化装置、画像化装置、または情報プロバイダ１００を使用して、視覚化、画像化、または情報提供を行うことができる。このように、内部骨、歯などは、かなりの量の内部視覚化、画像化、または情報提供を行うように深度画像化することができる。このように、少なくとも一部の物質の詳細は、視覚化、画像化、または情報提供に、ある程度の影響を与える可能性がある。
【０１１１】
特定の実施形態のコンプトン散乱Ｘ線視覚化装置、画像化装置、または情報プロバイダは加えて、プラスチック、金属、移植片、ピン、構成物、充填物、整形外科の矯正器、歯科矯正器などの個体の少なくとも一部に結び付ける、またはその中にまたはその近くに位置決めすることができる物質に関する情報を視覚化、画像化、および／または提供することもできる。特定の実施形態のコンプトン散乱Ｘ線視覚化装置、画像化装置、または情報プロバイダは、スタンドアローン型装置であることができる、または器具、移植片、触覚フィードバック・プロバイダ、注入装置、プローブ、カッタ、ドリル、分離器、切断機、Ｂｏｖｉｅ電気焼灼装置、材料付加器、材料除去器などの、個体の少なくとも一部内に入力を与えることができるいずれかである。本開示に記載するような、コンプトン散乱Ｘ線視覚化装置、画像化装置、または情報プロバイダ１００の特定の部分は、医療分野、整形外科分野、調査分野、歯科分野、歯列矯正分野、獣医分野、家畜分野、野生動物または水生動物分野などの中での視覚化、画像化、または情報提供に関する可能性がある。
【０１１２】
植物または有機的組織体（organism）などの個体のコンプトン散乱Ｘ線視覚化、画像化、または情報提供は、植物または有機的組織体（organism）の様々な特定の構成部品または構造の少なくとも一部の深度視覚化、画像化、または情報提供を伴う可能性がある。植物、有機的組織体（organism）などのこのようなコンプトン散乱Ｘ線視覚化、画像化、または情報提供は、調査、商業、医療、獣医、歯科、または他の目的のためであってもよい。例えば、視覚化、画像化、または情報提供されている特定の有機的組織体（organism）は、人間、動物、または他の宿主内にある、相異なる、または人間、植物、有機的組織体（organism）、動物などに少なくとも部分的に一体化されていてもよい。
【０１１３】
本開示に記載するような特定の実施形態のコンプトン散乱Ｘ線視覚化装置、画像化装置、または情報プロバイダ１００によって行うことができるような、特定のタイプのコンプトン散乱Ｘ線視覚化、画像化、または情報提供の特定の態様があってもよい。例えば、特定の実施形態のコンプトン散乱Ｘ線視覚化装置、画像化装置、または情報プロバイダ１００は、印加されるＸ線１２０が最初に表面を通過する位置から物理的に離れている、個体の少なくとも一部内の領域をコンプトン散乱Ｘ線視覚化、画像化、または情報提供する際に特に有用であることがある。このように、特定の実施形態のコンプトン散乱Ｘ線視覚化装置、画像化装置、または情報プロバイダ１００は、画像組合せ（例えば、画像減算、飛翔時間コンプトン散乱Ｘ線深度視覚化、または画像減算、画像変換、デコンボリューション、画像減算、加重減算、関数減算、および逆積分変換、減算逆積分変換、逆関数変換、および減算逆関数変換を含むグループ、またはこのような他の画像処理技術を使用することなどによる他の技術）、および／または本開示に記載するような他の画像化、または情報提供技術を使用することなどによって、視覚化、画像化、または情報提供に含めることが望ましくない可能性はある、かなりの物質、組織などを通して画像化しなければならないことがあり、この、視覚化したり、画像化したり、または情報提供したりすることが望ましくないこのような物質の深度視覚化または画像化の結果果は、計算処理的に制限することができる。特定の実施形態のコンプトン散乱Ｘ線視覚化装置、画像化装置、または情報プロバイダ１００は、個体の少なくとも一部の外部または内部表面１６８の近くに（例えば、皮膚または他の内部または外部表面を介して、または別の方法では切開部、切れ目などを通して）配置された個体の少なくとも一部の物質を最も効果的に画像化するように構成または動作させることができる。
【０１１４】
特定の実施形態のコンプトン散乱Ｘ線視覚化装置、画像化装置、または情報プロバイダ１００は、制御および／または調節することができる、印加されるＸ線のエネルギー・レベルおよび／または周波数を有するものとして、本開示内に記載されている。「制御可能」という用語はコンテクストによって、コンプトン散乱Ｘ線視覚化装置、画像化装置、または情報プロバイダ１００が、個体の少なくとも一部の物質を通して画像化することができる、深度、および／または深度の範囲を制御するユーザ、および／または他の主体の能力を示すことができる。このような制御は、少なくとも一部の印加されるＸ線１２０のエネルギー・レベルおよび／または周波数を制御することに、少なくとも部分的に基づくことができる。比較として、調節可能という用語はコンテクストによって、コンプトン散乱Ｘ線視覚化装置、画像化装置、または情報プロバイダ１００が個体の少なくとも一部の物質内で視覚化、画像化、または情報提供を行う、深度にするようにある程度調節をすることができることを示すことができる。このような調節は少なくとも部分的に、少なくとも一部の印加されるＸ線１２０のエネルギー・レベルおよび／または周波数の制御に基づくことができる。深度、または深度範囲のこのような制御または調節は、初期および／またはその後の深度視覚化、画像化、または情報提供中に行うことができ、実験的に決定することができたり、またはできなかったりする。様々な実施形態のコンプトン散乱Ｘ線視覚化装置、画像化装置、または情報プロバイダ１００は、本開示に記載されたような、少なくとも一部の印加されるＸ線１２０のエネルギー・レベルおよび／または周波数の制御に少なくとも部分的に基づいて制御可能および／または調節可能であり、他の実施形態はそうではないことがある。
【０１１５】
本開示に記載するような、特定の実施形態のコンプトン散乱Ｘ線視覚化装置、画像化装置、または情報プロバイダ１００の視覚化、画像化、または情報提供コントローラ９７は、所望のコンプトン散乱Ｘ線視覚化、画像化、または情報提供を容易にするように、様々なソフトウェア、ハードウェア、ファームウェア、深度視覚化または画像化技術、電子、および／または電気回路を利用することができる。様々なソフトウェア、ハードウェア、ファームウェア、深度視覚化または画像化技術、電子、および／または電気回路は、コントローラ、光学システム、電子部品、および／またはコンピュータの分野では理解されるものであり、様々なタイプの視覚化する、画像化する、または情報を提供するコントローラ９７によって効果的に行われる可能性がある。例えば、本開示に記載するような、視覚化する、画像化する、または情報を提供する画像の減算または組合せ、フィルタリング、および／または処理などに少なくとも部分的に左右される可能性がある特定の実施形態のコンプトン散乱Ｘ線視覚化、画像化、または情報提供は、変換などの適切な画像処理を行うように、ソフトウェア、ハードウェア、ファームウェア、および／または電子部品を必要とする可能性が特に高い。このように、特定の実施形態のコンプトン散乱Ｘ線視覚化装置、画像化装置、または情報プロバイダ１００により、視覚化する、画像化する、または情報を提供するコントローラ９７の操作選択、再プログラミング、変更、置換、または再構成などにより（図１のエミッタ部１５０および／またはコンプトン散乱Ｘ線受信アセンブリ１５１の操作を制御することができるような）、コンプトン散乱Ｘ線視覚化する、画像化する、または情報を提供する異なるタイプの間の移行または再構成が可能になる。視覚化する、画像化する、または情報を提供するコントローラ９７の操作要件または処理要件は、特定の応用例に対して、かなり厳しいことがある。
【０１１６】
視覚化、画像化、または情報提供を行うのに使用することができる、コンプトン散乱Ｘ線視覚化装置、画像化装置、または情報プロバイダ１００のいくつかの実施形態がある。図１８および図２０は例えば、２つのそれぞれの、限定的ではなく例示的な、実施形態のコンプトン散乱Ｘ線視覚化装置、画像化装置、または情報プロバイダ１００を示しており、各実施形態は全体的に図１のブロック図に関する本開示の説明と一致する。それぞれ図１８および図２０の実施形態のコンプトン散乱Ｘ線視覚化装置、画像化装置、または情報プロバイダ１００に関する、限定ではないが例示的な論理は、それぞれ図１９および図２１に関して記載するような特定の大きなフローチャートに適用することができる。
【０１１７】
特定の実施形態のコンプトン散乱Ｘ線視覚化装置、画像化装置、または情報プロバイダ１００の１つまたは複数の相異なる構成部品、または部分は、運用上（operationally）、必要に応じて組み合わせるまたは構成することができる、１つまたは複数の個別または相異なるコンプトン散乱Ｘ線視覚化装置、画像化装置、または情報プロバイダ１００（図１に記載するような）内に含めることができることが考えられる。１つまたは複数の別個または個別のコンプトン散乱Ｘ線視覚化装置、画像化装置、または情報プロバイダ１００からのこのような構成部品または部分は、知られているネットワーク概念を使用して、相互動作することができる。コンプトン散乱Ｘ線視覚化装置、画像化装置、または情報プロバイダの各部分または構成部品は、したがって、コンプトン散乱Ｘ線視覚化装置、画像化装置、または情報プロバイダに関連する１つまたは複数の相異なる機能または操作を行うことができる。
【０１１８】
このように、異なる実施形態の１つまたは複数のコンプトン散乱Ｘ線視覚化装置、画像化装置、または情報プロバイダ１００の少なくとも特定の部分または構成部品は、その間で画像を転送、伝達、および／または受信し、視覚化、画像化、および／または情報提供を行うために、互いにインターフェース接続する、および／または相互作用することができる。このような転送、伝達、および／または受信技術は、計算、配線、無線、ネットワーク、光学、通信、および他の同様の技術の当業者に理解される技術を利用した方法で行うことができる。このような伝達、伝送、および／または受信は、無線、光学、有線ベースおよび／または他の知られている技術を利用して行うことができる。
【０１１９】
印加されるＸ線を生成することができる、少なくとも１つのエミッタ部１５０によって使用することができる様々な実施形態の装置および／または技術があってもよい。例えば、特定の実施形態のコンプトン散乱Ｘ線視覚化装置、画像化装置、または情報プロバイダ１００の少なくとも１つのエミッタ部１５０は、Ｘ線を生成するために、Ｘ線装置、管などを利用することができる。様々なＸ線管は、普通に知られており市販されているような、様々な従来のＸ線装置および／または従来の蛍光透視装置に対してＸ線を生成するのに使用することができる。従来の医療用視覚化、画像化、または情報提供のために利用することができるような従来のＸ線装置、管などは、例えば、非特許文献２（全体を本明細書に参照として援用する）に記載されている。Ｘ線管、装置などはコンテクストによって、特定のエネルギー・レベルまたは範囲、周波数または範囲、電力または範囲などのＸ線光子を含むＸ線を作り出すように構成することができる装置として考えることができる。従来の透過性Ｘ線画像化では、例えば、Ｘ線は個体８２の少なくとも一部を通過することができる。比較として、これらの実施形態のコンプトン散乱Ｘ線視覚化装置、画像化装置、または情報プロバイダ１００の少なくとも１つのエミッタ部１５０は、特性（Ｘ線光子の周波数、エネルギー・レベル、電力など）を有するＸ線による方法で、印加されるＸ線のコンプトン後方散乱、コンプトン前方散乱などのコンプトン散乱Ｘ線機構を利用して、視覚化、画像化、および／または情報提供を行うことができる。
【０１２０】
特定の外部実施形態のコンプトン散乱Ｘ線視覚化装置、画像化装置、または情報プロバイダ１００は、特定の周波数またはＸ線光子エネルギー、または印加されるＸ線内に含まれるＸ線光子の少なくとも一部の（１つまたは複数の）このような他の操作上の特性が、コンプトン散乱Ｘ線視覚化、画像化、または情報提供の深度に関することができるように構成することができる。このように、制御または調節される場合、印加されるＸ線に含まれるいくつかのＸ線光子の周波数またはエネルギー・レベルは、個体８２の少なくとも一部の物質内へのコンプトン散乱Ｘ線視覚化、画像化、または情報提供の（１つまたは複数の）深度を制御または調節する効果を有することができる。特定の実施形態のコンプトン散乱Ｘ線視覚化装置、画像化装置、または情報プロバイダ１００は、その深度範囲を少なくとも部分的に調節および／または制御することができる、少なくとも１つの所定の視覚化する、画像化する、または情報を提供する深度までの少なくとも１つの視覚化する、画像化する、または情報を提供する深度範囲内まで視覚化する、画像化する、および／または情報を提供することができる。このような決定は、計算、誘導、または決定などによって少なくとも部分的に経験的に、または経験的に、のいずれかで行うことができる。特定の実施形態のコンプトン散乱Ｘ線視覚化装置、画像化装置、または情報プロバイダ１００は、情報、データ、深度視覚、画像、および／または提供情報などの形で、Ｘ線コンプトン散乱Ｘ線情報を得ることができる。
【０１２１】
印加されるＸ線の電磁放射が個体の少なくとも一部内に通過し、散乱するような、個体の表面１６８からの少なくとも１つの所定の実質的散乱深度距離までの少なくとも１つの実質的散乱深度範囲は、したがって、散乱の際に、Ｘ線のエネルギー・レベルの減少を引き起こすことがある。後者の距離はしたがって、前者に関する、コンプトン散乱Ｘ線視覚化、画像化、または情報提供特性を効果的に制御するように制御することができる。少なくとも１つの所定の視覚化する、画像化する、または情報を提供する深度までの特定の少なくとも１つの視覚化する、画像化する、または情報を提供する深度範囲は、様々な表面構成、粗さ、材料非均一性などと共に変わることができる。
【０１２２】
Ｘ線光子の特性（例えば、Ｘ線のＸ線光子の周波数および／またはエネルギー・レベル、Ｘ線の強度、Ｘ線の角度など）を制御することによって、印加されるＸ線が通過する個体の少なくとも一部の表面１６８からの垂直距離は、制御および／または調節することができる。印加されるＸ線のエネルギー・レベル、周波数、方向、強度、位置、および／または他のアスペクトまたはパラメータのこのような制御および／または調節は、これを通してＸ線を加えることができる、個体の少なくとも一部の物質の量およびタイプをかなり制限することができる。例えば、特定の実施形態のコンプトン散乱Ｘ線視覚化装置、画像化装置、または情報プロバイダは、他の器官、物質などにＸ線電磁放射を加えることを制限しながら、１つまたは複数の選択した器官および／または物質で、（印加されるＸ線または散乱Ｘ線の）Ｘ線ベースの電磁放射を発するように構成することができる。特定の実施形態のコンプトン散乱Ｘ線視覚化装置、画像化装置、または情報プロバイダ１００は、そのＸ線光子を個体の少なくとも一部の表面１６８に加える角度を制御することができる。
【０１２３】
人間、他の個体、および／またはユーザへＸ線を加えることの不確定な健康的影響により、多くの場合、コンプトン散乱Ｘ線視覚化装置、画像化装置、または情報プロバイダ１００を使用する場合に、個体の少なくとも一部、および／またはあらゆるユーザの近くに印加されるＸ線電磁放射の量を制限することが望ましい。加えて、個体および／またはユーザ（特に、人間）に印加されるＸ線の量を大幅に制限することもできるという点で、適当な規制機関により特定の実施形態のコンプトン散乱Ｘ線視覚化装置、画像化装置、または情報プロバイダ１００の許可を緩和することが予測される。このように、深度画像化技術（例えば、下の小さな部分、深度を通した一次的画像化物質、基本的に特定の器官などの画像化スキャン）を使用して、個体の比較的小さな部分を画像化するように構成された、特定の実施形態のコンプトン散乱Ｘ線視覚化装置、画像化装置、または情報プロバイダ１００によって、Ｘ線通過の量および範囲を本質的に制限することができる。
【０１２４】
例えば、特定の個体（例えば、妊娠した女性の胎児、特定の器官、特定の組織、放射線脆弱化個体、高齢者または博識者（informed）、特定の動物または器官など）の特定の部位または位置は、Ｘ線磁気放射の影響を特に受けやすく、したがって、Ｘ線が印加されることから保護するのに特に重要である。このように、個体の少なくとも一部内での印加されるＸ線１２０の所定の深度までの特定の深度範囲（および、その解放量）を制御することを可能にするように、少なくとも特定の実施形態のコンプトン散乱Ｘ線視覚化装置、画像化装置、または情報プロバイダ１００を構成することが特に望ましいことがある。帯域幅制限、Ｘ線エネルギー減少、フィルタリング、遮蔽などの技術によって、個体の少なくとも一部の少なくとも一部の物質に加えられているＸ線のＸ線光子の量およびエネルギー・レベルを制限することによって、ユーザ、および／または個体へＸ線を加えることを制限することができる。
【０１２５】
特定の従来のＸ線画像化装置（従来の透過性または蛍光Ｘ線）と比較して、少なくとも１つのエミッタ部１５０によって放射されるような、相関器、レンズなどを使用した、印加されるＸ線１２０の比較的正確な方向制御を可能にすることは、個体の少なくとも一部へのＸ線被曝量をかなり少なくすることができる。また、近くのユーザに対するＸ線被曝量を制限することができる。特定の実施形態のコンプトン散乱Ｘ線視覚化装置、画像化装置、または情報プロバイダ１００による、比較的低いエネルギーの印加されるＸ線のこのような使用、個体の限られた部位へ印可されるＸ線の正確な印加、および近くの領域、ユーザ、および／または個体の関連する低減された被曝量は、公衆および専門家の認識およびその許可を改善することができる。
【０１２６】
特定の実施形態のコンプトン散乱Ｘ線視覚化装置、画像化装置、または情報プロバイダ１００では、医者、研究者、獣医、外科医などのユーザ（それぞれ、検査、手術、および／または研究などに従事している可能性がある）は、個体８２の少なくとも一部に関して、適当に表面下の視覚化（subsurface visualize）、画像化、および／または情報提供を行うことができる。コンテクストによって、特定のタイプのコンプトン散乱Ｘ線視覚化、画像化、または情報提供を、表面１６８の近くまたは近接したところから、少なくとも１つの所定の視覚化する、画像化する、または情報を提供する深度にまでの少なくとも１つの視覚化する、画像化する、または情報を提供する深度範囲に至るまで行うことができる。特定の実施形態のコンプトン散乱Ｘ線視覚化装置、画像化装置、または情報プロバイダ１００は、ミクロン範囲から、実質的に、個体８２の大部分を含む範囲まで、変えることができる。
【０１２７】
特定の実施形態のコンプトン散乱Ｘ線視覚化装置、画像化装置、または情報プロバイダ１００の分解能は、特定の診断、検査、手術、研究、および他の目的に対して効果的である可能性があり、特定の実施形態のコンプトン散乱Ｘ線視覚化装置、画像化装置、または情報プロバイダは、個体８２の視覚化、画像化、または情報提供部分を通して所望の、または適当な分解能を提供することができる。
【０１２８】
特定の視覚化、画像化、または情報提供応用例では、特定の実施形態のコンプトン散乱Ｘ線視覚化装置、画像化装置、または情報プロバイダ１００により、視覚化する、画像化する、または情報を提供することを調節および／または制御することが望ましい可能性がある。本開示内では、「制御」という用語は、コンプトン散乱Ｘ線視覚化、画像化、または情報提供に関する場合、これに限らないが、特定の実施形態のコンプトン散乱Ｘ線視覚化装置、画像化装置、または情報プロバイダ１００による、印加されるＸ線１２０のエネルギー・レベル、周波数、角度、画像化される追加の物質、および／または他の特性、を制御することを意味することができる。本開示内では、「調節」という用語は、これに限らないが、コンテクストによって、少なくとも１つの所定の視覚化する、画像化する、または情報を提供する深度までの視覚化する、画像化する、または情報を提供する深度の少なくとも１つの範囲を調節することを意味することができる。このような制御または調節は、エネルギー・レベル、周波数、深度、表面１６８に垂直な角度などの印加されるＸ線の特定の特性を変更または調節することによって起こることができる。
【０１２９】
特定の実施形態のコンプトン散乱Ｘ線視覚化装置、画像化装置、または情報プロバイダ１００のこのような制御および／または調節は、コンプトン散乱Ｘ線視覚化装置、画像化装置、または情報プロバイダを様々な応用例に、より適用可能にすることができる。例えば、特定の制御可能な実施形態のコンプトン散乱Ｘ線視覚化装置、画像化装置、または情報プロバイダ１００は、様々な深度、または深度範囲で、個体の少なくとも一部内で様々な物質の視覚化、画像化、および／または情報提供を行うことができる。特定の実施形態のコンプトン散乱Ｘ線視覚化装置、画像化装置、または情報プロバイダ１００は、印加されるＸ線のＸ線特性の制御に基づいて、コンプトン散乱Ｘ線を視覚化する、画像化する、または情報を提供する深度、および／またはその分解能を調節することができる。特定の実施形態のコンプトン散乱Ｘ線視覚化装置、画像化装置、または情報プロバイダ１００はしたがって、ユーザがＸ線光子のエネルギーを調節することができるように、調節可能にすることができるように構成することができる。印加されるＸ線のＸ線光子のエネルギーを調節することによって、例えば、個体の少なくとも一部の物質内への、コンプトン散乱Ｘ線視覚化、画像化、または情報提供の少なくとも１つの所定の実質的散乱深度までの少なくとも１つの実質的散乱深度範囲を調節することができる。
【０１３０】
特定の実施形態のコンプトン散乱Ｘ線視覚化装置、画像化装置、または情報プロバイダ１００は、向けられ、焦点を当てられ、案内され、フィルタリングされ、走査され、および／または処理されたＸ線を利用することができる。特定の実施形態のコンプトン散乱Ｘ線視覚化装置、画像化装置、または情報プロバイダ１００は、特定の例では、個体８２の少なくとも一部内の二次元または三次元の視覚化、画像化、および／または情報提供を作り出すように走査することなどによって、様々な一次元、二次元、または三次元パターンに沿って、視覚化、画像化、および／または情報提供を行うことができる。特定の実施形態のコンプトン散乱Ｘ線視覚化装置、画像化装置、または情報プロバイダ１００は、表面１６８との接触がない、または限られた一実施形態のエミッタ部１５０を利用することなどによって、低または非接触、および低または非侵襲性（low or non-invasive）であるように構成することができる。
【０１３１】
特定の実施形態のコンプトン散乱Ｘ線視覚化装置、画像化装置、または情報プロバイダは、検出器部およびディスプレイ部の操作および／または構造を少なくとも部分的に組み合わせることを可能にする。特定の実施形態のコンプトン散乱Ｘ線視覚化装置、画像化装置、または情報プロバイダ１００は、ユーザ、またはコントローラが、前に捕捉した画像からの結果に少なくとも部分的に基づき、その後のまたは続いて起こる深度の視覚化、画像、および／または提供される情報についてのコンプトン散乱Ｘ線視覚化する、画像化する、または情報を提供することを変えることを可能にすることができる。このような、順次的なコンプトン散乱Ｘ線視覚化、画像化、または情報提供により、医者、外科医、獣医、研究者などの例示的なユーザが、視覚化、画像化、または情報提供が行われている個体の少なくとも一部内の領域を決定することが可能になる。拡大、ズーム、視覚化や画像または提供情報についての相対角度や深度または位置の変更、および／または、ユーザまたは個体によって望まれるまたは有用であるような様々な他の、視覚化、画像化、または情報提供についてのパラメータの変更などの、変更をもたらす様々な画像処理技術を使用して、視覚化、画像化、または情報提供のこのような変化を行うことが望ましいだろう。
【０１３２】
少なくとも１つのエミッタ部１５０、少なくとも１つのコンプトン散乱Ｘ線受信アセンブリ１５１、少なくとも１つの検出器部、および／または少なくとも１つのディスプレイ部１５４の様々な構成および／または操作的組合せは、コンプトン散乱Ｘ線視覚化装置、画像化装置、または情報プロバイダ１００に関連させることができる。本開示内では、特定の実施形態の少なくとも１つのエミッタ部１５０は、特定の実施形態の少なくとも１つの検出器部１５２によって検出されるような、個体８２の少なくとも一部の正確に制御可能な領域にＸ線ベース電磁放射を加えるように向けることができる。電磁放射のこのような被曝および／または検出は１回、ユーザおよび／またはコントローラによるフィードバックなしで多数の連続した回数、ユーザおよび／コントローラによるフィードバックを行って多数の続いた回数、またはその他の方法または組合せで行うことができる。Ｘ線の被曝または検出は、パルス、連続、ペンシル・ビーム、ファン、氾濫、または他のタイプの印加されるＸ線などの様々なビームの透過によるものである可能性がある。
【０１３３】
（１つまたは複数の）特定の実施形態、構成部品、および／または部分のコンプトン散乱Ｘ線視覚化装置、画像化装置、または情報プロバイダ１００は、物質自体を通して直接、または別の方法では個体の少なくとも一部の外部または内部表面１６８のいずれかを通して、個体の少なくとも一部の少なくとも一部の物質を深度検査するために、少なくとも部分的な外部装置として構成することができる。特定の外部実施形態のコンプトン散乱Ｘ線視覚化装置、画像化装置、または情報プロバイダ１００では、「表面下」コンプトン散乱Ｘ線画像化、視覚化、または情報提供は、コンテクストによって、皮膚または他の外部表面の下でのコンプトン散乱Ｘ線視覚化、画像化、または情報提供に関する可能性がある。（１つまたは複数の）特定の実施形態、構成部品、および／または部分のコンプトン散乱Ｘ線視覚化装置、画像化装置、または情報プロバイダは、切開部を通して、または別の方法では、個体の少なくとも一部の通常は開いている開口を通して、個体８２の内部を検査するように、少なくとも部分的な内部装置として構成することができる。
【０１３４】
特定の内部実施形態のコンプトン散乱Ｘ線視覚化装置、画像化装置、または情報プロバイダ１００では、視覚化、画像化、または情報提供を受ける「表面下」はコンテクストによって、表面１６８の下、管腔を少なくとも部分的に形成する領域、空洞内、または別の身体開口内などの、個体の通常は開いている部分を通して行われることに関する。個体の通常は閉じている部分（例えば、切開部、創傷など）を通して行うことができる内部実施形態のコンプトン散乱Ｘ線視覚化装置、画像化装置、または情報プロバイダ１００では、「表面下」という用語はコンテクストによって、通常は閉じている開口、切開部などを通して行われるコンプトン散乱Ｘ線視覚化装置、画像化装置、または情報プロバイダ１００を含むことができる。様々な実施形態のコンプトン散乱Ｘ線視覚化装置、画像化装置、または情報プロバイダ１００は、図１８に関して記載するように、所定の貫通深度１７０までの深度範囲を通して、組織、骨部分、流体、血液などの様々な物質を通して、視覚化、画像化、または情報提供を行うことができる。
【０１３５】
図１９は、コンプトン散乱Ｘ線受信アセンブリ１５１の本開示で記載したような実施形態のコンプトン散乱Ｘ線視覚化装置、画像化装置、または情報プロバイダ１００によって行うことができる、コンプトン散乱Ｘ線視覚化、画像化、または情報提供技術３００のフローチャートの一実施形態を示している。特定の実施形態のコンプトン散乱Ｘ線受信アセンブリ１５１は、運用上（operationally）、少なくとも１つのディスプレイ部１５４とはっきりと区別可能な少なくとも１つの検出部１５２を備えることができる。特定の実施形態の表面下コンプトン散乱Ｘ線視覚化、画像化、または情報提供技術３００は、少なくとも一部の物質内の少なくとも１つの所定の視覚化する、画像化する、または情報を提供する深度までの少なくとも１つの視覚化する、画像化する、または情報を提供する深度範囲内で行われる、１つまたは複数の操作３０２、３０４、３０６、および／または３０８を含むことができる。
【０１３６】
特定の実施形態の操作３０２は、これに限らないが、少なくとも１つの印加されるＸ線を少なくとも１つのエミッタ部１５０から個体の少なくとも一部の少なくとも一部の物質に向かって加えることを含むことができる。例えば、特定の実施形態の少なくとも１つのエミッタ部１５０は、Ｘ線を少なくとも一部の物質内でコンプトン散乱させることができるような方法で、個体の少なくとも一部の所望の物質（例えば、組織、流体、骨、歯、関節、脂肪、筋肉など）に向かって、Ｘ線を加えることができる。このような応用例の印加されるＸ線はしたがって、深度視覚化、画像化、または情報提供を可能にするように、特定の実施形態のコンプトン散乱Ｘ線視覚化装置、画像化装置、または情報プロバイダ１００によって使用することができる。コンプトン散乱Ｘ線受信アセンブリ１５１によって検出されるように散乱され戻される、かなりの割合の印加されるＸ線は、少なくとも１つの所定の実質的散乱深度までの少なくとも１つの実質的散乱深度範囲内で散乱する可能性がある。少なくとも１つの所定の実質的散乱深度までの少なくとも１つの実質的散乱深度範囲の値は、印加されるＸ線１２０のＸ線光子のエネルギー・レベルに少なくとも部分的に基づくことができる。印加されるＸ線１２０のＸ線光子のエネルギー・レベルは、周波数に直接関係していると考えられる。
【０１３７】
特定の実施形態の操作３０４は、これに限らないが、少なくとも１つの検出器部１５２で少なくとも１つの印加されるＸ線から散乱される、少なくとも１つの（例えば、コンプトン）散乱Ｘ線を取得することを含むことができる。実際、特定のコンプトン散乱Ｘ線１２２は、散乱イベントで印加されるＸ線１２０の散乱に少なくとも部分的に基づき、検出器部１５２で（例えば、個体の少なくとも一部の少なくとも一部の物質内で）受けることができる。特定の印加されるＸ線は、操作３０２中に少なくとも１つのエミッタ部１５０によって加えることができる。
【０１３８】
特定の実施形態の操作３０６（任意である）は、これに限らないが、個体の少なくとも一部に関して視覚化、画像化、および／または情報提供を行うように、操作３０４中に受けられる少なくとも１つのコンプトン散乱Ｘ線を処理することが含むことができる。例えば、特定の実施形態の視覚化、画像化、または情報提供コントローラ９７は、表示することができるような、視覚、画像、および／または提供情報を導き出すことができる。
【０１３９】
特定の実施形態の操作３０８は、これに限らないが、操作３０６中に、少なくとも部分的に処理および／または捕捉することができるような、少なくとも１つの視覚、画像、および／または提供情報を導き出すことを含むことができる。例えば、特定の実施形態のディスプレイ部１５４、および／またはコンプトン散乱Ｘ線受信アセンブリ１５１（シンチレータ、および／またはフルオロスコープ実施形態であってもよい）は、個体の少なくとも一部の物質の少なくとも一部の視覚、画像、および／または提供情報を表示することができる。
【０１４０】
特定の実施形態のコンプトン散乱Ｘ線視覚化装置、画像化装置、または情報プロバイダは、特定のシンチレータ実施形態のコンプトン散乱Ｘ線視覚化装置、画像化装置、または情報プロバイダ１００で行うことができるような、散乱Ｘ線を処理することなく、散乱Ｘ線を観察可能または可視光に直接変換するように少なくとも部分的に構成することができる。図２１は、処理せずに、実施形態のコンプトン散乱Ｘ線視覚化装置、画像化装置、または情報プロバイダ１００によって行うことができる、コンプトン散乱Ｘ線視覚化、画像化、または情報提供技術４００のフローチャートの一実施形態を示している。特定の実施形態の表面下コンプトン散乱Ｘ線視覚化、画像化、または情報提供技術４００は、シンチレータ（および／またはフルオロスコープ）実施形態のコンプトン散乱Ｘ線受信アセンブリ１５１を使用して、視覚化、画像化、および／または情報提供を行うように、本開示で記載されたような１つまたは複数の操作４０２、４０４、および／または４０６を含むことができる。特定のシンチレータ（および／またはフルオロスコープ）実施形態のコンプトン散乱Ｘ線受信アセンブリ１５１は、個体の少なくとも一部の物質内の少なくとも１つの所定の視覚化する、画像化する、または情報を提供する深度までの少なくとも１つの視覚化する、画像化する、または情報を提供する深度範囲内で、視覚化、画像化、または情報提供を行うことができる。
【０１４１】
特定の実施形態の操作４０２は、これに限らないが、少なくとも１つの印加されるＸ線を少なくとも１つのエミッタ部から個体の少なくとも一部の少なくとも一部の物質に向かって加えることを含むことができる。例えば、特定の実施形態の少なくとも１つのエミッタ部１５０は、Ｘ線を物質内で、コンプトン散乱されることができるような方法で、個体の少なくとも一部の所望の物質（例えば、組織、流体、骨、歯、関節、脂肪、筋肉など）に向かって、Ｘ線を加えることができる。
【０１４２】
特定の実施形態の操作４０４は、これに限らないが、少なくとも１つのエミッタ部１５０によって印加されるＸ線１２０に応じて、本開示で記載されるように少なくとも１つのコンプトン散乱Ｘ線受信アセンブリ１５１で、少なくとも一部の（例えば、コンプトン）Ｘ線を受けることを含むことができる。コンプトン散乱Ｘ線受信アセンブリ１５１によって検出されるように散乱され戻される、かなりの割合の印加されるＸ線は、少なくとも１つの所定の実質的散乱深度までの少なくとも１つの実質的散乱深度範囲を通して散乱する。このような散乱は、本開示に記載するように、印加されるＸ線１２０のＸ線光子のエネルギー・レベル（または、それに関する周波数）に少なくとも部分的に基づくことができる。
【０１４３】
特定の実施形態の操作４０６は、これに限らないが、少なくとも１つのコンプトン散乱Ｘ線受信アセンブリ１５１で少なくとも１つの散乱Ｘ線を受けることに少なくとも部分的に応じて、少なくとも１つの視覚、画像、または提供情報を導き出すことを含むことができる。例えば、特定のシンチレータ（および／またはフルオロスコープ）実施形態のディスプレイ部１５４、および／またはコンプトン散乱Ｘ線受信アセンブリ１５１は、個体の物質の少なくとも一部の深度の視覚化または画像を表示することができる。
【０１４４】
特定の実施形態のコンプトン散乱Ｘ線視覚化装置、画像化装置、または情報プロバイダ１００はしたがって、深度の視覚化、画像、および／または提供情報を捕捉するなどの、少なくとも一部のＸ線物質内の１つまたは複数の深度（多くの場合、制御可能に）にいたるまで、またはそこで、視覚化、画像化、および／または情報提供を行う機構を提供することができる。本開示内では、特定の実施形態のコンプトン散乱Ｘ線視覚化装置、画像化装置、または情報プロバイダ１００によって深度画像化されている物質の多くは、交差される、混合される、複合される、または個体８２の少なくとも特定の部分内に普通存在するような、個体内の骨、金属などの他の物質と少なくとも部分的に組み合わせられることを予測することができる。特定の実施形態のコンプトン散乱Ｘ線視覚化装置、画像化装置、または情報プロバイダ１００によって行うことができるような、特定の実施形態のＸ線コンプトン散乱Ｘ線は、したがって、相対的電磁放射コンプトン散乱Ｘ線物質と少なくとも部分的に組み合わせることができる物質を視覚化する、画像化する、および／または情報提供するのに使用することができる。
【０１４５】
特定の実施形態のコンプトン散乱Ｘ線視覚化装置、画像化装置、または情報プロバイダ１００は、骨、骨断片または部分、脊椎部分、頭蓋部分、金属、移植片などの、印加されるＸ線１２０を考慮して比較的「固い」特定の物質の少なくとも一部を視覚化、画像化、および／または情報提供を行うのに使用されるように構成することができる。印加されるＸ線１２０の周波数の変更などのこのような再構成は、様々な特性を有する（１つまたは複数の）物質を視覚化する、画像化する、および／または情報を提供するように、コンプトン散乱Ｘ線視覚化装置、画像化装置、または情報プロバイダ１００を構成するために使用することができる。骨、脊椎部分、特定の移植片などの固い物質の深度視覚化、画像化、または情報提供によって、かなりの分解能精度で骨などの二次元または三次元部分を検査することが可能になる。固い物質のこのような深度視覚化、画像化、または情報提供は、本開示で記載するように制御および／または調節することができる。固い物質のこのようなコンプトン散乱Ｘ線視覚化、画像化、または情報提供は、手術または検査の前に、手術または検査の間に、手術または検査の後に行うことができる。特定の実施形態のコンプトン散乱Ｘ線視覚化装置、画像化装置、または情報プロバイダ１００は、他の物質と組み合わせて固い物質に視覚化、画像化、および／または情報提供を行うことができる。例えば、骨は、関連する関節、筋肉、腱、手術用ピン、プレートなどと組み合わせて画像化することができる。加えて、脳部分は、関連する頭蓋部分（例えば、頭蓋骨）などに対して、視覚化、画像化、または情報提供を行うことができる。コンプトン散乱Ｘ線視覚化、画像化、または情報提供のこのような調節または制御を行うことにより、医者、外科医、歯科医などが、個体の少なくとも一部内の様々な物質のコンプトン散乱Ｘ線視覚化、画像化、または情報提供の精度を得ることが可能になる。
【０１４６】
特定の実施形態のコンプトン散乱Ｘ線視覚化装置、画像化装置、または情報プロバイダ１００は、骨、歯などの特定の実施形態の少なくとも一部の固い物質と組み合わされるような、組織、血球、体液などの少なくとも一部の柔らかい物質の組合せに関して、視覚化、画像化、または情報提供を行うように構成することができる。少なくとも一部の柔らかい物質との少なくとも一部の固い物質の組合せのこのような視覚化、画像化、または情報提供は、歯との歯茎の交差点、腱、靭帯、筋肉、組織などとの骨の交差点などの、結合物質部位を考慮した場合に特に有用である可能性がある。
【０１４７】
様々な実施形態のコンプトン散乱Ｘ線視覚化装置、画像化装置、または情報プロバイダ１００は、物質、組織、器官などの縁部、側部、不一致、または非均一性を画像化するように構成することができる。したがって、器官、物質、組織などのこのような不一致または非均一性に基づき、特定の器官、物質、組織などを配置することも可能である。例えば、器官が配置されている個体の少なくとも一部の領域に視覚化、画像化、および／または情報提供を行うために印加されるＸ線１２０が印加されると、器官の縁部は器官の残りとは異なる方向に印加されるＸ線を拡散する可能性がある。縁部に沿ったこのようなコンプトン拡散Ｘ線は、コンプトン散乱Ｘ線器官の縁部で、深度コンプトン散乱Ｘ線画像の検出可能な差異をもたらすことがある。物質の角度、位置、または他のアスペクトに少なくとも部分的に基づく、コンプトン散乱Ｘ線の特性のこのような差異は、本開示に記載するように、特定の実施形態のコンプトン散乱Ｘ線視覚化装置、画像化装置、または情報プロバイダ１００によって使用することができる。
【０１４８】
図８は、本開示に記載するように、特定の実施形態のコンプトン散乱Ｘ線視覚化装置、画像化装置、または情報プロバイダ１００に含めることができるエミッタ部１５０の一実施形態を示し、図９は別の実施形態を示している。特定の実施形態の少なくとも１つのエミッタ部１５０は、ペンシル・ビーム、ファン・ビーム、領域ビーム、または他のビームなどである角度にわたって、個体８２の少なくとも一部に向かって印加されるＸ線を照射することができ、他の実施形態はペンシル・ビームなどの狭いビームで印加されるＸ線を照射することができる。特定の実施形態のエミッタ部１５０は平行Ｘ線を発することができ、その他は非干渉Ｘ線を発することができる。特定の実施形態の少なくとも１つのエミッタ部１５０は、印加されるＸ線放射のパターン／方向を調節するようにＢｒａｇｇ光学素子などの調節可能な光学素子を備えることができ、その他は調節可能でも制御可能でもない可能性がある。特定の実施形態のエミッタ部１５０の構成、設計、および用途は、少なくとも部分的に、コンプトン散乱Ｘ線視覚化、画像化、または情報提供の特定の特性（および、視覚化、画像化、または情報提供される個体の少なくとも一部の特性）に依存することがある。
【０１４９】
普通、特定の実施形態のエミッタ部１５０はしたがって、個体の少なくとも一部に向かって少なくとも１つのＸ線を案内するように構成されている。特定の実施形態の少なくとも１つのエミッタ部１５０は、これに限らないが、電源８３６、陰極８３２、電界放出先端８５０、および／または陽極８３４を備えることができる。少なくとも１つのエミッタ部１５０の他の例示的および潜在的な構造は本開示に記載されており、さらに他のものは、一般的にＸ線管および発生装置の当業者に理解される。特定の実施形態の電源８３６および陰極８３２は、電子放出先端８５０および陽極８３４を介して少なくとも部分的に放電することができるように、陰極８３２からの電気（例えば、電子）流を与えるために、電子回路内に配置することができる。特定の実施形態の電子放出先端８５０は、たとえば、陽極８３４で少なくとも部分的に案内することができる電子流を放電することが可能なように構成されるなど、陰極と電気接続することができる。
【０１５０】
特定の実施形態の電子放出先端８５０は、図８に関して記載したような、パターン、周波数、エネルギー・レベル、構成、または他のパラメータで電子流を発生および／または案内することができる電子放電領域として構成することができる。特定の実施形態の電子放出先端８５０は、電子流を確立するように構成され、このようにして、三極管、アンテナ、ナノ構造、または他のこのような構成部品などの要素を含むことができる。特定の実施形態の電子放出先端８５０はまた、電磁放射アンテナとして効果的に構成することができる、１つまたは複数の（カーボン）ナノ管を備えるように構成することができる。特定の実施形態の電子放出先端８５０はしたがって、１つまたは複数の別個の要素を利用することができ、他の実施形態はいくつかのまたは、カーボン・ナノ管のアレイ、などを利用することができる。
【０１５１】
特定の実施形態の電子放出先端８５０は固定することができ、他の実施形態は、電子源を移動することなどによって、電子放出のパターンを変更するように調節または変位させることができる。移動可能または調節可能な電子放出先端８５０の他の例は、例えば、陰極に電気結合された可撓性カーボン・ナノ管の調節または変位を利用することを含むことができる。
【０１５２】
特定の実施形態の陽極８３４は、陰極８３２、および／または電子放出先端８５０の組合せから電子を吸引するように、動作中に構成および／または偏倚させることができる。特定の実施形態の陽極８３４内への電子流の接触時、特定の実施形態の陽極は、したがって、所望の周波数、および／またはエネルギー・レベルのＸ線光子を発生させることができる。特定の実施形態のエミッタ部１５０では、電子放出先端８５０から放射される電子流は、実質的に静的に留まる可能性があり、それにより案内可能でも走査可能でもない可能性がある。他の実施形態のエミッタ部１５０では、陰極８３２の電子放出先端８５０は、電子流を案内する、走査する、あるいはこれを陽極８３４に対して所望の位置に偏倚させることができる。特定の実施形態のコンプトン散乱Ｘ線視覚化装置、画像化装置、または情報プロバイダ１００は、エミッタ部１５０および／または検出器部１５２の位置を制御または調節するように、ステッパ・モータ、または他のモータまたは変位機構（図示せず）を備えるように構成することができる。それぞれのエミッタ部１５０、および／または検出器部１５２は、所望の程度の調節を行うように、動作中に動作的にパンしたりおよびティルトしたりするように構成することができる。特定の実施形態の電子放出先端８５０は、Ｘ線源として構成することができる（例えば特定の例では、寸法は小さなミリ範囲であり、それによって、特定の例では、これらの位置からの深度視覚化、画像化、または情報提供を可能にするように、特定の血管または管腔内に嵌合することができる）。他の実施形態では、電子放出先端８５０の寸法は、個体８２の外部またはより大きな部分とインターフェース接続するように、かなり大きい可能性がある。
【０１５３】
特定の実施形態の電子放出先端８５０ビームは、電子流の経路を変更するように、走査、シフト、軸方向移動、ビーム・フォーカス制御、回転、パン（panning）、あるいは移動することなどによって、コンプトン散乱Ｘ線視覚化装置、画像化装置、または情報プロバイダ１００の制御および／または調節を可能にするように変位可能または移動可能に構成することができる。例えば、１つまたは複数のミクロ電子機械システム（ＭＥＭＳ：Micro Electro-Mechanical System）装置、回転結晶、電気機械またはＸ線走査機構、または他の適切な手段は、電子放出先端の制御および／または調節を行うように、特定の実施形態の電子放出先端８５０に含めることができる。特定の実施形態のエミッタ部１５０は、Ｘ線ビームを移動させたりおよび／または走査したりするように変位可能である、レンズ（図示しないが、レンズとして構成された結晶を含むことができる）に少なくとも部分的に入射するＸ線を生成するように構成することができる。別の方法では、特定の実施形態のエミッタ部１５０は、アレイ・タイプ装置として構成することができ、異なるものは手動で、または少なくとも部分的に深度視覚化、画像化、または情報提供コントローラ９７によってのいずれかで制御されている、異なるグループの要素である。Ｘ線ビームのこのような走査は、ラスタ・タイプ走査に続き、ファン・タイプ・ビーム、ペンシル・タイプ・ビーム、またはおそらく特定の他の従来の断層撮影スキャナ内で利用されるのと同様の他のタイプのスキャンを使用することができる、またはいくつかの他のパターンに続くことができる。特定の例では、少なくとも１つのエミッタ部１５０の走査は、少なくとも１つの検出器部１５２の走査と調和して動かすことができる、または別の方法では、走査検出器部は、視覚化、画像化、または情報提供が行われている個体８２の少なくとも一部に、効果的に「フラッド（flood）」させる、Ｘ線を発生するエミッタ部に取り付けることができる。特定の走査またはフラッディング構成の選択は、本開示で記載するように、ユーザおよび／または近くの個体のＸ線被曝に影響を与える可能性がある。
【０１５４】
図８に関して記載したような様々な実施形態の電源８３６は、電子放出先端、および陽極の構成によって、特定の実施形態の電子放出先端８５０からの電子流を確立するために、陰極に適当な電力を与える限り、所望の通りに構成することができる。特定の実施形態のエミッタ部１５０はしたがって、電源８３６、陰極８３２、および／または電子放出先端８５０によって与えられるなどの、電子を案内するように構成することができる。電子はしたがって、図８に関して記載するように、電子放出先端８５０から陽極８３４に方向付けされることができる。電子流を変更または制御することにより、陽極８３４による光子の生成に、対応する影響を与える可能性がある。特定の実施形態のエミッタ部１５０は別の方法では、図９に関して記載するように、電源８３６を使用する光子発生器８８０を含むなど、光学的に駆動されることができる。
【０１５５】
特定の実施形態の光子発生器８８０は別の方法では、例えば、光学供給光電子スタック（optically fed photoelectric stack）、光学供給電池（optical fed battery）、太陽電池パネル、またはＸ線光子を発生させることができる様々な他の装置を利用することができる。図９に関して記載するような光子発生器８８０を利用した、特定の実施形態の少なくとも１つのエミッタ部１５０は、図８の実施形態のエミッタ部に関して記載するように、Ｘ線光子の発生を制御および／または調節するなど、調節、制御、固定、分散、および／またはフォーカスなどすることができる。
【０１５６】
図８に関して記載したような特定の実施形態のエミッタ部１５０では、電子グリッド（図示せず）は、電子流に動作可能に近接したような位置から位置決め、調節、および／または制御することができる。例えば、電子グリッドは、電子放出先端８５０と陽極８３４の間に少なくとも部分的に配置された経路に隣接して配置することができる。特定の実施形態の電子グリッドは、作動の際に、電子放出先端８５０から陽極８３４まで通過する電子の流れまたは速度を案内、走査、あるいは制御するように構成することができる。電子の流れまたは速度をこのように案内、走査、加速、減速、あるいは制御することにより加えて、発生した光子が特定の陽極８３４と接触する、特性または位置を制御または変更することができる。
【０１５７】
特定の基本的実施形態の陽極８３４は、様々な形で構成することができる。例えば、陽極は、電子放出先端８５０に適切に近接して位置決めすることができる、金属薄箔、または他の構成を備えることができる。特定の実施形態の陽極８３４は、電子流と接続する様々な陽極金属または他の材料陽極（または、異なる形状、寸法、または他の構成を有する）を提供するように変位、回転などによって、その特性を調節および／または制御することができるＸ線光子を発することができる、少なくとも１つの陽極ホイール、カセット、カートリッジなど（図示せず）を備えるなど、制御可能および／または調節可能であるように設けることができる。
【０１５８】
陽極ホイール、カートリッジ、キャニスタ、または陽極の材料および／または構成を変えることができる他のこのような機構を使用することによって、少なくとも１つのエミッタ部によって発生されているＸ線光子の特性（エネルギー・レベルおよび／または周波数など）を制御または変更することができる。放出されているＸ線のこのような制御および／または変更により、少なくとも１つの所定の実質的散乱深度までの少なくとも１つの実質的散乱深度範囲を、およびそれによって、本開示で記載するように、特定の実施形態のコンプトン散乱Ｘ線視覚化装置、画像化装置、または情報プロバイダ１００によって行われている、少なくとも１つの所定の視覚化する、画像化する、または情報を提供する深度にまでの少なくとも１つの視覚化する、画像化する、または情報を提供する深度範囲を、制御および／または変更することができる。他の特定の用途の陽極ホイールが特定の従来のＸ線管において知られており、これは、主として、電子流が接触し、その電子流によって直ぐに加熱される陽極ホイールの一部を変更することによって許容温度範囲内に陽極の全ての部分を維持するように機能する陽極ホイールはまた、ステッパ・モータ、空気圧ドライブ、電気モータなどを利用することができるような、陽極ホイールの（回転方向および／または軸方向のいずれか）の適切な回転および／または変位を可能にする原動機構（図示せず）を備えることができる。特定の実施形態の陽極ホイールはまた、このような回転および／または変位を制御する様々な制御機構（図示せず）を備えることができる。様々なこのような制御、回転、および／または変位機構は普通、陽極ホイール技術分野の当業者に理解される。
【０１５９】
特定の実施形態の陽極８３４はしたがって、陽極８３４に加えられている電子流の特性、および加えて、陽極８３４の材料に少なくとも部分的に基づいて、制御可能および／または調節可能なエネルギー・レベル、周波数、または他の特性でＸ線光子を発生させるように構成することができる。このように、特定の材料例えば、異なる金属）、または、電子流に対して（例えば、その前部に）位置をシフトすることができる、陽極の（構成、を選択することによって、特定の特性を有するＸ線を発生させることも可能である。加えて、陽極を移動させるまたは電子に対して角度付けする（または、その逆）は、印加されるＸ線の異なる特性をもたらすことがある。特定の実施形態のコンプトン散乱Ｘ線視覚化装置、画像化装置、または情報プロバイダ１００は、したがって、陽極８３４に対する電子流をシフトまたは案内することによって、調節または制御することができ、それによって電子流が接触する陽極の一部は多数の様々な材料および／または構成で作ることができる。特定の実施形態の陽極８３４は、回転した場合に、印加されるＸ線の制御および／または調節を行うように、電子流と接触するような所望の金属の位置決めにつながる可能性がある、ホイールの形状に（例えば、陽極ホイールを形成するように）構成することができる。
【０１６０】
図８および／または図９に関して記載したように、特定の実施形態のコンプトン散乱Ｘ線視覚化装置、画像化装置、または情報プロバイダ１００内で、特定の実施形態のエミッタ部１５０に加えることができる様々な追加の構成部品がある。特定の実施形態の少なくとも１つのエミッタ部１５０はさらに、必要に応じて、エミッタ部から発せられる光子をフォーカスする、角度付けする、または案内することができる、コリメータまたはＸ線レンズ８４２を備えることができる。特定の実施形態のＸ線レンズまたはコリメータ８４２は、エミッタ部案内、信号または画像フィルタリング、画像ズーム、コンプトン散乱Ｘ線視覚化、画像化、または情報提供、信号または画像処理などの開始、停止、または一時停止の際に、コンプトン散乱Ｘ線視覚化、画像化、または情報提供プロセスの制御を提供するなど、制御可能とすることができる。
【０１６１】
特定の実施形態のコンプトン散乱Ｘ線視覚化装置、画像化装置、または情報プロバイダ１００は、図８および／または図９に関して記載したような、任意の真空（少なくとも部分的に真空）部分８５４を利用することができ、この真空は、陰極８３２から陽極８３４まで前進する電子流の電子の、外部からの気体、空気、浮遊する固体、液体、および／または空気中に浮遊する他の小さな粒子との接触を制限するのに利用することができる。このように、特定の実施形態の任意の真空（少なくとも部分的に真空）部分８５４は、余分な粒子との光子の相互作用を制限することができる。加えて、特定の実施形態の真空部分８５４はしたがって、空気への露出している状態で発生する熱の影響として、そこに含まれている特定の電子構成部品の酸化を少なくとも部分的に制限するように構成することができる。特定の実施形態の真空（少なくとも部分的に真空）部分８５４はしたがって、内部管腔Ｘ線源として構成することができ、普通はＸ線管技術の当業者に理解されるように、真空管として構成することができる。
【０１６２】
特定の実施形態のコンデンサ８３０は任意選択で、図８に関して記載するように、電源８３６と陰極８３２を備えた電子回路内に配置することができる。特定の実施形態の陰極８３２は、陰極８３２に加えることができ、その後、電子放出先端８５０を介して電子流として必要に応じて放出することができるように、特定のレベルの電圧を蓄積するコンデンサ８３０で構成することができる。
【０１６３】
本開示は、特定の実施形態の少なくとも１つのエミッタ部１５０を記載しているが、その周波数、エネルギー・レベル、または他の特性を制御または調節可能であるＸ線を伝達することができるあらゆる機構を、特定の実施形態のコンプトン散乱Ｘ線視覚化装置、画像化装置、または情報プロバイダ１００で使用することができることを理解されたい。図１、図８、図９に関して本開示で、また本開示の他の位置で記載したような、実施形態の少なくとも１つのエミッタ部１５０は、元々、例示的なものであり、（発明の）範囲を限定することを意図したものではない。本開示に記載するように、例えば、特定の実施形態のエミッタ部１５０は、図９に関して記載する光学発生部と少なくとも部分的に交換することができる。少なくとも１つのエミッタ部１５０はしたがって、異なる方法で光子を発生させるように、操作および／または構成が僅かに異なるように構成することができるが、特許請求の限定内にある本開示の範囲内にあることをなおも意図していることを留意されたい。例えば、真空（少なくとも部分的に真空）管などの、真空部分８５４は、図９に関して記載したような電子放出先端８５０として構成される、１つまたは複数の別個の放出先端要素または１つまたは複数の（カーボン）ナノ管を備えることができる。
【０１６４】
図８および図９に関して記載したような、特定の実施形態の、コンプトン散乱Ｘ線視覚化装置、画像化装置、または情報プロバイダ１００のエミッタ部１５０はしたがって、再位置決め、角度付け、フィルタリング、またはいくつかの他の適切な技術を備えて構成することなどによって、調節可能および／または制御可能である。例えば、特定の実施形態のコンプトン散乱Ｘ線視覚化装置、画像化装置、または情報プロバイダ１００は、回転および傾斜することができるように構成することができるようなステッパ・モータを備えることができ、それによって、少なくとも１つのエミッタ部１５０によって放出することができる放射光子に対してある程度の制御および／または調節を行うことができる。このようなステッパ・モータは、光子レンズまたはコリメータ８４２の使用によっても達成することもできる、調節または制御部分の例示的な一実施形態を示す、と考えることができる。
【０１６５】
図１に関して記載するような、特定の実施形態または構成のコンプトン散乱Ｘ線視覚化装置、画像化装置、または情報プロバイダ１００は、図２２に関して記載するような、歯科医、口腔衛生士などによって使用することができるような、歯、義歯または表面１６８などの視覚化、画像化、および／または情報提供を行うことができる。特定の実施形態のコンプトン散乱Ｘ線視覚化装置、画像化装置、または情報プロバイダ１００により、必要に応じて、１つまたは複数の角度、位置、倍率などで、少なくとも１つの歯のコンプトン散乱Ｘ線視覚化、画像化、または情報提供が可能になる。選択することができる特定のディスプレイ部１５４は、ユーザの好み、使用の容易性、設計の問題などに基づく可能性がある。図２２に示すような実施形態のコンプトン散乱Ｘ線視覚化装置、画像化装置、または情報プロバイダ１００は、例えば、プローブに取り付けることができる。特定の実施形態のコンプトン散乱Ｘ線視覚化装置、画像化装置、または情報プロバイダ１００の同様のユーザ構成を、医者、外科医、獣医、および本開示に記載するような他のユーザによって使用されている器具に適用することができる。視覚化、画像化、または情報提供が、いくつかの異なる角度、位置などから、特定の実施形態のコンプトン散乱Ｘ線視覚化装置、画像化装置、または情報プロバイダ１００によって行うことができるので、少なくともディスプレイ部に表示し、角度、位置などの変化を反映させることが望ましい可能性がある。
【０１６６】
図２２に示すように、ユーザ／歯科医がプローブを移動または再位置決めすると、コンプトン散乱Ｘ線視覚化装置、画像化装置、または情報プロバイダ１００を視覚化、画像化、または情報提供の角度または位置を適切に反映させることが好ましい。視覚化、画像化、または情報提供の角度、陽極の材料、および／または位置の十分な変化で、特定の実施形態のコンプトン散乱Ｘ線視覚化装置、画像化装置、または情報プロバイダ１００は、１つまたは複数の歯の三次元モデルを導き出すおよび／または表示することができる。特定の実施形態のコンプトン散乱Ｘ線視覚化装置、画像化装置、または情報プロバイダ１００はしたがって、個体（患者）の少なくとも一部を治療する場所および／または方法を決定するように、情報または画像を提供することができる。特定の歯科実施形態のコンプトン散乱Ｘ線視覚化装置、画像化装置、または情報プロバイダ１００は、歯科用ドリルに適用することができ、それにより、ユーザに観察可能および／または視認可能にするような、位置および倍率で表示することができる。特定の器具、触覚プロバイダなどに動作可能に取り付けられた、特定の実施形態のコンプトン散乱Ｘ線視覚化装置、画像化装置、または情報プロバイダ１００は、器具、触覚プロバイダなどに直接連結する必要はない（または、取外し可能に連結することができる）。
【０１６７】
特定の画像は、また、同じまたは他のコンプトン散乱Ｘ線視覚化装置、画像化装置、または情報プロバイダ１００を使用して、患者に与えることができる。特定の実施形態のコンプトン散乱Ｘ線視覚化装置、画像化装置、または情報プロバイダ１００は、所望の操作を行う器具に取り付けられた場合、ユーザによって、画像化されている歯が実際に治療すべき歯であるか否かを確実に二重チェックするように働くことができる。例えば、歯科医は歯（correct tooth）が穿孔されているかを確認することができる。医者は、腕（correct arm）、脚、または他の身体部分が治療されていることなどを確認することができる。各特定の分野において普通使用されると普通理解されているような、外科医、助手、獣医、歯科医などのユーザによって使用することができる、非常に様々な器具があることがある。特定の実施形態のコンプトン散乱Ｘ線視覚化装置、画像化装置、または情報プロバイダ１００は、本開示で記載するように、視覚化、画像化、または情報提供での使用によって利益を得ることができる、様々な器具および／または触覚フィードバック装置に適用することができることが考えられる。
【０１６８】
歯の腐食または損傷部分に対して取られる、特定の実施形態のコンプトン散乱Ｘ線視覚化装置、画像化装置、または情報プロバイダ１００を含む、ドリルまたは他の器具の位置は、ほぼリアルタイム、断続的、または必要に応じた形で検出することができる。特定の実施形態のコンプトン散乱Ｘ線視覚化装置、画像化装置、または情報プロバイダ１００は、触覚フィードバックを行うように構成することができ、歯科医の場合、歯科助手であり、歯の安全、特定の歯内の虫歯の程度、個体内の歯列矯正用ブリッジ、キャップ、充填物、義歯、または他の装置の安全を決定するのに有用である。特定の歯科用の深度視覚化、画像化、または情報提供の実施形態のコンプトン散乱Ｘ線視覚化装置、画像化装置、または情報プロバイダ１００を使用することによって、歯科用Ｘ線中の（人によって噛まれる必要がある人の歯の間に位置決めされた）従来のＸ線プレートを歯科患者が使用する必要がなくなり、歯科への訪問がより快適なものになる。
【０１６９】
このような歯科用深度視覚化、画像化、または情報提供は、穿孔またはその他と実質的に並行して行うことができる。このように、歯科医または歯科衛生士などのユーザは、損傷歯または虫歯に対して穿孔または治療する場所についての優れた表示が提供される。特定の実施形態のコンプトン散乱Ｘ線視覚化装置、画像化装置、または情報プロバイダ１００は、診療所、緊急、または自宅検査キットとして構成することができ、これによって人々は、特定の疾病状態が、病気、けが、疼痛または不確かな歯列矯正、歯茎、歯、皮膚、または他の状態などを示すことを確認することができる。ユーザはしたがって、特に望ましい角度からの、歯の状態、または虫歯に関するかなりの詳細が与えられる。
【０１７０】
加えて、特定の実施形態のコンプトン散乱Ｘ線視覚化装置、画像化装置、または情報プロバイダ１００により、歯科用途に有用である可能性がある、歯茎、および口の中または近くの他の物質または部分によって隠された歯茎、または歯の部分の深度視覚化、画像化、または情報提供が可能になる。特定の実施形態のコンプトン散乱Ｘ線視覚化装置、画像化装置、または情報プロバイダ１００は、歯、歯茎、舌、血管またはプール、または他の普通のアスペクトなどに関して、視覚化、画像化、および／または情報提供を行うことができる。特定の歯科実施形態のコンプトン散乱Ｘ線視覚化装置、画像化装置、または情報プロバイダ１００は、頬（cheeks）を通して運用（operate）することができ、このようにして、コンプトン散乱Ｘ線視覚化装置、画像化装置、または情報プロバイダ１００は、個体の口の少なくとも一部の少なくとも部分的に外部に、または少なくとも部分的に内部のいずれかに配置することができる。
【０１７１】
特定の実施形態のコンプトン散乱Ｘ線視覚化装置、画像化装置、または情報プロバイダ１００は、ユーザまたはオペレータの必要に応じて、または別の方法では、コンプトン視覚化、画像化、および／または情報提供コントローラによって制御されるように、特定の深度視覚、画像、および／または提供情報の状態を「フリーズ」させることができる。深度視覚、画像、および／または提供情報のこのようなフリーズは、ディスプレイ部１５４、および／またはコンプトン散乱Ｘ線受信アセンブリ１５１上に表示された、個体の少なくとも一部の画像を維持することを含むことができる。新しい画像を生成するには、個体の少なくとも一部に対して印加されるＸ線１２０を加える必要があるので、印加されるＸ線をこのように加えることを制限することが望ましい可能性がある。このように、特定のユーザは、特定の実施形態のコンプトン散乱Ｘ線視覚化装置、画像化装置、または情報プロバイダによるコンプトン散乱Ｘ線視覚化、画像化、または情報提供中に近くにある個体、ユーザ、および／またはその他の少なくとも一部に対するＸ線の被曝を賢明に制御することができる。
【０１７２】
図２２の特定の歯科用または歯列矯正用実施形態のコンプトン散乱Ｘ線視覚化装置、画像化装置、または情報プロバイダ１００を使用して、歯列矯正用ブリッジを装着している人間の個体の歯に関する、視覚化、画像化、または情報提供を行うこともできる。ワイヤ、バンドなどにより生じる歪みにより、歯列矯正用ブリッジバンド、ワイヤなどによって覆われている歯を正確にＸ線画像化することは、不可能ではなくとも、現時点では難しい。特定の実施形態のコンプトン散乱Ｘ線視覚化装置、画像化装置、または情報プロバイダ１００は、歯の単一の覆われていない面（例えば、かみ合わせ表面）からのコンプトン散乱Ｘ線視覚化、画像化、または情報提供を可能にするように、視覚化、画像化、または情報提供のこのような正確および限られた空間範囲を与えることができる。このように、歯列矯正用ブリッジ、バンドなどによって覆われている特定の歯は、歯列矯正治療中に、様々な制御可能および／または調整可能な角度、位置などから潜在的に、視覚化、画像化、または情報提供を行うことができる。歯、歯表面、充填物などは、その構成、固さ、健康状態などの改善した表示を行うように、様々な角度、位置などから視覚化、画像化、または情報提供を行うことができる。少なくとも部分的にＸ線に基づいて行うことができる歯科治療の量、および信頼性はしたがって、歯列矯正治療中に大きくすることができる。
【０１７３】
本開示は、実質的に外部で利用される装置としての、特定の実施形態のコンプトン散乱Ｘ線視覚化装置、画像化装置、または情報プロバイダ１００を記載しているが、特定の実施形態のコンプトン散乱Ｘ線視覚化装置、画像化装置、または情報プロバイダは、少なくとも部分的内部装置であってもよいことを理解すべきである。このような少なくとも部分的内部装置は、視野装置（scope）および針を使用して、切開部を通し、普通は開いている開口を介して、および／または普通は閉じている開口を介して、個体の少なくとも一部内で適用することができる。特定の実施形態のコンプトン散乱Ｘ線視覚化装置、画像化装置、または情報プロバイダ１００は、したがって、図２３に関して記載するように、内視鏡実施形態のコンプトン散乱Ｘ線視覚化装置、画像化装置、または情報プロバイダ１００などの視野装置と少なくとも部分的に一体化させることができる。このような視野装置鏡ベースの実施形態は、普通は開いている開口、切開部、穿刺などを介して、個体の少なくとも一部の内部に適用することができる。
【０１７４】
図２３に示すような、特定の内視鏡実施形態のコンプトン散乱Ｘ線視覚化装置、画像化装置、または情報プロバイダ１００は、視野装置部１３４または照明部１３２を備えることができ、その操作および構造は普通、視野装置技術分野の当業者に理解される。照明部１３２を使用して、個体に対してどこかで記載したように印加されるＸ線を与えることができ、それにより散乱させることができる。特定の内視鏡実施形態のコンプトン散乱Ｘ線視覚化装置、画像化装置、または情報プロバイダ１００は、それにより、個体から散乱Ｘ線、観察可能および／または可視光、視覚、画像、または提供情報を受けるように構成することができる。
【０１７５】
視野装置鏡実施形態のコンプトン散乱Ｘ線視覚化装置、画像化装置、または情報プロバイダ１００は、様々なコンプトン散乱Ｘ線受信アセンブリ１５１を備えることができる。特定の実施形態のコンプトン散乱Ｘ線受信アセンブリ１５１は、おそらく比較的弱い観察可能および／または可視光出力を増幅させる、本開示で記載したような光電子増倍管を備えた、シンチレータ（および／またはフルオロスコープ）を備えることができる。特定の実施形態のコンプトン散乱Ｘ線受信アセンブリ１５１は、シンチレータ（および／またはフルオロスコープ）と同様の特定の方法で動作することができる、当技術分野で普通に知られているフルオロスコープを備えることができる。特定の実施形態のコンプトン散乱Ｘ線受信アセンブリ１５１は、本開示で図１に関して記載したように、ディスプレイ部と組み合わせて検出器部を備えることができる。特定の実施形態のコンプトン散乱Ｘ線視覚化装置、画像化装置、または情報プロバイダ１００は、様々な器具に少なくとも部分的に適用させることができる、または様々な器具として働くように少なくとも部分的に構成することができる。このような器具としては、これに限らないが、当技術分野で普通に知られているようなＢｏｖｉｅ電気焼灼装置、アブレータ、カッタ、ガンマ・ナイフ、外科用メス、鋸、触覚フィードバック・プロバイダ、接触タイプ・プローブ、歯科用ドリルなどを挙げることができる。
【０１７６】
特定の実施形態のコンプトン散乱Ｘ線視覚化装置、画像化装置、または情報プロバイダ１００は、視野装置、管、カテーテル、または個体の少なくとも一部に挿入されるように構成することができる他の機器または器具に取り付けるように構成することができる。例えば、特定の内視鏡実施形態のコンプトン散乱Ｘ線視覚化装置、画像化装置、または情報プロバイダは、図２３に関して記載するように構成することができる。特定の構成のコンプトン散乱Ｘ線視覚化装置、画像化装置、または情報プロバイダ１００は、外科用移植片を介して内視鏡に対して配置されているエミッタ部を備えることができ、したがって、特定の方法で、他の実施形態のコンプトン散乱Ｘ線視覚化装置、画像化装置、または情報プロバイダと同様であることができるが、エミッタ部は個体の内部に配置されている。
【０１７７】
図２３に関して記載したような、特定の視野装置ベースの実施形態のエミッタ部１５０は、内部管腔Ｘ線源を備えるように、個体の内部に、主として適用することができ、他の実施形態のエミッタ部は、個体の外部に適用することができる。特定の実施形態のエミッタ部１５０は、これに限らないが、従来のまたは従来のではない電源を備えることができる太陽電池を含む、様々な電源（従来のまたは従来のではない）によって電力を供給することができる。例えば、エミッタ部は、例えば、少なくとも１つのエミッタ部１５０、少なくとも１つの検出器部１５２、および／または少なくとも１つのディスプレイ部１５４に電力を供給するように、１つまたは複数の光ファイバによって供給することができる。特定の光学供給実施形態のエミッタ部１５０はまた、Ｘ線ベース電磁放射の放出に関する、自動遮断または他の安全性アスペクトを含むことができる。特定の実施形態のエミッタ部１５０は、より連続した方法で、視覚化、画像化、または情報提供（特定の実施形態のコンプトン散乱Ｘ線受信アセンブリ１５１を使用して）を可能にするように、個体の少なくとも一部内で実施することができる。コンプトン散乱Ｘ線視覚化装置、画像化装置、または情報プロバイダ１００の少なくとも一部のこのような移植片は、心臓、脳、または身体の特定の他の器官または部位などの、身体の部位にアクセスすることが難しいものに対して特に有用である可能性がある。
【０１７８】
特定の実施形態のコンプトン散乱Ｘ線視覚化装置、画像化装置、または情報プロバイダ１００は、少なくとも部分的にＸ線生成のために電子を加速化または案内することによって、Ｘ線生成および／または方向を制御するように構成することができる。このように電子を加速化または案内することにより、Ｘ線経路長さを効果的に短くし、したがって、多数のコンプトン散乱Ｘ線イベントを制限することができる。特定の実施形態の少なくとも１つのエミッタ部１５０および／または少なくとも１つの検出器部１５２は、普通は開いている開口、普通は閉じている開口、または結腸、食道、口、喉、胃、血管、肺、腸などの他の管腔内に、視野装置または他のこのような装置によって配置することによって構成することができる。
【０１７９】
特定の実施形態のコンプトン散乱Ｘ線視覚化装置、画像化装置、または情報プロバイダ１００はまた、頭蓋、脳、または脊椎の深度視覚化、画像化、または情報提供に適用することができる。特定の従来の画像モダリティを使用して、頭蓋骨内で視覚化、画像化、および／または情報提供を行うことは、頭蓋骨の内部（例えば、実質的に凹状の）表面１６８内での特定の電磁放射の偏向、および関連する歪みの結果、難しい可能性がある。特定の実施形態のコンプトン散乱Ｘ線視覚化装置、画像化装置、または情報プロバイダ１００は、耳孔、口孔、および／または膿瘻などの、頭蓋骨内の開口部を介して脳にアクセスするように構成することができる。このような鍵穴開口部を通した脳のこのようなコンプトン散乱Ｘ線視覚化、画像化、または情報提供は、頭蓋骨、骨物質、またはＸ線歪みまたは遮蔽領域などの他の部分を少なくとも部分的に通した、コンプトン散乱Ｘ線視覚化、画像化、または情報提供と比較して、比較的限られた視覚化、画像化、または情報提供の歪みを受けることになる。
【０１８０】
特定の実施形態のコンプトン散乱Ｘ線視覚化装置、画像化装置、または情報プロバイダ１００は、身体の比較的小さな部位に適用され、それによって、比較的少量の全体被曝量のＸ線を加えるように構成することができる。特定の実施形態のコンプトン散乱Ｘ線視覚化、画像化、または情報提供は、特定の従来のフルスケールＸ線、または特定の従来の断層撮影画像化装置とは、異なる角度などから、小さな領域内で制御可能または調節可能に適用することができる。
【０１８１】
例えば、特定のＸ線断層撮影タイプコンプトン散乱Ｘ線視覚化、画像化、または情報提供画像化装置は、様々な角度および／位置から個体の少なくとも一部の少なくとも一部の物質内を比較的浅く、一連のスキャンを走査することによって、視覚、画像、または提供情報を捕捉することができる。このような走査は、それぞれのアレイの（１つまたは複数の）エミッタ部１５０またはコンプトン散乱Ｘ線受信アセンブリ１５１、または別の方法では、移動、走査、角度付け、あるいは再位置決めすることができる、それぞれのエミッタ部および／またはコンプトン散乱Ｘ線受信アセンブリ１５１の１つまたは複数を使用してそれぞれ印加される／受けられる、様々なそれぞれの印加されるＸ線および／または散乱Ｘ線を使用して行うことができる。例えば、特定の配列実施形態のエミッタ部１５０またはコンプトン散乱Ｘ線受信アセンブリ１５１は、画像化されている個体の一部の普通の形状と大雑把に一致するように、または別の方法では、いくつかの他の構成で構成することができる。（１つまたは複数の）相異なるエミッタ部要素１５０が、作動されて印加されるＸ線１２０を提供すると、対応する実施形態のコンプトン散乱Ｘ線受信アセンブリ１５１は、特定の視覚化、画像化、または情報提供の限定に関する、いくつかの未知のものを含む、各エミッタ部要素に対する視覚、画像、または提供情報に対応するデータを収集することができる。異なる方向、位置、エネルギー・レベル、または他の状態において印加されるＸ線１２０を案内する相異なるエミッタ部１５０の数が減少すると、個体の少なくとも一部の少なくとも一部の物質に対する特定の視覚化、画像化、または情報提供制限に関する未知のものの数がそれに応じて減少し、より完全および正確な視覚、画像、または提供情報を、断層撮影技術を使用して得ることができる。
【０１８２】
同様の断層撮影技術または実施形態のコンプトン散乱Ｘ線視覚化装置、画像化装置、または情報プロバイダ１００は、異なる位置、角度、エネルギー・レベルなどで、１つまたは複数のエミッタ部１５０またはコンプトン散乱Ｘ線受信アセンブリ１５１を案内するのに適用することができる。このような技術は、個体の少なくとも一部の周りでの走査円形動作、または他のタイプの平行移動、角度付け、再位置決め、エネルギー・レベルの変更などに追随するように、エミッタ部１５０および／またはコンプトン散乱Ｘ線受信アセンブリ１５１自体の物理的な再位置決めおよび／または角度付けを必要とする可能性がある。別の方法では、印加されるＸ線またはコンプトン散乱Ｘ線の再案内装置は、フィルタ、レンズ、変調器、シールド、コリメータ、内視鏡、または他の屈曲可能、移動可能、または捩り可能な視野装置として使用することができる、または他のエミッタ部は本開示で記載するように、異なる実施形態で使用することができる。
【０１８３】
特定の実施形態のコンプトン散乱Ｘ線視覚化装置、画像化装置、または情報プロバイダ１００は、低エネルギーの印加されるＸ線１２０を使用することによって、頭蓋内の視覚化、画像化、または情報提供および検査に非常に適している可能性がある、比較的低い電力の印加されるＸ線ビーム１２０を提供することができる。印加されるＸ線ビームの電力は、普通、大部分は、深度視覚化、画像化、または情報提供をしない別の領域まで、大量に、貫通するには不十分なレベルで、構成または設定することができる。このようなものは、頭蓋、脳、脳幹、胚、または他のこのような部位などに対する過剰な被曝量のＸ線の透過を制限するための、脳深度視覚化、画像化、または情報提供の場合である。
【０１８４】
特定の実施形態のコンプトン散乱Ｘ線視覚化装置、画像化装置、または情報プロバイダ１００はしたがって、脳、または他の頭蓋内組織内で視覚化、画像化、および／または情報提供を行うように構成することができる。特定の実施形態のコンプトン散乱Ｘ線視覚化装置、画像化装置、または情報プロバイダ１００は、比較的高い分解能で、または別の方法では、他の画像モダリティを比較して、所望のまたは意図したに、より低い分解能で動作することができ、それによって、従来のＭＲＩのものと特定の様相（アスペクト）で同様にすることができる。特定の実施形態の少なくとも１つのエミッタ部１５０はしたがって、単一エネルギーの、平行にされた、または他の複数の源（sources）を使用するように、構成することができる。少なくとも部分的に内部（例えば、体内）実施形態の少なくとも１つのエミッタ部１５０を使用する場合、エミッタ部に関連付けられた単一の検出部だけでなく、多数の体内検出器部１５２を有することによって、Ｘ線捕捉割合を大きくすることも可能である。異なる実施形態のコンプトン散乱Ｘ線視覚化装置、画像化装置、または情報プロバイダ１００では、個体８２、および／またはユーザ（例えば、外科医、歯科医、獣医、助手、研究者など）の少なくとも一部に印加されるような、Ｘ線の被曝量を制限することが望ましい可能性が高い。
【０１８５】
様々な実施形態の少なくとも１つの検出器部１５２は、本開示の様々な場所で記載したように、コンプトン散乱Ｘ線視覚化装置、画像化装置、または情報プロバイダ１００に取り付けることができる。特定の実施形態の少なくとも１つの検出器部１５２は、少なくとも１つのディスプレイ部１５４に機能的に関連付けられていると考えることができる。というのは、少なくとも１つのディスプレイ部は、少なくとも１つの検出器部によって検出されたものの種類（version）（再寸法化された、フィルタリングされた、走査された、算出された、および／または修正された）を表示するように構成することができるからである。
【０１８６】
特定の実施形態のコンプトン散乱Ｘ線視覚化装置、画像化装置、または情報プロバイダ１００の特定の実施形態の少なくとも１つの検出器部１５２および／またはコンプトン散乱Ｘ線受信アセンブリ１５１は、様々な寸法、形状、構成で構成することができ、単一の検出器部、または検出器要素のアレイを備えることができる。例えば、図１８に関して記載するような、相異なる検出器部１５２および１５４を利用するこれらの実施形態のコンプトン散乱Ｘ線受信アセンブリ１５１は、図２０に関して記載したような組み合わせた検出器およびディスプレイ部を利用するこれらのシンチレータ（および／またはフルオロスコープ）実施形態のコンプトン散乱Ｘ線受信アセンブリとは異なる。各検出器部要素および／またはコンプトン散乱Ｘ線受信アセンブリ１５１の寸法は、所望の応用例、用途、および／または、所望のまたは意図するコンプトンＸ線散乱視覚化、画像化、または情報提供分解能などの基準に基づき選択することができる。
【０１８７】
これに限らないが、断層撮影深度視覚、画像、および／または提供情報を含む、様々な深度視覚、画像、および／または提供情報は、個体８２の少なくとも一部の関心の容積上で、少なくとも１つの検出器部１５２で受信さられるＸ線ビームを走査することによって構成することができる。このように、少なくとも１つの検出器部１５２は、コンプトン散乱Ｘ線または他の電磁放射の飛翔時間、スペクトル、および／または空間的分解能で、コンプトン散乱光線を検出すると考えることができる。特定のＸ線エネルギーは、個体８２の少なくとも一部の特定のものから受けられる（例えば、コンプトン散乱された）特定のＸ線のスペクトル特性（例えば、吸収限界または蛍光スペクトル）を検出するように、少なくとも１つの検出器部によって、使用することができる。個体のターゲット部は、個体の少なくとも一部内から生成されるなど、少なくとも部分的に内因性である可能性がある（血液中の鉄分、または腫瘍中のカルシウム分など）。別の方法では、ターゲット部は、個体の少なくとも一部の外で生成されるように、少なくとも部分的に外因性である可能性がある（例えば、関心部位内に移動、結合、あるいは案内される高Ｚ造影剤）。各Ｘ線光子の放出束、エネルギー・レベル、または周波数は、少なくとも１つの検出器部１５２によって検出されるように、特定の深度および／または領域で、特定の構造、器官、材料などを検出するように調整することができる。
【０１８８】
特定の実施形態のコンプトン散乱Ｘ線視覚化装置、画像化装置、または情報プロバイダはしたがって、少なくとも１つのエミッタ部および／または少なくとも１つの検出器部が、ユーザ、および／または視覚化、画像化、または情報提供コントローラ９７によるフィードバックを連続して利用して動作することができる、一連の深度視覚、画像、および／または提供情報を捕捉することができる。このような制御および連続フィードバックを使用して、連続深度視覚、画像、および／または提供情報の、相対位置、角度、拡大、または他の様相（アスペクト）を変更および／または制御することができる。捕捉された初期深度視覚、画像、および／または提供情報は、それにより、少なくとも１つのディスプレイ部１５４、および／またはコンプトン散乱Ｘ線受信アセンブリ１５１を少なくとも部分的に使用して、ユーザに表示することができる。連続深度視覚、画像、および／または提供情報の位置、拡大、角度、および／または他の特性は、ユーザ入力に少なくとも部分的に基づき、前の深度視覚、画像、および／または提供情報の結果から少なくとも部分的に決定することができる。
【０１８９】
連続調節可能な深度視覚、画像、および／または提供情報の捕捉を可能にすることによって、ユーザおよび／または個人（individuals）は、望むように、個人（individuals）８２の少なくとも一部を観察することができる。このように、コンプトン散乱Ｘ線視覚化装置、画像化装置、または情報プロバイダ１００によって行われている深度視覚化、画像化、または情報提供は、調節および／または制御することができる。特定の実施形態のコンプトン散乱Ｘ線視覚化装置、画像化装置、または情報プロバイダ１００で、外科医、歯科医、技術者、助手などのユーザが、所望の検査機構を配置するために、特定の実施形態のコンプトン散乱Ｘ線視覚化装置、画像化装置、または情報プロバイダからいくつかの一次深度視覚、画像、および／または提供情報を得ることができると考える。その結果、深度視覚化、画像化、または情報提供は、ガンの成長に対する走査または検査を行うように、所望の位置、角度などでより密接にまたはより正確に走査または検査するような連続画像内で調節することができる。
【０１９０】
別の方法では、ユーザは、所望の器官、または個体８２の少なくとも一部を突き止めるように、いくつかの実施形態のコンプトン散乱Ｘ線視覚化装置、画像化装置、または情報プロバイダを使用することができる。その結果、特定の実施形態のコンプトン散乱Ｘ線視覚化装置、画像化装置、または情報プロバイダ１００によって行われるような、コンプトン散乱Ｘ線視覚化、画像化、または情報提供は、様々な角度、位置、拡大などで、所望の検査特性のいくつかの様相（アスペクト）をより密接にまたはより正確に検査するように、変化、変更、再位置決め、拡大などすることができる。各少なくとも１つのエミッタ部１５０、少なくとも１つの検出器部１５２、少なくとも１つのディスプレイ部１５４、および／または少なくとも１つの組み合わせた検出器／ディスプレイ部１５５（例えば、シンチレータおよび／またはフルオロスコープ）は、それぞれ、組み立てられおよび／またはそれぞれ形成されることができる。
【０１９１】
本開示を通して様々な位置で記載したような、特定の実施形態のコンプトン散乱Ｘ線視覚化装置、画像化装置、または情報プロバイダ１００は、別の方法では、シンチレータ・ベースおよび／またはフルオロスコープ・ベースであってもよい。特定の実施形態のコンプトン散乱Ｘ線視覚化装置、画像化装置、または情報プロバイダ１００は、ユーザ、および／または視覚化、画像化、または情報提供コントローラ９７に対するフィードバック技術を可能にする。このようなフィードバック技術は、前の捕捉した視覚化、画像化、または情報提供に基づく、結果またはユーザ入力に少なくとも部分的に基づき、連続深度視覚、画像、および／または提供情報のコンプトン散乱Ｘ線視覚化、画像化、または情報提供を変更および／または制御することができる。少なくとも１つの検出器部１５２と組み合わされるなどの、少なくとも１つのディスプレイ部１５４を含む、特定の実施形態の少なくとも１つのコンプトン散乱Ｘ線受信アセンブリ１５１は、したがって、図２０に関して記載するように、シンチレータおよび／またはフルオロスコープとして構成することができる。シンチレータまたはフルオロスコープ実施形態のコンプトン散乱Ｘ線受信アセンブリでは、Ｘ線光子は、本開示に関して記載したように、観察可能および／または可視可能な光子に変換することができる。
【０１９２】
特定の実施形態のシンチレータまたはフルオロスコープは、Ｘ線などの電磁放射を吸収することができる物質を含むように構成することができ、それにより、受信さられたＸ線放射に依存するＸ線の周波数またはエネルギー・レベルの特性の、蛍光を発し、あるいは、観察可能および／または可視可能な光（観察可能および／または可視光子）を、コンプトン散乱Ｘ線または他の画像化機構などによって提供することができる。観察可能および／または可視可能な光の蛍光は、当業者に普通理解されているように、Ｘ線光子内へのまたはそこからの前に吸収したエネルギーを放出するときに、観察することができる。
【０１９３】
特定の実施形態の、コンプトン散乱Ｘ線視覚化装置、画像化装置、または情報プロバイダ１００の少なくとも１つのコンプトン散乱Ｘ線受信アセンブリ１５１はしたがって、特定の実施形態のコンプトン散乱Ｘ線受信アセンブリ１５１に関連付けられた検出器およびディスプレイなしで、散乱Ｘ線を観察可能および／または可視光に直接変換することができる、シンチレータおよび／またはフル・オロスコープを備えるように構成することができる。特定の構成の従来のシンチレータまたはフルオロスコープは、「シンチレータ光システムおよび製造方法」という名称のYun他の特許文献１（全体を本明細書に参照として援用する）に記載されたように、光学検出器、ディスプレイ、コンプトン散乱Ｘ線視覚化、画像化、または情報提供などとして構成することができる。特定の実施形態のシンチレータは、「Ｘ線蛍光画像化システムおよび方法」という名称のKarellas他の特許文献２（全体を本明細書に参照として援用する）に関して記載されたように、医療用深度視覚化、画像化、または情報提供に使用することができる。特定の従来のＣＡＴスキャナは、シンチレータ技術を利用している。
【０１９４】
シンチレータ（および／またはフルオロスコープ）実施形態のコンプトン散乱Ｘ線視覚化装置、画像化装置、または情報プロバイダ１００は、ガン、腫瘍、病巣などの皮膚異常に対して、おそらく浅い深度で、および／または均質な物質に対して（コンプトンまたは蛍光透視技術を使用して）、個体の少なくとも一部をスクリーニングするのに有用である可能性が高い。このように、ユーザは、表面１６８近くで生じる可能性があるこのような異常、および限られている異なる深度でのコンプトン散乱Ｘ線の処理の処理に特に関連するこのような異常の深度視覚化、画像化、または情報提供に関連する画像処理に対してユーザを走査することができる。
【０１９５】
特定のシンチレータ（および／またはフルオロスコープ）実施形態のコンプトン散乱Ｘ線視覚化装置、画像化装置、または情報プロバイダ１００は、その観察可能および／または可視光子出力の特徴によって、本開示内で特徴付けることができる。その観察可能および／または可視可能な光子出力の特徴としては、これに限らないが、例えば、吸収されたＸ線電磁放射の関数としての放出された観察可能および／または可視可能な光子の強度、エネルギー・レベル、および／または周波数、蛍光減衰時間、および／または放出された観察可能および／または可視可能な電磁放射および／または他のこのような要因の波長での光透過性を挙げることができる。シンチレータ（および／またはフルオロスコープ）はしたがって、観察可能および／または可視可能な光電磁放射内にＸ線電磁放射を平行移動させることによって、動作すると考えることができる。このように、少なくとも１つの検出器部１５２によって検出された少なくとも特定のＸ線は、少なくとも１つのはっきりと区別できるディスプレイ部１５４を必要とすることなく、ユーザ（または、個体）によって観察することができる。
【０１９６】
特定の実施形態のシンチレータおよび／またはフルオロスコープの減衰時間が、短ければ短いほど（すなわち、蛍光のフラッシュの持続時間が短ければ短いほど）、検出器部はいわゆる「不感時間（dead time）」または遅延がなく、より多くの時間単位のイオン化イベントを検出することが可能になる。励起された原子は、一部の観察可能および／または可視光子を放出することによって、不感時間によるこの余分なエネルギーの一部をなくすことになる。シンチレータおよび／またはフルオロスコープによって生成される観察可能および／または可視光の量は（したがって、ディスプレイ部によって出力される観察可能および／または可視可能な光出力の強度）は、特定の実施形態では、シンチレータおよび／またはフルオロスコープ内に動作的に含まれる「光電子増倍管」によって増幅することができる。図２０に関して本開示で記載したような、特定の実施形態の、コンプトン散乱Ｘ線視覚化装置、画像化装置、または情報プロバイダ１００のシンチレータおよび／またはフルオロスコープは、組み合わせた検出器部１５２および／またはディスプレイ部１５４を含む、コンプトン散乱Ｘ線受信アセンブリ１５１を備えることができる。このような組み合わせた実施形態のコンプトン散乱Ｘ線受信アセンブリ１５１は、個体の少なくとも一部でコンプトン散乱された、受け取られた光子に少なくとも部分的に基づき、視覚化、画像化、および／または情報提供を行うことができる。
【０１９７】
特定のシンチレータ・ベースおよび／またはフルオロスコープ・ベースの実施形態のコンプトン散乱Ｘ線視覚化装置、画像化装置、または情報プロバイダ１００は、個体の少なくとも一部のリアル・タイムのまたはリアル・タイムに近いコンプトン散乱Ｘ線視覚化、画像化、または情報提供を行うのに有用である可能性がある。加えて、特定のシンチレータベースおよび／またはフルオロスコープ・ベースの実施形態のコンプトン散乱Ｘ線視覚化装置、画像化装置、または情報プロバイダ１００は、ユーザまたはコントローラ・フィードバック、または他のこのような態様（アスペクト）に基づき、調節されて、後続のコンプトン散乱Ｘ線視覚化、画像化、または情報提供を変更するように構成することができる。例えば、視覚化、画像化、または情報提供が行われている領域は、より緊密な検査またはコンプトン散乱Ｘ線視覚化、画像化、または情報提供を行うように、変更、角度付け、拡大、フィルタリングなどをすることができる。特定の「シンチレータ」および／またはフルオロスコープ実施形態のコンプトン散乱Ｘ線視覚化装置、画像化装置、または情報プロバイダ１００は、計算処理的に集中し、一方、他の実施形態は、画像を直接観察することができる。エミッタ部１５０により印加されるＸ線の射出、コンプトン散乱Ｘ線受信アセンブリ１５１による散乱Ｘ線の受信、および／またはコンプトン散乱Ｘ線受信アセンブリ１５１を角度付けすることによって、物質の形状または構成または異常、接合、相違などに関する特定の曖昧さを確定することができる。このような角度付けなどは、ユーザによって視覚的に、または視覚化、画像化、または情報提供コントローラ９７による画像処理技術、を使用して行うことができる。
【０１９８】
特定のシンチレータおよび／またはフルオロスコープの実施形態のコンプトン散乱Ｘ線視覚化装置、画像化装置、または情報プロバイダ１００はしたがって、Ｘ線光子を観察可能および／または可視光子に「変換」することができる、特定の材料から製造し、これを含むことができる。特定の実施形態のシンチレータ、および／またはフルオロスコープは、（各シンチレータ、および／またはフルオロスコープ要素では一般的な）光電子倍増管を利用することなどにより、比較的弱い光子Ｘ線信号を増幅することができる。比較的弱い光子信号を増幅する１つの利点は、患者をはるかに低い被曝量のＸ線に曝しながら、適切な深度視覚、画像、または提供情報を得ることができることである。特定の実施形態の電荷結合素子（ＣＣＤ）は、特定の実施形態の少なくとも１つの検出器部１５２および／またはコンプトン散乱Ｘ線受信アセンブリ１５１に取り付けることができる。このような実施形態のコンプトン散乱Ｘ線受信アセンブリ１５１は、本開示では、「シンチレータ」、「フルオロスコープ」、「フィルム・スクリーン」、または「シンチレーション・カウンタ」と呼ぶことができる。特定の実施形態のシンチレータ、および／またはフルオロスコープはしたがって、直接半導体検出器部として考えることができる。というのは、深度視覚、画像、および／または提供情報を導き出すのに、大筋で計算処理に基づいていなくてもよいからである。特定の実施形態のシンチレータ、および／またはフルオロスコープは、信号増幅またはコンピュータ増幅技術を使用して、生成することができる。
【０１９９】
特定の例示的な実施形態のシンチレータ、および／またはフルオロスコープは、半導体検出器部１５２として構成することができ、これは、Ｘ線光子を半導体内の電子正孔対に変換し、電子正孔対が得られ、それによってＸ線を検出するする、ことに基づくことができる。いわゆるエネルギー分散Ｘ線分光法を使用して、Ｘ線エネルギー・スペクトルを直接決定することも可能であり、このような技術は、小さなＸ線蛍光透視スペクトロメータ内で、追加として、使用することもできる。これらの検出器部は、時に、「固体検出器」と呼ばれる。医療用視覚化、画像化、または情報提供応用例のシンチレータ、および／またはフルオロスコープは、特定の半導体ダイオードは、それによって、Ｘ線ビーム内に配置された場合に少量の電流を生成するという概念によることができる。
【０２００】
半導体製造によって作ることができるような、特定のタイプのシリコン・ドリフト検出器（ＳＤＤ）は、比較的高い分解能のＸ線放射検出測定を行うことができ、したがって、特定の実施形態のコンプトン散乱Ｘ線受信アセンブリ１５１に有用である可能性がある。特定のシンチレータ、および／またはフルオロスコープは、半導体検出器と組み合わされた場合、Ｘ線放射の間接検出を行うことができる。大きな半導体アレイ検出器の出現で、人間の目に対する可視性を与えるのに使用することができるなど、Ｘ線から観察可能および／または可視光に変換し、その後にアレイ検出器で電気信号に変換される、シンチレータ、および／またはフルオロスコープ・スクリーンを使用して、検出器システムを設計することが可能になった。フィルタリング、増幅、サイズ調整などの信号処理および画像処理技術は、コンプトン散乱Ｘ線視覚化、画像化、または情報提供を改善するなど、シンチレータベースおよび／またはフルオロスコープ・ベースの実施形態のコンプトン散乱Ｘ線視覚化装置、画像化装置、または情報プロバイダ１００に適用することができる。
【０２０１】
少なくとも１つのエミッタ部１５０からなる特定の実施形態は、個体８２の少なくとも一部にＸ線ベース電磁放射を行い、それによって少なくとも１つの検出器部１５２ならかる特定の実施形態によって検出することができるなど、分散的にすることができる。このように、コンプトン散乱Ｘ線視覚化装置、画像化装置、または情報プロバイダ１００の特定の部分は、エミッタ部１５０に関連付けられる、またはこれを含むことができ、特定の実施形態のコンプトン散乱Ｘ線視覚化装置、画像化装置、または情報プロバイダ１００は、少なくとも１つの検出器部１５２に関連付けられる、またはこれを含むことができる。
【０２０２】
特定の実施形態のコンプトン散乱Ｘ線視覚化装置、画像化装置、または情報プロバイダ１００は、したがって、個体の少なくとも一部の表面１６８から物理的に離れている、個体の少なくとも一部に関して、視覚化、画像化、および／または情報提供を行うことができる。このような視覚化、画像化、または情報提供は、画像組合せ（例えば、画像減算、飛翔時間、画像変換、デコンボリューション、画像減算、加重減算、関数減算、および逆積分変換、減算逆積分変換、逆関数変換、および減算逆関数変換を含むグループ、またはこのような他の画像処理技術）に、依存することができる。このようなコンプトン散乱Ｘ線視覚化、画像化、または情報提供の品質は、画像化されている物質が、画像化された部分３５２の厚さにわたって（例えば、図１５に示すような厚さ３５２にわたって水平に）より一貫している場合に、より向上させることができる。このように、少なくとも１つの所定の視覚化する、画像化する、または情報を提供する深度の厚さ３５２はより薄くなるにつれて、厚さにわたる一貫性はより均一になり、その深度視覚化、画像化、または情報提供の一貫性は、一般的に大きくなり、視覚化、画像化、または情報提供品質の関連する品質および／または信頼性は、一般的に増大する。
【０２０３】
特定のタイプの個体内で特定の物質（例えば、組織、骨、歯など）を画像化するのに望ましいまたは適切な厚さの選択は、少なくとも部分的に経験による結果による可能性がある。例えば、皮膚、筋肉、または他の組織の走査は、かなりの量の隙間を有する、またはその画像化する厚さにわたって一貫していない、骨部分、小結節、または他の物質の深度視覚化、画像化、または情報提供と比べて、比較的厚いスライスで行うことができる。特定のタイプの物質の視覚化、画像化、または情報提供に少なくとも部分的に関する、適切なデータ、情報、視覚、画像などは、図１に関して記載したように、コンプトン視覚化、画像化、または情報提供コントローラ９７内（例えば、メモリ、データベース、または他の適切な位置に）記憶することができる。あるいは別の方法では、視覚、画像、または提供情報は、ユーザおよび／またはオペレータによってアクセスおよび／または設定することができるような、コンプトン散乱Ｘ線視覚化装置、画像化装置、または情報プロバイダ１００のユーザおよび／またはオペレータに対する記入済み基準として提供することができる。
【０２０４】
図２４および図２５に関して次に記載する、特定の実施形態のコンプトン散乱Ｘ線視覚化装置、画像化装置、または情報プロバイダ１００の様々な外科用応用例が存在する可能性がある。特定の実施形態のコンプトン散乱Ｘ線視覚化装置、画像化装置、または情報プロバイダ１００に対する特に適切な応用例は、印加されるＸ線光子の周波数、エネルギー、または他の特性によることができ、印加されるＸ線光子のエネルギー・レベルおよび周波数は、コンプトン散乱Ｘ線視覚化、画像化、または情報提供に使用することができる。特定の実施形態のコンプトン散乱Ｘ線視覚化装置、画像化装置、または情報プロバイダ１００は、例えば、個体８２の少なくとも一部の皮膚などの表面１６８近くの治療および／または検査に特に適し、またはそのために構成することができ、普通肌（normal skin）が、図２４に示されている。比較として、視覚化、画像化、または情報提供が行われている物質の部分が、個体８２の物質内の表面からかなりの深度距離だけ離れている（図１８および図２０に示すように）場合でさえも、特定の実施形態のコンプトン散乱Ｘ線視覚化装置、画像化装置、または情報プロバイダ１００は、個体の少なくとも一部の治療および／または検査に特に適し、またはそのために構成することができる。これは、特定の個体の（１つまたは複数の）器官、（１つまたは複数の）骨、および／または表面１６８から少なくとも１つの所定の視覚化する、画像化する、または情報を提供する深度にまでの少なくとも１つの視覚化、画像化、または情報提供深度範囲を利用して、表面下に配置することができる他の領域を検査または配置したいと望む治療者に対する場合に、当てはまる可能性がある。
【０２０５】
例えば、特定のコンプトン散乱Ｘ線視覚化装置、画像化装置、または情報プロバイダ１００を利用して、（視覚化、画像化、または情報提供が行われた異常部を切除するのに有用であるなど）腫瘍、組織、輪郭などの一部の物質異常部に関して、視覚化、画像化、または情報提供を行うことができる。特定の実施形態のコンプトン散乱Ｘ線視覚化装置、画像化装置、または情報プロバイダ１００は、腫瘍または異常物質の切除中に、少なくとも１つの所定の視覚化する、画像化する、または情報を提供する深度にまでの少なくとも１つの視覚化する、画像化する、または情報を提供する深度範囲を制御または調節するように構成することができる。これは、（少なくとも１つのエミッタ部１５０の再構成を必要とする可能性がある）印加されるＸ線光子のエネルギー・レベル、周波数、または他の特性を変化させることによって達成することができる。このような切除は、特定の例では、その異なる密度に基づき、特定の実施形態のコンプトン散乱Ｘ線視覚化装置、画像化装置、または情報プロバイダ１００を使用して、腫瘍の組織境界に関して視覚化、画像化、および／または情報提供を外科医が行うことができるようにすることによって、達成することができる。異なる密度は特定の例では、組織に対して内因性である、またはそうでなければ普通の人間の目視観察を使用して観察可能および／または可視ではない、造影剤によって強めることができる。
【０２０６】
特定のコンプトン散乱Ｘ線視覚化装置、画像化装置、または情報プロバイダ１００のこのような使用によりしたがって、外科医は、隣接する健康な物質または組織に対する危害および操作（または、さらに除去）を制限しながら、病巣、腫瘍などを切除することが可能になる。これは、物質への危害、操作、または除去に特に敏感である脳などの器官の深度視覚化、画像化、または情報提供の際に有用である可能性がある。加えて、特定の実施形態のコンプトン散乱Ｘ線視覚化装置、画像化装置、または情報プロバイダ１００は、ユーザ（例えば、外科医または助手）がいくつかの異なる角度で物質の異常を観察することを可能にするように構成することができる。異なる角度などでの観察を可能にすることによって、特定の手術または処置中に、異常部の形状、および神経、血管、または他の敏感なまたは他の領域などの隣接構造に対する近接性をユーザが確認することがより簡単になることがある。特定の手術および／または処置中のこのような触診、接触、または除去または敏感な物質を制限することによって、特定の実施形態のコンプトン散乱Ｘ線視覚化装置、画像化装置、または情報プロバイダ１００は、現時点で可能であるものより先鋭的な手術または処置（他の画像化技術を使用すると患者を傷つける可能性がある）を行うように、構成または設計することができる可能性が高い。
【０２０７】
特定の実施形態のコンプトン散乱Ｘ線視覚化装置、画像化装置、または情報プロバイダ１００は、図２４に関して記載したように、表面１６８（例えば、皮膚）の近くで、個体の少なくとも一部の特定の層の深度に関して、視覚化、画像化、および／または情報提供を行うように構成することができる。これは、図２５に関して記載したような、皮膚内の腫瘍などの異常物質の深度に関して、検査、または視覚化、画像化、および／または情報提供を行うのに使用することができる。特定の従来の画像化技術では、表面１６８からの境界および／または深度は、異なるタイプの物質（異常物質または組織と通常の物質または組織、異なるタイプの細胞など）の間で明らかではないことがある。このような特定の実施形態のコンプトン散乱Ｘ線視覚化装置、画像化装置、または情報プロバイダ１００などのＸ線ベースの技術では、特定のガン、腫瘍などの特定のタイプの異常物質は、ガン、腫瘍などの物質の関連つけられた石灰化（硬化；calcification）の結果として検出することができる。
【０２０８】
例えば、皮膚中の乳ガン小結節としてこのような異常物質の石灰化した異常物質または組織は、非ガン物質と比べて、加えられているＸ線ベース電磁放射のかなりの量を吸収する可能性が高い。このように、特定の実施形態のコンプトン散乱Ｘ線視覚化装置、画像化装置、または情報プロバイダ１００は、普通の物質（例えば、組織）と比べて、異常物質の異常なＸ線および／または光子特性に基づいて、異常物質などの輪郭、深度、領域、量、またはその他を示すように構成することができる。加えて、異常物質はまた、通常の物質とは異なるコントラスト増強性を有する可能性がある。脳腫瘍である例では、血液脳関門の効果を小さくし、それによって、隣接する脳組織とは異なる視覚化する、画像化する、または情報を提供する特性を有するように特定の造影剤を吸収する可能性がある。
【０２０９】
特定の実施形態のコンプトン散乱Ｘ線視覚化装置、画像化装置、または情報プロバイダ１００を使用する特定のユーザは、特定の異常物質などに関して、より容易に検出、または視覚化、画像化、および／または情報提供を行うように使用することができる。このような検出の容易性により、検査、除去、および／または治療の単純化または効果を改善するなど、異常物質の位置、範囲、深度、および／または他のアスペクトのより簡単な配置を可能にすることができる。特定の異常物質の除去は、これに限らないが、手術切断技術、研磨技術、切除技術（レーザ切除など）などを含む、特定の実施形態のコンプトン散乱Ｘ線視覚化装置、画像化装置、または情報プロバイダ、または関連する機器によって実施されたり実施されないこともある、特定の物質除去技術を使用して行うことができる。
【０２１０】
特定の外科医、医者、獣医、歯科医などは、通常の物質または組織内に散在された異常なまたは望ましくない物質（組織内に散在する腫瘍、歯内に散在する虫歯など）などの特定の量の異常の全て（または、少なくとも実施可能なだけ）、または一部のみの場所を突き止めて除去することを望んでいると考えられる。例えば、実施可能な限り多くの物質または組織を残しながら、図２５に関して記載するように（または、他の皮膚異常）完全に黒色腫（すなわち、皮膚ガン）を除去することが望ましいことがある。
【０２１１】
このように、その正確な範囲を決定するように、１回または複数の連続した回数、異常物質（例えば、黒色種、腫瘍などに関連する）に関して、視覚化、画像化、および／または情報提供を行う必要がある可能性がある。初期の視覚化、画像化、または情報提供スキャンは、黒色腫などの特定の物質異常が存在しうる部位を見つけるのに有用であり、その後の視覚化、画像化、および／または情報提供スキャンは、各異常部の深度または範囲を決定するのに有用であるなど、各潜在的な見つけた異常部に適用することができる。加えて、特定の断層撮影タイプまたは容積測定（volumetric）タイプ実施形態のコンプトン散乱Ｘ線視覚化装置、画像化装置、または情報プロバイダ１００を使用して、異常部などを、実用的なまたは望ましい正確さでマッピングしたりまたは決定したりすることができる。特定の皮膚異常としては、近くの通常の物質と比べて異常な、細胞、細胞のコロニー、成長、または他の異なる物質を挙げることができ、異常（例えば、ガン性）物質は、明らかにされた深度に少なくとも部分的に基づくことができる。特定の実施形態のコンプトン散乱Ｘ線視覚化装置、画像化装置、または情報プロバイダ１００は、少なくとも１つの通常の物質内の、異なる物質特性の深度を決定するように構成することができる。
【０２１２】
加えて、脳腫瘍は、特定の実施形態のコンプトン散乱Ｘ線視覚化装置、画像化装置、または情報プロバイダ１００によって視覚化、画像化、または情報提供が行われることに適している可能性があり、これらは、腫瘍を切除することができる、コンプトン散乱Ｘ線視覚化装置、画像化装置、触覚フィードバック・プロバイダ、または情報プロバイダ１００を含む、これらの実施形態の手術器具を含むことができる。このように、腫瘍の切除は、腫瘍に浸されていない隣接する脳組織の限定された部分がその切除に影響を受ける状態で、実施されることができる。低級神経膠腫は、コンプトン散乱Ｘ線視覚化装置、画像化装置、または情報プロバイダ１００が視覚的に区別するのを助ける、腫瘍の一例である。
【０２１３】
腫瘍、ガン性物質、虫歯などの異常または異なる物質のフィーチャが完全に取り除かれない場合、異常部は成長し続ける可能性がある。ガンまたは腫瘍などの異常は、制御不可能にさらに成長する可能性があり、さらに転移する可能性がある。外科医は、特定の従来の画像化装置を使用する視覚検査またはさらに１回の画像化技術から、深度を決定することができないことがある。特定の実施形態のコンプトン散乱Ｘ線視覚化装置、画像化装置、または情報プロバイダ１００を利用する熟練ユーザによって、異常成長を迅速に検査することができ、異常成長部の深度を確実に決定することができる。黒色腫などの異常を示す異なる物質は、時間内に治療および／または除去しない場合、危険な、またはさらには致命的な程度にまで成長する可能性がある。
【０２１４】
黒色腫などの特定の物質異常の深度は、その深刻性に対応することがある。例えば、黒色腫が図２５に記載するように特定の深度３６２まで到達すると、転移してしまった可能性は、かなり大きくなることがある。このように、患者の状態の深刻性に関する重要な情報を、特定の実施形態のコンプトン散乱Ｘ線視覚化装置、画像化装置、または情報プロバイダ１００を使用して相対的におよび正確に得ることができる、様々な医療状態がある。一連の連続した画像を利用することによって、黒色腫などの異常または変態を、その範囲の特定を行うように、様々な角度、倍率、および／または位置から検査することができる。少なくとも特定の黒色腫、乳ガン、他の腫瘍またはガンなどは、異なる物質の異なる密度に基づき、または別の方法では特定の造影剤および／または蛍光透視技術を使用して、隣接する物質に対して（区別して）画像化することができる可能性が高い。
【０２１５】
このように、図２４は、皮膚などの通常の物質の部分断面図の一例を示しており、黒色種などの異なる物質を含む、皮膚などの物質が図２５に示されている。通常の皮膚は例えば、普通は、表皮３７０および真皮３７２を含む層でできている。図２５に示すように、黒色腫３６０などの皮膚異常または腫瘍は、皮膚内で発達する可能性があり、いくつかの定量的システムによって測定することができ、そのシステムの２つは、「Ｂｒｅｓｌｏｗ  Ｄｅｐｔｈ」および「Ｃｌａｒｋ’ｓ  Ｌｅｖｅｌｓ」と呼ばれる。Ｂｒｅｓｌｏｗ  Ｄｅｐｔｈは、図２５の矢印３６２によって示すのと同様に、黒色腫の上下測定をミリメートルで定量化する。比較として、Ｃｌａｒｋ’ｓ  Ｌｅｖｅｌｓは、黒色腫が皮膚内の特定の層内にどれだけ延びたかを説明する。本開示に記載するような、特定の実施形態のコンプトン散乱Ｘ線視覚化装置、画像化装置、または情報プロバイダ１００はしたがって、Ｂｒｅｓｌｏｗ  Ｄｅｐｔｈおよび／またはＣｌａｒｋ’ｓ  Ｌｅｖｅｌｓを使用して、黒色腫の特性を決定するのに使用することができる。特定の実施形態のコンプトン散乱Ｘ線視覚化装置、画像化装置、または情報プロバイダ１００は、黒色腫などの腫瘍などの異常物質に適用することができ、元々例示的なものであり、範囲を制限することを意図したものではない。コンプトン散乱Ｘ線視覚化、画像化、または情報提供に対する適切な物質厚さまたはスライス厚さの決定は、物質異常または他の物質変態（matter abnormalities）または物質不一致（一貫性の欠落）（matter inconsistencies）の有無の可能性に関することがある。
【０２１６】
このように、図２５に関して記載したような特定の実施形態のコンプトン散乱Ｘ線視覚化装置、画像化装置、または情報プロバイダ１００を使用して、いくつかの角度、位置、倍率などで腫瘍またはガンなどの物質異常を観察することによって、その成長の本当の範囲、深度、および状態を決定することができる可能性が高い。個体８２の少なくとも一部のこのような再検査、またはその後のコンプトン散乱Ｘ線視覚化、画像化、または情報提供は、所望の角度、位置などで行うことができる。このような再検査は、適切な倍率、角度、位置などにおけるこれらの関心部位を密接に検査するように、ユーザ、個体、またはコントローラまたはコンピュータ化部分からの入力に少なくとも部分的に基づくまたはそれにより選択することができる。
【０２１７】
特定の実施形態のコンプトン散乱Ｘ線視覚化装置、画像化装置、または情報プロバイダ１００は、Ｘ線技術の利点に依存することができる。Ｘ線技術は、十分に開発、調査、理解、信頼などされているという利点を提供する。Ｘ線技術は、特定の他の視覚化、画像化、または情報提供技術より高くないことがある。特定の態様のコンプトン散乱Ｘ線技術は、従来のＸ線（例えば、透過性）技術ほど開発されてていないが、両方のタイプのＸ線技術を、これに限らないが、医療、検査、手術、地質学、安全、構造、および他の技術を含む、様々な医療または非医療応用例で利用することができる。
【０２１８】
本開示に記載するような、特定の実施形態のコンプトン散乱Ｘ線視覚化装置、画像化装置、または情報プロバイダ１００の場合と同様に、連続した制御可能なコンプトン散乱Ｘ線視覚化、画像化、または情報提供を可能にすることによって、医師、外科医、歯科医などのユーザが、所望の方法で、個体８２の少なくとも一部をインタラクティブに検査することができる。例えば、個体８２の所望の少なくとも一部が、初期において視覚化、画像化、および／または情報提供スキャンによって見つけられた後に、その後のコンプトン散乱Ｘ線視覚化、画像化、または情報提供スキャンはさらに、またはより密接に、見つけた部分を検査することができる。特定の実施形態のコンプトン散乱Ｘ線視覚化装置、画像化装置、または情報プロバイダでは、検査されている身体部分の少なくとも一部を有する個体の少なくとも一部は、個体８２の少なくとも一部の出力／表示が提供された場合に、その後のコンプトン散乱Ｘ線視覚化、画像化、または情報提供を使用して、その状態に関して、インタラクティブに視覚化、画像化、および／または情報提供を行うことができる。このようなその後のコンプトン散乱Ｘ線視覚化、画像化、または情報提供は、個体の少なくとも一部内の様々な物質に関して行うことができる。
【０２１９】
様々なＸ線視覚化、画像化、または情報提供技術、および特にＸ線を利用する技術と同様に、個体および／またはユーザの少なくとも一部に対する、コンプトン散乱Ｘ線視覚化装置、画像化装置、または情報プロバイダ１００によって与えられる特定の電磁放射の被曝量の影響を考慮することが重要である。特定の実施形態のコンプトン散乱Ｘ線視覚化装置、画像化装置、または情報プロバイダ１００は、リアル・タイム・ベースで、様々な分解能で、または個体の大きなまたは小さな部分にわたって、連続して一連の深度視覚、画像、および／または提供情報に関して、視覚化、画像化、および／または情報提供を行うことができる。特定の実施形態のコンプトン散乱Ｘ線視覚化装置、画像化装置、または情報プロバイダ１００を使用した、慎重なコンプトン散乱Ｘ線の視覚化、画像化、または情報提供によって、個体および／またはユーザの少なくとも一部に印加されるような放射線被曝量は、特に多くの従来のＸ線画像モダリティと比べて、かなり制限することができる。
【０２２０】
特定の実施形態のコンプトン散乱Ｘ線視覚化装置、画像化装置、または情報プロバイダ１００は、Ｘ線を、限定された器官、物質などに、通し、そこで散乱され、そこから戻るのを可能にすることによって、画像化を行うように構成されている。比較として、従来の透過性Ｘ線装置は普通、画像化されている個体の少なくとも一部の厚さ全体を通過する。例えば、特定の実施形態のコンプトン散乱Ｘ線視覚化装置、画像化装置、または情報プロバイダ１００は、最初の全般的な領域をコンプトン散乱Ｘ線を視覚化し、画像化し、または情報を提供し、この初期の視覚、画像、または提供情報に依存するように、構成することができる。比較的少ない数の視覚、画像、および／または提供情報（おそらく、小さな領域に局所化された）は、例えば、初期の深度関心によって見つけられた１つまたは複数の関心領域を、かなりの程度考慮するように検査することができる。このようなその後の深度視覚、画像、および／または提供情報は、個体またはユーザの少なくとも一部の被爆を、最初の深度視覚、画像、および／または提供情報の被曝量に制限するように構成することができる。
【０２２１】
特定の実施形態のコンプトン散乱Ｘ線視覚化装置、画像化装置、または情報プロバイダ１００を使用してその後のコンプトン散乱Ｘ線視覚化、画像化、または情報提供を可能にすることによって、個体の少なくとも一部の状態を、はっきりと画像化および／または検査され、個体の少なくとも一部の状態を確定することができる。特定の例では、おそらくあまり大幅でない治療（例えば、放射線治療、化学療法）および／またはあまり多くない画像化、視覚化、および／または検査を、より完全または正確な視覚化、画像化、または情報提供結果に基づき、個体の少なくとも一部に適用する必要がある可能性がある。このような結果は、特定の実施形態のコンプトン散乱Ｘ線視覚化装置、画像化装置、または情報プロバイダ１００（の比較的正確な配置、視覚化、および／または画像化）によって得ることができる。特定の例では、おそらく、その展開は、いったんはっきりと検査されると、関連する配置、切除などの直接的な治療などによってより正確に治療することができる。
【０２２２】
様々なＸ線ベース電磁放射（印加される、戻る／反射されるなど）は、個体の少なくとも一部の視覚化、画像化、または情報提供を行う場合に、コンプトン散乱Ｘ線を視覚化する、画像化する、または情報を提供する目的で利用することができる。本開示に関して記載したような、特定の実施形態のコンプトン散乱Ｘ線視覚化装置、画像化装置、または情報プロバイダ１００では、エミッタ部１５０は、個体の少なくとも一部に印加されるＸ線１２０を、引加することができる。図１８は、個体８２（例えば、断面で示す人間）の少なくとも一部内での、少なくとも１つの所定の実質的散乱深度までの少なくとも１つの実質的散乱深度範囲まで、Ｘ線（光子ベース電磁放射）を加える、コンプトン散乱Ｘ線視覚化装置、画像化装置、または情報プロバイダの代表的な一実施形態を示している。
【０２２３】
特定の実施形態の少なくとも１つのエミッタ部１５０は、したがって、個体に対して少なくも部分的に内部に、または少なくとも部分的に外部に、個体８２の少なくとも一部に対して位置決めすることができる。特定の実施形態の少なくとも１つのエミッタ部は、個体８２の少なくとも一部の物質内に制御可能な深度まで印加されるＸ線１２０を、射出するように構成可能である。その後のコンプトン散乱Ｘ線（印加されるＸ線から散乱された）は、少なくとも１つの検出器部１５２、および／または少なくとも１つのディスプレイ部によって検出することができる。情報に関する視覚化する、画像化する、および／または提供される情報はしたがって、Ｘ線ベース電磁放射のコンプトン散乱Ｘ線に少なくとも部分的に応じて、導き出すことができる。
【０２２４】
特定の実施形態のコンプトン散乱Ｘ線視覚化装置、画像化装置、または情報プロバイダ１００のエミッタ部１５０は、個体８２の少なくとも一部に印加されるおよび／または向けられることができる、印加されるＸ線１２０の少なくとも一部を発生されるように構成することができる。印加されるＸ線１２０の一部は、個体の少なくとも一部内に少なくとも部分的に貫通するように、少なくとも１つのエミッタ部１５０によって加えることができる。個体８２の少なくとも一部の物質内への貫通中などの場合の間に、印加されるＸ線のＸ線ベースの電磁放射は、少なくとも部分的に偏向され、少なくとも部分的にコンプトン散乱し、および／または少なくとも部分的に個体８２の少なくとも一部まで通過させることができる。印加されるＸ線の少なくとも一部のコンプトン散乱Ｘ線（後方散乱、前方散乱、またはその他）は、特定の実施形態の少なくとも１つの検出器部１５２および／または少なくとも１つのコンプトン散乱Ｘ線受信アセンブリ１５１によって検出することができる、コンプトン散乱Ｘ線１２２の少なくとも一部を提供することになる。
【０２２５】
特定の例の、コンプトン散乱Ｘ線に影響を与える可能性がある他の物質としては、例えば、組織、骨、骨の部分、金属などを挙げることができる。特定の実施形態のコンプトン散乱Ｘ線視覚化装置、画像化装置、または情報プロバイダ１００は、普通はコンプトン散乱Ｘ線視覚化、画像化、または情報提供に関連していない、コンプトン散乱Ｘ線視覚化する、画像化する、または情報を提供する物質に対して構成することができる。このようなものは、これに限らないが、他の異常物質と比べて、「通常」または「標準」の不透明物質（組織など）を含む、２つの異なるタイプの物質の間のインターフェース（接合部分）を見つける場合である。
【０２２６】
特定の実施形態のコンプトン散乱Ｘ線視覚化装置、画像化装置、または情報プロバイダ１００は、少なくとも部分的にコンプトン散乱Ｘ線視覚化装置、画像化装置、または情報プロバイダ１００からの情報を、別の源（例えば、ＭＲＩ、従来のＸ線、他のコンプトン散乱ベースシステム、またはその部分、他の実施形態のコンプトン散乱Ｘ線視覚化装置、画像化装置、または情報プロバイダ１００など）からの画像情報と組み合わせることによって、視覚化、画像化、または情報提供を組み合わせるように構成することができる。このような組合せは、例えば、深度、位置、様々な深度視覚化、画像化、または情報提供モダリティなどの形または機能を取ることができ、前に集めた深度視覚化情報を含むこともできる。
【０２２７】
特定のこのような組み合わせた実施形態のコンプトン散乱Ｘ線視覚化装置、画像化装置、または情報プロバイダ１００は、コンプトン散乱Ｘ線視覚化装置、画像化装置、または情報プロバイダ１００の画像化能力が、リアル・タイム視覚化、画像化、または情報提供、およびそれにより、他の画像モダリティからのより詳細な画像化の一体化を生成するために、より限られていることがある場合に有用である可能性がある。個体の組織、器官、または他の部分などの特定の物質の視覚、画像、または提供情報の特定の態様は、特定の実施形態のコンプトン散乱Ｘ線視覚化装置、画像化装置、または情報プロバイダ１００と、他の従来の視覚化、画像化、または情報提供モダリティの間で正確に一致しない可能性があるが、各モダリティは特定の応用例、疾病、けがなどに特に有用であることが予期される。
【０２２８】
特定の実施形態のコンプトン散乱Ｘ線視覚化装置、画像化装置、または情報プロバイダ１００はまた、画像化されている物質、および／または歪みを観察することができるユーザの能力、を考慮して、適切な速度で視覚化、画像化、または情報提供を行うことが可能なように構成することもできる。視覚化、画像化、または情報提供を行うのに特に有用である可能性がある、物質の様々な歪みがある。例えば、特定の外科医は、心拍が、心筋の変形を生じさせる、または大動脈、弁などの心臓の部分を通る血流を変える速度を考慮することに特に興味を示すことがある。比較として、他の外科医は、身体位置（例えば、脚または腕の位置）におけるどのような変化が、連続する深度視覚、画像、または提供情報の間で関連する骨格骨の変化で影響を受けるかなど、患者のいくらかゆっくりな動作を考慮することに興味を示すことがある。特定の歯科医または歯列矯正医は、顎のどのような移動が、患者の歯の噛み合いの変化によって影響を受けるかに興味を示す場合がある。
【０２２９】
図１８に関して記載したように、特定の実施形態のエミッタ部１５０は、所望のまたは制御可能な角度で、少なくとも１つの印加されるＸ線１２０を加えることができる。印加されるＸ線放射の深度視覚化、画像化、または情報提供角度は、個体８２の少なくとも一部の表面１６８に入射するがほぼ平行から、個体８２の少なくとも一部の表面１６８に対してほぼ垂直までの範囲であり、その間の任意の角度とすることができる。印加されるＸ線の特性としては、これに限らないが、適切なおよび／または所望の位置、電力、周波数、エネルギー・レベル、持続時間、および様々な他のこのような特性、を挙げることができる。
【０２３０】
特定の実施形態のコンプトン散乱Ｘ線視覚化装置、画像化装置、または情報プロバイダ１００は、個体の少なくとも一部に少なくとも部分的に挿入されるように操作可能である、少なくとも１つの検出器部１５２、および／または少なくとも１つのディスプレイ部１５４を備えるように構成することができる。このような構成を使用して、個体の少なくとも一部の少なくとも１つの不透明物質内でコンプトン散乱された、少なくとも１つのコンプトン散乱Ｘ線を受けることができる。特定の実施形態の検出器部は、調節可能、位置合わせ可能、走査可能、あるいは変更可能なように構成することができ、内視鏡の使用によって普通に理解されるような、個体の挿入部または普通は開いている開口を通して別の方法では挿入することができる内視鏡などの視野装置（scope）を備えることができる。
【０２３１】
特定の実施形態のコンプトン散乱Ｘ線受信アセンブリ１５１は、本開示に記載するように、組み合わせた検出器部／ディスプレイ部として構成することが好ましく、それによって、視覚化装置、画像化装置、および／または情報プロバイダは、ユーザが個体の少なくとも一部に対してそのバンテージ点などを移動させたときに、適切に変わることができる。深度視覚化、画像化、または情報提供に関連付けられた必要な計算を少なくするまたは制限することが望ましい可能性がある。比較として、個体の少なくとも一部内で比較的深く、深度を視覚化する、画像化する、または情報を提供する関連するこれらの実施形態のコンプトン散乱Ｘ線視覚化装置、画像化装置、または情報プロバイダ１００は、相異なる検出器部およびディスプレイ部を備えることができる。加えて、特定の実施形態のコンプトン散乱Ｘ線視覚化装置、画像化装置、または情報プロバイダ１００は、表面１６８の比較的近くで、少なくとも１つの所定の視覚化する、画像化する、または情報を提供する深度までの少なくとも１つの視覚化する、画像化する、または情報を提供する深度範囲内で適用することができる。このような画像組合せは、画像減算、飛翔時間、画像変換、デコンボリューション、画像減算、加重減算、関数減算、および逆積分変換、減算逆積分変換、逆関数変換、および減算逆関数変換を含むグループ、またはこのような他の画像処理技術を利用することができることに留意されたい。このような相異なる検出部およびディスプレイ部は、特定の画像情報を使用して、画像、視覚化、情報などを、計算処理的に区別するように構成することができる。加えて、飛翔時間実施形態のコンプトン散乱Ｘ線視覚化装置、画像化装置、または情報プロバイダ１００としてのこのような計算的に複雑な視覚化、画像化、または情報提供ディスプレイ（または、高分解能ディスプレイ部）は、関連する画像処理を簡単にすることもできる、相異なる検出器部およびディスプレイ部から利益を得ることができる。これらの設計の選択は、全く、例示的なものであり、範囲を制限することを意図したものではない。
【０２３２】
特定の実施形態の検出器部１５２は、個体８２の少なくとも一部の内部に、個体８２の少なくとも一部に隣接して、または個体８２の少なくとも一部の外部に配置することができる。１つの検出器部１５２、または複数の検出器部のいずれかは、個体８２の少なくとも一部内に、個体８２の少なくとも一部に隣接して、および／または個体８２の少なくとも一部の外部に設けることができる。
【０２３３】
本開示内では、特定の実施形態の少なくとも１つのディスプレイ部１５４は、少なくとも１つの検出器部によって個体８２の少なくとも一部から少なくとも部分的に受信されるなど、Ｘ線ベース電磁放射を表示するように構成することができる。このように、特定の実施形態の少なくとも１つのディスプレイ部１５４は、個体８２の少なくとも一部から少なくとも部分的にコンプトン散乱されことになるＸ線照明を表示するように構成することができる。このようなコンプトン散乱Ｘ線照明は、少なくとも１つの検出器部１５２によって検出することができる、コンプトン散乱Ｘ線ベース電磁放射に基づくことができる。
【０２３４】
特定の実施形態のコンプトン散乱Ｘ線受信アセンブリ１５１は、様々な少なくとも１つのディスプレイ部１５４を備えることができる。特定の実施形態のディスプレイ部１５４は、これに限らないが、（１人に対して表示するように構成される）ブラウン管（ＣＲＴ）ディスプレイ部、液晶ディスプレイ部（ＬＣＤ）、パーソナル・ディスプレイまたは情報プロバイダ部、（２人以上に対して深度視覚、画像、および／または提供情報を表示することができる）ガラス・ベース・ディスプレイ部、グループ・ディスプレイまたは情報プロバイダ部、プラズマ・ディスプレイ部、医療用ディスプレイ部、コンピュータ・ディスプレイ部、携帯情報端末（ＰＤＡ）ディスプレイ部、またはコンプトン散乱Ｘ線１２２に少なくとも部分的に基づいて、個体の少なくとも一部の表示を少なくとも部分的に行うことができるこのような他のディスプレイ、を含む様々な形をとることができる。
【０２３５】
コンプトン散乱Ｘ線受信アセンブリ１５１が相異なる複数の検出器部および複数のディスプレイ部、または複数の組み合わせた検出器部／ディスプレイ部、を備えているかどうかに関する選択は、機能性および／または所望の計算に少なくとも部分的に基づくことができる。例えば、特定のコンプトン散乱Ｘ線視覚化、画像化、または情報提供の応用例は、少なくとも１つの所定の視覚化する、画像化する、または情報を提供する深度までの少なくとも１つの視覚化する、画像化する、または情報を提供する深度範囲への、表面１６８からの情報を深度視覚化する、画像化する、または情報を提供することを含む。
【０２３６】
特定の実施形態のコンプトン散乱Ｘ線受信アセンブリ１５１は、図２６に示すように、外科医の眼鏡、または他の構成として構成することができる。特定の実施形態のコンプトン散乱Ｘ線視覚化装置、画像化装置、または情報プロバイダ１００は、それによって基本的に１人で使用することができる、パーソナル装置として構成することができる。比較として、特定の実施形態のコンプトン散乱Ｘ線視覚化装置、画像化装置、または情報プロバイダ１００は、２人以上の人またはユーザによって使用することができるような、グループ装置として使用することができる。特に、図２６は、本開示で記載するように、パーソナル・ディスプレイ（この例では、外科医の眼鏡、歯科医の眼鏡、獣医の眼鏡など）として構成された一実施形態の少なくとも１つのディスプレイ部１５４を含む、コンプトン散乱Ｘ線視覚化装置、画像化装置、または情報プロバイダ１００の一実施形態を示している。特定の実施形態のコンプトン散乱Ｘ線視覚化装置、画像化装置、または情報プロバイダ１００はしたがって、拡張ビジョン眼鏡（augmented vision glasses）として構成することができる。例えば、特定の実施形態のコンプトン散乱Ｘ線視覚化装置、画像化装置、または情報プロバイダ１００は、眼鏡の少なくとも一部をディスプレイとして構成することができる、外科医が着用するような眼鏡を利用することができ、このようなディスプレイ部はユーザによって見ることができる。特定の実施形態のコンプトン散乱Ｘ線視覚化装置、画像化装置、または情報プロバイダ１００によって行われるような、特定の実施形態の視覚、画像、または提供情報は、ユーザに光学的に位置合わせすることができる。特定の実施形態のコンプトン散乱Ｘ線視覚化装置、画像化装置、または情報プロバイダ１００は、したがって、外科医にリアルタイム２Ｄまたは３Ｄ深度視覚、画像、または情報を配信するのに使用されるＸ線後方散乱装置（X-ray backscatter device）として構成することができる。深度の視覚化または画像は、外部モニタ、頭部取付ディスプレイ、または立体鏡投影により、外科医に提示する示すことができる。外科医は、視覚化、画像、または提供される情報が撮影された、捕捉されたなどした深度（個体８２の、実質的に、視覚化された、画像化された、または情報が提供された部分まで、数ミリ・メートルから）を選択することができ、選択した深度は、Ｘ線ビーム内のＸ線光子の強度、エネルギー・レベル、または周波数を調整することによって目標とされることができる。
【０２３７】
特定の実施形態のコンプトン散乱Ｘ線視覚化装置、画像化装置、または情報プロバイダ１００の構成および／または利用には様々なものがあることができる。例えば、特定の個別化実施形態のコンプトン散乱Ｘ線視覚化装置、画像化装置、または情報プロバイダ１００は、図２６に関して記載したのと同様に、コンプトン散乱Ｘ線視覚化装置、画像化装置、または情報プロバイダに特に関連する少なくとも１人に深度視覚、画像、または情報を示すことができる。特定の個別化実施形態のコンプトン散乱Ｘ線視覚化装置、画像化装置、または情報プロバイダ１００は、パーソナル装置として着用するように構成することができ、それによって、個体８２の少なくとも一部はそれぞれ、眼鏡と同様の方法で、個体８２の少なくとも一部の深度の視覚、画像、または情報を得ることができる。例えば、図２６に関して記載したような実施形態のコンプトン散乱Ｘ線視覚化装置、画像化装置、または情報プロバイダ１００では、エミッタ部１５０は、眼鏡ベース実施形態のコンプトン散乱Ｘ線視覚化装置、画像化装置、または情報プロバイダ１００に近接して（例えば、フレーム上）配置することができ、眼鏡から離れた位置で（例えば、布、衣類、繊維、金属、または他の材料の上）ユーザに取り付けることができる、あるいは、ユーザから離れた位置に配置することができる。
【０２３８】
図２６に関して記載するような、特定の実施形態の、コンプトン散乱Ｘ線視覚化装置、画像化装置、または情報プロバイダ１００の検出器部１５２は、したがって、外科医の眼鏡として説明することができる。「外科医の眼鏡（surgeon's glasses）」という用語は、限定的ではなく例示的なものであることを意図したものである。というのは、これらの装置はユーザが装着することができ、視覚化および／または画像を示し、ユーザまたは他の人に情報を提供することができるからである。特定の外科用眼鏡の実施形態のコンプトン散乱Ｘ線視覚化装置、画像化装置、または情報プロバイダ１００は、光学眼鏡（optical glasses）を含んでいても、全く含んでいなくてもよい。特定の外科用眼鏡は、おそらく、外科医が観察することができる、あるいは光学眼鏡なしでフレームだけとして提供することができるような、追加のディスプレイ部（普通の光学眼鏡として機能することができる）を備えていると理解される。特定の実施形態の外科用眼鏡は、例えば、少なくとも１つの液晶ディスプレイ（ＬＣＤ）、少なくとも１つの発光ダイオード（ＬＥＤ）、またはユーザが観察することができるようにユーザの近くに様々な機構によって固定することができる、一実施形態のコンプトン散乱Ｘ線受信アセンブリ１５１を備えることができる。外科医の眼鏡では、様々なディスプレイ部を、眼鏡の一部を通して外科医などに提供することができ、眼鏡の他の部分は外科医が手術中に見ることを可能にする。
【０２３９】
比較として、いくつかの実施形態のコンプトン散乱Ｘ線視覚化装置、画像化装置、または情報プロバイダ１００は、グループ・ディスプレイまたは情報プロバイダ部として構成することができる、少なくとも１つのディスプレイ部１５４を備えることができる。例えば、図２７は、何人かのユーザによって観察することができるような、本開示に記載されたようなグループ・ディスプレイ１５４を通して個体の（１つまたは複数の）選択部分を何人かのユーザが観察することができる例を示している。例えば、コンプトン散乱Ｘ線視覚化装置、画像化装置、または情報プロバイダ１００は、ＬＣＤディスプレイ部、ＣＲＴディスプレイ部、テレビ・ディスプレイ部、医療用ディスプレイ部、または他の適用可能な実施形態のコンプトン散乱Ｘ線視覚化装置、画像化装置、または情報プロバイダを備えることができる。
【０２４０】
特定の実施形態のエミッタ部１５０によって、個体８２の少なくとも一部に生成および／または加えられた、特定の印加されるＸ線１２０はそれによって、個体８２の少なくとも一部を少なくとも部分的に通過した後に、続いて、コンプトン散乱されおよび／または偏向されることになる。このようなコンプトン散乱および／または偏向は、図１に関して記載したように、少なくとも１つの検出器部１５２によって検出することができる。特定の実施形態のコンプトン散乱Ｘ線視覚化装置、画像化装置、または情報プロバイダ１００は、例えば、個体８２が配置される、手術室または検査室の周りに位置決めされた、かなりの数の検出器部１５２を備えることができる。いくつかのエミッタ部１５０の特定の配置は、主に、設計の選択であると考えられる。
【０２４１】
特定の実施形態のコンプトン散乱Ｘ線視覚化装置、画像化装置、または情報プロバイダ１００は、調節可能、調整可能、および／または制御可能に構成することができる。このような調節可能性、調整可能性、および／または制御可能性を使用して、印加されるＸ線のＸ線光子のエネルギーレベルまたは周波数を調節し、それによって、個体の少なくとも一部の少なくとも一部の物質内へのコンプトン散乱Ｘ線の視覚化する、画像化する、または情報を提供する深度に影響を与えることができる。特定の外部実施形態のコンプトン散乱Ｘ線視覚化装置、画像化装置、または情報プロバイダ１００は、個体の少なくとも一部の物質の表面１６８に接触しない、エミッタ部１５０プローブおよび／または検出器部１５２プローブと非接触に構成することができる。調節可能、調整可能、および／または制御可能な他の実施形態は、エミッタ部１５０プローブおよび／または検出器部１５２プローブの個体の少なくとも一部の物質との接触を可能にする。特定の実施形態のコンプトン散乱Ｘ線視覚化装置、画像化装置、または情報プロバイダ１００は、これに限らないが、密度、および要素的な深度視覚化、画像化、または情報提供モードを含む、深度を視覚化する、画像化する、または情報を提供するいくつかのモダリティ（従来のＸ線画像、コンプトン散乱Ｘ線視覚化、画像化、または情報提供など）を提供することができる。特定の実施形態のコンプトン散乱Ｘ線視覚化装置、画像化装置、または情報プロバイダ１００は、かなりのコントラストを提供するように構成することができ、それによって、深度を視覚化する、画像化する、または情報を提供するなどの際に、ユーザ技術などの変数に、殆ど依存しないとすることができる。
【０２４２】
異なる種類のコンプトン散乱Ｘ線視覚化装置、画像化装置、または情報プロバイダ１００は、１つまたは様々な異なる形式および構成で画像を生成することができる異なる画像化装置によって行われているものと画像情報とを組み合わせるように構成することができる。特定の実施形態のコンプトン散乱Ｘ線視覚化装置、画像化装置、または情報プロバイダ１００は、本開示の特定の位置に関して記載されたように、外部または内部で適用することができる。特定の外部構成のコンプトン散乱Ｘ線視覚化装置、画像化装置、または情報プロバイダ１００は、ＭＲＩ、ＣＡＴスキャン、ＰＥＴスキャンなどの間に一般的に使用されるのと同様に、全身断層撮影画像化エンクロージャ、または一部身体断層撮影画像化エンクロージャのいずれかを利用することができる。比較として、特定の実施形態のコンプトン散乱Ｘ線視覚化装置、画像化装置、または情報プロバイダ１００の特定の実施形態の少なくとも１つのエミッタ部１５１は、個体が配置されている空間の周りに位置決めすることができる。このような構成は、画像化されている個体の少なくとも一部に向かった印加されるＸ線１２０のアプリケーションを改良するように構成することができる。特定の実施形態のコンプトン散乱Ｘ線視覚化装置、画像化装置、または情報プロバイダを使用して、少なくとも１つのエミッタ部１５０および／または少なくとも１つのコンプトン散乱Ｘ線受信アセンブリ１５１の構成および構造に少なくとも部分的に基づき、ＣＡＴグレードまたはＰＥＴグレード断層撮影スキャンを得ることができる。
【０２４３】
特定の実施形態のコンプトン散乱Ｘ線視覚化装置、画像化装置、または情報プロバイダ１００は、図２８に関して記載するように、深度を視覚化する、画像化する、または情報を提供することに柔軟性を提供し、画像化されている個体の少なくとも一部に適合するように構成することができる。特定の実施形態のコンプトン散乱Ｘ線視覚化装置、画像化装置、または情報プロバイダ１００は、視覚化構成部品と個体の少なくとも一部の間の相対変位を制限するように使用することができるように、可撓性固定部材（おそらく、さらにベルト、Ｖｅｌｃｒｏ、ストラップ、またはいくつかの他の知られているファスナを使用して、個体に取り付けられている）に取り付けることができる。例えば、特定の実施形態のコンプトン散乱Ｘ線視覚化装置、画像化装置、または情報プロバイダ１００は、図２８に関して記載するように、患者の少なくとも一部を囲むように、少なくとも部分的に、結合、装着、または取り付けることができる繊維または関節スリーブとして構成することができる。特定の実施形態のコンプトン散乱Ｘ線視覚化装置、画像化装置、または情報プロバイダは、各個体に対して相異なるように作ることができる、またはいくつかの個体によって使用することができる衣類、繊維、または他の材料に埋め込む、または取り付けることができる。このような可撓性取付部材は、心臓、脳、または他の器官、組織、またはその他の物質などの、個体の特定の部分または器官に関して、監視または検査、あるいは視覚化、画像化、または情報提供を行うのに特に望ましい可能性がある。
【０２４４】
例えば、コンプトン散乱Ｘ線視覚化装置、画像化装置、または情報プロバイダ１００の少なくとも一部は、個体の少なくとも一部に対して維持または固定することができる、固定要素に取り付けることができる。特定の実施形態のコンプトン散乱Ｘ線視覚化装置、画像化装置、または情報プロバイダ１００は、胴などの個体のより広範囲な部分、または腕、脚、指などの個体のより小さい部分に柔軟に取り付けることができる。特定の実施形態のコンプトン散乱Ｘ線視覚化装置、画像化装置、または情報プロバイダ１００は、少なくとも部分的に個体に取り付けられた、および／またはこれを囲むスリーブまたは他の可撓性部分を少なくとも部分的に備えることができる。例えば、特定の実施形態のコンプトン散乱Ｘ線視覚化装置、画像化装置、または情報プロバイダ１００は、個体の少なくとも一部に対する少なくとも１つのコンプトン散乱Ｘ線受信アセンブリ１５１の少なくとも１つの部分の間の相対移動を制限するように構成することができる。個体の少なくとも一部に対する、少なくとも１つのエミッタ部１５０および／または少なくとも１つのコンプトン散乱Ｘ線受信アセンブリ１５１の間の相対移動を制限することによって、明確性、およびおそらく優れた分解能などの、深度視覚化、画像化、または情報提供のいくつかの様相（アスペクト）を改善することができる。
【０２４５】
特定の実施形態のコンプトン散乱Ｘ線視覚化装置、画像化装置、または情報プロバイダ１００は、個体の少なくとも一部の外側のＸ線の透過を制限するシールドとして働くように構成することができる。特定の実施形態のコンプトン散乱Ｘ線視覚化装置、画像化装置、または情報プロバイダ１００（特に、図２８に関して記載したような可撓性構成のもの）は、ユーザおよび／または個体をＸ線から保護するようにＸ線遮蔽材料を含むように構成することができる。本開示に記載するようなコンプトン散乱Ｘ線視覚化装置、画像化装置、または情報プロバイダ１００は、余分な浮遊Ｘ線が医者、獣医などのユーザに向かって通過するのを制限することができるように、Ｘ線遮蔽材料を含むことができることを考慮する。このようなユーザは、めったに画像化されない個体に比べて、何人かの個体患者などの深度の視覚化、画像化、または情報提供の後に、より高い合計被曝量のＸ線に曝される可能性がある。特定の実施形態のコンプトン散乱Ｘ線視覚化装置、画像化装置、または情報プロバイダ１００はまた、Ｘ線の少なくとも一部が、個体の少なくとも一部まで通過しないように保護することができる。特定の例では、このような遮蔽は、どのエミッタ部１５０および／または検出器部１５２が利用されているかによって、１つまたは複数の位置で個体の少なくとも特定の部分を遮蔽するなど、除去可能、交換可能、および／またはシフト可能である。
【０２４６】
特定の実施形態の少なくとも１つのエミッタ部１５０および／または少なくとも１つの検出器部１５２は、したがって、ユーザ、個体、または別の人によって位置決めおよび／または使用することができなど、図２９に関して記載されたように、手持ち式位置装置として構成することができる。特定の実施形態のコンプトン散乱Ｘ線視覚化装置、画像化装置、または情報プロバイダ１００の少なくとも一部は、ユーザが、装置を有用な（および／または非妨害）ユーザ選択可能なバンテージ点から個体に対して位置決めすることが可能になるように、コンピュータ・マウス（例えば、寸法および／または位置において）と同様に構成することができると考えられる。特定の手持ち式装置は、ディスプレイ、眼鏡、プラズマ、または特定の実施形態のコンプトン散乱Ｘ線受信アセンブリ１５１の少なくとも様々な部分に表示することができるように、データを他の検出器またはディスプレイ装置に送信することができる。
【０２４７】
特定の持ち運び可能または再位置決め可能な実施形態のコンプトン散乱Ｘ線視覚化装置、画像化装置、または情報プロバイダ１００の少なくとも一部は、データ転送、画像転送などを行うように、他のコントローラ、および／またはそれに関連するコンピュータ部分に対して無線および／または有線ベース通信を利用することができる。別の方法では、特定の実施形態のコンプトン散乱Ｘ線視覚化装置、画像化装置、または情報プロバイダ１００は、そこから直接視覚化、画像化、および／または情報提供を行うように、ディスプレイおよび／またはシミュレータを備えることができる。特定のユーザ選択可能および位置決め可能なコンプトン散乱Ｘ線視覚化装置、画像化装置、または情報プロバイダ１００は、個体の少なくとも一部の物質に対して、いくつかの固定または係止構造によって定位置に固定することができる。このような固定またはファスナ（締め具）技術は、個体の少なくとも一部に対するコンプトン散乱Ｘ線視覚化装置、画像化装置、または情報プロバイダ１００の過剰な移動を制限すること、および／またはコンプトン散乱Ｘ線視覚化装置、画像化装置、または情報プロバイダの深度の視覚化する、画像化する、または情報を提供する、能力または品質を改善することに使用することができる。このように、エミッタ部は必要に応じて位置決めおよび配置することができる。特定の実施形態のエミッタ部１５０は、コンプトン散乱Ｘ線視覚化装置、画像化装置、または情報プロバイダ１００のコンプトン散乱Ｘ線視覚化、画像化、または情報提供能力を改善するためにエミッタ部の変位を制限することができるように、エミッタ部１５０を定位置に保持することができるマウントを備えることができる。手持ち式のおよび／または位置決め可能な装置を設けることによって、特定のユーザは、そのユーザの残りが所望の観察または他の位置および／または配置に留まることなく、所望の位置で所望の深度の視覚化または画像を得ることができる。
【０２４８】
特定の手持ち式および位置決め可能な実施形態のコンプトン散乱Ｘ線視覚化装置、画像化装置、または情報プロバイダ１００では、比較的迅速なフィードバック速度が、コンプトン散乱Ｘ線視覚化、画像化、または情報提供では特に望ましい可能性がある。特定の手持ち式の、位置決め可能な、または移動可能な装置はまた、ユーザ、個体、機械（例えば、ロボット）、または他の人によって制御または調節することができるように、個体の様々な位置および／または角度でコンプトン散乱Ｘ線視覚化、画像化、または情報提供を行う際に有用であることがある。
【０２４９】
エミッタ部１５０および／または検出器部１５２はしたがって、遠隔装置として、または手持ち式装置のような移動可能な装置（おそらく、図２９に関して記載したような、コンピュータ・マウス、またはデジタル・カメラと類似する寸法または形状の）として構成することができる。このような移動可能な、フレーム固定された、固定可能な、または他の実施形態のコンプトン散乱Ｘ線視覚化装置、画像化装置、または情報プロバイダ１００は、したがって、所望のまたは調節可能および位置決め可能な位置から、印加されるＸ線を与え、および／または散乱Ｘ線を受けることができる。例えば、医者は特定の実施形態のエミッタ部を個体８２の少なくとも一部に隣接して位置決めすることができ、個体の少なくとも一部の特定の表面下の領域は、個体８２の少なくとも一部に隣接してＸ線ベース電磁放射によって照明され、またはこれを受信することができる。視覚化、画像化、または情報提供のこのような調節または位置決めは、懐中電灯のユーザが閃光を特定の位置に当てて、任意選択で閃光が向けられた特定の領域を照らすのと同様の方法で行うことができる。同様に、医師は、少なくとも１つの検出器部１５２を視覚化、画像化、または情報提供が行われている個体の（１つまたは複数の）部分に密接して位置決めすることができる。比較として、特定の実施形態のエミッタ部は、個体８２の少なくとも一部の大きな領域（または、少なくとも関心領域）にＸ線を普通は加えることができる、相対分散Ｘ線源（relatively disperse X-ray source）を利用するように構成することができる。異なる実施形態のコンプトン散乱Ｘ線視覚化装置、画像化装置、または情報プロバイダ１００（すなわち、外科医の位置決めおよび／または空間充填実施形態の少なくとも１つのエミッタ部１５０の領域など）は、別個にまたは組み合わせて使用することができ、元々例示的なものであり、範囲を制限することを意図したものではない。
【０２５０】
特定の実施形態のコンプトン散乱Ｘ線受信アセンブリ１５１、および／またはディスプレイは、図３０に関して記載するように、個体の少なくとも一部に対して密接に位置決めすることができる。例えば、前腕内の骨についてコンプトン散乱Ｘ線視覚化、画像化、または情報提供を行っている、少なくとも１つのコンプトン散乱Ｘ線受信アセンブリ１５１は、前腕に隣接して、おそらく、ユーザによって観察することができる位置および／またはそのユーザに位置決めすることができる。特定の実施形態のコンプトン散乱Ｘ線視覚化装置、画像化装置、または情報プロバイダ１００は、視覚化、画像化、または情報提供が行われる部分を見つけるのを助けるための少なくとも１つの基準１０５２を利用することができる。図３１に関して記載したような実施形態のコンプトン散乱Ｘ線受信アセンブリ１５１は、骨格系、器官、特定の内部血管などの個体の比較的深い部分対してに深度視覚化、画像化、または情報提供を行うように構成することができる。個体の物質内深くで働く、このような実施形態のコンプトン散乱Ｘ線視覚化装置、画像化装置、または情報プロバイダ１００はまた、個体内深くに通過することができる、十分なエネルギー・レベルを有する少なくとも一部のＸ線光子を含む、印加されるＸ線を印加することができる。このような深い深度の視覚化する、画像化する、または情報を提供することは、例えば、図１８および図１９に関して記載したような、画像処理技術を利用する可能性が高い。
【０２５１】
図３０および図３１に関して記載したような、特定の実施形態のコンプトン散乱Ｘ線視覚化装置、画像化装置、または情報プロバイダ１００は、枠組み３０１０を備えることができ、少なくともコンプトン散乱Ｘ線受信アセンブリ１５１（これらの図には図示せず）を含むように構成することができる。特定の実施形態の枠組みは、ユーザによって位置決めする、または固定装置（剛性フレーム、アーム、可撓性ベルト、ストラップ、またはその他）によって固定されるように使用することができる。
【０２５２】
図１に関して記載したような、特定の実施形態のコンプトン散乱Ｘ線視覚化装置、画像化装置、または情報プロバイダ１００の全体は、したがって、装置の全ての部分を組み合わせたユニットに一体化するように、グラフィカル・ユーザ・インターフェース（ＧＵＩ）、ディスプレイ、およびコントローラ技術で知られているような同様の技術を利用して、単一の一体型部材として構成することができる。比較として、特定の実施形態のコンプトン散乱Ｘ線視覚化装置、画像化装置、または情報プロバイダ１００は、相異なるユニットとして構成することができ、その特定のものだけが、必要に応じて、または実施可能な場合に、相異なる枠組み３０１０を備えることができる。これに限らないが、ユーザが、コンプトン散乱Ｘ線視覚化装置、画像化装置、または情報プロバイダ１００の少なくとも特定の部分に対して確保する点（特定のものは調節および制御することができる）を保持または提供することを可能にすることを含む、枠組みには様々な潜在的な利点がある。
【０２５３】
特定の従来の透過性Ｘ線は、人の部分をある範囲にわたって三次元物質を二次元画像に画像化することができる。特定の実施形態のコンプトン散乱Ｘ線視覚化装置、画像化装置、または情報プロバイダ１００は、個体の二次元スライスを画像化（例えば、骨を通した画像化）することによって、整形外科、膝、骨、関節、器官、およびその個体の他の構造的様相（アスペクト）用の、個体に関連する視覚化、画像化、または情報提供を行う際に特に有用であることがある。
【０２５４】
特定の実施形態のコンプトン散乱Ｘ線視覚化装置、画像化装置、または情報プロバイダ１００は、断層撮影法に少なくとも部分的に基づいて動作するように構成することができる。断層撮影法は、少なくとも部分的に、少なくとも１つの物質特徴分布関数（material characterizing distribution function）を得ることに基づくことができる。本開示内では、物質特徴分布関数は、物質の密度に多少対応する、電子密度の測定として考えることができる。このように、個体の少なくとも一部の少なくとも一部の物質の様々な視覚化、画像化、または情報提供は、物質特徴分布関数に少なくとも基づいている。ＣＡＴスキャン、ＰＥＴスキャンなどの従来の断層撮影法は、少なくともいくつかのタイプの分布関数を得ることに依存することができる。物質の外殻（outer shell：外側の電子核）のこれらの電子はしたがって、物質特徴分布関数に計量可能性（quantifiably）に主に対応する方法で、分子に対して緩く保持される。比較として、物質の内殻のこれらの電子はしたがって、分子によりしっかり保持され、それによって、より小さな程度の物質特徴分布関数に対応する。
【０２５５】
特定の実施形態のコンプトン散乱Ｘ線受信アセンブリ１５１は、物質の特定の特性（例えば、密度、質量、構造、構成部品など）に関していくつかの不確定性が存在する態様で、いくつかのコンプトン散乱Ｘ線を受けることができる。例えば、特定の角度および／または位置から散乱Ｘ線を受ける、特定のコンプトン散乱Ｘ線受信アセンブリ１５１は、物質特徴分布関数に対応する、その角度および／または位置に対応する多くの散乱Ｘ線を受けることができる。例えば、物質特徴分布関数を考慮すると、個体の少なくとも一部の少なくとも一部の物質内の、所与の角度および／または位置に対応するいくつかの異なる深度からの散乱Ｘ線を区別する方法がない場合もある。従来の断層撮影法は、物質特徴分布関数を、同様に、利用することができる。
【０２５６】
特定の実施形態のコンプトン散乱Ｘ線視覚化装置、画像化装置、または情報プロバイダ１００は、いくつかの位置、角度などから得られたいくつかの物質特徴分布関数に基づき、視覚、画像、または提供情報を捕捉することができる。例えば、特定の実施形態のコンプトン散乱Ｘ線視覚化装置、画像化装置、または情報プロバイダ１００は、例えば図５に関して、また本開示を通して他の位置で記載したのと同様に、前方に散乱される個体のかなりの部分を実質的に通して印加されるＸ線を加える場合に得られる、物質特徴分布関数を利用することができる。特定の実施形態のコンプトン散乱Ｘ線視覚化装置、画像化装置、または情報プロバイダ１００は、例えば図４に関して、また本開示を通して他の位置で記載したのと同様に、後方に散乱される、前方に散乱される、あるいはコンプトン散乱することができる、個体のかなりの部分を実質的に通す印加されるＸ線を加える場合に得られる、物質特徴分布関数を利用することができる。
【０２５７】
特定の実施形態のコンプトン散乱Ｘ線視覚化装置、画像化装置、または情報プロバイダ１００は、断層撮影／容積測定（volumetric）の考察に少なくとも部分的に基づいて、異なる散乱位置および／または角度からの散乱Ｘ線を区別することができる。特定の実施形態のコンプトン散乱Ｘ線視覚化装置、画像化装置、または情報プロバイダ１００は、断層撮影検討材料に少なくとも部分的に基づいて、異なるエネルギー・レベルの散乱Ｘ線を区別することができる。
【０２５８】
スリーブまたは他のこのような機構を使用して、個体の少なくとも一部に固定された、実施形態のコンプトン散乱Ｘ線視覚化装置、画像化装置、または情報プロバイダ１００は、特定のＭＲＩ画像、ＣＡＴスキャン、断層撮影画像化装置、および／または患者がほぼ静止したままでいることを予期される他の従来の画像化装置と比較して、画像化が行われる（被る）個体によって好まれる可能性が高いだろう。加えて、特定の従来の断層撮影画像化技術は、比較的長い持続時間、閉所恐怖症を引き起こしそうな管内の個体の位置決めが必要である。
【０２５９】
特定のタイプの断層撮影画像化装置（従来の、および特定の実施形態のコンプトン散乱Ｘ線視覚化装置、画像化装置、または情報プロバイダ１００として含まれるもの両方）は、かなりコンピュータ・ソフトウェアおよびプロセッサを集中的に使用する傾向があることになる。コンピュータ・ソフトウェア、ハードウェア、またはファームウェアによる作業の多くは、表示される視覚、画像、または提供情報の様相（アスペクト）の再位置決め、フォーカス、ズーム、角度付け、リフレッシュ、および他の制御および調節に関連する。特定の実施形態のコンプトン散乱Ｘ線視覚化装置、画像化装置、または情報プロバイダ１００の特定の深度を視覚化する、画像化する、または情報を提供する構成部品は、個体の部分に対して索引付けする（index）ことができる。このような索引付け（indexing）は、関心領域（例えば、ガン結節）が位置決めされた場合に、その配置を、特定の実施形態のコンプトン散乱Ｘ線視覚化装置、画像化装置、または情報プロバイダ１００内のスリーブ上の経度または緯度マーキングなどによって、コンプトン散乱Ｘ線視覚化装置、画像化装置、または情報プロバイダ１００に対して決定することができるように、行うことができる。特定の例のこのような視覚化、画像化、または情報提供は、リアル・タイム（または、リアル・タイムに近い）ベースで行うことができる。
【０２６０】
本開示のかなりの部分は、ガンなどの様々な異常を突きとめ、分析する、および／または治療するための画像化を行う、コンプトン散乱Ｘ線視覚化装置、画像化装置、または情報プロバイダを、利用することを記載している。また、いくつかの実施形態のコンプトン散乱Ｘ線視覚化装置、画像化装置、または情報プロバイダ１００を、様々な手術、医療検査、医療診断、法医学、死体解剖、および他のこのような応用例に適用することができることが考えられる。特定の実施形態のコンプトン散乱Ｘ線視覚化装置、画像化装置、または情報プロバイダ１００は、血液に関して視覚化、画像化、および／または情報提供を行うことができる、この血は、鉄を有し、かなり後方拡散させるので、この技術を使用して高いコントラストを提供するように構成することができる。
【０２６１】
このように、特定の実施形態のコンプトン散乱Ｘ線視覚化装置、画像化装置、または情報プロバイダは、脳のコンプトン散乱Ｘ線視覚化、画像化、または情報提供、および／または手術、心臓のコンプトン散乱Ｘ線視覚化、画像化、または情報提供、および／または手術、肺のコンプトン散乱Ｘ線視覚化、画像化、または情報提供、および／または手術などに特に適当である可能性がある。特定の実施形態のコンプトン散乱Ｘ線視覚化装置、画像化装置、または情報プロバイダ１００は、胸部腫瘍に対するコンプトン散乱Ｘ線視覚化、画像化、または情報提供または検査用の、物質の部分のカルシウム濃度、および甲状腺コンプトン散乱Ｘ線視覚化、画像化、または情報提供または検査に対するヨウ素などの、異なる物質の異常を検査するように構成することができる。加えて、特定の造影剤を使用して、例えば血管中のヨウ素に対する、コンプトン散乱Ｘ線視覚化、画像化、または情報提供でのコントラストを改善することができる。
【０２６２】
特定の実施形態のコンプトン散乱Ｘ線視覚化装置、画像化装置、または情報プロバイダ１００は、比較的弱い電力を与えたＸ線ベースエミッタ部１５０を備えることができ、それによってそこから発生するＸ線の多くは、個体の少なくとも一部を通して透過することができない。このような比較的弱い電力を与えたＸ線エミッタ部１５０は望ましい。というのは、ユーザなどの、個体の少なくとも一部、およびその個体の近くのその他の部分に印加される被曝量を制限するからである。
【０２６３】
特定の実施形態のコンプトン散乱Ｘ線視覚化装置、画像化装置、または情報プロバイダ１００によって利用することができる、いくつかのコンプトン散乱Ｘ線視覚化、画像化、または情報提供技術があり、それぞれ、個体および／または他の人の少なくとも一部に印加されるＸ線の被曝量全体を制限することを考えるべきである。特定の実施形態のコンプトン散乱Ｘ線視覚化装置、画像化装置、または情報プロバイダ１００は、時間的／位置的・反映ベース（temporal/positional reflective basis）で動作するように構成することができる。このことは、コンテクストによって、コンプトン散乱Ｘ線視覚化、画像化、または情報提供を受ける、個体８２の部分の現在の位置を正確に示すのに十分な速度での、コンプトン散乱Ｘ線視覚化、画像化、または情報提供として（少なくとも１つの視覚、画像、または提供情報の意図した目的を考慮して）考えることができる。
【０２６４】
リアルタイム深度視覚化、画像化、または情報提供、およびリアルタイムに近い深度視覚化、画像化、または情報提供は、時間的／位置的深度視覚化、画像化、または情報提供の一実施形態として考えることができる。このように、特定の実施形態のコンプトン散乱Ｘ線視覚化装置、画像化装置、または情報プロバイダ１００による時間的／位置的視覚化、画像化、または情報提供は、個体８２の少なくとも一部の状態を正確に反映するような、持続時間内でのコンプトン散乱Ｘ線視覚化する、画像化する、または情報を提供することの更新を含むことができる。特定の実施形態のコンプトン散乱Ｘ線視覚化装置、画像化装置、または情報プロバイダを使用した、特定のタイプの時間的／位置的・視覚化、画像化、または情報提供を使用することによって、特定のユーザは、手動でまたは器具を使用して、個体の少なくとも一部内に部位、器官などを見つけることが可能になる。本開示に記載したような器具の例としては、これに限らないが、内視鏡取付部、触覚フィードバック・プロバイダ、枠組みへの取付部などを挙げることができる。
【０２６５】
このように、特定の実施形態のコンプトン散乱Ｘ線情報は、実質的に時間的／位置的・反映ベース（temporal/positional reflective basis）で、ユーザおよび／または個体によって利用または操作をすることができる。操作の時に、コンプトン散乱Ｘ線視覚化、画像化、または情報提供、および／または視覚化、画像化、または情報提供更新を、実質的に時間的／位置的・反映ベースで行うことができる。別の方法では、特定のコンプトン散乱Ｘ線視覚化、画像化、または情報提供、および／または視覚化、画像化、または情報提供更新は、連続して数回、または特定の実施形態のコンプトン散乱Ｘ線視覚化装置、画像化装置、または情報プロバイダ１００を使用して１回だけまたは複数回で行うことができる。
【０２６６】
特定の実施形態の皮下コンプトン散乱Ｘ線視覚化装置、画像化装置、または情報プロバイダ１００による、時間的深度視覚化、画像化、または情報提供のいくつかの限定ではないが例示的な応用例を次に記載する。一応用例の特定の実施形態のコンプトン散乱Ｘ線視覚化装置、画像化装置、または情報プロバイダ１００による時間的深度視覚化、画像化、または情報提供は、機能する脳の深度視覚化、画像化、または情報提供または関数断層撮影法を含むことができ、脳活動の特定の部位を血流の増加と共に反映させることができる。このタイプの深度視覚化、画像化、または情報提供は、血流の変化を観察または検出することによって、所与の認知動作または感覚刺激に関連する領域を検出するように、脳手術中に使用することができる。別の応用例の、特定の実施形態のコンプトン散乱Ｘ線視覚化装置、画像化装置、または情報プロバイダ１００による時間的深度視覚化、画像化、または情報提供は、血管手術を含む。血管手術が動脈瘤を切り取る、または血管移植片を作り出すためであるかどうかに関わらず、個体の脳、心臓、肝臓、または他の器官、組織、または部位内の血流の変化を検出するのに、皮下コンプトン散乱Ｘ線視覚化装置、画像化装置、または情報プロバイダ１００を使用することができる。
【０２６７】
特定の実施形態の皮下コンプトン散乱Ｘ線視覚化装置、画像化装置、または情報プロバイダ１００のさらに別の深度視覚化、画像化、または情報提供応用例は、整形外科機器の移植を含むことができる。外科医などのユーザは、適切に設置されているかどうかを確かめるために、設置中に移植片を画像化、検査、および／または利用することができる。このように、ユーザは、位置決めされていない移植片が、取付または固定中に、適切にまたは誤った位置に配置されているかを確かめることができる。歯科医は同様に、歯科作業に関する画像を画像化、検査、および／または利用することができる。このような設置ベース（installation-based）のコンプトン散乱Ｘ線視覚化、画像化、または情報提供の例は、脊柱構成物（spinal construct）および／またはプレート内で使用される椎弓根ねじ（pedicle screw ）を設置することを含むことができる。特定の実施形態の皮下コンプトン散乱Ｘ線視覚化装置、画像化装置、または情報プロバイダ１００は、ねじが裂けて脊柱管内に行っていないかを確かめるのに使用することができる、または別の方法では、血管、神経根、または別の敏感な部位に当たると終了することができる。特定の実施形態の皮下コンプトン散乱Ｘ線視覚化装置、画像化装置、または情報プロバイダ１００はしたがって、移植片定置経過（implant placement progression）を監視するのを助けることができる。
【０２６８】
特定の実施形態のコンプトン散乱Ｘ線視覚化装置、画像化装置、または情報プロバイダ１００は、異なる状態、性別、年齢（例えば、人間の大人、子供、または胎児）などの様々な人間などの、異なる個体に適用することができる。加えて、特定の実施形態のコンプトン散乱Ｘ線視覚化装置、画像化装置、または情報プロバイダ１００は、これに限らないが、少なくとも１つの動物（図３２および図３３に関して記載するような家庭、野生、家畜）、少なくとも１つの有機的組織体（organism）（医療、科学、臨床または他の目的で視覚化、画像化、または情報提供を行うことができるような、自然または合成）、少なくとも１つの植物などを含む、少なくとも１つの他の非人間個体８２に適用することができる。ペット、野生動物、または家畜などの動物のコンプトン散乱Ｘ線視覚化、画像化、または情報提供を行うことによって、例えば、特定の実施形態のコンプトン散乱Ｘ線視覚化装置、画像化装置、または情報プロバイダ１００は、ユーザの動物への密着、または限られた接触の必要なく、それに関する有用な情報を得ることができる。しばしば動物に接触しなければならないこのようなユーザとしては、これに限らないが、獣医、野生生物管理者、動物園の飼育係、野生または家庭動物に関連する他の人などが挙げられる。このような密着は、特定のコンプトン散乱Ｘ線視覚化、画像化、または情報提供実施形態による使用中にも可能である。加えて、このようなコンプトン散乱Ｘ線視覚化、画像化、または情報提供は、動物、または比較的多数の動物の走査を深度視覚化、画像化、または情報提供に必ずしも気付くことなく、比較的容易にするように、比較的日常的に、または明らかでない方法で行うことができる。特定の動物のこのような深度視覚化、画像化、または情報提供は、特定の実施形態のコンプトン散乱Ｘ線視覚化装置、画像化装置、または情報プロバイダ１００を使用して容易に達成することができるように、普通ではないことが起こっていることに動物が気が付くことを少なくする方法で行うことが好ましいことがある。
【０２６９】
図１に関して、また本開示の他の位置で記載したように、上記構成または実施形態のコンプトン散乱Ｘ線視覚化装置、画像化装置、または情報プロバイダ１００は、森の中など、屋外で分散されたり、または運用されたりすることができる。このような構成により、野生動物（おそらく、遠隔制御によって制御および／または調節された）、家畜、魚などのコンプトン散乱Ｘ線視覚化、画像化、または情報提供を可能にすることができる。このような実施形態のコンプトン散乱Ｘ線視覚化装置、画像化装置、または情報プロバイダ１００は、野生生物、鯨、イルカなどの疾病、けがなどを検出する際に有用である。
【０２７０】
特定の実施形態のコンプトン散乱Ｘ線視覚化装置、画像化装置、または情報プロバイダ１００は、例えば、図３２および図３３に関して記載するように、ペット、家畜、野生動物、水生生物、魚などの動物に適用することができる。動物は従来の画像化または他の医療プロセスを理解しないので、特定の従来の画像化環境においては、扱うことが難しい、または動揺または混乱する可能性がある。このように、特定の従来の画像化装置を使用して、動物の部分を画像化してその状態を決定することは極めて難しい可能性がある。特定の実施形態のコンプトン散乱Ｘ線視覚化装置、画像化装置、または情報プロバイダ１００は、動物が進行中のコンプトン散乱Ｘ線視覚化、画像化、または情報提供に気が付かないような方法で、適用することができる。獣医は、非協力的な、不確かな、または危険な動物から安全距離を保ちながら、前に得ることができなかったかなりのコンプトン散乱Ｘ線視覚化、画像化、または情報提供情報を得るために、特定の実施形態のコンプトン散乱Ｘ線視覚化装置、画像化装置、または情報プロバイダ１００を利用することができる。
【０２７１】
特定の実施形態のコンプトン散乱Ｘ線視覚化装置、画像化装置、または情報プロバイダ１００は、図３３に関して記載したように、囲いまたはさらに野原にいる可能性がある、家畜に適用することができる。このような家畜の実施形態のコンプトン散乱Ｘ線視覚化装置、画像化装置、または情報プロバイダは、特定の疾病、状態、病気など（例えば、狂牛病）に対して走査することが可能である。コンプトン散乱Ｘ線視覚化装置、画像化装置、または情報プロバイダ１００の特定のユーザは、相対速度、限られた費用、信頼性、および効果によって特徴付けることができる。
【０２７２】
このように、特定の実施形態のコンプトン散乱Ｘ線視覚化装置、画像化装置、または情報プロバイダ１００は、少なくとも１つの所定の視覚化、画像化、または情報提供深度までの少なくとも１つの視覚化、画像化、または情報提供深度範囲まで、個体の少なくとも一部の表面１６８から幅広い個体の視覚化、画像化、および／または情報提供を行うことができる。本明細書に記載するように、この表面は個体に対して内部および／または外部である可能性がある。利用されている特定のコンプトン散乱Ｘ線視覚化、画像化、または情報提供モダリティは、個体の少なくとも一部の物質、部位、構造、および他の特性、および個体の少なくとも一部の状態などに基づき、構成すべきである。
【０２７３】
相異なる物質のコンプトン散乱Ｘ線視覚化、画像化、または情報提供は比較的、相異なる物質の異なるＸ線ベースの特性、異なる物質の結合位置などに少なくとも部分的に基づくことができる。１つのＸ線特性は、異なるタイプの物質間のＸ線吸収差に少なくとも部分的に基づくことができる。骨、骨断片などは、透過性Ｘ線に曝された場合、普通は、例えばより柔らかい人間の物質（皮膚、組織、筋肉、血液、体液など）より多くのＸ線ベース電磁放射（例えば、Ｘ線光子）を吸収することが理解される。特定の実施形態のコンプトン散乱Ｘ線視覚化装置、画像化装置、または情報プロバイダ１００によって利用されるようなＸ線コンプトン散乱Ｘ線でさえも、骨または骨断片は、より密度が高く、組織などの他の物質より特定の周波数／エネルギーレベルのＸ線を多く吸収することが予期される。このように、特定の物質は、より多くの割合のＸ線を吸収する、骨または骨断片より多くの割合の印加されるＸ線を散乱させる。
【０２７４】
同様に、組織、筋肉、骨、脂肪などの各タイプの物質は、コンプトン散乱Ｘ線技術を使用して、および／または特定の実施形態のコンプトン散乱Ｘ線視覚化装置、画像化装置、または情報プロバイダを使用した特定の造影剤または蛍光透視を使用して、直接画像化することができる相異なるＸ線特性を有するはずである。別のＸ線特性は、異なるタイプの物質のコンプトン散乱Ｘ線または反射率の差に少なくとも部分的に基づく可能性がある。さらに別のＸ線特性は、異なるタイプの物質間で、光子戻りと比較した光子透過の比率に少なくとも部分的に基づくことができる。
【０２７５】
特定の実施形態のコンプトン散乱Ｘ線視覚化装置、画像化装置、または情報プロバイダ１００は、本開示に記載するように、少なくとも１つのエミッタ部１５０によって提供することができるように、コンプトン散乱Ｘ線視覚化、画像化、または情報提供中に、単一の印加されるＸ線ビーム１２０を利用することができる。比較として、特定の実施形態のコンプトン散乱Ｘ線視覚化装置、画像化装置、または情報プロバイダは、本開示に記載するように、少なくとも１つのエミッタ部１５０によって提供することができるような、コンプトン散乱Ｘ線視覚化、画像化、または情報提供中に、互いに少なくとも部分的に交差することができる、多数の印加されるＸ線ビーム１２０を利用することができる。特定の実施形態のコンプトン散乱Ｘ線視覚化装置、画像化装置、または情報プロバイダ１００では、多数の印加されるＸ線ビーム１２０の交差は、特定の深度などの、視覚化、画像化、または情報提供を行うことが望ましいことがある位置で行うことができる。
【０２７６】
特定の実施形態のコンプトン散乱Ｘ線視覚化装置、画像化装置、または情報プロバイダ１００では、多数の印加されるＸ線ビームの交差位置は、図１に関して本開示で記載したように、特定の実施形態の表面下コンプトン散乱Ｘ線視覚化、画像化、または情報提供コントローラ９７のユーザによって制御することができるような所望の位置に、制御可能に移動させることができる。別の方法では、交点のこのような移動は、ディスプレイの当業者に普通知られているように、ラスタ・スキャンと同様に、スキャンに影響を与える可能性がある。特定の実施形態のコンプトン散乱Ｘ線視覚化装置、画像化装置、または情報プロバイダ１００はしたがって、コンプトン散乱Ｘ線視覚化、画像化、または情報提供技術によって、様々な異なる深度視覚、画像、および／または提供情報を提供するように構成することができる。例えば、コンプトン散乱Ｘ線視覚化、画像化、または情報提供によって、特定の個体は、従来のＸ線、蛍光透視法、ＭＲＩ、ＣＡＴスキャン、または他のコンプトン散乱Ｘ線視覚化、画像化、または情報提供モダリティによる画像化と同様に見える（しかし、おそらく異なる分解能または特性を有する）方法で、視覚化、画像化、または情報提供を行うことができる。
【０２７７】
特定の実施形態のコンプトン散乱Ｘ線視覚化装置、画像化装置、または情報プロバイダ１００の一態様は、比較的小さな深度視覚、画像、および／または提供情報を、捕捉する、表示する、分析する、また必要に応じて、画像がより大きな領域に対して視覚化されるまで、処理または現像に関連する持続時間だけ待つ必要なく、再捕捉することができることである。特定の状況では、視覚化、画像化、および／または情報提供は、処理または現像を待つ必要なく、および患者を移動または再位置決めする必要なく行うことができる。特定の従来の画像化技術中に、個体の少なくとも一部が、画質を維持するために従来の画像化プロセス中に実質的に静止しなければならない。加えて、特定の従来の画像化技術は、捕捉、現像、処理、表示などにかなりの時間がかかる。比較として、特定の実施形態のコンプトン散乱Ｘ線視覚化装置、画像化装置、または情報プロバイダは、特定の局所化したまたは浅い深度視覚、画像、および／または提供情報を比較的迅速に捕捉および／または表示することができる。このように、外科医、獣医、歯科医、または他のユーザなどのユーザは、その視覚化、画像化、および／または情報提供を迅速に検査し、および／または所望するフィーチャ、位置などを示す、追加のその後の深度の視覚化、画像、および／または提供される情報を取得することができる。
【０２７８】
特定の実施形態のコンプトン散乱Ｘ線視覚化装置、画像化装置、または情報プロバイダ１００は、ＣＴスキャン、ＰＥＴスキャン、またはＭＲＩなどと同様に、取り囲んでいるエンクロージャまたは経路内でほぼ静止して個体の少なくとも一部を維持する必要はない。特定の実施形態のコンプトン散乱Ｘ線視覚化装置、画像化装置、または情報プロバイダ１００は、ユーザ、外科医などによってコンプトン散乱Ｘ線視覚化、画像化、または情報提供技術の変更を必要とする可能性があるが、他の従来の画像化技術と比べて、コンプトン散乱Ｘ線視覚化、画像化、または情報提供能力または分解能を減少させない可能性が高い。
【０２７９】
特定の実施形態のコンプトン散乱Ｘ線視覚化装置、画像化装置、または情報プロバイダ１００は、個体８２の少なくとも一部に関連する少なくとも一部の物質として構成することができる。例えば、人間の部分の物質としては、肉体、筋肉、脂肪、骨、歯、血液、流体、または他のこのような物質の少なくとも一部、または組合せを挙げることができる。このように、特定の実施形態のコンプトン散乱Ｘ線視覚化装置、画像化装置、または情報プロバイダ１００は、物質全体だけではなく、異なるタイプの物質および異なるタイプの物質の間の結合に関して、視覚化、画像化、および／または情報提供を行うことができる。このような物質のコンプトン散乱Ｘ線視覚化、画像化、または情報提供は、本開示内に記載したような範囲の分解能で行うことができ、コンプトン散乱Ｘ線視覚化、画像化、または情報提供を改善するような、追加の医薬品、構成部品などに少なくとも部分的に依存することができる。
【０２８０】
特定の実施形態のコンプトン散乱Ｘ線視覚化装置、画像化装置、または情報プロバイダ１００は、一般的に普通の物質の部位に位置する可能性がある腫瘍またはガンなどの、特定のタイプの相異なる物質を検出する多くの機会を医師に可能にする。特定のコンプトン散乱Ｘ線視覚化、画像化、または情報提供モダリティは、特定の視覚化装置、画像化装置、または情報提供プロバイダと比べて、特定のタイプのガンを検出するのがより上手くいくことがある。したがって、少なくとも１つのまたはかなりの数およびタイプのガン、腫瘍、および／または本開示に記載したような他の物質異常を検出することができるコンプトン散乱Ｘ線視覚化、画像化、または情報提供モダリティを提供することが有用であることがある。例えば、特定のコンプトン散乱Ｘ線視覚化、画像化、または情報提供モダリティは、特定のガンまたは他の物質異常を検出することができないが、他のコンプトン散乱Ｘ線視覚化、画像化、または情報提供モダリティ（おそらく、特定の実施形態のコンプトン散乱Ｘ線視覚化装置、画像化装置、または情報プロバイダ１００を含む）は、ガンまたは他の物質異常を検出することができる。
【０２８１】
特定の実施形態のコンプトン散乱Ｘ線視覚化装置、画像化装置、または情報プロバイダ１００は、これに限らないが、乳ガン、皮膚ガン、結腸ガン、膀胱ガン、前立腺ガンなどの、様々なガンまたは腫瘍の少なくとも１つを検出するように構成するまたは設計することができる。このようなガン細胞または腫瘍は、特定の従来の画像化装置が、画像化することができない、または十分に画像化するには費用がかかる可能性がある位置の物質内に位置する可能性がある。特定の乳ガンおよび特定の黒色腫などの特定のガンは、カルシウム結節（calcium nodules）によって特徴付けることができ、これは、様々な従来の画像化技術および／または装置を使用して検出することが難しい可能性がある。
【０２８２】
特定の実施形態のコンプトン散乱Ｘ線視覚化装置、画像化装置、または情報プロバイダ１００は、様々なガンおよび／または腫瘍に関して、視覚化、画像化、および／または情報提供を行うのに十分適している。特定の腫瘍またはガンは、特定のコンプトン散乱Ｘ線視覚化装置、画像化装置、または情報プロバイダ１００による、深度視覚化、画像化、または情報提供を可能にする血管形成（angiogenesis）を示すこと可能性がある。ガンまたは腫瘍近くの患者個体の血管は、腫瘍またはガンが外側に膨張および成長する傾向があるので、腫瘍またはガンへの血流の増加を可能にするように成長する可能性がある。ガン細胞または腫瘍細胞は、血管形成につながる可能性がある、制御した方法での分割の能力を失うことがある。腫瘍は、様々な成長因子、例えば血管内皮成長因子（ＶＥＧＦ）を分泌することによって、血管成長（血管形成）を誘発する可能性がある。このような成長因子は、腫瘍内の毛細血管成長を誘発し、これは、一部の研究者が疑っているが、必要栄養分を供給し、それによって腫瘍の膨張が可能になる。他の臨床医学者は、血管形成は、本当は、廃棄物経路として働き、ガン細胞を急速に分裂させることによって出される生体最終生成物を取り除くと考えている。いずれかの場合であっても、血管形成は、ガン細胞が、小さな無害なクラスタの細胞から大きな腫瘍の寸法まで移行および成長するのに必要なステップである。血管形成はまた、腫瘍の拡散、すなわち転移に必要である。視覚化する、画像化する、または情報を提供する深度は、検査されている領域を局所化するように、制御または調節することができる。
【０２８３】
特定のタイプのガンは、転移に基づいて、異なる部位、領域、器官などまで増殖する可能性がある。例えば、単一のガン細胞が、確立された固体腫瘍から離れ、血管に入り、離れた部位まで運ばれ、ここで移植され、二次腫瘍の成長が開始する場合に、転移は起こる可能性がある。証拠は、現在、所与の固体腫瘍内の血管は、間違いなく、内皮細胞および腫瘍細胞からなる、モザイク血管である可能性を示唆している。このモザイクにより、脈管構造への腫瘍細胞の実質的な流出が可能になる。このような転移のその後の成長にはまた、栄養および酸素の供給、またはその後の血管形成によって与えられるような廃棄物処理経路が必要である。腫瘍はしたがって、普通は、急速に分裂および成長するガン細胞の集団からなる。突然変異は、多くのガン細胞の集団内で急速に起きることがある。ガン細胞のこのような突然変異によりしばしば、ガン細胞の少なくとも一部が薬物耐性を作り上げることを可能にする。
【０２８４】
特定のガン細胞を含む腫瘍は、（普通は、内部ガン細胞に与えることができる酸素および他の基本的な栄養の欠如の結果）特定の寸法を超えて成長することはできないが、腫瘍内深くの内部でガン細胞が生存することは可能である。特定の腫瘍またはガンはしたがって、壊死を示す可能性があり、ここでは、腫瘍またはガンの寸法が大きくなるにつれて、腫瘍内深くに存在し、それによって腫瘍またはガンの外側境界部から離れた位置にある最初のガン細胞が、健康な細胞によって与えられることができるような栄養が不足する結果、飢えて死ぬことがある。この細胞は、健康な細胞と接触せず、栄養または酸素の供給もないので、このような飢餓または死は起こる可能性がある。このように、特定の壊死ガン細胞は、活性ガン細胞、および健康な細胞とは異なる光子およびＸ線特性を示す傾向があることがある。特定の実施形態のコンプトン散乱Ｘ線視覚化装置、画像化装置、または情報プロバイダ１００はしたがって、このような壊死ガン細胞を検出するのに利用することができる。腫瘍および／またはガンのこのような深度視覚化、画像化、または情報提供は、特定の実施形態のコンプトン散乱Ｘ線視覚化装置、画像化装置、または情報プロバイダ１００の使用の例示的な一実施形態を提供するだけである。
【０２８５】
加えて、特定の実施形態のコンプトン散乱Ｘ線視覚化装置、画像化装置、または情報プロバイダ１００は、時間的／位置的・反映ベースで視覚化、画像化、および／または情報提供を行うことができ、閉所恐怖症を引き起こすような囲い込み内に個体を位置決めすることなく、または例えば従来のＭＲＩ、従来のＰＥＴスキャン、および特定の他の従来の画像に関連する高スケール電磁放射を加えることなく、行うことができる。
【０２８６】
特定の実施形態のコンプトン散乱Ｘ線視覚化装置、画像化装置、または情報プロバイダ１００は、従来のＸ線画像化とは異なる、深度視覚化、画像化、または情報提供モダリティおよび／または技術を提供することができる。例えば、従来のＸ線画像化は、人の骨と皮膚の間の密度の差などの、視覚化、画像化、または情報提供を行った対象の部分の物質の密度または原子番号に少なくとも基づいた差に関して、視覚化、画像化、および／または情報提供を行うことができる。比較として、特定の実施形態のコンプトン散乱Ｘ線視覚化装置、画像化装置、または情報プロバイダ１００は、組織などの物質の密度、および追加のコンプトン散乱Ｘ線視覚化、画像化、または情報提供モダリティの提供に少なくとも部分的に基づき、視覚化、画像化、および／または情報提供を行うことができる。特定の実施形態のコンプトン散乱Ｘ線視覚化装置、画像化装置、または情報プロバイダ１００は、約１００ミクロン、または技術の改良と共にそれより小さい分解能まで、視覚化、画像化、および／または情報提供を行うことが期待されることができる。
【０２８７】
特定の実施形態のコンプトン散乱Ｘ線視覚化装置、画像化装置、または情報プロバイダ１００は、例えばヨウ素などの造影剤を使用するように構成することができる。特定の実施形態のコンプトン散乱Ｘ線視覚化装置、画像化装置、または情報プロバイダ１００は、少なくとも部分的に制限深度部位内に造影剤を加えるように構成することができる。また、特定の実施形態の蛍光物質（物質に受け取られると、特定のＸ線の印加で、その物質が蛍光することが可能にする）、および他の電磁反応材料は、コンプトン散乱Ｘ線視覚化、画像化、または情報提供を改善するように、物質に対する造影剤と同様の方法で利用することができる。
【０２８８】
特定の実施形態のコンプトン散乱Ｘ線視覚化装置、画像化装置、または情報プロバイダは、血液（例えば、ヘモグロビンの要素）などの特定の流体および／または流体位置に関して、視覚化、画像化、および／または情報提供を行うように構成することができる。動脈、静脈、血液プール部位、身体部、器官、毛細血管、部位などの特定の血液位置は、血液中の鉄分または他の材料に少なくとも部分的に基づき、優れたＸ線コントラストを提供することができる。したがって、血液中の鉄分は、いくらかの検出可能な量だけ通過するＸ線についての偏向、吸収、反射、またはコンプトン散乱Ｘ線を引き起こすことができる。従来の技術を使用して、多くの外科医などは、接触または損傷することなく、周りを手術しなければならない多くの血管の正確な位置に関してかなり、はっきりとした確認がなかった。血管を避ける際の外科医などのこのような努力は、危険なだけでなく、費用および労力がかかり、単調である。特定の実施形態のコンプトン散乱Ｘ線視覚化装置、画像化装置、または情報プロバイダ１００は、多くの場合、外科医などが、より安全に、迅速に、効果的に、および効率的に手術することを可能にするために、血管、および他の体液導管などを検出することができる。
【０２８９】
特定の実施形態のコンプトン散乱Ｘ線視覚化装置、画像化装置、または情報プロバイダ１００はしたがって、特定のガンまたは腫瘍が存在することがあるような、カルシウム濃度を観察するように構成することができる。特定の実施形態のコンプトン散乱Ｘ線視覚化装置、画像化装置、または情報プロバイダ１００は、存在する可能性があるようなヨウ素、および甲状腺によって与えられるような脳の部分の様々な濃度に関して、視覚化、画像化、および／または情報提供を行うように構成することができる。特定の実施形態は、個体の少なくとも一部に、血管内またはその他に加えることができる、コンプトン散乱Ｘ線を視覚化する、画像化する、または情報を提供する薬剤と組み合わせて使用することができる。
【０２９０】
流れるまたは中に含まれるかなりの血流を有する組織などの特定の器官または物質は、器官または物質内に存在する血液に、少なくとも部分的に基づいて、視覚化、画像化、または情報提供を行うことができる。血液に起因して、視覚化される、画像化される、または情報が提供されることができる、このような器官または物質の例としては、これに限らないが、脳（あらゆる所与の時に人間の身体内の血流の約２０パーセントを占める）、心臓、肝臓、肺、虫垂、腸、および特定の筋肉を挙げることができる。心臓はしたがって、心臓に関連して存在する血液に特に十分基づいて、視覚化される、画像化される、または提供される情報を有することができる器官の例である。心臓は、身体全体を通して血液を循環させるように働き、大動脈、心室、および心臓の他の室および部位を通るこのような血流は、（特定の例では、実質的にリアルタイム・ベースで）視覚化され、画像化され、または提供される情報を有することができる。加えて、心臓は、視覚化、画像化、または情報提供を個別に行うことができる、動脈、静脈、および毛細血管を含んでいる。
【０２９１】
特定の実施形態のコンプトン散乱Ｘ線視覚化装置、画像化装置、または情報プロバイダ１００を使用して画像化することができる、様々な心臓の態様および／または状態がある。例えば、心臓弁、冠動脈、血管、および心臓内の他の物質および／または流体と同様に心筋を画像化することができる。弁、大動脈などを通る特定の血流は、弁を通る血液の逆流（およびその流れ）、および弁狭窄（血液が漏れた弁を通して流れる場合）を示すように、画像化することができる。特定の実施形態のコンプトン散乱Ｘ線視覚化装置、画像化装置、または情報プロバイダ１００は、心筋梗塞（心臓発作）の増大したリスクに対して複数の人をスクリーニング（選別する）するために、心筋の部分に関して視覚化、画像化、および／または情報提供を行うことができる。特定の実施形態のコンプトン散乱Ｘ線視覚化装置、画像化装置、または情報プロバイダ１００は、視野装置（scope）などを利用することによって、外部および／またはＢｌｕｅｔｏｏｔｈ画像を利用することができる。これらは、心臓に対して所望のように位置決めすることができる。特定の実施形態のコンプトン散乱Ｘ線視覚化装置、画像化装置、または情報プロバイダはしたがって、心臓内の所望の位置まで、血管、管腔などの後に視野装置または他の技術により延ばすことができる。特定の実施形態の表面下コンプトン散乱Ｘ線視覚化装置、画像化装置、または情報プロバイダ１００は、開いた心臓を縫い合わせるのに、または閉塞手術または処置に利用することができる。
【０２９２】
特定の実施形態のコンプトン散乱Ｘ線視覚化装置、画像化装置、または情報プロバイダ１００は、肝臓、脳などの他の器官の少なくとも部分を画像化することができる。肺および肝臓は、特定の実施形態のコンプトン散乱Ｘ線視覚化装置、画像化装置、または情報プロバイダを使用してその状態を検出することができる、内部小結節を備えている。このように、特定の器官および物質は、物質の密度または原子番号に少なくとも部分的に基づいて、特定の実施形態のコンプトン散乱Ｘ線視覚化装置、画像化装置、または情報プロバイダ１００によって視覚化、画像化、または情報提供を行うことができる。例えば、骨、脊椎部、軟骨、腱、靭帯などは、特定の器官または物質の様々な強度に基づいて、視覚化、画像化、または情報提供を行うことができる。特定の実施形態のコンプトン散乱Ｘ線視覚化装置、画像化装置、または情報プロバイダ１００は、例えば、骨、骨断片、骨部分などが互いに対してどのように配置されているかを決定するなど、整形外科医によって利用することができる。例えば、脊柱構成物または骨折手術中に、構成物を加え、ピン、セットなどを加えることができるように、外科医は骨部分が所望の通り適切に位置決めまたは配置されているかどうかを決定することができる。手術後、個体（例えば、患者）は、特定の実施形態のコンプトン散乱Ｘ線視覚化装置、画像化装置、または情報プロバイダ１００を使用して検査され、様々な整形外科的な配慮を決定することができる。例えば、骨が、位置合わせされているなどの、所望の位置にあるか、個体内に加えられたあらゆるピン、ファスナなどが、個体などの部分に対して適切に配置または固定されているかどうかなどである。このような手術後検査は骨部分がむき出しにされ、ふさがれた状態で、個体の少なくとも一部内で、また、ギブスまたは他の身体部安定化装置内に収容された状態で、行うことができる。手術後、特定の実施形態のコンプトン散乱Ｘ線視覚化装置、画像化装置、または情報プロバイダ１００を使用して、個体の少なくとも一部内に手術用器具、スポンジ、器具、針、触覚フィードバック・プロバイダなどが残っていないかを確認することができる。
【０２９３】
様々な器官および／または物質は、その器官全体にわたる、密度画像組合せ（例えば、画像減算、飛翔時間、画像変換、デコンボリューション、画像減算、加重減算、関数減算、および逆積分変換、減算逆積分変換、逆関数変換、および減算逆関数変換を含むグループ、またはこのような他の画像処理技術）に少なくとも部分的に基づき、視覚化、画像化、または情報提供を行うことができる。特定の器官は、肺胞が、肺、血管、非均一心臓物質または組織など形で形成されているように、非均一に形成されている可能性がある。特定の器官および物質は、、その器官または物質の部分に、器官または組織の物質を非均一にする、気体、液体、および／または固体を含むことができる。
【０２９４】
このように、コンプトン散乱Ｘ線視覚化、画像化、または情報提供が器官についてのものかあるいは物質についてのものかは、そこに存在する血液または血液成分、器官または物質、または器官または物質の少なくとも一部に含まれた液体、固体、または気体にわたる、密度画像組合せ（例えば、画像減算、飛翔時間、画像変換、デコンボリューション、画像減算、加重減算、関数減算、および逆積分変換、減算逆積分変換、逆関数変換、および減算逆関数変換を含むグループ、またはこのような他の画像処理技術）に少なくとも部分的に基づいている。特定の実施形態のコンプトン散乱Ｘ線視覚化装置、画像化装置、または情報プロバイダ１００は、かなりの鮮明度で、比較的低い分解能で視覚化、画像化、および／または情報提供を行うように構成することができ、その他は、比較的低い鮮明度で比較的高い分解能で構成することができることを理解すべきである。このような鮮明度、分解能、および／または他の深度視覚化、画像化、または情報提供特性は、特定の実施形態のコンプトン散乱Ｘ線視覚化装置、画像化装置、または情報プロバイダ１００で制御および／または調節することができる。
【０２９５】
特定の実施形態のコンプトン散乱Ｘ線視覚化装置、画像化装置、または情報プロバイダ１００の運用および構造は、コンテクストによって、個体８２のタイプと関係なく、かなりの数の相違を有する可能性がある。特定の実施形態のコンプトン散乱Ｘ線視覚化装置、画像化装置、または情報プロバイダ１００は、しかし、視覚化、画像化、または情報提供が行われている個体の状態および／または部分、コンプトン散乱Ｘ線を視覚化する、画像化する、または情報を提供する所望の分解能、連続でコンプトン散乱Ｘ線を視覚化する、画像化する、または情報を提供する速度、コンプトン散乱Ｘ線を視覚化する、画像化する、または情報を提供する時間的持続時間、個体の協力または意識、および他のこのような要因によって、それぞれ別々に運用および／または規模の変更が実施されることができる。
【０２９６】
特定の実施形態のコンプトン散乱Ｘ線視覚化装置、画像化装置、または情報プロバイダ１００は、したがって、これに限らないが、従来のＸ線画像化（例えば、透過性および／または蛍光透視）、Ｘ線コンピュータ断層撮影（ＣＴまたはＣＡＴ）スキャン、ポジトロン放射断層撮影（ＰＥＴ）スキャン、コンプトン散乱Ｘ線を少なくとも部分的に使用したＸ線画像化、Ｘ線後方散乱画像化、Ｘ線前方散乱画像化、および／またはＸ線画像化の他の組合せ、変更形態、および／または発展、および／またはＸ線ベース画像モダリティを少なくとも部分的に含むことができるものと類似の、様々なコンプトン散乱Ｘ線を視覚化する、画像化する、または情報を提供する技術を利用することができる。コンプトン散乱Ｘ線視覚化、画像化、または情報提供技術は、医療で利用可能なより手ごろで技術的に認められた視覚化、画像化、または情報提供技術の中で代表となるように構成することができる。特定の視覚化、画像化、または情報提供モダリティがより手ごろであればあるほど、日常的に使用され、最終的に展開され、および一般に受け入れられる可能性が高い。
【０２９７】
特定の実施形態のコンプトン散乱Ｘ線視覚化装置、画像化装置、または情報プロバイダ１００は、したがって、様々なＸ線技術に依存することができる。Ｘ線技術は、粒子衝突として特徴付けることができ、そこでは、普通、粒子が、ターゲット原子に（またはその近くに）方向付けされた電子との、陽極に配置されたターゲット原子の相互作用の後の放出光子を含む。特定の実施形態のコンプトン散乱Ｘ線視覚化装置、画像化装置、または情報プロバイダ１００はしたがって、方向付けされたまたは衝突させる、光子（および／またはそこからのコンプトン散乱光子）などの、粒子の形をとることができる、Ｘ線の射出および検出に依存することができる。
【０２９８】
このように、Ｘ線視覚化する、画像化する、または情報を提供する技術は、粒子衝突画像化機構（すなわち、光子を含む粒子）、および本開示に記載するような他の従来の画像化方法などの、特定の他の画像モダリティと関連させる、および／または動作可能に組み合わせる、ことができる。他の画像モダリティとのコンプトン散乱Ｘ線視覚化装置、画像化装置、または情報プロバイダ１００のこのような組合せは、コンテクストによって、本開示の目的で、別の実施形態のコンプトン散乱Ｘ線視覚化装置、画像化装置、または情報プロバイダとして考えることを意図している。このように、Ｘ線は、マックスウェル方程式によって特徴付けることができる、電磁放射の形を示す、光子を含むと特徴付けることができる。
【０２９９】
あるレベルのＸ線コンプトン後方散乱Ｘ線または前方散乱Ｘ線視覚化、画像化、または情報提供（これらは、共に、本開示の目的で、コンテクストによって、「Ｘ線コンプトン散乱Ｘ線視覚化（する）、画像化（する）、または情報（を）提供（する）」と呼ばれると見なすことができる）を提供するように利用することができる様々なＸ線視覚化、画像化、または情報提供モダリティがある。特定の従来の透過性Ｘ線画像モダリティは、（骨または他の物質から吸収、回折、反射などしながら）そこを通して透過される、個体８２の少なくとも一部の柔らかい物質または組織に加えることができる、これらのＸ線に大きく依存することができる。透過Ｘ線の電磁放射はそれによって、個体８２の少なくとも一部を通過した後に、個体８２の少なくとも一部から離れた位置で受けることができる。このような技術を使用して、個体８２の少なくとも一部の反対側にＸ線を形成することができる。特定の実施形態のコンプトン散乱Ｘ線視覚化装置、画像化装置、または情報プロバイダ１００によって行われるような、視覚化する、画像化する、または情報を提供することは、個体８２の少なくとも一部の柔らかい物質または組織（または他の不透明な物質）を通過するときに、少なくとも部分的に反射、または再案内されるＸ線ベースの電磁放射に基本的に依存するこれらのモダリティに関することになる。
【０３００】
本開示に記載するような「コンプトン散乱Ｘ線視覚化、画像化、または情報提供」という用語は、特定の実施形態のコンプトン散乱Ｘ線視覚化装置、画像化装置、または情報プロバイダ１００の１つまたは複数によって行うことができる。コンテクストによって、特定のタイプの「コンプトン散乱Ｘ線を視覚化する、画像化する、または情報を提供すること」としては、これに限らないが、  
・視覚化する、画像化する、または情報を提供すること、  
・写真撮影する、表示する、視覚化する、画像化する、または情報を生成すること、  
・コンピュータ生成、部分視覚化、画像化する、または情報を統合すること、  
・視覚化する、画像化する、または情報を捕捉すること、  
・視覚化する、画像化する、または情報を合成すること、および  
・深度の視覚化、画像、および／または提供される情報、またはコンプトン散乱Ｘ線視覚化装置、画像化装置、または情報プロバイダ１００から得られる、情報に少なくとも部分的に依存する、深度の視覚化、画像、および／または提供される情報を少なくとも部分的に捕捉することができる他の技術、
を挙げることができる。
【０３０１】
十分な量の印加されるＸ線１２０は、貫通深度１７０の長さを個体８２の少なくとも一部内に貫通し、所望のコンプトン散乱Ｘ線視覚化、画像化、または情報提供を達成することができる。Ｘ線の量を制限することによって、被曝量も制限することができる。特定の量の印加されるＸ線ビーム１２０は、貫通深度１７０まで、またこれを含む表面下の表面１６８（例えば、皮膚）からの貫通領域全体を通してコンプトン散乱するあるいは、偏向される可能性が高い。
【０３０２】
特定の実施形態のエミッタ部１５０は、様々な周波数および／またはエネルギー・レベルで運用することができる様々な実施形態のＸ線ベース電磁放射に関連付けられることができ、それによって、コンプトン散乱Ｘ線視覚化装置、画像化装置、または情報プロバイダ１００の第１のビュー内で、個体８２の少なくとも一部内への様々な深度までまたはその深度で視覚化する、画像化する、および／または情報を提供を行うことができる。特定の実施形態のエミッタ部１５０は、個体８２の少なくとも一部内に、個体８２の少なくとも一部に隣接して、または個体８２の少なくとも一部の外部に配置することができる。１つ、または複数のエミッタ部１５０のいずれかは、個体８２の少なくとも一部内に、個体８２の少なくとも一部に隣接して、および／または個体８２の少なくとも一部の外部に配置することができる。
【０３０３】
特定の実施形態の検出器部１５２は、比較として、コンプトン散乱Ｘ線視覚化装置、画像化装置、または情報プロバイダ１００のエミッタ部、または印加されるＸ線を放出するように構成された他の装置によって提供された、印加されるＸ線から散乱する可能性のある散乱Ｘ線の形で、Ｘ線電磁放射を受けるように構成することができる。本開示内では、特定の実施形態の少なくとも１つの検出器部１５２は、少なくとも１つのエミッタ部１５０から個体の少なくとも一部に印可されることができるような（および、個体の少なくとも一部内で少なくとも部分的にコンプトン散乱する）、特定の実施形態のＸ線ベース電磁放射を受けるように調節可能である。少なくとも１つの検出器部１５２のこのような調節は、Ｘ線光子の方向、信号強度、周波数、エネルギー・レベル、または他のこのような特性などのパラメータに基づくことができる。
【０３０４】
幾つかの特定のコンプトン散乱Ｘ線視覚化装置、画像化装置、または情報プロバイダ１００に関連付けられていない、特定の実施形態の少なくとも１つのエミッタ部１５０は、１つまたは複数の相異なる検出器部１５２および／または１つまたは複数の相異なるコンプトン散乱Ｘ線受信アセンブリ１５１によって検出することができるように、利用することができる。例えば、特定の実施形態の少なくとも１つのエミッタ部１５０は、個体の比較的大きいほうの領域、およびおそらく周囲の領域内でＸ線を提供することができる、「フラッディング」実施形態として構成することができる。例えば、印加されるＸ線ビーム１２０のリモートまたはローカルのソースはエミッタ部１５０を備えることができ、印加されるＸ線ビーム１２０は、検出器部１５２によって検出することができるように、離れたエミッタ部、または他の装置から個体８２の少なくとも一部に少なくとも部分的に方向付けすることができる。特定の実施形態の手術室、検査室、医局、研究施設などは、少なくとも１つのエミッタ部１５０の分散実施形態を備えることができ、それによって各ユーザ（医者、医療助手、技術者、歯科医など）は動作的に近くで、個別のまたは組み合わせたパーソナルまたはグループ検出器部１５２、および／またはパーソナルまたはグループ・ディスプレイまたは情報プロバイダ部１５４を利用することができる。
【０３０５】
特定の実施形態の少なくとも１つの検出器部１５２は、手持ち式であることができ、それによって、コンプトン散乱Ｘ線視覚化装置、画像化装置、または情報プロバイダ１００のユーザによって位置決めすることができる。例えば、医者または歯科医が個体の特定の少なくとも一部の表面下を検査したい場合、特定の実施形態の少なくとも１つの検出器部１５２は、所望の深度を視覚化する、画像化する、または情報を提供する品質および画像を提供するのに望ましいように、個体の少なくとも一部に近接して位置決めすることができる。このような位置決め可能な実施形態のエミッタ部１５０、検出器部１５２、コンプトン散乱Ｘ線受信アセンブリ１５１、またはコンプトン散乱Ｘ線視覚化装置、画像化装置、または情報プロバイダ１００の他の構成部品は、これらの部位に対するＸ線の被曝を実質的に制限する態様で、個体の比較的小さな部分を画像化するのに有用である可能性がある。例えば、外科手術室、医療検査室、獣医などでは、特定の位置決め可能な実施形態のコンプトン散乱Ｘ線視覚化装置、画像化装置、または情報プロバイダ１００は、個体の少なくとも一部に密接して配置することができる。
【０３０６】
印加されるＸ線のレベルは、それによって、フラッディング・タイプのエミッタ部と比べて、比較的小さい可能性がある。ユーザ（および／または、視覚化、画像化、または情報提供コントローラ９７）はそれによって、深度の視覚化、画像化、または情報提供を制御または調節することができる。１つまたは複数のその後の、調節可能な、制御可能な、または連続する視覚化、画像、または提供情報を捕捉することによって画像化されている、個体の少なくとも一部の限られた少なくとも一部の物質についての正確な制御を可能にすることによって、その個体、ユーザ、および／または近くのその他に対して少ないＸ線電磁放射を印加することができる。特定の実施形態の検出器部は、視覚化、画像、および／または提供される情報のディスプレイ部上の相対移動を制限するように、機械的に取り付けられる、または動き安定化される（コンピュータ・グラフィック・システムで理解されるように）ことができる。
【０３０７】
本開示で記載するような、特定の実施形態の少なくとも１つのディスプレイ部１５４は、少なくとも１つの検出器部１５２によって受信された、コンプトン散乱Ｘ線ベース電磁放射に少なくとも部分的に基づいて、少なくとも一つの視覚化、画像、および／または提供情報を表示することができる。特定の実施形態の少なくとも一つのディスプレイ部は、ユーザが所望する、その視覚化、画像、または提供情報を調節する、および／または、さまざまなコンプトン散乱Ｘ線視覚化装置、画像化装置または情報プロバイダ１００の動作を制御するものを観察することができるように、調節することができる。
【０３０８】
特定の実施形態の少なくとも１つのディスプレイ部１５４は、患者のみ、または医師などと組み合わせた患者などの個体に対して、個体８２の少なくとも一部に関する視覚化、画像化、および／または情報提供の少なくとも一部を表示することができる。特定の実施形態のコンプトン散乱Ｘ線視覚化装置、画像化装置、または情報プロバイダ１００は、実質的にリアル・タイム・ベースで動作することができるという事実は、彼らの身体の少なくとも一部の正確なコンプトン散乱Ｘ線視覚化、画像化、または情報提供に基づき、個人に自分の状態にもっと注意させることができる。けが、疾病、病気、病状などを有する可能性がある特定の個体は、適切な位置に関する、ほぼ時間的／位置的・反映の視覚化、画像、または情報提供を備えている可能性が高い、適切な位置に関する、視覚、画像、および／または提供情報を有することができることを考慮されたい。このように、彼らは、その治療または状態についてのより多くの知識を有することができ、その治療を理解し、および／またはおそらく治療に参加することさえできる。特定の実施形態のコンプトン散乱Ｘ線視覚化装置、画像化装置、または情報プロバイダ１００は、Ｘ線コンプトン散乱Ｘ線情報に少なくとも部分的に応じて、個体８２の少なくとも一部を治療するのに使用することができる治療機構（treating mechanism）を制御するように構成することができる。
【０３０９】
靭帯断裂、関節または骨の損傷／骨折、器官状態などの特定のけがまたは状態においては、特定の実施形態のコンプトン散乱Ｘ線視覚化装置、画像化装置、または情報プロバイダ１００は、個体の少なくとも一部が、不自然な関節または位置の動きを受けた際に、ほぼ連続した態様で視覚化、画像化、および／または情報提供を行うことができる。例えば、整形外科医は、その身体部の屈曲、弛緩、または他の動きの間、患者の膝関節または骨を凝視しまたは検査することができる。特定の例では、特定の実施形態のコンプトン散乱Ｘ線視覚化装置、画像化装置、または情報プロバイダ１００のコンプトン散乱Ｘ線視覚化、画像化、または情報提供を改善するように、染料、造影剤、または他のコンプトン散乱Ｘ線視覚化、画像化、または情報提供増強材料を、個体の少なくとも一部に加えることができる。
【０３１０】
特定の実施形態のコンプトン散乱Ｘ線視覚化装置、画像化装置、または情報プロバイダ１００は、コンプトン散乱Ｘ線視覚化装置、画像化装置、または情報プロバイダの少なくともいくつかの部分の間で、（１つまたは複数の）コンプトン散乱Ｘ線を視覚化する、画像化する、または情報を提供する操作を行うように、互いにインターフェース接続する、および／または相互作用することができる。例えば、特定の実施形態のコンプトン散乱Ｘ線視覚化装置、画像化装置、または情報プロバイダ１００（および、その部分）は、１つまたは複数のエミッタ部１５０を備えることができる。特定の実施形態のコンプトン散乱Ｘ線視覚化装置、画像化装置、または情報プロバイダ１００は、１つまたは複数の検出器部１５２、または別の方法では１つまたは複数のコンプトン散乱Ｘ線受信アセンブリ１５１を備えることができる。さらに別の実施形態のコンプトン散乱Ｘ線視覚化装置、画像化装置、または情報プロバイダ１００は、１つまたは複数のディスプレイ部１５４を備えることができる。様々なエミッタ部１５０、検出器部１５２、および／またはディスプレイ部１５４は、必要に応じて組み合わせることができ、所望のコンプトン散乱Ｘ線視覚化、画像化、または情報提供応用例に対して適当な構成で利用することができ、その特定の例示的な実施形態のみを本開示に記載する。
【０３１１】
本開示内では、特定の実施形態の少なくとも１つのエミッタ部１５０は、個体８２の少なくとも一部に向かって少なくとも部分的に、Ｘ線ベース電磁放射を印加するように構成することができる。このＸ線ベース電磁放射の周波数、エネルギー・レベル、または他の運用特性および／または構造的特性は、従来のＸ線（蛍光透視）技術によって患者に加えられたものとかなり異なる（および、好ましくないまたは危険である程度が少ない）可能性がある。これは、主に、Ｘ線は、個体の少なくとも一部内で比較的短い距離だけを通過した後に、個体８２の少なくとも一部から跳ね返りまたは散乱することになるので、個体に印加されるのはより低い被曝量になることなる。このように、特定の実施形態のコンプトン散乱Ｘ線視覚化装置、画像化装置、または情報プロバイダ１００を使用することによって、蛍光透視を受けている患者に適用される電磁遮蔽は、限定される、または少なくともかなり少なくすることができる。特定の空港スクリーニング・システムは例えば、Ｘ線走査システムのユーザの旅行者に加えられている過剰な放射線の必要以上の気遣いをせずに、セキュリティ・スクリーニングからのコンプトン散乱Ｘ線視覚化、画像化、または情報提供を使用することができる。
【０３１２】
限られた強度の印加されるＸ線は、妊娠している女性内の胎芽、胎児などの個体の少なくとも一部での深度視覚化する、画像化する、または情報を提供する敏感さの点で、有用である。特定の実施形態のコンプトン散乱Ｘ線視覚化装置、画像化装置、または情報プロバイダ１００は、Ｘ線が敏感な物質または組織、器官、または他の物質（例えば、子宮、心臓、脳など）の直ぐ手前で止まり、それによって、例えば胎芽、胎児などへのイオン化放射線の被曝を制限するなどの態様で、画像化することができる。実際、個体内のほとんどあらゆる物質が、特に、そこへのＸ線の照射を制限することの望ましさに関連して、ある程度敏感であると考えることができる。このように、特定の実施形態のコンプトン散乱Ｘ線視覚化装置、画像化装置、または情報プロバイダ１００は、個体内の制御できる限られた部位に対して印加されるＸ線、および／または散乱Ｘ線を補正するまたは印加することに、特に適している。特に、身体のかなりの数の様々な器官、部分、または部位は、限られた印加されるＸ線ですむと可能性がある。このように、特定の実施形態のコンプトン散乱Ｘ線視覚化装置、画像化装置、または情報プロバイダ１００は、身体のこのような器官、部分、または部位の詳細を深度画像化する際の、Ｘ線の透過を制限することができる。特定の実施形態のコンプトン散乱Ｘ線視覚化装置、画像化装置、または情報プロバイダ１００は、したがって、特定の個体内で望ましい領域に関する情報を視覚化し、画像化し、および／または提供し、他の（おそらく敏感な）部位に対するＸ線放射の被曝を制限するように構成することができる。
【０３１３】
本開示内では、特定の実施形態の検出器部１５２によって検出されるコンプトン散乱Ｘ線は、コンプトン後方散乱、コンプトン前方散乱、偏向される、または本開示の範囲内にあるＸ線ベース電磁放射の経路の他の歪み、である可能性があり、残りはコンプトン散乱Ｘ線の意図された範囲内にある。特定の実施形態の検出器部１５２は、様々な周波数および／またはエネルギー・レベルで運用することができる、様々な実施形態のＸ線ベース電磁放射に関連させることができ、したがって個体８２の少なくとも一部内に様々な深度まで、またはその深度で視覚化、画像化、または情報提供を行うことができる。
【０３１４】
本開示に記載するような、特定の実施形態のコンプトン散乱Ｘ線視覚化装置、画像化装置、または情報プロバイダ１００は、１つまたは複数のエミッタ部１５０、少なくとも１つのコンプトン散乱Ｘ線受信アセンブリ１５１、検出器部１５２、および／またはディスプレイ部１５４、またはあらゆるそれらの組合せで構成することができる。エミッタ部１５０を備えていない、これらの実施形態のコンプトン散乱Ｘ線視覚化装置、画像化装置、または情報プロバイダ１００では、Ｘ線ベース電磁放射は、別の装置によって少なくとも部分的に提供されることができる。例えば、いくつかのディスプレイ部１５４（または、別の方法では、多数の人によって観察することができる少なくとも１つのディスプレイ部）は、単一の戦略的に配置したエミッタ部１５０によって適用されることができる、外科医、技術者、助手などの何人かの人によって利用するまたは制御することができる。エミッタ部１５０は、少なくとも１つのコンプトン散乱Ｘ線視覚化装置、画像化装置、または情報プロバイダ１００の一部として含まれていても、含まれていなくてもよい。
【０３１５】
特定の実施形態のコンプトン散乱Ｘ線視覚化装置、画像化装置、または情報プロバイダ１００は、コンプトン散乱Ｘ線視覚化装置、画像化装置、または情報プロバイダが視覚化、画像化、または情報提供を行うことができる、異なる貫通深度１７０（または、貫通深度範囲）をそのオペレータが選択することを可能にするように制御することができる。特定の実施形態のコンプトン散乱Ｘ線視覚化装置、画像化装置、または情報プロバイダ１００では、視覚化、画像化、および／または情報提供を行う貫通深度１７０は、印加されるＸ線に適用されたまたは収容されたエネルギーの関数、および／またはその周波数、エネルギー・レベル、印加されるＸ線１２０のＸ線光子の他の特性にとして変化することができる。Ｘ線１２０が加えられている物質（例えば、皮膚、組織、骨など）はまた、視覚化、画像化、または情報提供特性に影響を与える。印加されるＸ線の特定の特性が大きくなると、そこまで、印加されるＸ線コンプトン散乱Ｘ線放射が、コンプトン散乱Ｘ線の前に前進し、またはそれによって、そこまでの視覚化、画像化、および／または情報提供を行う、最大貫通深度１７０（図１８および／または図２０参照）に影響が与えられる可能性が高い。限られた数のＸ線は、貫通深度１７０より大きい深度まで個体の少なくとも一部内へ前進することができ、特定の実施形態のコンプトン散乱Ｘ線視覚化装置、画像化装置、または情報プロバイダ１００は、視覚化、画像化、または情報提供に対してこれらの少ないＸ線の影響を制限するように構成することができる。
【０３１６】
特定の実施形態のコンプトン散乱Ｘ線視覚化装置、画像化装置、または情報プロバイダ１００は、図１６に記載するように、画像組合せ（例えば、画像減算、飛翔時間、画像変換、デコンボリューション、加重減算、関数減算、および逆積分変換、減算逆積分変換、逆関数変換、および減算逆関数変換を含むグループ、またはこのような他の画像処理技術を使用することなどによる他の技術）を行うことができる。本開示内では、コンプトン散乱Ｘ線視覚化、画像化、または情報提供技術に関するこのような画像組合せ技術は、コンテクストによって、少なくとも１つの所定の視覚化、画像化、または情報提供深度の２つ１７０ａと１７０ｂの間の、コンプトン散乱Ｘ線視覚化、画像化、または情報提供のことを言うことができる。各所定の視覚化、画像化、または情報提供深度１７０ａおよび１７０ｂは、（図１６および／または図１７に記載するように）個体の皮膚または表面１６８から少なくともある程度離して配置することができる。特定の実施形態のコンプトン散乱Ｘ線視覚化装置、画像化装置、または情報プロバイダ１００は、連続してまたは並行して、異なる深度でのコンプトン散乱Ｘ線視覚化、画像化、または情報提供に関するデータに関して、多数のサンプリング視覚化、画像、および／または提供情報を得ることができる。このように、データに関する多数のサンプリング視覚化、画像、および／または提供情報は、異なる貫通深度１７０ａおよび１７０ｂまで同様のサンプル空間のコンプトン散乱Ｘ線視覚化、画像化、または情報提供として考えることができる。
【０３１７】
データに関する多数のサンプリングされた視覚化、画像、および／または提供情報の特定のものは、少なくとも部分的に画像組合せ（例えば、画像減算、飛翔時間、画像変換、デコンボリューション、加重減算、関数減算、および逆積分変換、減算逆積分変換、逆関数変換、および減算逆関数変換を含むグループ、またはこのような他の画像処理技術を使用することなどによる他の技術）によって比較することができる。このように、図１６に関して記載するように、深いほうの貫通深度１７０ｂではなく、浅いほうの貫通深度１７０ａ内にあるこのような詳細、画像、情報、視覚などは、デジタルに減算、変換、あるいは算出することができる。深いほうの貫通深度１７０ｂから浅いほうの貫通深度１７０ａで、視覚化、画像化、または規定される情報提を有する物質、組織、対象などをデジタル的に区別することによって、深度視覚、画像、および／または提供情報、または浅いほうと深いほうの貫通深度の間の物質に関する他の情報を得ることができる。
【０３１８】
特定の実施形態のコンプトン散乱Ｘ線視覚化装置、画像化装置、または情報プロバイダ１００は、個体８２の少なくとも一部の少なくとも１つの物質（例えば、組織または他の物質）を通して視覚化、画像、および／または提供情報を導き出すように、Ｘ線コンプトン散乱Ｘ線を少なくとも部分的に使用して、Ｘ線コンプトン散乱Ｘ線情報を得るように構成することができる。このような視覚化する、画像化する、または情報提供することは、第１の深度部位、および第２の深度部位の両方で行うことができ、両方とも個体８２の共通する少なくとも一部に関連付けられる。第１の貫通深度１７０ａまで延びる第１の深度部位と、第２の貫通深度１７０ｂまで延びる第２の深度部位の間の深度の差は、本開示に記載するように、減算または組合せコンプトン散乱Ｘ線視覚化、画像化、または情報提供技術に使用することができる。
【０３１９】
減算または組合せのコンプトン散乱Ｘ線視覚化、画像化、または情報提供技術を利用する、特定の実施形態のコンプトン散乱Ｘ線視覚化装置、画像化装置、または情報プロバイダ１００は、したがって、異なる貫通深度１７０ａおよび１７０ｂで視覚化、画像化、および／または情報提供を行うように働くことができる。このように、減算または組合せのコンプトン散乱Ｘ線視覚化、画像化、または情報提供技術の調節は、例えば、に２つのレベルでＸ線光子の周波数またはエネルギー・レベルを制御および／または調節し、２つのＸ線を提供することによって少なくとも部分的に行うことができる。Ｘ線光子の周波数またはエネルギー・レベルの制御および／または調節はそれぞれ、少なくとも１つの所定の視覚化、画像化、または情報提供深度１７０ａおよび１７０ｂに対してはっきりと検出することができる。その結果、浅いほうのレベルの画像の差は、深いほうの画像のものから、画像組合せ（例えば、画像減算、飛翔時間、画像変換、デコンボリューション、画像減算、加重減算、関数減算、および逆積分変換、減算逆積分変換、逆関数変換、および減算逆関数変換を含むグループ、またはこのような他の画像処理技術を使用することなどによる他の技術）を受ける。画像減算または組合せの深度視覚化する、画像化する、または情報を提供する技術は、したがって、表面１６８などから、図１６および図１７に示す２つの貫通深度１７０ａおよび１７０ｂの間の容積の範囲内で物質に関する情報を提供するように使用することができる。
【０３２０】
特定の実施形態のコンプトン散乱Ｘ線視覚化装置、画像化装置、または情報プロバイダ１００は、第１のコンプトン散乱Ｘ線画像情報を得るために、少なくとも１つの第１の所定の視覚化する、画像化する、または情報を提供する深度までの少なくとも１つの視覚化する、画像化する、または情報を提供する深度範囲の第１の制御可能な範囲で、視覚化する、画像化する、および／または情報を提供することを行うように構成することができる。特定のこれらの実施形態のコンプトン散乱Ｘ線視覚化装置、画像化装置、または情報プロバイダ１００は、第２のコンプトン散乱Ｘ線情報を得るために、少なくとも１つの第２の所定の視覚化、画像化、または情報提供深度までの少なくとも１つの視覚化、画像化、または情報提供深度範囲の第２の制御可能な範囲で、視覚化、画像化、および／または情報提供を行うことができる。特定の実施形態のコンプトン散乱Ｘ線視覚化装置、画像化装置、または情報プロバイダ１００は、第１のＸ線コンプトン散乱Ｘ線情報および第２のＸ線コンプトン散乱Ｘ線情報に関連するデータを計算的に区別するように構成することができる。
【０３２１】
特定の実施形態のコンプトン散乱Ｘ線視覚化装置、画像化装置、または情報プロバイダ１００は、図１７に関して記載するように、少なくとも１つの視覚化、画像化、または情報提供深度までの少なくとも１つの所定の視覚化、画像化、または情報提供深度範囲で、視覚化、画像化、および／または情報提供を行うように、飛翔時間測定を利用することもできる。このような飛翔時間測定は、少なくとも１つの入力パルス信号および少なくとも１つの戻りパルス信号（適切なコンプトン散乱Ｘ線視覚化、画像化、または情報提供分解能を得るために、わずかな時間のコンプトン散乱Ｘ線視覚化、画像化、または情報提供分解能を可能にする）として特徴付けることができる、正確なパルス信号を利用することができる。放出パルス信号および検出パルス信号の持続時間が短ければ短いほど、達成可能な分解能は小さくなる（小さい分解能は、優れたコンプトン散乱Ｘ線視覚化、画像化、または情報提供特性につながる）。飛翔時間技術を使用して、放出パルス信号を、個体８２の少なくとも一部の表面１６８に対して、特定の実施形態のコンプトン散乱Ｘ線視覚化装置、画像化装置、または情報プロバイダ１００によって加えることができる。戻り信号の飛翔時間が十分正確に測定できる（例えば、ストリーク・カメラ、ピクセル・ストリーク・カメラ、アバランシェ検出器、ＣＣＤなどを利用するような、特定の実施形態では、ピコ秒の分解能）場合、検出パルス信号の時間は、十分な精度を与えるようにゲーティングすることができ、飛翔時間を決定することができ、それにより距離または深度を決定することができる。
【０３２２】
飛翔時間実施形態のコンプトン散乱Ｘ線視覚化装置、画像化装置、または情報プロバイダ１００を使用することによって、エミッタ部１５０は少なくとも１つの入力パルスを伝達することができ、検出器部１５２は少なくとも１つの戻りパルス信号の戻り時間を検出することができる。図１７に関して記載するように、飛翔時間計算１６０は、個体の少なくとも一部に印加される少なくとも１つの入力パルス信号に必要な時間に基づき決定することができ、それによって、それぞれ１つまたは複数の戻りパルス信号内にコンプトン散乱されることができる。（１つまたは複数の）コンプトン散乱された戻りパルス信号は、パルス信号が通過する（例えば、加えたパルスＸ線、および／または散乱したパルスＸ線）個体の物質の特性に少なくとも部分的に基づいて、変更される。
【０３２３】
コンプトン散乱Ｘ線視覚化、画像化、または情報提供の組合せの１つの使用（減算、および他のこのようなプロセスを含む）は、表面１６８からかなりの深度に位置する部位内の物質、器官などのコンプトン散乱Ｘ線視覚化、画像化、または情報提供を行う必要がある可能性がある。このような深い器官、物質などの深度視覚化、画像化、または情報提供中に、コンプトン散乱Ｘ線視覚化装置、画像化装置、または情報プロバイダ１００の深度を視覚化する、画像化する、または情報を提供する構成部品と画像化部位の間に位置決めされた、余分な物質、器官などは、必ずしも表示しなくてもよい。したがって、余分な物質、器官、組織などは、画像組合せ（例えば、画像減算、飛翔時間、画像変換、デコンボリューション、加重減算、関数減算、および逆積分変換、減算逆積分変換、逆関数変換、および減算逆関数変換を含むグループ、またはこのような他の画像処理技術を使用することなどによる他の技術）を使用して、視覚化されず、画像化されず、または提供される情報を有しない。
【０３２４】
このように、個体の少なくとも一部内深くに配置された、特定の器官、物質などは、画像組合せ（例えば、画像減算、飛翔時間、画像変換、デコンボリューション、加重減算、関数減算、および逆積分変換、減算逆積分変換、逆関数変換、および減算逆関数変換を含むグループ、またはこのような他の画像処理技術）と同様に、コンプトン散乱Ｘ線視覚化、画像化、または情報提供の減算または組合せを使用して、浅いほうの物質からの深度視覚化、画像化、または情報提供を干渉なく画像化することができる。別の方法では、特定の物質、組織、器官などは、画像化される器官、物質などに対して適切な位置で内部に、少なくとも１つのエミッタ部１５０、少なくとも１つの検出器部１５２、および／または少なくとも１つのコンプトン散乱Ｘ線受信アセンブリ、を位置決めすることによって画像化することができる。様々な実施形態、構成、および用途のコンプトン散乱Ｘ線視覚化装置、画像化装置、または情報プロバイダ１００に熟練した人は、どの深度視覚化、画像化、または情報提供技術が、侵襲性（invasively）が低いように優れた品質の深度視覚、画像、および／または提供情報または画像を提供し、それによってユーザおよび／または個体に対するＸ線被曝量を少なくするかを決定することができる。
【０３２５】
特定の実施形態のコンプトン散乱Ｘ線視覚化装置、画像化装置、または情報プロバイダ１００は、筋肉、皮膚、血管、流体（例えば、血液、リンパ液）などの、個体８２の少なくとも一部内のコンプトン散乱Ｘ線を視覚化する、画像化する、または情報を提供する物質に少なくとも部分的に依存することができる。本開示内では、ソフトな、コンプトン散乱Ｘ線視覚化、画像化、または情報提供は、画像モダリティが、骨、金属などの固いまたは反射表面に遭った場合に起こる可能性がある、従来の後方散乱画像化において起こるような、固い画像化（hard imaging）と比較することができる。柔らかい物質のコンプトン散乱Ｘ線ベースのコンプトン散乱Ｘ線視覚化、画像化、または情報提供を行うことによって、特定の実施形態のコンプトン散乱Ｘ線視覚化装置、画像化装置、または情報プロバイダ１００は、物質異常に対して起こるような、皮膚の石灰化の場合と同様に、柔らかい物質の特定の特性の変化の検出を行うことができる。特定の乳ガンのような物質異常は、腫瘍またはガンの石灰化により識別することができる。少なくともいくつかの柔らかい物質のコンプトン散乱Ｘ線ベースのコンプトン散乱Ｘ線視覚化、画像化、または情報提供を可能にすることによって、特定の実施形態のコンプトン散乱Ｘ線視覚化装置、画像化装置、または情報プロバイダ１００は、位置決めを規定することができる。物質異常に少なくとも部分的に基づくこのような配置または位置決めは、器官、循環部分（例えば、静脈、動脈など）、血流、神経、骨などの個体８２の少なくとも一部の少なくとも一部の物質に対する位置決めなどの、様々な応用例に適用することができる。
【０３２６】
特定の実施形態のコンプトン散乱Ｘ線視覚化装置、画像化装置、または情報プロバイダ１００は、動脈、静脈、毛細血管、または他の血管（または他の流体管）などの特定の接触または損傷を制限するように構成することができる。個体のいくつかの不確かな位置で起こるこのような接触を避けることについての、手術中などの困難さを検討する。身体内の血管または他の流体管の数、および内視鏡、切開部内の器具、切断器具、触覚フィードバック・プロバイダ、他の器具などを使用した損傷の可能性を考慮すると、手術中などの困難の範囲は明らかになる。特定の場合、外科医は隠れた血管または他の流体毛細血管を損傷したかどうかに気が付かないことさえある。特定の実施形態のコンプトン散乱Ｘ線視覚化装置、画像化装置、または情報プロバイダ１００は、医師または獣医が作業する部位を視覚化、画像化、または情報提供を行うように位置決めすることができる。別の方法では、特定の実施形態のコンプトン散乱Ｘ線視覚化装置、画像化装置、または情報プロバイダ１００は、個体の少なくとも一部に利用されている器具に接続、あるいは取り付けることができる。特定の実施形態のコンプトン散乱Ｘ線視覚化装置、画像化装置、または情報プロバイダ１００はまた、外科医、および／またはその器具が、特定の神経、器官、物質などとの接触を、避けることまたは制限することを可能にすることができる。外科医、歯科医、獣医などのユーザが血管、流体管、神経、器官、物質などに近接することを可能にするこのような深度視覚化、画像化、または情報提供は、その接触を制限する。身体の特定の部分との接触を制限するようなこのような画像化または視覚化は、実質的にリアル・タイム・ベースで、または所望の他のベースで行うことができ、医者、歯科、獣医などのユーザなどによって、手術、処置などの持続時間をかなり短くすることが予期される。
【０３２７】
特定の実施形態のコンプトン散乱Ｘ線視覚化装置、画像化装置、または情報プロバイダ１００はまた、血液プールまたは他の流体のプールを見つけ、分析し、および／または治療するように構成することができる。爆弾、爆発物、けが、自動車または他の事故、特定の疾病などによる特定のけがでは、従来の画像化装置を使用して、人間、動物などの部分の中の血液プールを見つけることは困難である可能性がある。特定の実施形態のコンプトン散乱Ｘ線視覚化装置、画像化装置、または情報プロバイダ１００は、例えば、器官、物質などを通した血液の位置（痕跡またはプールなど）を確定することによって突きとめることができるなど、弾丸、爆発物、爆弾などの軌跡を決定することができる。他の自然に生じる血液または流体のプールは、見つける、検査する、および／または治療することができる。
【０３２８】
特定の実施形態のコンプトン散乱Ｘ線視覚化装置、画像化装置、または情報プロバイダ１００を使用して見つけることができる、体液の別の例は、リンパ液である。特定のガンの後に、例えば、特定のリンパ結節を取り除かなければならないことがある。リンパ結節は、主に、身体からリンパ液を取り除くように働く。リンパ結節を取り除くと、個体の体重増加を行う可能性があり、および／または最終的に感染されることになる、身体内にリンパ液のかなりの集まりがあることになる。他のタイプの体液は、視覚化される、画像化される、または提供される情報を有することができる。
【０３２９】
本開示を通して様々な位置で記載したような、特定の実施形態の少なくとも１つの検出器部１５２は、少なくとも１つのエミッタ部１５０から少なくとも部分的に放出される光子を受けるように制御および／または調節することができる。このような制御および／または調節は、特定の実施形態の少なくとも１つのディスプレイ部１５４を使用して、コンプトン散乱Ｘ線視覚化、画像化、または情報提供を行うのに使用することができる方法で行うことができる。
【０３３０】
特定の実施形態の深度視覚化、画像化、または情報提供コントローラ９７はしたがって、これに限らないが、少なくとも１つの制御および／または調節部９３４を備えることができる。特定の実施形態の、コンプトン散乱Ｘ線受信アセンブリ１５１の検出器部１５２は、少なくとも１つの検出器部１５２によって受けられる、Ｘ線ベース電磁放射（例えば、光子の形の散乱Ｘ線）の量を測定するように構成することができる。特定の実施形態の制御および／または調節部９３４は、少なくとも１つのコンプトン散乱Ｘ線受信アセンブリ１５１の少なくとも一部の位置、角度、または他の操作パラメータを制御および／または調節するように構成することができる。特定の実施形態の制御および／または調節部９３４は、少なくとも１つのエミッタ部１５０から放出されることができるような、Ｘ線ベース電磁放射（例えば、光子の形）の受けを改善する、変更する、フィルタリングする、あるいは影響を与えるように使用することができる。特定の実施形態のコンプトン散乱Ｘ線受信アセンブリ１５１の特定の検出器部１５２は、全方向、多方向であってもよく、または少なくとも個体の少なくとも一部に向けて放出されているＸ線ベース電磁放射を適切に検出するように適切な方向範囲を有することができる。特定の実施形態の制御および／または調節部９３４は、少なくとも１つのエミッタ部１５０の相対角度、周波数、および／または位置および／または個体８２の少なくとも一部に対して構成することができる。特定の実施形態の制御および／または調節部９３４は、適切な深度視覚化、画像化、または情報提供を可能にするように、Ｘ線ベース電磁放射の適切な伝達または受信を確実にするように構成することができる。
【０３３１】
特定の実施形態の少なくとも１つのコンプトン散乱Ｘ線受信アセンブリ１５１はまた、図示しないが、検出器部伝達部（detector portion transfer portion）を備えることができ、ここで、検出された光子、コンプトン散乱Ｘ線視覚化、画像化、または情報提供データなどは、個体の少なくとも一部で／その中で少なくとも部分的にコンプトン散乱することができるＸ線に、関する。コンプトン散乱Ｘ線受信アセンブリ１５１で少なくとも部分的に得られるような、特定のデータ、情報、画像、視覚などは、おそらく、少なくとも１つの視覚、画像、または提供情報の形で、少なくとも１つのディスプレイ部１５４によって表示することができる。
【０３３２】
特定の実施形態のコンプトン散乱Ｘ線視覚化装置、画像化装置、または情報プロバイダ１００は、実質的にリアルタイム・ベースで視覚化、画像化、および／または情報提供を行うように構成することができるが、他の実施形態は、より遅い繰り返し速度で視覚化、画像化、および／または情報提供を行うように構成することができる。特定の実施形態のコンプトン散乱Ｘ線視覚化装置、画像化装置、または情報プロバイダ１００は、１つまたは複数の非繰返し深度視覚、画像、および／または提供情報に関して、視覚化、画像化、および／または情報提供を行うことができるように構成することができる。実質的に、時間的／位置的・反映でのコンプトン散乱Ｘ線視覚化、画像化、または情報提供のこのような選択は、外科医、医者、獣医、歯科医などのユーザが、所望のように迅速に、個体８２の少なくとも一部の所望の表面下の位置で、状態情報、位置情報などを得ることを可能にすることができる。本開示内では、「表面下」という用語はコンテクストによって、個体８２の少なくとも一部の表面１６８の下、またはこれにわたる深度視覚化、画像化、または情報提供（おそらく、個体の表面の深度視覚化、画像化、または情報提供）のことを言うことができる。特定の表面１６８は、血管などを介して、粘膜、少なくとも部分的な内皮、少なくとも部分的に管腔を画定するまたは囲む内部膜または皮膚などに、適用することができる、視野装置（scope）などの開口を介して外部と連通することができる、皮膚、内部表面などを含むことができる。特定の実施形態の少なくとも１つのコンプトン散乱Ｘ線視覚化装置、画像化装置、または情報プロバイダ１００（エミッタ部１５０またはコンプトン散乱Ｘ線受信アセンブリ１５１など）は、視野装置、針、注入または移植装置などの技術を使用して、個体８２の少なくとも一部内で適用することができる。
【０３３３】
特定の実施形態のコンプトン散乱Ｘ線視覚化装置、画像化装置、または情報プロバイダ１００は、図３１に関して記載するように、例えば動きのある器官を画像化するように構成することができる。動きのある器官に対するこのような視覚化、画像化、または情報提供は、例えば、心臓、腎臓、脳、胃、腸、または視覚化され、画像化され、または情報提供されている特定の器官の縁部などによる、視覚化、画像化、または情報提供または、変動に基づき定義することができる他の器官、のうちの少なくとも一部に適用することができる。
【０３３４】
心臓の一部の動きのある二次元または三次元画像を、特定の実施形態のコンプトン散乱Ｘ線視覚化装置、画像化装置、または情報プロバイダ１００を使用して提供することができると考える。このような深度視覚化、画像化、または情報提供は、診断の目的で、手術中に、感染しやすい個体のスクリーニング中などに有用である可能性がある。深度視覚化、画像化、または情報提供は、心臓弁に関して、および心臓弁を通る関連付けられた深度視覚化、画像化、または情報提供で、行うことができる。心臓ベースの深度視覚化、画像化、または情報提供は、無線および／または有線ベースの技術と共に、適切な視野装置、移植片などを利用して、心臓に適切に近接して（またはその中に）少なくとも１つのエミッタ部１５０および少なくとも１つの検出器部１５２を位置決めすることによって行うことができる。心臓、大動脈、弁などの構成、位置、動き、反射作用（reflex）は、特定のコンプトン散乱Ｘ線視覚化装置、画像化装置、または情報プロバイダ１００構成を使用して、適切な分解能およびリフレッシュ速度で、使用することができる。
【０３３５】
特定の実施形態のコンプトン散乱Ｘ線視覚化装置、画像化装置、または情報プロバイダ１００は、このような内部管腔から人間の身体内に含まれる物質または組織（および／または内部管腔からの画像）を画像化するように適用することができる。このような内部管腔は、これに限らないが、気道、心臓血管系（例えば、心臓、血管）、神経系のＣＳＦ空間の少なくとも一部（例えば、脊柱管、脳室、くも膜下腔など）、尿路の少なくとも一部（例えば、尿道）、リンパ系の少なくとも一部、腹腔の少なくとも一部、胸腔の少なくとも一部、胃腸管の少なくとも一部、生殖器官の少なくとも一部（雌生殖器、例えば卵管の管腔）、または雄生殖器（これに限らないが、表皮、輸精管、精巣輸出管、アンプル、精管、射精管、または尿道を含む様々な管腔を含む）、胆道、鼻腔、口腔、消化管、涙管、腺組織、および／または生殖器官を含むことができる。他の身体管腔は、聴覚系または視覚系、またはその相互接続、例えば耳管内で見ることができる。このように、特定の実施形態のコンプトン散乱Ｘ線視覚化装置、画像化装置、または情報プロバイダ１００に対するかなり様々な応用例がある。
【０３３６】
特定の実施形態のコンプトン散乱Ｘ線視覚化装置、画像化装置、または情報プロバイダ１００は、特定のコンプトン散乱Ｘ線視覚化、画像化、または情報提供応用例、特定の分解能、または特定の用途に適しているような、単一の分解能装置で視覚化、画像化、および／または情報提供を行うように構成することができる。特定の実施形態のコンプトン散乱Ｘ線視覚化装置、画像化装置、または情報プロバイダ１００は、図１に関して本開示に記載したように、特定の実施形態の視覚化、画像化、または情報提供コントローラ９７によって制御することができるような、様々な分解能または応用例で視覚化、画像化、および／または情報提供を行うように構成することができる。コンプトン散乱Ｘ線視覚化、画像化、または情報提供分解能のこのような変更は、用途によって異なることができる。例えば、ある実施形態のコンプトン散乱Ｘ線視覚化装置、画像化装置、または情報プロバイダ１００が、器官、骨などの配置または位置を決定するのに使用されている場合、比較的高い分解能（例えば、低い品質）のコンプトン散乱Ｘ線視覚化、画像化、または情報提供を利用することができる。比較として、ある実施形態のコンプトン散乱Ｘ線視覚化装置、画像化装置、または情報プロバイダ１００が、腫瘍などを検出するのに使用されている場合、比較的優れた分解能（高い品質）のコンプトン散乱Ｘ線視覚化、画像化、および／または情報提供を、得て、利用することができる。
【０３３７】
特定の実施形態のＸ線コンプトン散乱Ｘ線視覚化、画像化、または情報提供は、したがって、個体８２の少なくとも一部でコンプトン散乱および／または反射させることができる、Ｘ線放射を加えることができる１つまたは複数のエミッタ部１５０を利用することができる。このように、特定の従来のＸ線コンプトン散乱Ｘ線視覚化、画像化、または情報提供は、「柔らかいＸ線視覚化、画像化、または情報提供」と呼ぶことができる。というのは、特定の実施形態のコンプトン散乱Ｘ線視覚化装置、画像化装置、または情報プロバイダ１００と同様に少なくとも部分的に透過性である代わりに、反射性（Ｘ線ベース電磁放射、光子の反射／屈折に少なくとも部分的による）であるからである。特定の透過性タイプの従来のＸ線視覚化、画像化、または情報提供は、蛍光透視法を使用することもできる。加えて、Ｘ線コンプトン散乱Ｘ線視覚化、画像化、または情報提供はしばしば、従来のＸ線画像化ほど強力ではないＸ線信号を利用する可能性がある。というのは、前者の光子は個体８２の少なくとも一部を通過する必要はないからである。
【０３３８】
特定の実施形態のコンプトン散乱Ｘ線視覚化装置、画像化装置、または情報プロバイダ１００はしたがって、時間的／位置的・反映、リアルタイムまたはリアルタイムに近い形で、または制御可能で繰返し可能なまたは非繰返し可能な方法で行うことができる、表面１６８内の切除を検査または観察する機構を提供する。特定の実施形態のコンプトン散乱Ｘ線視覚化、画像化、または情報提供時間（持続時間）は、ユーザからの入力、コンプトン散乱Ｘ線視覚化、画像化、または情報提供詳細などの要因に少なくとも部分的に基づいて、制御または調節することができる。特定の実施形態のコンプトン散乱Ｘ線視覚化装置、画像化装置、または情報プロバイダ１００の他の操作特性は、本開示で記載するように、特定の実施形態の視覚化、画像化、または情報提供コントローラ９７によって調節および／または制御することができる。
【０３３９】
本開示で記載するように、少なくとも１つのエミッタ部１５０、少なくとも１つの検出器部１５２、および／または少なくとも１つのディスプレイ部１５４を含む記載は、元々例示的なものであり、範囲を限定することを意図したものではないことを理解されたい。本開示に記載したものからの装置１５０、１５１、１５２、および／または１５４の変更および／または変化は、添付の特許請求の範囲内にあり、本開示の意図した範囲内にある。
【０３４０】
このように、特定の実施形態のコンプトン散乱Ｘ線視覚化装置、画像化装置、または情報プロバイダ１００は、これらを使用する医師、歯科医などが、個体８２の少なくとも一部の部位の表面下視覚化、画像化、および／または情報提供を観察することができるように構成することができる。コンプトン散乱Ｘ線視覚化、画像化、または情報提供、および／または部位の特定の詳細は、ある実施形態のコンプトン散乱Ｘ線視覚化装置、画像化装置、または情報プロバイダ１００によって変わることができる。例えば、特定のコンプトン散乱Ｘ線視覚化、画像化、または情報提供は、彼らが見ている場所、彼らが見たいと望む場所、または別の方法では、視覚化、画像化、または情報提供を行うようにコンプトン散乱Ｘ線視覚化装置、画像化装置、または情報プロバイダ１００を方向付ける場所に、対応することができる。特定の実施形態のコンプトン散乱Ｘ線視覚化装置、画像化装置、または情報プロバイダ１００は、コンプトン散乱Ｘ線視覚化装置、画像化装置、または情報プロバイダに特に関連する人のグループに、視覚、画像、および／または提供情報を示すことができる。
【０３４１】
蛍光透視法、および従来の透過性Ｘ線技術を含む、個体８２の少なくとも一部を通して透過される従来のＸ線では、電磁放射が、少なくともその一部の物質の部分を通して印加されるようにＸ線光子が十分なエネルギー・レベルおよび／または周波数で印加されるように、Ｘ線は印加されるように構成することができる。コンプトン散乱Ｘ線から得られるＸ線光子は、従来は、従来の蛍光透視ベースの画像モダリティでは利用されていない。このように、特定の実施形態のコンプトン散乱Ｘ線視覚化装置、画像化装置、または情報プロバイダ１００では、印加されるＸ線ビーム１２０は単独に印可される必要はないが、個体８２の少なくとも一部に加えられている、ある割合（少数の）電磁放射を示すことができる。
【０３４２】
特定の実施形態のコンプトン散乱Ｘ線視覚化装置、画像化装置、または情報プロバイダ１００は、個体８２の少なくとも一部内から後方散乱または後方反射しなくてもよい、コンプトン散乱Ｘ線を利用することができる。代わりに、特定の実施形態のコンプトン散乱Ｘ線視覚化装置、画像化装置、または情報プロバイダ１００は、個体８２の少なくとも一部内で、記載したように、個体８２の少なくとも一部を通して少なくとも部分的に通過することができ、いくらかが偏向または前方散乱する。「コンプトン散乱」情報として検出されるＸ線ベース電磁放射はしたがって、個体８２の少なくとも一部から少なくとも部分的に後方散乱、前方散乱、反射することができる、またはこれによって少なくとも部分的に偏向させることができる。特定の実施形態の、コンプトン散乱Ｘ線視覚化装置、画像化装置、または情報プロバイダ１００からの印加されるＸ線は、個体８２の少なくとも一部の物質の表面に対して、様々な角度で（個体８２の少なくとも一部の接触表面１６８と垂直から、ほぼ平行まで）加えることができる。
【０３４３】
視覚化すること、画像化すること、または情報は、これに限らないが、外部モニタ、頭部取付ディスプレイ、立体鏡投影、視野装置装置（scope device）（すなわち、内視鏡など）を含むことができる、様々なディスプレイ部手段によって、外科医、獣医、歯科医、研究者などの使用者に示すことができる。スコープ・ベースのエミッタ部１５０など、特定の実施形態のコンプトン散乱Ｘ線視覚化装置、画像化装置、または情報プロバイダ１００の特定の部分は、別の実施形態のコンプトン散乱Ｘ線視覚化装置、画像化装置、または情報プロバイダからの少なくとも部分的に内部ベースまたは外部ベース検出器部１５２と組み合わせて使用することができる。
【０３４４】
特定の実施形態のコンプトン散乱Ｘ線視覚化装置、画像化装置、または情報プロバイダ１００は、様々な制御可能および／または調節可能な深度に対して視覚化、画像化、および／または情報提供を行うように使用可能または調節可能である。例えば、特定の実施形態のコンプトン散乱Ｘ線視覚化装置、画像化装置、または情報プロバイダ１００は、数ミリメートルの深度まで、視覚化、画像化、および／または情報提供を行うように構成することができる。他の実施形態は、十分なエネルギーを有する、または適切なＸ線光子周波数またはエネルギー・レベルのＸ線電磁放射で行われる場合、個体８２の少なくとも一部を通る深度まで視覚化、画像化、および／または情報提供を行うように構成することができる。特定の実施形態のコンプトン散乱Ｘ線視覚化装置、画像化装置、または情報プロバイダ１００のコンプトン散乱Ｘ線視覚化、画像化、または情報提供の深度は、コンプトン散乱視覚、画像を生成するのに使用されるＸ線光子の周波数、エネルギーレベル、または他の特性、個体の物質のタイプ、およびコンプトン散乱Ｘ線視覚、画像、または提供情報を生成するのに加えられた電力の関数とすることができる。
【０３４５】
例えば、ユーザまたはオペレータは、特定の実施形態のコンプトン散乱Ｘ線視覚化装置、画像化装置、または情報プロバイダ１００を利用して、様々な深度で視覚化、画像化、および／または情報提供を行うことができる。様々な深度視覚化、画像化、または情報提供モダリティは、異なる実施形態の深度制御可能なコンプトン散乱Ｘ線視覚化装置、画像化装置、または情報プロバイダ１００に利用することができると考えられる。本開示に記載するように、特定の実施形態のコンプトン散乱Ｘ線視覚化装置、画像化装置、または情報プロバイダ１００では、コンプトン散乱Ｘ線視覚化、画像化、または情報提供は、個体８２の少なくとも一部の制御深度まで、およびこれを含む、表面１６８から視覚化、画像化、および／または情報提供を行うことができる。
【０３４６】
特定の実施形態のロボットまたは自動システムは、多種多様な自動化されたまたはロボット利用の装置が、視覚化すること、画像化すること、および／または提供される情報に少なくとも部分的に応じて動作することを可能にするように、特定の実施形態のコンプトン散乱Ｘ線視覚化装置、画像化装置、または情報プロバイダ１００を利用することができる。例えば、特定の実施形態のコンプトン散乱Ｘ線視覚化装置、画像化装置、または情報プロバイダは、黒色腫などの疑わしい領域に対して個体の少なくとも一部を自動的に走査することができ、より念入りに考察されるように、あらゆる疑わしい領域を医者またはオペレータに示すことができる。特定の実施形態のコンプトン散乱Ｘ線視覚化装置、画像化装置、または情報プロバイダ１００は、Ｘ線コンプトン散乱Ｘ線情報に少なくとも部分的に応じて、ロボット装置を制御するように構成することができる。特定の自動装置またはロボット装置は、コンプトン散乱Ｘ線視覚化装置、画像化装置、または情報プロバイダ１００から少なくとも部分的に得られる、視覚化、画像化、または情報提供情報に少なくとも部分的に基づいて、手術、内部処置（例えば、顕微鏡ベースまたはその他）、および／または他の内部手術を可能にするように構成することができると考えることもできる。このような自動またはロボット装置処置は、かなりの精度の保証、および様々な自動または遠隔制御操作を示す。
【０３４７】
様々な実施形態のコンプトン散乱Ｘ線視覚化装置、画像化装置、または情報プロバイダ１００は、コンプトン散乱Ｘ線視覚化、画像化、または情報提供の少なくとも１つの所定の視覚化する、画像化する、または情報を提供する深度までの少なくとも１つの視覚化する、画像化する、または情報を提供する深度範囲内の制御および／または調節を可能にするように構成することができる。特定の実施形態のコンプトン散乱Ｘ線視覚化装置、画像化装置、または情報プロバイダ１００は、外科医、介護者、他の人、機械、ロボットなどのオペレータが、入力を行う、または少なくとも１つの深度調節可能な実施形態のコンプトン散乱Ｘ線視覚化装置、画像化装置、または情報プロバイダ１００での深度を手動で制御および／または調節することを可能にすることができる。特定の深度調節可能な実施形態のコンプトン散乱Ｘ線視覚化装置、画像化装置、または情報プロバイダ１００では、視覚化、画像化、または情報提供されている選択した深度の少なくとも１つを、手動および／または自動のいずれかで、ターゲット化することができる（例えば、Ｘ線ビーム強度、エネルギー・レベル、周波数、または他の特性を調整することによって）。
【０３４８】
個体の少なくとも一部の表面１６８に対して印加されるＸ線を少なくとも部分的に角度付けすることにより、少なくとも１つの所定の視覚化、画像化、または情報提供深度までの少なくとも１つの視覚化、画像化、または情報提供深度範囲内で調節および／または制御を行うこのような技術を使用することができる。コンプトン散乱Ｘ線視覚化装置、画像化装置、または情報プロバイダ１００が、物質の所定の深度を通過するように構成されている場合、印加されるＸ線が表面１６８と接触する角度が大きければ大きいほど、物質内への少なくとも１つの所定の実質的散乱深度までの少なくとも１つの実質的散乱深度範囲の移動距離（travel distance）は小さくなる。
【０３４９】
特定の実施形態のコンプトン散乱Ｘ線視覚化装置、画像化装置、または情報プロバイダ１００によって、少なくとも１つの所定の実質的散乱深度までの少なくとも１つの実質的散乱深度範囲を調節および／または制御するのに使用することができる別の技術は、印加されるＸ線がその間を通過しなければならない、深度等価材料または装置を設けることを含むことができる。例えば、深度等価材料または装置が２ｍｍの等価を示すと仮定する。コンプトン散乱Ｘ線視覚化装置、画像化装置、または情報プロバイダ１００は、５ｍｍで画像化するように構成されていると仮定すると、深度等価材料の画像減算または組合せ効果は、３ｍｍの深度までのコンプトン散乱Ｘ線視覚化、画像化、または情報提供につながる。いくつかの深度等価材料または装置は、少なくとも１つの所定の実質的散乱深度までの所望の実質的散乱深度範囲上での制御および／または調節を可能にするように設けることができる。
【０３５０】
特定の実施形態のコンプトン散乱Ｘ線視覚化装置、画像化装置、または情報プロバイダ１００は、この点より上で記載したものより深い、個体８２の部分の動き（意識的または反射的）を時間的に反映することが可能な方法で、Ｘ線コンプトン散乱Ｘ線情報を得るように構成することができる。例えば、異常物質などについての特定の実施形態は、比較的深い表面下から離れている可能性がある、少なくとも１つの器官、骨、骨部分、血管、毛細血管などを視覚化、画像化、および／または情報提供を行うように構成されることができる。図１に関して記載したように少なくとも１つのエミッタ部１５０によって印加することができ、特定の実施形態の少なくとも１つの検出器部１５２によって受信することができる、Ｘ線ベース電磁放射の特定の運用特性を変えることによって、視覚化する、画像化する、または情報を提供する深さを制御することができる。
【０３５１】
従来のＸ線が、個体の少なくとも一部を完全に通過するＸ線によって画像化することができるとすると、Ｘ線が適切なエネルギー・レベルなどでＸ線光子の適切な周波数で前進するように構成された場合に、コンプトン散乱Ｘ線技術は個体の少なくとも一部内のかなりの深度で視覚化、画像化、および／または情報提供を行うのに使用することができることが理解される。少なくとも部分的な内部器官、骨などのこのようなコンプトン散乱Ｘ線視覚化、画像化、または情報提供は、骨、金属、または他のＸ線拡散物質によって少なくとも部分的に隠されたり、歪まされたり、またはぼんやりとさせられたりすることの無い、一部の内部位置でよりよく行うことができる。特定の実施形態のコンプトン散乱Ｘ線視覚化装置、画像化装置、または情報プロバイダ１００は、コンプトン散乱Ｘ線情報を得ることが視覚的に得られるように構成することができる。
【０３５２】
特定の実施形態のコンプトン散乱Ｘ線視覚化装置、画像化装置、または情報プロバイダ１００は、様々な視野から、視覚化、画像化、および／または情報提供を行うことができる。例えば、特定の実施形態のコンプトン散乱Ｘ線視覚化装置、画像化装置、または情報プロバイダ１００は、異なるタイプのビジョンを提供することができる。特定の実施形態のコンプトン散乱Ｘ線視覚化装置、画像化装置、または情報プロバイダ１００は、ユーザが検出することができるような、ほぼ時間的および／または配置的・反映する条件で深度の視覚化、画像、および／または提供情報を提供する、および／または視覚化する、画像化する、および／または情報を提供するように構成されることができる。
【０３５３】
特定の実施形態のコンプトン散乱Ｘ線視覚化装置、画像化装置、または情報プロバイダ１００は、空間内の絶対位置で深度の視覚化、画像、および／または提供情報を提供する、および／または視覚化する、画像化する、および／または情報を提供することができる。例えば、器官などの特定の骨、関節、部分は、個体８２の少なくとも一部、装置、空間内の位置、建物または部屋などに対して正確な位置に位置づけることができる。位置、状況、または配置のこのような確定は、全地球測位システム（ＧＰＳ）、別の全地球測位プログラムまたは装置、を使用して、または個体の少なくとも一部、またはその位置に対して、座標システムまたは装置を使用して決定することができる。位置または配置に加えて、その位置における器官などの特定の骨、関節、部分の状態の指標があってもよい。このような位置情報が得られると、特定の実施形態のコンプトン散乱Ｘ線視覚化装置、画像化装置、または情報プロバイダ１００は、追加のまたは代替の視覚化、画像化、または情報提供モダリティ、他のアプリケーション、他のマップなどを使用して提供できるような、深度視覚化、画像、および／または提供情報の少なくとも一部を、利用したり、移植したり、生成したりすることができる。
【０３５４】
優れた分解能を提供するように構成された特定の実施形態のコンプトン散乱Ｘ線視覚化装置、画像化装置、または情報プロバイダ１００は、Ｘ線コンプトン散乱Ｘ線技術に基づき、１００ミクロンより優れた分解能（resolution）を提供することが可能であるべきである。本開示に記載したように、ストリーク・カメラ、ピクセル・ストリーク・カメラ、ＣＣＤ、アバランシェ検出器、他の検出器タイプの装置を使用して、極めて優れた分解能および精度を提供することができる。このような分解能では、特定の実施形態のコンプトン散乱Ｘ線視覚化装置、画像化装置、または情報プロバイダを使用して、位置情報を正確および確実に決定することができる。多数の画像化および／または視覚化モダリティのこのような組合せにより、例えば、他のソースから既に導き出した画像情報を入力することによって、特定の実施形態のコンプトン散乱Ｘ線視覚化装置、画像化装置、または情報プロバイダ１００により必要な深度を視覚化する、画像化する、または情報を提供する計算を制限することができる。
【０３５５】
特定の実施形態のコンプトン散乱Ｘ線視覚化装置、画像化装置、または情報プロバイダ１００はしたがって、他の従来のおよび／または画像のモダリティとのＸ線コンプトン散乱Ｘ線視覚化、画像化、または情報提供の組合せを重ねることができる。例えば、ＭＲＩは、特定の実施形態のコンプトン散乱Ｘ線視覚化装置、画像化装置、または情報プロバイダ１００の上に重ね合わせることができる。ＭＲＩは、普通極めて正確であり、医療分野においてかなりの視覚、画像、および／または提供情報を提供すると理解されており、かなり高価であるので、ＭＲＩは、Ｘ線と組み合わせて使用することができる追加の画像モダリティの優れた例を提供する。このように、特定の実施形態のコンプトン散乱Ｘ線視覚化装置、画像化装置、または情報プロバイダ１００は、時間的／位置的・反映のコンプトン散乱Ｘ線を視覚化する、画像化する、または情報を提供すること、およびその画像化された部位内の最近得られたＭＲＩまたは他の画像モダリティの画像（二次元または三次元）と一致させるのに利用される様々な位置技術を獲得する、あるいは得ることができる。例えば、特定の基準は、特定の実施形態のコンプトン散乱Ｘ線視覚化装置、画像化装置、または情報プロバイダ１００に対して位置情報を提供することができるように、ＭＲＩ（または、他の画像モダリティ）に対しても位置情報を提供することができる。
【０３５６】
このように、ＭＲＩに対して位置情報を提供することができる基準の位置を使用して、ＭＲＩおよび／または表面下コンプトン散乱Ｘ線を同一場所に配置することができる。特定の実施形態のコンプトン散乱Ｘ線視覚化装置、画像化装置、または情報プロバイダ１００では、Ｘ線表面下コンプトン散乱Ｘ線深度視覚、画像、または提供情報がＭＲＩ深度視覚、画像、または提供情報などの他の画像モダリティに対して配置されると、ＭＲＩに関する深度視覚、画像、または提供情報は、特定の実施形態のコンプトン散乱Ｘ線視覚化装置、画像化装置、または情報プロバイダ１００によってインポート、利用、および／または表示することができる。特定の基準は内因的であり（血管内の血液）、その他の基準は外因的であってもよい（皮膚内に移植されたビードなど）。
【０３５７】
特定の実施形態のコンプトン散乱Ｘ線視覚化装置、画像化装置、または情報プロバイダ１００は、個体の少なくとも一部内のより深くに配置された視覚化する、画像化する、または情報を提供する部位内に境界が定められた細かい構造をもたらすことができるように、より高いエネルギーを入力することを可能にすることができる。視覚化、画像化、または情報提供のこのような制御または調節は、より大きな割合のＸ線ベース電磁放射（例えば、光子）が、個体の少なくとも一部内でより深い部位に前進し、散乱し、および再び外部に飛び出し検出されるように、エミッタ部１５０によって印可することに帰着する。特定の実施形態のコンプトン散乱Ｘ線視覚化装置、画像化装置、または情報プロバイダ１００は、特定の実施形態では、より深い物質、骨、または器官などをコンプトン散乱Ｘ線視覚化、画像化、または情報提供を行う場合に特に、それを用いて特定の実施形態が変化され、調整され、または制御されることができる、Ｘ線ベース電磁放射のかなりの量の調節、制御、および／またはシフトを行うことができる。
【０３５８】
特定の実施形態のコンプトン散乱Ｘ線視覚化装置、画像化装置、または情報プロバイダ１００は、したがって、物質、組織内に埋め込まれた異常物質、骨、器官などの１つまたは複数に関する比較的詳細な視覚、画像、および／または提供情報を提供する際に有用である。かなりの数の従来の画像モダリティは、このような分解能での個体の身体内の物質の少なくとも一部をコンプトン散乱Ｘ線視覚化、画像化、または情報提供を行うのに有用である可能性がある。
【０３５９】
特定の実施形態のコンプトン散乱Ｘ線視覚化装置、画像化装置、または情報プロバイダ１００はしたがって、時間的／位置的・反映ベースで、特定の例では、様々な制御可能な深度で、コンプトン散乱Ｘ線に関連するある程度の定量化、自動観察、および／またはフィードバックを行うことができる。特定の例では、コンプトン散乱Ｘ線視覚化、画像化、または情報提供は、低い待ち時間で修正可能な（生体内）物質を通して行うことができる。個体の身体内への過剰な電磁放射（例えば、Ｘ線）の透過を制限するように選択された強度および波長を有する、選択された電磁特性を照明することがそれによってＸ線被曝量を制限する。
【０３６０】
特定の実施形態のコンプトン散乱Ｘ線視覚化装置、画像化装置、または情報プロバイダ１００は、個体８２の少なくとも一部の表面１６８にわたって（または、部位を通して）走査するように構成することができる。比較として、特定の実施形態のコンプトン散乱Ｘ線視覚化装置、画像化装置、または情報プロバイダ１００は、少なくとも１つの視覚、少なくとも１つの画像、および／または少なくとも１つの提供情報をほぼ同時に捕捉するように構成することができる。画像モダリティのコンプトン散乱Ｘ線視覚化装置、画像化装置、または情報プロバイダ１００の特定の特性は、元々例示的なものであり、範囲を限定することを意図したものではない。
【０３６１】
特定の実施形態のコンプトン散乱Ｘ線視覚化装置、画像化装置、または情報プロバイダ１００の少なくとも一部は、図２３に関して記載するように、内視鏡などの視野装置（scope）を備えることができる。本開示内では、「内視鏡」という用語はコンテクストによって、これに限らないが、胃腸管、気道、尿路、雌生殖器系などを含むことができる、少なくとも部分的に開いている管の１つまたは複数に対して少なくとも部分的に内部的または外部的に適用することができる、様々なスコープのことを言うことができる。管に対するこのような視覚化、画像化、または情報提供は、これに限らないが、健康検査、調査、または医療の目的、ガンまたは腫瘍のスクリーニング、けが、疾病、または病気、生殖状態などを含む、様々な目的で行うことができる。例えば、特定の実施形態のコンプトン散乱Ｘ線視覚化装置、画像化装置、または情報プロバイダは、図１に関して記載した適当な構成部品を有することができる、気管内管（ＥＴ）、または他の管として構成することができる。特定の実施形態の内視鏡は、小さな切開部などにより、個体の普通は閉じている管腔、空洞、または部分内に適用することができる。特定の実施形態のコンプトン散乱Ｘ線視覚化装置、画像化装置、または情報プロバイダ１００を使用して、例えば、このような小さな切開を、例えば、置くことができるかどうかを決定することができる。
【０３６２】
特定の実施形態の内視鏡ベースの実施形態のコンプトン散乱Ｘ線視覚化装置、画像化装置、または情報プロバイダ１００は、これに限らないが、剛性または可撓性管１１０２、光運搬システム１１０４、およびコンプトン散乱Ｘ線視覚化装置、画像化装置、または情報プロバイダ構成部品を備えることができる。例えば、特定の内視鏡ベースの実施形態のコンプトン散乱Ｘ線視覚化装置、画像化装置、または情報プロバイダ１００は、図１に関して記載したように、０、１、または複数のエミッタ部１５０、０、１、または複数のコンプトン散乱Ｘ線受信アセンブリ１５１、０、１または複数の検出器部１５２、および／または０、１、または複数のディスプレイ部１５４を備えることができる。視野装置（scope）ベースの実施形態のコンプトン散乱Ｘ線視覚化装置、画像化装置、または情報プロバイダに配置されない、コンプトン散乱Ｘ線視覚化装置、画像化装置、または情報プロバイダ１００の他の構成部品は、他の関連する実施形態のコンプトン散乱Ｘ線視覚化装置、画像化装置、または情報プロバイダに含めることができる。
【０３６３】
図３４から図３７は、個体８２の少なくとも一部に対する、コンプトン散乱Ｘ線視覚化装置、画像化装置、または情報プロバイダ１００の特定の構成部品の４つの実施形態を示している。特定の実施形態のコンプトン散乱Ｘ線視覚化装置、画像化装置、または情報プロバイダ１００は、本開示に記載するように、少なくとも１つの検出器部１５２および少なくとも１つのディスプレイ部などの、関連装置間のデータ転送を行うように有線ベースまたは無線通信のいずれかを利用することができる。加えて、特定のネットワーク、計算、画像化、および他のよく知られている技術を使用して、本開示に記載するように、特定の実施形態のコンプトン散乱Ｘ線視覚化装置、画像化装置、または情報プロバイダ１００を容易にすることができる。
【０３６４】
図３４から図３７に関して本開示で記載したように、コンプトン散乱Ｘ線視覚化装置、画像化装置、または情報プロバイダ１００の特定の実施形態、構成、および／または部分は、少なくとも部分的に外部装置として構成することができ、その他の実施形態は少なくとも部分的に内部装置（および／またはその組合せ）として構成することができる。図３４は、少なくとも１つのエミッタ部１５０が個体８２の少なくとも一部に対して少なくとも部分的に外部的に配置され、コンプトン散乱Ｘ線受信アセンブリ１５１の少なくとも一部が個体の少なくとも一部に対して少なくとも部分的に外部的に配置された、コンプトン散乱Ｘ線視覚化装置、画像化装置、または情報プロバイダ１００の一実施形態を示している。
【０３６５】
図３５は、少なくとも１つのエミッタ部１５０が個体８２の少なくとも一部に対して少なくとも部分的に内部的に配置され、コンプトン散乱Ｘ線受信アセンブリ１５１の少なくとも一部が個体の少なくとも一部に対して少なくとも部分的に外部的に配置された、図１に関して記載したような、コンプトン散乱Ｘ線視覚化装置、画像化装置、または情報プロバイダ１００の一実施形態を示している。
【０３６６】
図３６は、少なくとも１つのエミッタ部１５０が個体８２の少なくとも一部に対して少なくとも部分的に外部的に配置され、コンプトン散乱Ｘ線受信アセンブリ１５１の少なくとも一部が個体の少なくとも一部に対して少なくとも部分的に内部的に配置された、図１に関して記載したような、コンプトン散乱Ｘ線視覚化装置、画像化装置、または情報プロバイダ１００の一実施形態を示している。例えば、図３５に示すように、少なくとも１つのコンプトン散乱Ｘ線受信アセンブリ１５１の特定の部分（例えば、おそらく図１の検出器部１５２に対応する）は、少なくとも部分的に内部的に適用することができ、少なくとも１つのコンプトン散乱Ｘ線受信アセンブリ１５１の別の部分（例えば、おそらく図１のディスプレイ部１５４に対応する）は、少なくとも部分的に外部的に適用することができる。特定の実施形態の無線、有線ベース、データ転送、画像転送、または他の同様の機構により、少なくとも１つのコンプトン散乱Ｘ線受信アセンブリ１５１の内部と外部の間の通信を可能にすることができる。
【０３６７】
図３７は、少なくとも１つのエミッタ部１５０が個体８２の少なくとも一部に対して少なくとも部分的に内部的に配置され、コンプトン散乱Ｘ線受信アセンブリ１５１の少なくとも一部が個体の少なくとも一部に対して少なくとも部分的に内部的に配置された、図１に関して記載したような、コンプトン散乱Ｘ線視覚化装置、画像化装置、または情報プロバイダ１００の一実施形態を示している。例えば、図３７に示すように、少なくとも１つのコンプトン散乱Ｘ線受信アセンブリ１５１の特定の部分（例えば、おそらく図１の検出器部１５２に対応する）は、少なくとも部分的に内部的に適用することができ、少なくとも１つのコンプトン散乱Ｘ線受信アセンブリ１５１の別の部分（例えば、おそらく図１のディスプレイ部１５４に対応する）は、少なくとも部分的に外部的に適用することができる。特定の実施形態の無線、有線ベース、データ転送、画像転送、または他の同様の機構により、少なくとも１つのコンプトン散乱Ｘ線受信アセンブリ１５１の内部と外部の間の通信を可能にすることができる。
【０３６８】
ユーザにあるタイプの感触または触覚感覚を「伝送」するなど、触覚フィードバックを利用することができる、様々な実施形態のコンプトン散乱Ｘ線視覚化装置、画像化装置、または情報プロバイダ１００がある。このような触覚フィードバック実施形態のコンプトン散乱Ｘ線視覚化装置、画像化装置、または情報プロバイダ１００は、例えば、図２３、図３９に関して、および他の位置で、本開示で記載したように、器具の一実施形態として考えることができる。例えば、特定の実施形態のコンプトン散乱Ｘ線視覚化装置、画像化装置、または情報プロバイダ１００は、ガンになっていないかどうかに関する指標を提供するように少なくともいくつかの結節を医師などのオペレータが「感じる」ことを可能にすることができる。視覚と触覚の間の相互関係の重要性は、多くの医療分野において十分認識されている。例えば、医者、獣医、歯科医、助手、研究者などはしばしば、個体の少なくとも一部を触るのと見るのを組み合わせた分析を行う。
【０３６９】
本開示に記載するような特定の実施形態のコンプトン散乱Ｘ線視覚化装置、画像化装置、または情報プロバイダ１００はしたがって、画像化、視覚化、および／または情報提供の形でかなりの視覚（少なくとも部分的に内部的および／または少なくとも部分的に外部的に）を提供する。特定の実施形態のコンプトン散乱Ｘ線視覚化装置、画像化装置、または情報プロバイダ１００によって提供されうるようなこのような「視覚」は、特定の実施形態の触覚フィードバック機構によって与えることができる「触覚」と組み合わせることができる。このような実施形態の触覚フィードバック機構は、それぞれの当技術分野において普通に理解されるような、様々な自動、触覚フィードバック、ロボットなどの構成部品および機構を備えることができ、本開示にはより詳細には記載しない。特定の実施形態の触覚フィードバック機構は、特定のコンプトン散乱Ｘ線視覚化装置、画像化装置、または情報プロバイダ１００が個体に対して少なくとも部分的に内部的に適用されており、それによって、ユーザは内部位置を常には見ることができない場合に特に有用である。このような触覚フィードバック機構は、いくらか限られた触覚および／または視覚での、特定の医者、外科医、獣医、歯科医、助手、研究者などに特に有用である。
【０３７０】
特定の例では、触覚フィードバックは、外科医または医者などの医療ユーザによる診断に部分的に関連させることができる。いくつかの医療診断、検査、治療、および他の実施は、触覚と組み合わせた視覚による。従来の乳ガン検査の間、乳ガン結節を検出するために医師が「感じる」または「触る」ことが、検査および／または診断の重要な部分であることを理解されたい。例えば、肛門科医はしばしば、触るのおよび感じるのに頼ろうとする。というのは、潜在的医療状況または状態を見る可能性が限られていることがあるからである。このように、触覚能力を備えた特定の実施形態のコンプトン散乱Ｘ線視覚化装置、画像化装置、または情報プロバイダを設けることは、診断または治療の段階において特に重要である。例えば、特定の医師は、ガン、腫瘍、または周囲の物質、結節、器官、組織、脂肪、筋肉、または他の物質と比べて比較的固い可能性のあるものに対して、より直接見つけるまたは触覚的に「感じる」ことがでる。歯科ユーザでは、触覚フィードバックは、歯科用ドリルまたはピックなどと合わせて利用することができ、それによってコンプトン散乱Ｘ線視覚化装置、画像化装置、または情報プロバイダ１００は、穿孔中などに、虫歯の程度および／または領域を示すように使用することができる。多くのタイプのユーザが同様に、特定の実施形態のコンプトン散乱Ｘ線視覚化装置、画像化装置、または情報プロバイダ１００による特定の器具によって与えられる触覚フィードバックから利益を得ることができることを理解されたい。
【０３７１】
特定の実施形態のコンプトン散乱Ｘ線視覚化装置、画像化装置、または情報プロバイダ１００は、様々なタイプの触覚フィードバックを行うように構成することができる。触覚フィードバックは、鉄またはカルシウム濃度、または他の物質の濃度などの、物質の固さまたは柔らかさに基づくことができる。触覚フィードバック・システムは、ユーザへのある程度の触覚出力として表示および／または提供することができるように、触覚システムから器具に戻るある態様の触覚性（例えば、物質が固い、柔らかい、弾力性があるなど）を示す信号を供給する必要がある。特定の実施形態の器具は、人と同様の方法でフィードバック情報を「感じる」ことができないことがあり、これにより、特定の触覚出力情報は、画像またはデータの形で少なくとも１つの視覚、画像、および／または提供される情報から戻されることができる。このように、特定の実施形態のコンプトン散乱Ｘ線視覚化装置、画像化装置、または情報プロバイダのユーザは、視覚的および／または触覚的のいずれかでフィードバックを受けることができる。
【０３７２】
加えて、特定のタイプの器具は、ユーザ入力に基づいて作動するように構成することができる。このような器具は、内視鏡、または別の方法では、カッタ、ガンマ・ナイフ、外科用メス、分離器、触覚フィードバック・プロバイダ、切除器、外科用吸引器などいくつかの専用タイプの器具として構成することができる。ユーザ入力に基づく器具の少なくとも一部のこのような作動は、ロボット工学、遠隔制御、増幅、および／または自動化の種類と考えることができる。特定の実施形態のコンプトン散乱Ｘ線視覚化装置、画像化装置、または情報プロバイダ１００は、器官を正確に検出し、切開を行い、物質を切り取り、物質を切除し、物質内などの部位に関して視覚化、画像化、および／または情報提供を行うように、制御（例えば、ロボット手術）、および画像処理を可能にするように構成することができる。
【０３７３】
特定の実施形態の触覚フィードバックは、内視鏡内などで、コンプトン散乱Ｘ線視覚化装置、画像化装置、または情報プロバイダ１００自体のプローブまたは他の部分に、設けることができる。より大きい触覚フィードバックは、外科医に対して特定の手術技術を、歯科医に対して特定の歯科技術を、獣医に対して特定の獣医技術などを、向上させることができる。特定の実施形態のコンプトン散乱Ｘ線視覚化装置、画像化装置、または情報プロバイダ１００は、Ｘ線コンプトン散乱Ｘ線情報に少なくとも部分的に応じて、人によって検出することができる触覚反応を生成するように構成することができる。特定の実施形態のコンプトン散乱Ｘ線視覚化装置、画像化装置、または情報プロバイダ１００は、器官を突きとめ、知覚された位置にあるかどうかを確認するのに低侵襲性であるように構成することができる。特定の実施形態のコンプトン散乱Ｘ線視覚化装置、画像化装置、または情報プロバイダ１００は、外科医などが、患者内の「キー孔」または切開部を使用して、より複雑な手術を行うなど、視覚化および／または操作することを可能にする。
【０３７４】
触覚フィードバックを備えた、特定の実施形態のコンプトン散乱Ｘ線視覚化装置、画像化装置、または情報プロバイダ１００は、個体の少なくとも一部に対して少なくとも部分的に外部的な位置から視覚化、画像化、および／または情報提供を行うように構成することができる。触覚フィードバックを備えた、特定の実施形態のコンプトン散乱Ｘ線視覚化装置、画像化装置、または情報プロバイダは、個体の少なくとも一部に対して少なくとも部分的に内部的な位置から（内視鏡などの普通は開いている位置、または切開部などの普通は閉じている位置のいずれかを介して）視覚化、画像化、および／または情報提供を行うように構成することができる。
【０３７５】
特定の実施形態のコンプトン散乱Ｘ線視覚化装置、画像化装置、または情報プロバイダ１００は、したがって、従来のＸ線の範囲の外側で、様々な応用例およびコンプトン散乱Ｘ線視覚化、画像化、または情報提供技術に利用することができる。例えば、特定の実施形態のコンプトン散乱Ｘ線視覚化装置、画像化装置、または情報プロバイダ１００は、その個体のベッド脇に、彼らが見ることができるように、置かれ、その個体の少なくとも一部に対して可視可能にすることができる。特定の実施形態のコンプトン散乱Ｘ線視覚化装置、画像化装置、または情報プロバイダ１００は、例えば、ＭＲＩ、ＣＴなどの場合のように個体の少なくとも一部の身体を囲む必要のない、ＭＲＩの比較的廉価な代替物として利用することができる。特定の実施形態のコンプトン散乱Ｘ線視覚化装置、画像化装置、または情報プロバイダ１００はしたがって、ＭＲＩ、ＣＴなどの画像化技術に対して、特定の応用例で、直接的な置換物として働くことができる。加えて、特定の実施形態のコンプトン散乱Ｘ線視覚化装置、画像化装置、または情報プロバイダ１００は、特定の応用例では、コンプトン散乱Ｘ線視覚化装置、画像化装置、または情報プロバイダのかなりのコントラストにより超音波検査に好ましい。
【０３７６】
本開示に記載するように、特定の実施形態のエミッタ部１５０は、少なくとも部分的に向きを可変可能である。加えて、特定の実施形態の検出器部１５２は、Ｘ線ベースの電磁放射を最もよく受ける方向を制御するように少なくとも部分的に調節可能である。特定の実施形態のコンプトン散乱Ｘ線視覚化装置、画像化装置、または情報プロバイダ１００はしたがって、エミッタ部１５０が検出器部１５２に比較的近接して位置合わせされるように構成することができる。同様に、特定の実施形態のコンプトン散乱Ｘ線視覚化装置、画像化装置、または情報プロバイダ１００は、エミッタ部１５０が検出器部１５２と近接位置合わせするように移動して、特定の実施形態では、特定のディスプレイ技術では普通に知られているように、走査を利用する部位に関して視覚化、画像化、および／または情報提供を行うのに利用することができるような、いつものパターン（standing pattern）を作り出すように構成することができる。このような走査実施形態のコンプトン散乱Ｘ線視覚化装置、画像化装置、または情報プロバイダ１００を利用することによって、比較的優れた品質のコンプトン散乱Ｘ線視覚化、画像化、または情報提供を行うことができる。加えて、本開示に記載するように、比較的高いパワーのＸ線に対して少なくとも一部の個体の被曝に制限するのに有用である可能性があるように、（他の医療用画像モダリティと比べて）比較的低いパワーが必要になる可能性がある。
【０３７７】
特定の実施形態のコンプトン散乱Ｘ線視覚化装置、画像化装置、または情報プロバイダ１００は、マクロ状態に対応するパターンへの状態の変化に対応する、パターンの傾向を識別するように構成することができる。視覚化、画像化、または情報提供を行ったパターンを状態、疾病などを示すと認知されたパターンと比較することにより、これらのパターンは、特定の状態を示すターゲットに相関させることができる。この情報、データ、パターンなどは、データベース内に維持することができ、情報のパターンは、状態、疾病などの予知のために使用することができる。コンプトンＸ線散乱Ｘ線からの散乱Ｘ線によって受ける、またはそれから処理されることができるような、情報、データ、パターンなどの使用はしたがって、様々な目的に対して極めて有用である可能性がある。
【０３７８】
特定の実施形態のコンプトン散乱Ｘ線視覚化装置、画像化装置、または情報プロバイダ１００は、新しいスライス情報およびより高分解能情報の選択した部分を使用して、元の視覚化、画像、または提供情報と比べて、複合の視覚化、画像、およびまたは提供情報（高い分解能を有する）を生成するように構成することができる。また、これを生成することは、物質変形モデリングに応答することである場合がある。特定の実施形態のコンプトン散乱Ｘ線視覚化装置、画像化装置、または情報プロバイダ１００は、自動的に得ることができないが、機能的には得ることができる情報を考慮するように構成することができる。（情報を表示する代わりにまたはそれに加えて、生体状態に相関させる、または状態を変更する。複数の位置から状態を変更する。）
【０３７９】
特定の実施形態のコンプトン散乱Ｘ線視覚化装置、画像化装置、または情報プロバイダ１００は、器具（手術、検査、位置決め、視野装置タイプ、触覚フィードバック・プロバイダ、内腔など）と一体化された、少なくとも１つのエミッタ部１５０および少なくとも１つの検出器部１５２などで構成することができる。特定の実施形態では、コンプトン散乱Ｘ線視覚化装置、画像化装置、または情報プロバイダ１００は、器具に対して近接センサ機能を提供することができる。例えば、少なくとも１つのエミッタ部１５０は、検査されている、または器具が位置決めされている深度に基づき、所望の周波数および／またはエネルギー・レベルで（ほぼ４πまたは２πステラジアンで）放出するような寸法にすることができ、検出器部はピクセル化Ｘ線検出器部からなるアレー、アバランシェ検出器のアレー、ＣＣＤアレーなどとすることができる。Ｘ線検出器の例としては、これに限らないが、ピクセル・ストリーク・カメラ、ストリーク・カメラ、ＣＣＤ装置、アバランシェ検出器、または他の装置を挙げることができる。特定の実施形態でのコンプトン散乱Ｘ線視覚化装置、画像化装置、または情報プロバイダ１００では、エミッタ部はビームを生成することができ、ここで検出器はピクセル化されたアレーではない（例えば、Ｋｕｌｉｋｏｖレンズ、および／またはＢｒａｇｇレンズを含む）。特定の実施形態でのコンプトン散乱Ｘ線視覚化装置、画像化装置、または情報プロバイダ１００は、器具の遠位端のエミッタ部と、適切なコンプトン散乱Ｘ線視覚化、画像化、または情報提供を行うのに望ましい方法で、近接して、またはかなりの距離だけ離れた、検出器部を備えることができる。特定の実施形態でコンプトン散乱Ｘ線視覚化装置、画像化装置、または情報プロバイダ１００は、器具上に位置決めされる、これに一体化される、あるいは取り付けられる（例えば、プローブまたはカッタの先端上、はさみの少なくとも１つの先端上、鉗子の上、針の上などに置かれる）場合に特に有用である。図３９は例えば、一実施形態のコンプトン散乱Ｘ線視覚化装置、画像化装置、または情報プロバイダ１００を含む、器具（手術用ナイフ）の一実施形態を示している。本開示の目的では、図２３に関して記載したような特定の内視鏡は、特定の実施形態のコンプトン散乱Ｘ線視覚化装置、画像化装置、または情報プロバイダ１００を備えることができる器具と考えることができる。特定の実施形態の器具は、また、本開示内では、別の実施形態の器具として考えることができる、少なくともある程度の触覚フィードバックを与える触覚フィードバック機構、に取り付けることができる。したがって、特定の実施形態のコンプトン散乱Ｘ線視覚化装置、画像化装置、または情報プロバイダ１００を、手術用器具、触覚フィードバックプロバイダなどの様々な器具の動作表面上に、これに近接して、または観察可能性を提供するように位置決めすることが望ましい。このような実施形態のコンプトン散乱Ｘ線視覚化装置、画像化装置、または情報プロバイダ１００はしたがって、器具の視点（viewpoint）から、視覚化する、画像化する、または情報を提供することができる。
【０３８０】
個体内に位置決めすることができるような移植片、構成物、ピン、ねじなどは、特定の実施形態のコンプトン散乱Ｘ線視覚化装置、画像化装置、または情報プロバイダ１００を備えることができる、器具の一実施形態として考えることができる。加えて、特定の移植片、構成物、ピン、ねじなどは、特定の実施形態のコンプトン散乱Ｘ線視覚化装置、画像化装置、または情報プロバイダ１００を備える器具として観察されることができる。特定の実施形態のコンプトン散乱Ｘ線視覚化装置、画像化装置、または情報プロバイダ１００は、外科医などのユーザが、椎弓根ねじ（pedicle screw）を配置している場合に、外科医が外部に置くと、それらが神経根に接触する可能性があるので、椎弓根内に留まっていることが非常に望ましいという、追加の利点を提供することができる。このように、特定の実施形態のコンプトン散乱Ｘ線視覚化装置、画像化装置、または情報プロバイダ１００は、椎弓根ガイドとして働くことができる。特定の実施形態のコンプトン散乱Ｘ線視覚化装置、画像化装置、または情報プロバイダ１００は、したがって、特定の実施形態の深度視覚化、画像化、または情報提供コントローラ９７を利用することができる警告システムと組み合わせて考えることができる。特定の実施形態の深度視覚化、画像化、または情報提供コントローラ９７は、データまたは情報として、患者情報、けが、疾病、ユーザ（医者、歯科医、獣医など）などの様々な個体情報が望ましくない位置に器具を位置決めしているまたはいくつかの望ましくない処置（例えば、患者の身体の誤った側部で）を行っているかどうか、などの情報を含むことができ、この場合、適切な警告を適切なイベントにおいて作動させることができる。
【０３８１】
特定の実施形態のコンプトン散乱Ｘ線視覚化装置、画像化装置、または情報プロバイダ１００はしたがって、手術用器具として構成することができ、その詳細は近接センサとして働くように構成することができ、他からの出力は表示することができる。エミッタ部１５０および／またはコンプトン散乱Ｘ線受信アセンブリ１５１は、手術用器具および／または触覚フィードバック・プロバイダと一体化させることができると考えられる。特定の実施形態のコンプトン散乱Ｘ線視覚化装置、画像化装置、または情報プロバイダ１００は、１回、多数回画像化するように構成することができる、または走査を行うようにいくつかのまたは少なくとも１つの変位可能なエミッタ部を備えることができる。特定の例では、個体の少なくとも一部に対して位置決めされている手術用器具は、Ｘ線ベースの電磁放射のコンプトン散乱Ｘ線に少なくとも部分的に応じて、深度視覚、画像、または提供情報を導き出すために使用される、個体に対する少なくとも一部の少なくとも１つの物質内で制御可能な深度まで画像化するのに適したＸ線ベースの電磁放射を放出するように構成することができる。検出器部はまた、運用可能な手術用器具および／または触覚フィードバック・プロバイダと一体化することができ、また位置合わせ可能であり、および／または制御可能である。特定の実施形態のエミッタ部は、視野装置（scope）を含むことができるが、少なくとも部分的に外部的に配置することもできる。特定の少なくとも部分的に内部的な実施形態は、個体の少なくとも一部の少なくとも１つの物質などの中でコンプトン散乱された、少なくとも１つのコンプトン散乱Ｘ線を受けるように、挿入部を通して、または個体の少なくとも一部に対して少なくとも部分的に利用される普通は開いている開口部を介して、挿入することができる。
【０３８２】
特定の実施形態の視覚化、画像化、または情報提供コントローラ９７は、図１に関して、および本開示を通して他の場所で記載したように、コンプトン散乱Ｘ線視覚化装置、画像化装置、または情報プロバイダ１００のディスプレイ部１５４の上に表示することができる、深度の視覚化または画像を生成するように特に構成されている。比較として、図３８に記載するような、特定の実施形態の視覚化、画像化、または情報提供コントローラ９７は、ユーザおよび／または個体（人間）によって観察することができる、特定の実施形態のコンプトン散乱Ｘ線視覚化装置、画像化装置、または情報プロバイダ１００の上に表示することができる情報を生成するように構成することができる。例えば、ガン（例えば、乳ガン、黒色腫）、腫瘍、血管は位置（おそらく、インスリン注射を行う糖尿病患者）、心臓状態、骨断片または部分（特定の運動などで特に有用である）、火傷患者検査、および／または様々な緊急、救急、医療、および従来の画像化機器からの遠隔位置で自らを検査したいと望む個人が出会う可能性が高い、様々な緊急または状況などの態様に対して個体を走査することができる実施形態のコンプトン散乱Ｘ線視覚化装置、画像化装置、または情報プロバイダ１００を考慮されたい。
【０３８３】
特定の実施形態のコンプトン散乱Ｘ線視覚化装置、画像化装置、または情報プロバイダは、より低い電力要求および従来の画像化装置を、これらが、透過Ｘ線ではなくＸ線のコンプトン散乱Ｘ線に依存するので、利用することができる（すなわち、前者は、後者のように個体内での散乱する代わりに、個体の画像部分を通してＸ線光子を通過させるように十分なエネルギーをＸ線光子に与える必要がある）。コンプトン散乱Ｘ線深度および視覚化装置、画像化装置、または情報プロバイダ１００の普通の運用には少ないエネルギーしか必要ないので、したがって、低減された入力電圧で動作するように構成することができる。特定の実施形態のコンプトン散乱Ｘ線視覚化装置、画像化装置、または情報プロバイダ１００は、診療所、家庭、オフィス、車両などの電力供給を使用するようにすることは実現可能であり、それによって、従来の画像化機器よりはるかに持ち運び可能にすることができる。
【０３８４】
特定の実施形態のコンプトン散乱Ｘ線視覚化装置、画像化装置、または情報プロバイダ１００が従来の画像化システムと比べて、比較的低い電力を使用して動作することを可能にすることによって、この視覚化、画像化、および／または情報提供システムを、洗練された電子インフラから離れた領域で利用することができる可能性が高い。このように、特定の実施形態のコンプトン散乱Ｘ線視覚化装置、画像化装置、または情報プロバイダ１００は、遠隔医療施設、または地域、運動イベント、オフィス位置、比較的貧しいまたは遠隔地域、村、島などに適用することができる。特定の実施形態のコンプトン散乱Ｘ線視覚化装置、画像化装置、または情報プロバイダ１００はしたがって、比較的大きな電力供給または複雑または高価な画像化機器を配置できる場合と比べて、医療、歯科、救急、緊急、または他の需要があるところ（例えば、病人、けが人、または検査されるその他の個体がいるところ）に配置することができる。
【０３８５】
このように、特定の持ち運び可能な実施形態のコンプトン散乱Ｘ線視覚化装置、画像化装置、または情報プロバイダ１００の少なくとも一部は、燃料電池、電池、発電機などの持ち運び可能なエネルギー供給装置を利用することができる。特定の実施形態のコンプトン散乱Ｘ線視覚化装置、画像化装置、または情報プロバイダ１００による比較的低い電力の使用によって可能になるような、幅広い範囲の持ち運び可能なエネルギー源を可能にすることによって、比較的持ち運び可能な実施形態の視覚化、画像化、または情報提供解決法を提供することができる。
【０３８６】
このように、特定のユーザ運用実施形態のコンプトン散乱Ｘ線視覚化装置、画像化装置、または情報プロバイダ１００は、個体の少なくとも一部を視覚化、画像化、および／または情報提供を行うように、または個体に関する情報を受けるように、ユーザの特定の位置（例えば、医院、手術室、緊急センタ、救急車両、救急車、歯科医院、獣医、車両、個人の家またはオフィス、遠隔村など）で使用するように構成することができ、そこでの使用に適したように設計される。特定の個人運用（individual-operated）、家庭ベース、オフィス・ベース、または他の遠隔実施形態のコンプトン散乱Ｘ線視覚化装置、画像化装置、または情報プロバイダ１００は、個体の少なくとも一部を視覚化、画像化、および／または情報提供を行うように、または個体に関する情報を受けるように、家庭版として、ユーザ（個体である可能性もある）によって使用することができる、家庭、オフィス、またはユーザの他の位置で使用するように構成することができ、そこでの使用に適したように設計さる。異なるユーザ運用または個人運用実施形態のコンプトン散乱Ｘ線視覚化装置、画像化装置、または情報プロバイダ１００はそれぞれ、様々な機能および／またはオペレーションを有することができる。
【０３８７】
プライバシーの問題、および医者を訪問する患者の所要時間などを考慮すると、個体運用の実施形態のコンプトン散乱Ｘ線視覚化装置、画像化装置、または情報プロバイダ１００は、人、および他の個体が、自分の状態の様々なアスペクト（様相）を監視することが可能なように構成することができる。プライバシー、柔軟性、独立性、および家庭での妊娠検査が女性に対して行われる他の利点を考慮されたい。特定の実施形態のコンプトン散乱Ｘ線視覚化装置、画像化装置、または情報プロバイダ１００は、様々な他の状態、疾病、けが、病気、および他の状態、医療、および／または日常検査態様に関する、深度視覚、画像、および／または関連する情報を提供するように構成することができる。特定の実施形態のコンプトン散乱Ｘ線視覚化装置、画像化装置、または情報プロバイダ１００は、さらに、Ｘ線放射線制限、ユーザ入力、人間工学、画質、および他のこのような要因に少なくとも部分的に基づいて設計することができ、使用およびフィードバック検討材料に基づいて、必要に応じて更新、改良、および変更することができる。
【０３８８】
特定の個体運用の実施形態のコンプトン散乱Ｘ線視覚化装置、画像化装置、または情報プロバイダ１００は、１つだけの、または比較的少ない専用作業（devoted task）（例えば、ガンまたは腫瘍スキャン、血管ロケータ、骨断片検出器など）に専念するように構成することができる。いくつかの特定の作業に専念させることによって、これらの専用実施形態の個体運用の実施形態のコンプトン散乱Ｘ線視覚化装置、画像化装置、または情報プロバイダ１００は、個体、および／またはこれを使用している他の人に対して、比較的安価に、また比較的簡単にすることができる。患者、家族、友人などが普通に、画像化システムなどの訓練および／または経験が比較的ほとんどないことを予期されることを考慮すると、このような実施形態は、比較的少ない訓練で比較的簡単に理解されるべきである。
【０３８９】
特定の実施形態のコンプトン散乱Ｘ線視覚化装置、画像化装置、または情報プロバイダ１００を従来の画像化機器に適用することによって、特定の専用作業、論理、コンピュータ・プログラミング、電子回路、および／または他の処理回路は、ＭＲＩおよびＣＡＴスキャン装置などの、特定の比較的高価で多用途の従来の画像化機器と比べて、比較的明確な分析、決定、診断などを行うことができる。このように、特定の例示的な実施形態のコンプトン散乱Ｘ線視覚化装置、画像化装置、または情報プロバイダ１００は、黒色腫、ガン、腫瘍、骨状態、組織状態、組織状態、靭帯または腱状態などの状態、疾病、またはけがを検査することなどの特定のいくつかの専用作業に対して構成することができる。特定の実施形態のコンプトン散乱Ｘ線視覚化装置、画像化装置、または情報プロバイダ１００は、例えば、起こった場合にこのような異常に対して個体の部位を走査するように設計することができる。
【０３９０】
それにより、特定の実施形態の視覚化、画像化、または情報提供コントローラ９７は、例えば状態がさらなる検査を必要とするような限界内に入るかどうかを論理的に（本開示で記載するような、ハードウェア、ソフトウェア、ファームウェアの組合せを使用して）決定するように構成することができる。特定の実施形態のコンプトン散乱Ｘ線視覚化装置、画像化装置、または情報プロバイダ１００は、画像化および／または視覚化の形での出力でこのような専用作業を行うように構成することができる。特定の実施形態のこれらの専用装置は、より適切およびより安価に、訓練されたおよび／または訓練されていないユーザ両方に対するかなり役に立つ可能性がある、非画像ベース・モード（例えば、テキスト、グラフィックス、分析出力など）でのいくつかの分析および処理から少なくとも部分的に得られる、様々な情報の１つまたは複数を出力することができる。
【０３９１】
個体の少なくとも一部の少なくとも一部の物質内の、所定の実質的な散乱深度までの実質的な散乱深度範囲内に対して視覚化、画像化、または情報提供を行うことができる、特定の実施形態のコンプトン散乱Ｘ線視覚化装置、画像化装置、または情報プロバイダ１００について、様々な技術が存在する。例えば、これらの技術の詳細を図４０および図４１に図示する。
【０３９２】
図４０は、例えば、それぞれの散乱Ｘ線１２２ｍ、１２２ｎ、および１２２ｏを提供するように、異なるそれぞれの所定の実質的な散乱深度１６８、１７０ａ、１７０ｂにあるそれぞれの散乱イベントでそれぞれ散乱する、いくつかの印加されるＸ線１２０ｍ、１２０ｎ、および１２０ｏを印加することによって、個体の少なくとも一部の少なくとも一部の物質内の、所定の実質的な散乱深度１６８、１７０ａ、１７０ｂまでの実質的な散乱深度範囲内に対して視覚化、画像化、または情報提供を行うことができる、コンプトン散乱Ｘ線視覚化装置、画像化装置、または情報プロバイダ１００の一実施形態を示している。いくつかの印加されるＸ線１２０ｍ、１２０ｎ、および１２０ｏが図では異なる角度で（異なる角度での多数のエミッタ部から、またはいくつかのコリメータを通した単一のエミッタ部から）印加されているが、これらの印加されるＸ線１２０ｍ、１２０ｎ、および１２０ｏは、アレーから提供されるように、互いに平行にまたは間隔を置いて加えることができることを理解すべきである。それぞれの散乱Ｘ線１２２ｍ、１２２ｎ、および１２２ｏは、特定の実施形態のコンプトン散乱Ｘ線受信アセンブリ１５１によって検出することができる。
【０３９３】
図４１は例えば、それぞれの散乱Ｘ線１２２ｐ、１２２ｑ、および１２２ｒを提供するように、異なるそれぞれの実質的な散乱深度１６８、１７０ａ、１７０ｂにあるそれぞれの散乱イベントでそれぞれ散乱する、単一の印加されるＸ線１２０ｐを加える少なくとも１つのエミッタ部１５０によって、個体の少なくとも一部の少なくとも一部の物質内の、所定の実質的な散乱深度１６８、１７０ａ、１７０ｂに対する実質的な散乱深度範囲内に対して視覚化、画像化、または情報提供を行うことができる、コンプトン散乱Ｘ線視覚化装置、画像化装置、または情報プロバイダ１００の一実施形態を示している。それぞれの散乱Ｘ線１２２ｐ、１２２ｑ、および１２２ｒは、特定の実施形態のコンプトン散乱Ｘ線受信アセンブリ１５１によって検出することができる。
【０３９４】
特定の特性の電磁波、電流、流れ、場など（Ｘ線、Ｘ線光子、電子などを含む）は、非特許文献３（本発明に全体を参照として援用する）に記載されている。電磁波、粒子、場、電流などとして幅広く特徴付けることができる特定のタイプのＸ線は、電気エンジニアリングおよび／または電磁機学の当業者によって普通に理解されるように、特定の遮蔽、成形、および／または電磁石コントローラ技術を利用して、制御、調節、変化、脆弱化、強化、案内などすることができる。特定の実施形態のコンプトン散乱Ｘ線視覚化装置、画像化装置、または情報プロバイダ１００は、コンプトン散乱Ｘ線視覚化、画像化、または情報提供に対して、Ｘ線、電磁信号、粒子、波などを利用することができる。
【０３９５】
２．制御可能および／または調節可能な実施形態のコンプトン散乱Ｘ線視覚化装置、画像化装置、または情報プロバイダ
図１に関して記載したように、特定の実施形態のコンプトン散乱Ｘ線視覚化装置、画像化装置、または情報プロバイダ１００は、個体の少なくとも一部の表面の下の物質に向かって、印加されるＸ線１２０を案内することができる。印加されるＸ線は、本開示に記載するように、コンプトン散乱Ｘ線アスペクトおよび方程式に基づいて、個体の少なくとも一部の物質によって散乱させられることになる。コンプトン散乱の量に基づいて、散乱イベント中のＸ線光子のエネルギーレベル損失、および他のこのような散乱特性は、コンプトン散乱Ｘ線視覚化、画像化、または情報提供中に考慮することができる。特定の例では、個体の物質に加えられているＸ線光子のエネルギー・レベルは、図４２から図４５に関して本開示で記載するように、増加、減少、変更、維持などさせることができる。特定の実施形態のコンプトン散乱Ｘ線視覚化装置、画像化装置、または情報プロバイダ１００はしたがって、印加されるＸ線内に含まれるＸ線光子のエネルギー・レベルの増加、減少、変更、または維持（したがって、逆にＸ線光子の周波数の減少）、およびそれによってコンプトン散乱Ｘ線視覚化装置、画像化装置、または情報プロバイダの動作の制御および／または調節に少なくとも部分的に基づいて、特定の物質に対して視覚化、画像化、または情報提供を行うことができる。Ｘ線光子のエネルギー・レベルがそれぞれ増減すると、かなり大部分の光子の少なくとも１つの所定の視覚化する、画像化する、または情報を提供深する度までの少なくとも１つの視覚化、画像化、または情報提供深度範囲は、それにより概ね、それぞれ、概して直線的ではない態様で、増減することができる。
【０３９６】
図４２〜図４５に関して記載するようなコンプトン散乱Ｘ線視覚化装置、画像化装置、または情報プロバイダ１００の実施形態は、その出力が追加の装置によって制御される少なくとも１つのエミッタ部１５０を図示しており、実際は、個別の追加の装置は、その少なくとも１つのエミッタ部の不可欠の部分として考えることができる。このように、特定の実施形態の少なくとも１つのエミッタ部は、個体の少なくとも部分の少なくとも一部の物質に向かって、調節可能および／または制御可能なＸ線を加えるように構成されていると考えることができる。
【０３９７】
上に記載したように、印加されるＸ線１２０に含まれるＸ線光子のエネルギー・レベル、周波数、または他の特性を制御および／または調節する、視覚化、画像化、または情報提供コントローラ９７の動作に、主に基づいて、特定の実施形態のコンプトン散乱Ｘ線視覚化装置、画像化装置、または情報プロバイダ１００を調節および／または制御するように使用することができる様々な機構がある。特定の実施形態のコンプトン散乱Ｘ線視覚化装置、画像化装置、または情報プロバイダ１００のこのような深度を視覚化する、画像化する、または情報を提供することを制御および／または調節するように利用することができる他の機構がある。
【０３９８】
個体の少なくとも一部の物質内へのコンプトン散乱Ｘ線視覚化、画像化、または情報提供の特性の変更、制御、調節などは必ずしも、印加されるＸ線を作るＸ線光子の大きなエネルギー・レベルに対する直線関数に従う必要はない。加えて、このような個体の物質は均質ではないので、コンプトン散乱Ｘ線視覚化、画像化、または情報提供の速度は、画像化されている個体内の材料の関数として変化することになる。例えば、少なくとも部分的に骨を通して画像化を行うように構成することができる特定の実施形態のコンプトン散乱Ｘ線視覚化装置、画像化装置、または情報プロバイダ１００は、組織、血液または水などの流体、腫瘍、歯茎、様々な器官などのあまり濃密でない物質に必要な画像化特性と比べて、かなり異なる（例えば、異なる、大きい可能性がある、光子のエネルギー・レベルを必要とする）ことが予期される。このように、特定の実施形態のコンプトン散乱Ｘ線視覚化装置、画像化装置、または情報プロバイダ１００は、本開示で記載するような様々な技術を使用することなどによって、少なくとも１つの所定の視覚化、画像化、または情報提供深度までの特定の少なくとも１つの視覚化する、画像化する、または情報を提供する深度範囲を調節および／または制御するように構成することができる。
【０３９９】
図４２は、陽極切換または変更機構（例えば、図８または図９に関して記載するように、調節可能な陽極ホイール、または様々な光子発生器を含むような）が、陽極８３４の物理的変更または変化を可能にする、制御または調節機構３０２の別の実施形態を示している。特定の実施形態の陽極８３４は、図８または図９に関して記載されている。例えば、陽極ホイールは図８に関して記載されて、図４２に関して記載されている。陽極ホイールは、電子流と接続されている陽極の変化を可能にし、それによって印加されるＸ線１２０に対する様々なエネルギー・レベル（例えば、Ｘ線光子の周波数）を提供するように、異なる材料、構成、および／または寸法などを有することができる異なる陽極を位置合わせするように、回転させる（例えば、ステップまたはモータなどを使用して）ことができる。特定の実施形態の陽極ホイール４２０２は、必要に応じて、エミッタ部内の所望の材料、寸法、形状、構成などの少なくとも１つの陽極８３４を動作可能に位置決めするように、ステッパ・モータまたは他の適切なアクチュエータを使用することなどによって、軸４２０４周りで回転または変位させることができる。図８に関して記載したように、エミッタ部内に所望の特性を有する陽極を位置決めすることにより、所望の特性（例えば、Ｘ線光子エネルギー・レベル、およびそれに応じた周波数）を有する印加されるＸ線を効果的に発生させることができる。加えて、図９に関して記載するような特定の実施形態の光子発生器８８０は、特定の実施形態のコンプトン散乱Ｘ線視覚化装置、画像化装置、または情報プロバイダ１００を制御および／または調節するのに使用することができるように、様々な強度および／または周波数を有するＸ線光子を提供するように構成することができる。例えば、図９に関して記載したような光子発生器は多数の個別の光子発生器を備えることができ、それぞれ、所望のＸ線光子周波数および／またはエネルギー・レベル特性を有する制御可能および／または調節可能な種類の印加されるＸ線１２０を提供するように個別に作動させることができる。
【０４００】
図４３は、印加されるＸ線１２０の角度を個体８２の少なくとも一部の表面１６８に対して角度付けすることによって調節または制御することができる、いくつかの実施形態のコンプトン散乱Ｘ線視覚化装置、画像化装置、または情報プロバイダによって利用することができる、一実施形態の制御または調節機構３０２を含む、コンプトン散乱Ｘ線視覚化装置、画像化装置、または情報プロバイダ１００の別の実施形態を示している。印加されるＸ線１２０の角度が変化すると、少なくとも１つの所定の視覚化する、画像化する、または情報を提供する深度までの少なくとも１つの視覚化、画像化、または情報提供深度範囲は、角度の余弦関数として変化することができる。このように、印加されるＸ線の角度を大きくすることにより、したがって、少なくとも１つの所定の視覚化する、画像化する、または情報を提供する深度までの少なくとも１つの視覚化する、画像化する、または情報を提供する深度範囲を、予測可能、調節可能、および／または制御可能な方法で小さくすることができる。
【０４０１】
図４４は、少なくとも１つの所定の実質的散乱深度までの少なくとも１つの実質的散乱深度範囲を制限して、個体の少なくとも一部に加えられているＸ線光子のエネルギー・レベルを小さくするように、Ｘ線を深度画像化する深度の減少機構をエミッタ部１５０と個体の少なくとも一部の表面（または、いくつかの他の位置）の間に動作可能に加えることができる、別の実施形態の制御または調節機構３０２を含む、コンプトン散乱Ｘ線視覚化装置、画像化装置、または情報プロバイダ１００の別の実施形態を示している。普通は、印加されるＸ線１２０が個体の少なくとも一部の物質を通して前進すると考えると、普通はエネルギーを失う。このように、Ｘ線を深度画像化する深度の減少機構は、個体の少なくとも一部に印加される前に、印加されるＸ線のＸ線光子のエネルギー・レベルを同様に小さくすることができる、任意の装置または機構で構成することができる。図４４に示すような特定の実施形態の調節または制御機構４４は、Ｘ線エネルギー・レベルまたは周波数の変調器または変更器を備えることができる。
【０４０２】
このように、個体の少なくとも一部の物質内に入ることができる、少なくとも１つの所定の実質的散乱深度１２０までの少なくとも１つの実質的散乱深度範囲内の少なくとも１つの実効的な実質的散乱は、、小さくすることが可能な、特定の実施形態のＸ線を深度画像化する深度の減少機構を最初に通過することによって小さくすることができる。ある実施形態の制御または調節機構３０２に対する特定のＸ線の深度画像化する深度の減少機構は、印加されるＸ線１２０内に含まれるＸ線光子のエネルギー・レベルおよび／または周波数を効果的に小さくすることができる。Ｘ線周波数を変調することができる少なくとも１つの半導体装置または他の機構に対して、Ｘ線光子のエネルギーを少なくとも部分的に拡散させる材料の層を配置した、様々なＸ線を深度画像化する深度の減少機構はそれによってエネルギーなどを小さくすることができる。
【０４０３】
図４５は、少なくとも他の周波数のＸ線を通過させることを可能にしながら、少なくとも特定の周波数Ｘ線を除去するように、様々なフィルタが印加されるＸ線に適用される、調節可能または制御可能な機構３０２の別の実施形態を示している。特定の実施形態のエミッタ部１５０はしたがって、相異なる周波数を有する、Ｘ線光子をそれぞれ発生することができる、多数のＸ線発生器、多数の陽極、または多数の装置を備えることができる。別の方法では、特定の実施形態のエミッタ部１５０は、ある範囲の周波数を有するＸ線を含む広帯域Ｘ線を発生することができ、その特定のものだけがフィルタ実施形態の調節または制御機構３０２を通過するのが可能になる。例えば、図４５は、印加されるＸ線１２０ｙおよび１２０ｚに対応する周波数を有するＸ線光子の通過能力を制限しながら、印加されるＸ線１２０ｘに対応する周波数を有するＸ線光子を通過させることを可能にする、フィルタリング実施形態の調節または制御機構３０２を示している。
【０４０４】
したがって、Ｘ線光子のエネルギー・レベルを制御または調節することができる、様々なタイプの調節または制御機構３０２を備えることができる、様々な実施形態のコンプトン散乱Ｘ線視覚化装置、画像化装置、または情報プロバイダ１００の様々な構成がある。特定の実施形態の少なくとも１つのエミッタ部１５０および／または少なくとも１つのコンプトン散乱Ｘ線受信アセンブリ１５１は、アレーの形で、または僅かに異なる複数の動作特性を有することによって、構成することができる。したがって、少なくとも１つのエミッタ部１５０および／またはコンプトン散乱Ｘ線受信アセンブリ１５１の１つまたは複数は、視覚化、画像化、または情報提供モダリティの制御および／または調節を可能にするなどのために、特性、位置、角度などによって、作動および／または停止させることができる。
【０４０５】
加えて、特定の実施形態のコンプトン散乱Ｘ線受信アセンブリ１５１は、特定の散乱Ｘ線を受けるためだけに、案内、位置決め、角度付け、フィルタリング、あるいは動作させることができる。これらの実施形態のコンプトン散乱Ｘ線視覚化装置、画像化装置、または情報プロバイダ１００は図示しないが、特定の実施形態の調節または制御機構３０２はいくつかの中央位置またはどこかで、少なくとも１つのコンプトン散乱Ｘ線受信アセンブリ１５１に対して、少なくとも１つのエミッタ部１５０に対して配置することができることを理解されたい。特定の実施形態の調節または制御機構３０２は、特定の実施形態のコンプトン散乱Ｘ線受信アセンブリ１５１によって受信される特定の散乱Ｘ線を考慮するためなど、ソフトウェア、ハードウェア、ファームウェア、および／またはプロセッサ・インテンシブであってもよい。
【０４０６】
図４２から図４５に関して記載したような、様々な例示的な実施形態の調節または制御機構３０２は、元々、例示的なものであって、範囲を限定することを意図したものではない。個体の少なくとも一部の少なくとも一部の物質に印加されるＸ線のＸ線光子の周波数（および対応するエネルギー・レベル）の様々な技術のいずれも、本開示の範囲内で、別の実施形態の調節または制御機構として考えることができる。
【０４０７】
加えて、特定の実施形態の調節または制御機構は、個体の少なくとも一部の物質内での散乱イベントから散乱されている散乱Ｘ線１２２のＸ線光子をそれぞれ調節または制御するように、印加することができる。散乱Ｘ線の特定のＸ線光子周波数またはエネルギー・レベルのフィルタリング、相互関連、制御、または選択的監視などの様々なこのような調節または制御技術がある。
【０４０８】
印加されるＸ線が、その特定のまたは瞬間の視覚化、画像化、または情報提供期間で、少なくとも１つの所定の実質的な散乱深度までの少なくとも１つの実質的な散乱深度範囲内で散乱することができる、個体の物質内に印可される際における、増加（ramping）、減少、変更、維持などによって変更されている印加されるＸ線についてのいくつかのＸ線光子が存在することになる。特定の実施形態のコンプトン散乱Ｘ線視覚化装置、画像化装置、または情報プロバイダ１００は、少なくとも１つの所定の実質的な散乱深度までの少なくとも１つの実質的な散乱深度範囲より大きい深度から戻っている、コンプトン散乱Ｘ線１２０のＸ線光子の影響を制限するように構成することができる。加えて、コンプトン散乱Ｘ線１２０のこれらのＸ線光子の深度視覚化する、画像化する、または情報を提供することの影響は、コンプトン散乱Ｘ線の視覚化、画像化、または情報提供内に含まれる可能性があり、増加動作中の任意の歪みによる影響とともに、無視され、フィルタリングされ、および／または信号処理技術を使用して、制限される。
【０４０９】
印加されるＸ線のエネルギー・レベルのこのような、増加（increase or ramping）は、調整することができるこれらの実施形態のコンプトン散乱Ｘ線視覚化装置、画像化装置、または情報プロバイダ１００によって行うことができる。増加の速度（例えば、光子エネルギー・レベルの速度）はしたがって、手動で、または視覚化する、画像化する、または情報を提供するコントローラ９７によって、設定または制御することができる。実験は、個体の少なくとも一部の（１つまたは複数の）特定の物質に対する適切な増加速度の指標を規定するのに使用することができる。
【０４１０】
増加関数では、少なくとも１つの所定の実質的散乱深度までの少なくとも１つの実質的散乱深度範囲内で増加を行うことが予測されるような、印加されるＸ線のＸ線光子のエネルギーの各増加は、コンプトン散乱Ｘ線受信アセンブリによって監視することができる。例えば、先ず、特定のパルス信号を加える、飛翔時間計算を利用して、少なくとも１つの所定の実質的散乱深度までの少なくとも１つの実質的散乱深度範囲を割り出すことができる。
【０４１１】
３．特定の実施形態の視覚化、画像化、または情報提供コントローラ
本開示は、個体８２の少なくとも一部のコンプトン散乱Ｘ線視覚化装置、画像化装置、または情報プロバイダ１００によるコンプトン散乱Ｘ線視覚化、画像化、または情報提供を制御および／または調節することを意図した、図１に関して記載したような、視覚化、画像化、または情報提供コントローラ９７のいくつかの実施形態を記載している。このように、特定の実施形態のコンプトン散乱Ｘ線視覚化装置、画像化装置、または情報プロバイダ１００は、視覚化、画像化、または情報提供コントローラ９７からの相互作用なしで、および／またはほとんどなしで動作することができる。比較として、特定の実施形態のコンプトン散乱Ｘ線視覚化装置、画像化装置、または情報プロバイダ１００は、視覚化、画像化、または情報提供コントローラ９７からのかなりの入力を利用することができる、および／またはそこからの入力を全体的に利用することができる。
【０４１２】
特定の実施形態のコンプトン散乱Ｘ線視覚化装置、画像化装置、または情報プロバイダ１００はしたがって、図１に関して記載したような視覚化、画像化、または情報提供コントローラ９７を備えることができ、他の実施形態のコンプトン散乱Ｘ線視覚化装置、画像化装置、または情報プロバイダは、視覚化、画像化、または情報提供コントローラを利用することが含んでいなくてもよい。例えば、特定のシンチレータ・ベースおよび／またはフルオロスコープ・ベースの実施形態のコンプトン散乱Ｘ線視覚化装置、画像化装置、または情報プロバイダは、視覚化、画像化、または情報提供コントローラ９７に大きくよる可能性がある画像処理の必要性を制限することができる、直接コンプトン散乱Ｘ線視覚化、画像化、または情報提供を可能にするように、受けたＸ線ベース光子を直接観察可能および／または可視光子（光電子倍増管またはＣＣＤを使用して増幅させてもしなくてもよい）に変換することができる。比較として、特定の実施形態のコンプトン散乱Ｘ線視覚化装置、画像化装置、または情報プロバイダ１００は深度視覚化、画像化、または情報提供の配置、角度、位置、分解能、Ｘ線周波数、エネルギー・レベル、時間、および他のこのようなコンプトン散乱Ｘ線を視覚化する、画像化する、または情報を提供する関連要因または特性を決定するように、ユーザからの入力を利用することができる。このようなコンプトン散乱Ｘ線視覚化、画像化、または情報提供特性は、特定の実施形態の視覚化、画像化、または情報提供コントローラ９７を使用して、選択、制御、および／または変更することができる。
【０４１３】
特定の実施形態のコンプトン散乱Ｘ線視覚化装置、画像化装置、または情報プロバイダ１００および／または視覚化、画像化、または情報提供コントローラ９７に関連する、一部の深度視覚化、画像化、または情報提供情報、データ、画像、信号などはデジタル・ベースであってもよく、他の実施形態はアナログ・ベースであってもよい。例えば、主としてデジタルおよび／またはマイクロ・プロセッサ・ベースである、視覚化、画像化、または情報提供コントローラ９７を備えた、特定の実施形態のコンプトン散乱Ｘ線視覚化装置、画像化装置、または情報プロバイダ１００は、コンプトン散乱Ｘ線視覚化する、画像化する、または情報を提供することの、概ね自動化された動作を、および／または、コンプトン散乱Ｘ線視覚化装置、画像化装置、または情報プロバイダ１００および／またはコンプトン散乱Ｘ線視覚化装置、画像化装置、または（１つまたは複数の）情報プロバイダ１０４の信号について、概ね自動化された動作を行うことができる。コンプトン散乱Ｘ線視覚化装置、画像化装置、または（１つまたは複数の）情報プロバイダ１０４のいくつかの構成部品は、かなりの電力で信号を発生させることが可能である、アナログおよび／またはデジタル・コントローラおよび／またはコンピュータによることができる。コンプトン散乱Ｘ線視覚化装置、画像化装置、または（１つまたは複数の）情報プロバイダ１０４からの、他のより低い電力信号は、アナログおよび／またはデジタル制御することができる。例えば特定の回路をつけたり消したりするように構成された、特定の視覚化、画像化、または情報提供コントローラ９７は、デジタル・ベースの場合特に効率的および／または効果的である可能性がある。特定の実施形態の視覚化、画像化、または情報提供コントローラ９７は、通常の動作の際、個体の少なくとも一部の深度視覚化、画像化、または情報提供領域によって与えられる可能性があるような、少なくとも一部の歪みを補償するように構成することができる。図１は、コンプトン散乱Ｘ線視覚化装置、画像化装置、または情報プロバイダ内のコンプトン散乱Ｘ線視覚化、画像化、または情報提供、またはいくつかの他の関連動作を制御および／または調節するように、視覚化、画像化、または情報提供コントローラ９７を備えることができる、コンプトン散乱Ｘ線視覚化装置、画像化装置、または情報プロバイダ１００の特定のそれぞれの実施形態のブロック図を示すことができる。
【０４１４】
特定の実施形態のコンプトン散乱Ｘ線視覚化装置、画像化装置、または情報プロバイダ１００は、少なくとも１つの所定の視覚化、画像化、または情報提供深度までの少なくとも１つの視覚化、画像化、または情報提供深度範囲の制御可能または調節可能な深度に対する従来の透過性Ｘ線技術を使用して、画像化を行うのに必要なエネルギー・レベルを有するように構成することができる。特定の例では、エネルギー侵入レベルは、個体８２の少なくとも一部全体を通して従来の透過Ｘ線技術を使用して画像化を行うのに必要なエネルギー侵入レベルより、小さくてもよい（および、特定の例では、かなり小さくてもよい）。小さなＸ線被曝量を使用することによって、特定の実施形態のコンプトン散乱Ｘ線視覚化装置、画像化装置、または情報プロバイダ１００は、より少ない被曝量の適用になる、個体に対するだけでなく１つまたは複数のユーザに対する安全放出放射線レベル内に留まりながら、画像化、視覚化、または情報提供を行うことができる。特定の実施形態の視覚化、画像化、または情報提供コントローラ９７はさらに、個体の少なくとも一部内のＸ線被曝レベル、個体および／または（１つまたは複数の）ユーザによるＸ線被曝レベル、および／または個体および／またはユーザの近くのＸ線レベルなどを監視、変更、調節、または維持するように構成することができる。
【０４１５】
特定の実施形態の視覚化、画像化、または情報提供コントローラ９７は、コンプトン散乱Ｘ線視覚化装置、画像化装置、または情報プロバイダのコンプトン散乱Ｘ線視覚化、画像化、または情報提供動作および／または構成に少なくとも部分的に基づいて、コンプトン散乱Ｘ線視覚化装置、画像化装置、または情報プロバイダ１００の制御および／または調節を行うように構成されている。例えば、ユーザが、角度、位置、Ｘ線光子周波数またはエネルギー・レベル、分解能、少なくとも１つの所定の視覚化する、画像化する、または情報を提供する深度まえでの少なくとも１つの視覚化、画像化、または情報提供深度範囲、または少なくとも１つの他のコンプトン散乱Ｘ線視覚化、画像化、または情報提供パラメータを制御および／または調節したい場合、ユーザは視覚化、画像化、または情報提供コントローラ９７に適切な入力を提供することができる。視覚化、画像化、または情報提供コントローラ９７に対するこのような入力は、特定の実施形態では、例えばグラフィカル・ユーザ・インターフェース（ＧＵＩ）とすることができる入出力インターフェースを介して提供することができる。
【０４１６】
ユーザが、リアル・タイム・ベース、連続ベース、順次ベース、または別の繰返しベースで、個体の一部に関して視覚化、画像化、および／または情報提供を行いたい場合、深度視覚化、画像化、または情報提供のタイプはまた、視覚化、画像化、または情報提供コントローラ９７の入出力インターフェース８１１を使用して選択することができる。特定の実施形態の入出力インターフェース８１１は加えて、コンプトン散乱Ｘ線視覚化装置、画像化装置、または情報プロバイダが、深度視覚化、画像化、または情報提供が不可能である場合などに、深度視覚、画像、および／または提供情報のいくつかのアスペクトについての表示をユーザに対して提供することができ、許容されないＸ線被曝量などにユーザおよび／または個体を曝さない可能性が高い。
【０４１７】
特定の実施形態のコンプトン散乱Ｘ線視覚化装置、画像化装置、または情報プロバイダ１００はしたがって、これに限らないが、様々な構成の視覚化、画像化、または情報提供コントローラ９７を備えることができる。特定の実施形態の視覚化、画像化、または情報提供コントローラ９７はまた、少なくとも部分的にコンピュータ・ベース、コントローラ・ベース、遠隔ベース、携帯電話ベース、および／または電子部品ベースであってもよい。特定の実施形態の視覚化、画像化、または情報提供コントローラは、モジュールにセグメント化することができ、情報、データなどをコンプトン散乱Ｘ線視覚化装置、画像化装置、または情報プロバイダ１００の様々な個別の部分または実施形態に伝送することを可能にする、様々な無線通信および／またはネットワーク技術を利用することができる。特定の実施形態の視覚化、画像化、または情報提供コントローラ９７は、一体化装置、ネットワーク装置、独立型装置、および／またはこれらおよび他の知られているタイプの装置のあらゆる組合せとして構成することができる。
【０４１８】
特定の実施形態の視覚化、画像化、または情報提供コントローラ９７は、その自動化、複雑性、および／または洗練性に合わせて変わることができ、コンプトン散乱Ｘ線視覚化、画像化、または（１つまたは複数の）情報提供動作中に、いくつかの通信装置間で通信を制御、セットアップ、確立、および／または維持するように利用することができる。本開示内で記載するように、異なる実施形態のコンプトン散乱Ｘ線視覚化装置、画像化装置、または情報プロバイダ１００の多数のものは、通信、監視、および／または他の動作に関連する可能性があるように、遠隔位置および／または他の中間装置へまたはそこからの通信に関する情報またはデータを伝送することができる。特定の実施形態のコンプトン散乱Ｘ線視覚化装置、画像化装置、または情報プロバイダ１００は、特定の視覚化モダリティ、画像モダリティ、および／または情報提供モダリティに合わせて変わることができる。
【０４１９】
特定の実施形態の視覚化、画像化、または情報提供コントローラ９７、および（普通は）特定の実施形態のコンプトン散乱Ｘ線視覚化装置、画像化装置、または情報プロバイダ１００は、個別のファームウェア、ハードウェア、および／またはソフトウェア技術を利用することができる。例えば、特定の実施形態のコンプトン散乱Ｘ線視覚化装置、画像化装置、または情報プロバイダ１００は、特定の実施形態の視覚化、画像化、または情報提供コントローラ９７によって利用することができるように、遠隔ベース技術、マイクロ・プロセッサ・ベース技術、マイクロ・コンピュータ・ベース技術、表示技術、画像化技術、汎用コンピュータ技術、特定用途コンピュータ技術、アプリケーション特定集積回路（ＡＳＩＣ）、および／または様々な他のコンピュータ、電子部品、電磁、画像化、視覚化、および／または情報提供技術の１つまたは複数を少なくとも部分的に利用することができる。
【０４２０】
図１に関して記載するような、特定の実施形態の視覚化、画像化、または情報提供コントローラ９７は、コンテクストによって、中央演算処理装置（ＣＰＵ）などのプロセッサ８０３、メモリ８０７、回路または回路部８０９、およびバス（図示せず）を含むことができる入出力インターフェース（Ｉ／Ｏ）８１１を備えることができる。特定の実施形態のコンプトン散乱Ｘ線視覚化装置、画像化装置、または情報プロバイダ１００の視覚化、画像化、または情報提供コントローラ９７は、汎用コンピュータ、特定用途コンピュータ、マイクロ・プロセッサ、マイクロ・コントローラ、携帯情報端末（ＰＤＡ）、携帯電話、無線通信装置、ハードワイヤ通信装置、および／またはハードウェア、ソフトウェア、電気機械装置、および／またはファームウェア内で実施することができる、あらゆる他の知られている適切なタイプの通信装置または電話、コンピュータ、および／またはコントローラを備えることができる、および／またはその一部であってもよい。図１に関して記載したような、特定の実施形態のプロセッサ８０３は、特定の実施形態の、コンプトン散乱Ｘ線視覚化装置、画像化装置、または情報プロバイダ１００の視覚化、画像化、または情報提供コントローラ９７に対する処理および計算動作を行うことができる。特定の実施形態の、プロセッサ８０３は、特定の実施形態のコンプトン散乱Ｘ線視覚化装置、画像化装置、または情報プロバイダ１００の視覚化、画像化、または情報提供コントローラ９７は、特定の実施形態のプロセッサ８０３は、特定の実施形態の、コンプトン散乱Ｘ線視覚化装置、画像化装置、または情報プロバイダ１００の視覚化、画像化、または情報提供コントローラ９７によって調節および／または制御することができるように、信号処理、データベース問合せおよび応答、計算、タイミング、データ伝送、およびコンプトン散乱Ｘ線視覚化、画像化、または情報提供に関連する他のプロセスを制御することができる。
【０４２１】
特定の実施形態の視覚化、画像化、または情報提供コントローラ９７（コンプトン散乱Ｘ線視覚化装置、画像化装置、または情報プロバイダ１００によって試みるまたは行われている、コンプトン散乱Ｘ線視覚化、画像化または情報提供プロセスの一部によって）、プロセッサ８０３によるかなりの画像処理が行われる。特に、比較的大きな領域に関して視覚化、画像化、および／または情報提供を行うことができ、比較的高い分解能に画像化することができ、連続して、順次、および／または繰り返して画像化することができる、これらの実施形態のコンプトン散乱Ｘ線視覚化装置、画像化装置、または情報プロバイダ１００は、大量の画像または画像情報を提供する。このように、特定の実施形態の視覚化、画像化、または情報提供コントローラ９７の構成部品は、表面下コンプトン散乱Ｘ線画像処理が実行される、視覚化、画像、および／または提供される情報のそのタイプの処理を扱うように設計および構成されるべきである。特定のタイプの画像圧縮（例えば、不可逆および／または無損失データ圧縮技術）は、過剰量の冗長データの生成または記憶を制限するように、視覚化、画像化、または情報提供コントローラ９７内で利用することができる。
【０４２２】
特定の実施形態の、視覚化、画像化、または情報提供コントローラ９７のメモリ８０７は、コンピュータ・プログラム、オペランド、および特定の実施形態の、コンプトン散乱Ｘ線視覚化装置、画像化装置、または情報プロバイダ１００の視覚化、画像化、または情報提供コントローラ９７の動作を制御する他のパラメータを共に記憶することができる、ランダム・アクセス・メモリ（ＲＡＭ）および／または読取専用メモリ（ＲＯＭ）を備えることができる。メモリ８０７は、本開示に記載するように、特定の視覚化、画像化、または情報提供コントローラ９７によって得る、保持する、または捕捉することができる、データ、情報、画像、視覚、画像情報などを含むように構成することができる。
【０４２３】
特定の実施形態のバスは、プロセッサ８０３、回路８０９、メモリ８０７、Ｉ／Ｏ８１１、視覚、画像、および／または提供情報メモリまたは記憶装置（一体化されていても取外し可能でもよい）、コンプトン散乱Ｘ線視覚化装置、画像化装置、または（１つまたは複数の）情報プロバイダ１０４内の他の部分、および／またはコンプトン散乱Ｘ線視覚化装置、画像化装置、または（１つまたは複数の）情報プロバイダ１０４の外側の他の部分の間でデジタル情報伝達を行うように構成することができる。本開示では、メモリ８０７は、ＲＡＭ、フラッシュ・メモリ、半導体ベース・メモリ、または深度視覚、画像、および／または提供情報に関するデータを記憶するように構成可能である他のタイプのメモリとして構成することができる。特定の実施形態のバスはまた、コンプトン散乱Ｘ線視覚化装置、画像化装置、または情報プロバイダ１００の他の部分、またはこれに関連する他のシステムおよび／またはネットワーク構成部品からデジタル情報を受けることができる、またはこれに対してデジタル情報を伝達することができる、特定の実施形態の、コンプトン散乱Ｘ線視覚化装置、画像化装置、または情報プロバイダ１００の視覚化、画像化、または情報提供コントローラ９７の部分にＩ／Ｏ８１１を接続することができる。
【０４２４】
図１に関して記載したように、特定の実施形態の、コンプトン散乱Ｘ線視覚化装置、画像化装置、または情報プロバイダ１００の視覚化、画像化、または情報提供コントローラ９７は、特定の実施形態の、コンプトン散乱Ｘ線視覚化装置、画像化装置、または情報プロバイダ１００の視覚化、画像化、または情報提供コントローラ９７の一部として含むことができる、別の、個別の、組み合わせた、および／または関連するトランスミッタ部（図示せず）を備えることができる。特定の実施形態の視覚化、画像化、または情報提供コントローラ９７は、別の方法では、個別のおよび／または組み合わせたユニットとして設けることができる（例えば、特定の実施形態はプロセッサ・ベース、および／または通信技術ベースであってもよい）。
【０４２５】
図１に関して記載したような、特定の実施形態の、コンプトン散乱Ｘ線視覚化装置、画像化装置、または情報プロバイダ１００の視覚化、画像化、または情報提供コントローラ９７は、特定の実施形態の、コンプトン散乱Ｘ線視覚化装置、画像化装置、または情報プロバイダ１００の視覚化、画像化、または情報提供コントローラ９７の一部として含むことができる、または別の方法では個別のまたは組み合わせたユニットして設けることができる、動作変更するまたは制御する部分（図３２に関して記載）を備えることができる。
【０４２６】
特定の実施形態のメモリ８０７は、一例のメモリ記憶部を提供することができる。特定の実施形態では、監視される値としては、これに限らないが、メモリ８０７の割合、メモリ８０７内にあるまたは記憶することができるデータの表示、またはデータ記憶または記録間隔が挙げられる。このようなメモリは、個体、治療、ユーザ、治療または検査機器などに関する情報を含むことができ、また、特定の実施形態のコンプトン散乱Ｘ線視覚化装置、画像化装置、または情報プロバイダ１００によって提供されるような、または別な方法では、組み合わせた画像、視覚、または情報を提供するのに使用することができるような断層撮影の視覚化、画像、または提供情報、ＭＲＩ、ＣＴスキャン、ＰＥＴスキャンなどの別の視覚化、画像、または情報源によって提供することができるような、１つまたは複数の視覚化、画像、または提供情報を含むこともできる。特定の実施形態の、コンプトン散乱Ｘ線視覚化装置、画像化装置、または情報プロバイダ１００の視覚化、画像化、または情報提供コントローラ９７のメモリ８０７に対するオーバーフロー能力を提供するために、二次記憶装置をメモリ８０７に動作可能に結合させて、メモリ８０７内のデータまたは他の情報の監視値が所定の値を超えた場合に、特定の実施形態の、コンプトン散乱Ｘ線視覚化装置、画像化装置、または情報プロバイダ１００の視覚化、画像化、または情報提供コントローラ９７からのメモリ・データの制御可能な伝達を可能にすることができる。所定の値としては、例えば、いくつかの割合値、またはいくつかの実際の値を挙げることができる。
【０４２７】
特定の実施形態では、二次通信リンクを、特定の実施形態の、コンプトン散乱Ｘ線視覚化装置、画像化装置、または情報プロバイダ１００の視覚化、画像化、または情報提供コントローラ９７の間に確立することができる。二次通信リンクは、通信リンクと同様に構成することができる、または別の方法では、特定の実施形態の、コンプトン散乱Ｘ線視覚化装置、画像化装置、または情報プロバイダ１００の視覚化、画像化、または情報提供コントローラ９７の間で情報および／またはデータ伝送を行うように、ネットワークベースコンピュータ接続、インターネット接続などを利用することができる。
【０４２８】
特定の実施形態の、コンプトン散乱Ｘ線視覚化装置、画像化装置、または情報プロバイダ１００の視覚化、画像化、または情報提供コントローラ９７では、特定の実施形態の、コンプトン散乱Ｘ線視覚化装置、画像化装置、または情報プロバイダ１００の視覚化、画像化、または情報提供コントローラ９７の特定の要素（例えば、プロセッサ８０３、メモリ８０７、回路８０９、および／またはＩ／Ｏ８１１）は、指標によって表示されるように生データを変換する監視機能を提供することができる。特定の実施形態の、コンプトン散乱Ｘ線視覚化装置、画像化装置、または情報プロバイダ１００の視覚化、画像化、または情報提供コントローラ９７によって提供されるような監視機能は、メモリ８０７内に含まれるいくつかの深度視覚、画像、および／または提供情報、メモリ８０７内に含まれるデータ量、またはメモリに関するいくつかの他の測定がある値に近づいているかどうかなど、所定の限界と比べることができる。値に対する限界は、異なる実施形態では、特定の実施形態の、コンプトン散乱Ｘ線視覚化装置、画像化装置、または情報プロバイダ１００の視覚化、画像化、または情報提供コントローラ９７のユーザまたは製造者によって制御することができる。特定の実施形態では、メモリ８０７は、データ、情報、表示可能情報、読出可能テキスト、動作深度視覚、画像、および／または提供情報、映像深度視覚、画像、および／または提供情報、および／または音声深度視覚、画像、および／または提供情報などの情報を記憶することができる。
【０４２９】
特定の実施形態では、Ｉ／Ｏ８１１は、特定の実施形態の、コンプトン散乱Ｘ線視覚化装置、画像化装置、または情報プロバイダ１００の視覚化、画像化、または情報提供コントローラ９７の構成部品それぞれの間のデジタル情報の伝達を制御するインターフェースを提供する。Ｉ／Ｏ８１１はまた、特定の実施形態の、コンプトン散乱Ｘ線視覚化装置、画像化装置、または情報プロバイダ１００の視覚化、画像化、または情報提供コントローラ９７の構成部品間にインターフェースを提供する。回路８０９は、ディスプレイおよび／またはキーボードなどの他のユーザ・インターフェース装置を備えることができる。他の実施形態では、コンプトン散乱Ｘ線視覚化装置、画像化装置、または情報プロバイダ１００の視覚化、画像化、または情報提供コントローラ９７は、特定用途向け集積回路（ＡＳＩＣ）、マイクロ・プロセッサ、マイクロ・コンピュータ、または他の同様の装置などの特定用途コンピュータとして構成することができる。
【０４３０】
４．関連するフローチャートでの特定の実施形態のコンプトン散乱Ｘ線深度視覚化装置、画像化装置、または情報プロバイダ
本開示内では、本開示で記載したタイプのフローチャートは、本開示内で記載するように、特定の実施形態のコンプトン散乱Ｘ線深度視覚化装置、画像化装置、または情報プロバイダ１００内に含むことができるなど、コンピュータまたはコントローラによって行われるような方法ステップに当てはまる。加えて、本開示内に記載するようなフローチャートは、本開示で記載するように、特定の実施形態のコンプトン散乱Ｘ線深度視覚化装置、画像化装置、または情報プロバイダ１００などの、機械装置、電気機械装置、などを全体的におよび／または主に利用することによって行うことができる動作または手続に当てはまる。フローチャートは、例えば、その構造がソフトウェア、ファームウェア、電気機械装置、および／またはハードウェアと共に、フローチャートに記載されるプロセスまたは技術を行うことができる、汎用コンピュータまたは専用コンピュータを備えることができる、それに関連するアンテナまたはノードなどの装置に当てはまることができる。
【０４３１】
深度視覚化装置による歪みを補償するように働くことができる特定の実施形態のコンプトン散乱Ｘ線深度視覚化装置、画像化装置、または情報プロバイダ１００は、図１に関して、また本開示内のどこかに記載された。本開示に記載するように、視覚化、画像化、または情報提供などを行うのに使用することができる、コンプトン散乱Ｘ線深度視覚化装置、画像化装置、または情報プロバイダ１００には、様々な実施形態があってよい。様々な実施形態のコンプトン散乱Ｘ線深度視覚化装置、画像化装置、または情報プロバイダ１００があってよい。
【０４３２】
図４６は、これに限らないが、図１および本開示のどこかの、コンプトン散乱Ｘ線視覚化装置、画像化装置、または情報プロバイダ１００に関して記載されたような、コンプトン深度散乱視覚化、画像化、または情報提供技術４６００の特定の実施形態を示している。特定の実施形態の、コンプトン深度散乱視覚化、画像化、または情報提供技術４６００の高レベルフローチャートが、図４６に関して記載されており、これに限らないが、動作４６０２を含むことができる。特定の実施形態の操作４６０２は、これに限らないが、個体の少なくとも一部の少なくとも１つの物質に少なくとも部分的に対応する１組の散乱特性に少なくとも部分的に基づいて、個体の少なくとも一部の少なくとも１つの物質内で散乱した少なくとも１つのコンプトン散乱Ｘ線を受けることに少なくとも部分的に基づいた方法で、個体の少なくとも一部の少なくとも１つの物質内の少なくとも１つの所定の深度までの少なくとも１つの深度範囲を通して、少なくとも１つのコンプトン散乱Ｘ線視覚化、画像化、または情報提供を導き出すことを含むことができる。例えば、本開示を通して記載したような、特定の実施形態のコンプトン散乱Ｘ線視覚化装置、画像化装置、または情報プロバイダ１００は、コンプトン深度散乱に少なくとも部分的に基づいて、スライス内で視覚化、画像化、または情報提供を行うように構成することができる。図４６に関して記載するような、動作、方法、機構などの順序は、元々例示的なものであり、範囲を制限することを意図したものではない。
【０４３３】
１つまたは複数の様々な態様では、関連システムは、これに限らないが、本明細書で参照した方法の態様（method aspects）に影響を与える回路および／またはプログラミングを含み、回路および／またはプログラミングは、システム・デザイナの設計選択によって、本明細書で参照した方法態様に影響を与えるように構成可能であるハードウェア、ソフトウェア、電気機械システム、および／またはファームウェアのほぼあらゆる組合せとすることができる。
【０４３４】
５．結論
本開示は、いくつかの実施形態のコンプトン散乱Ｘ線視覚化装置、画像化装置、または情報プロバイダ１００を提供する。本開示に関して記載したようなコンプトン散乱Ｘ線視覚化装置、画像化装置、または情報プロバイダの実施形態は、元々例示的なものであって、範囲を限定することを意図したものではない。
【０４３５】
様々な態様が、本明細書に記載されている。
【０４３６】
一態様は、個体の少なくとも一部の少なくとも１つの物質に少なくとも部分的に対応する１組の散乱特性に少なくとも部分的に基づいて、対象（例えば、個体）の少なくとも一部の少なくとも１つの物質内で、１つまたは複数の所定の実質的散乱深度までの実質的散乱深度範囲を通して散乱された少なくとも１つのコンプトン散乱Ｘ線を受けるように構成された、少なくとも１つのコンプトン散乱Ｘ線視覚化装置、画像化装置、または情報プロバイダの少なくとも一部と、個体の少なくとも一部の少なくとも１つの物質内への、１つまたは複数の所定の視覚化する、画像化する、または情報を提供する深度までの１つまたは複数の視覚化する、画像化する、または情報を提供する深度範囲を通して、少なくとも１つのコンプトン散乱Ｘ線視覚化する、画像化する、または情報を提供することを行うように構成された、少なくとも１つのコンプトン散乱Ｘ線視覚化装置、画像化装置、または情報プロバイダの少なくとも一部と、を備える装置を提供する。
【０４３７】
一態様は、対象（例えば、個体）の少なくとも一部の少なくとも１つの物質内で散乱する少なくとも１つのコンプトン散乱Ｘ線を形成するように、少なくとも１つの印加されるＸ線の散乱から少なくとも部分的に得られるＸ線光子エネルギー・レベルの損失を検出するように構成された、少なくとも１つのコンプトン散乱Ｘ線視覚化装置、画像化装置、または情報プロバイダの一部と、対象の少なくとも一部の少なくとも１つの物質内に少なくとも１つのコンプトン散乱Ｘ線を形成するように、少なくとも１つの印加されるＸ線の散乱から少なくとも部分的に得られるＸ線光子エネルギーレベルの損失に対応する少なくとも１つの検出表示を生成するように構成された、少なくとも１つのコンプトン散乱Ｘ線視覚化装置、画像化装置、または情報プロバイダの少なくとも一部と、少なくとも１つの検出された指標に少なくとも部分的に応じて、対象の少なくとも一部の少なくとも１つの物質のＸ線ベース特性に少なくとも部分的に対応する、少なくともいくつかの所定の視覚化、画像、または提供される情報を生成するように、少なくとも１つのコンプトン散乱Ｘ線視覚化装置、画像化装置、または情報プロバイダに結合された電気的視覚化する、画像化する、または情報を提供する回路とを備えた装置を提供する。
【０４３８】
一態様は、対象（例えば、個体）の少なくとも一部の少なくとも１つの物質に少なくとも１つの印加されるＸ線を印加するように構成された少なくとも１つのエミッタ部と、対象の少なくとも一部の少なくとも１つの物質に少なくとも部分的に対応する１組の散乱特性に少なくとも部分的に基づいて、対象の少なくとも一部の少なくとも１つの物質内の少なくとも１つの印加されるＸ線の散乱から散乱した少なくとも１つのコンプトン散乱Ｘ線を受けるように構成された少なくとも１つのコンプトン散乱Ｘ線受信アセンブリと、を備えたシステムであって、少なくとも１つのコンプトン散乱Ｘ線受信アセンブリは、対象の少なくとも一部の少なくとも１つの物質内で少なくとも１つの所定の深度に対する少なくとも１つの深度範囲を通して、少なくとも１つのコンプトン散乱Ｘ線視覚化、画像化、または情報提供を行うように構成され。
【０４３９】
一態様は、対象の少なくとも一部の少なくとも１つの物質に少なくとも部分的に対応する１組の散乱特性に少なくとも部分的に基づいて、対象の少なくとも一部の少なくとも１つの物質内で散乱した少なくとも１つのコンプトン散乱Ｘ線を受けることに少なくとも部分的に基づいた方法で、対象（例えば、個体）の少なくとも一部の少なくとも１つの物質内の少なくとも１つの所定の深度にまでの少なくとも１つの深度範囲を通して、少なくとも１つのコンプトン散乱Ｘ線視覚化、画像化、または情報提供を導き出すことを含む方法を提供する。
【０４４０】
一態様は、対象の少なくとも一部の少なくとも１つの物質内に、対象（例えば、個体）の少なくとも一部の少なくとも１つの物質の少なくとも一部外部表面の少なくとも一部を介して印加さるＸ線を印加すること、対象の少なくとも一部の少なくとも１つの物質内でコンプトン散乱されている加えられるＸ線によって少なくとも部分的にコンプトン散乱され、対象の少なくとも一部の少なくとも１つの物質に少なくとも部分的に対応する１組の散乱特性を有する、コンプトン散乱Ｘ線を受けること、およびコンプトン散乱Ｘ線を受けることに少なくとも部分的に応じて、対象の少なくとも一部の少なくとも１つの物質内で、対象の少なくとも一部の少なくとも１つの物質の少なくとも一部外部表面の少なくとも一部から少なくとも１つの所定の深度で、対象の少なくとも一部の少なくとも１つの物質を選択的にコンプトン散乱Ｘ線深度視覚化すること、を含む方法を提供する。
【０４４１】
一態様は、少なくともその一部が、対象の少なくとも一部の少なくとも１つの物質内で散乱される、第１のエネルギー・レベルを有する、印加さるＸ線を、対象（例えば、個体）の少なくとも一部の少なくとも１つの物質に印加すること、印加されるＸ線の少なくとも一部によって散乱され、第２のエネルギー・レベルを有するコンプトン散乱Ｘ線を検出すること、および第１のエネルギー・レベルと第２のエネルギー・レベルの間の差に少なくとも部分的に基づいて、対象の少なくとも一部の少なくとも１つの物質内の加えられるＸ線の少なくとも１つの散乱イベントの位置を幾何的に決定すること、を含む方法を提供する。
【０４４２】
一態様は、対象の少なくとも一部の少なくとも１つの物質に少なくとも部分的に対応する１組の散乱特性に少なくとも部分的に基づいて、対象（例えば、個体）の少なくとも一部の少なくとも１つの物質内の１つまたは複数の所定の実質的散乱深度までの実質的散乱深度範囲を通して散乱された、少なくとも１つのコンプトン散乱Ｘ線を受けるように構成された、少なくとも１つのコンプトン散乱Ｘ線視覚化装置、画像化装置、または情報プロバイダの少なくとも一部と、対象の少なくとも一部の少なくとも１つの物質内の１つまたは複数の所定の視覚化する、画像化する、または情報を提供する深度までの１つまたは複数の視覚化する、画像化する、または情報を提供する深度範囲を通して、少なくとも１つのコンプトン散乱Ｘ線を視覚化する、画像化する、または情報を提供するように構成された、少なくとも１つのコンプトン散乱Ｘ線視覚化装置、画像化装置、または情報プロバイダの少なくとも一部と、に関する。
【０４４３】
当業者は、コンプトン散乱Ｘ線視覚化装置、画像化装置、または情報プロバイダで利用することができるような、システムの態様のコンピュータ、コントローラ、通信、ネットワーク、および他の同様の技術の最新技術は、ハードウェア、ファームウェア、および／またはソフトウェア実施間にほとんど区別がない点まで向上したことを認識するでしょう。ハードウェア、ファームウェア、および／またはソフトウェアの使用はしたがって普通は、費用対効果のトレードオフを示す設計選択を示すことになる（しかし常にではなく、特定のコンテクストでは、ハードウェアとソフトウェアの間の選択が重要になる可能性がある）。当業者は、本明細書に記載したプロセスおよび／またはシステムおよび／または他の技術に影響を与えることができる様々な手段があり（例えば、ハードウェア、ソフトウェア、および／またはファームウェア）、好ましい手段は、プロセスおよび／またはシステムおよび／または他の技術が展開したコンテクストで変わる可能性があることが分かるだろう。例えば、速度および精度が最高であると実施者が決定した場合、コンプトン散乱Ｘ線視覚化装置、画像化装置、または情報プロバイダの実施者および／または設計者は、主にハードウェアおよび／またはファームウェア手段に対して選択することができる。代替実施形態では、柔軟性が最高である場合、実施者および／または設計者は主にソフトウェア実施に対して選択することができる。さらに他の実施形態では、実施者および／または設計者は、ハードウェア、ソフトウェア、および／またはファームウェアのある組合せに対して選択することができる。したがって、本明細書に記載したプロセスおよび／または装置および／または他の技術に影響を与えることができるいくつかの可能な技術があるが、利用されるあらゆる手段が、手段を展開することができるコンテクスト、およびいずれも変わる可能性がある実施者の特定の関心事（例えば、速度、柔軟性、または予測可能性）による選択であるという点において、いずれもその他より本質的に優位ではない。
【０４４４】
前述の詳細な説明は、ブロック図、フローチャート、および／または実施例の使用により、装置および／またはプロセスの様々な実施形態を記載した。このようなブロック図、フローチャート、および／または実施例が、１つまたは複数の機能および／または動作を含む限り、このようなブロック図、フローチャート、または実施例内の各機能および／または動作を、幅広い範囲のハードウェア、ソフトウェア、ファームウェア、またはその実質的にあらゆる組合せによって、個体８２をターゲットとしておよび／または集合的に実施することができることが、当業者に理解されるだろう。特定の実施形態では、本明細書に記載した主題のいくつかの部分は、アプリケーション特定集積回路（ＡＳＩＣ）、フィールド・プログラマブル・ゲート・アレイ（ＦＰＧＡ）、デジタル信号プロセッサ（ＤＳＰ）、または他の一体化フォーマットを介して実施することができる。しかし、当業者は、本明細書に記載した実施形態のいくつかの態様は、全体的にまたは部分的に、１つまたは複数のコンピュータ上で運用される１つまたは複数のコンピュータ・プログラム（例えば、１つまたは複数のコンピュータ・システム上で運用される１つまたは複数のプログラム）として、１つまたは複数のプロセッサ上で運用される１つまたは複数のプログラム（例えば、１つまたは複数のマイクロ・プロセッサ上で運用される１つまたは複数のプログラム）として、ファームウェアとして、またはそのほぼあらゆる組合せとして、標準的な集積回路内で同等に実施することができ、回路の設計および／またはソフトウェアおよび／またはファームウェアに対するコードの書込みは、本開示を鑑みて当技術分野の技術の１つ内に十分入ることが分かるだろう。加えて、当業者は、本明細書に記載された主題の機構は、様々な形のプログラム製品として分配することが可能であり、本明細書に記載した主題の例示的な実施形態は、分配（distribution）を実際に行うのに使用される特定のタイプの信号担持媒体に関わらず、同様に当てはまることが分かるだろう。信号担持媒体の例としては、これに限らないが、フロッピー（登録商標）ディスク、ハードディスク・ドライブ、ＣＤ  ＲＯＭ、デジタル・テープ、およびコンピュータ・メモリなどの記録可能タイプの媒体、ＴＤＭまたはＩＰベース通信リンク（例えば、パケット・リンク）を使用したデジタルおよびアナログ通信リンクなどの伝達タイプ媒体が挙げられる。
【０４４５】
本明細書内で言及した、および／またはあらゆる出願データシートに挙げた、上記米国特許、米国特許出願公開、米国特許出願、外国特許、外国特許出願、および非特許刊行物は全て、全体を本明細書に参照として援用する。
【０４４６】
普通は、図面および添付の特許請求の範囲（および、特に添付の特許請求の範囲の本文で使用されるような）を含む、本開示で使用される用語は普通、「オープンな（広義の）」用語として意図したものであることが当業者には理解されたい。例えば、「含んだ」という用語は、「これに限らないが含んだ」と解釈すべきであり、「有する」という用語は、「少なくとも有する」と解釈すべきであり、「含む」という用語は、「これに限らないが、含む」と解釈すべきである。本開示および添付の特許請求の範囲内では、１つまたは複数の物品、物、および／またはサービスの前に配置された「ａ」、「ｔｈｅ」、および「少なくとも１つの」は、これらの物品、物、および／またはサービス１つまたは複数のいずれかに包括的に当てはまることを意図している。
【０４４７】
さらに、「Ａ、Ｂ、およびＣなどの少なくとも１つ」と同様の関連が使用されるこれらの例では、普通はこのような構成は、当業者が慣習を理解する意味で意図されている（例えば、「Ａ、Ｂ、およびＣなどの少なくとも１つを有するシステム」は、これに限らないが、Ａのみ、Ｂのみ、Ｃのみ、ＡおよびＢを共に、ＡおよびＣを共に、ＢおよびＣを共に、および／またはＡ、ＢおよびＣを共になどを有することができるシステムを含む）。「Ａ、Ｂ、またはＣなどの少なくとも１つ」と同様の慣習が使用される例では、普通はこのような構成は、当業者が慣習を理解する意味で意図されている（例えば、「Ａ、Ｂ、およびＣの少なくとも１つを有するシステム」は、これに限らないが、Ａのみ、Ｂのみ、Ｃのみ、ＡおよびＢを共に、ＡおよびＣを共に、ＢおよびＣを共に、および／またはＡ、ＢおよびＣを共になどを有することができるシステムを含む）。
【０４４８】
当業者は、本明細書に記載した特定の例示的なプロセスおよび／または装置および／または技術は、本明細書と共に提出した特許請求の範囲、および／または本出願のどこかなど、本出願のどこかで教示されているより普通のプロセスおよび／または装置および／または技術を示すことが分かるだろう。
【０４４９】
様々な態様および実施形態を本明細書で開示したが、他の態様および実施形態も当業者には明らかだろう。本明細書に開示した様々な態様および実施形態は、例示する目的であり、限定することを意図したものではなく、その真の範囲および精神は添付の特許請求の範囲によって示されている。
【図面の簡単な説明】
【０４５０】
【図１】コンプトン散乱Ｘ線視覚化装置、画像化装置、または情報プロバイダの一実施形態のブロック図である。
【図２】コンプトン散乱Ｘ線視覚化装置、画像化装置、または情報プロバイダの特定の実施形態によって行うことができるような、Ｘ線光子が散乱される散乱イベントの図である。
【図３】コンプトン散乱Ｘ線視覚化装置、画像化装置、または情報プロバイダの一実施形態の図である。
【図４】コンプトン散乱Ｘ線視覚化装置、画像化装置、または情報プロバイダの別の実施形態の図である。
【図５】コンプトン散乱Ｘ線視覚化装置、画像化装置、または情報プロバイダのさらに別の実施形態の図である。
【図６】コンプトン散乱Ｘ線視覚化装置、画像化装置、またはコリメータを含む情報プロバイダの別の実施形態の図である。
【図７】コンプトン散乱Ｘ線視覚化装置、画像化装置、または走査遮蔽部を含む情報プロバイダの別の実施形態の図である。
【図８】コンプトン散乱Ｘ線視覚化装置、画像化装置、または情報プロバイダの特定の実施形態に含むことができる、少なくとも１つのエミッタ部の一実施形態の図である。
【図９】コンプトン散乱Ｘ線視覚化装置、画像化装置、または情報プロバイダの特定の実施形態に含むことができる、エミッタ部の別の実施形態の図である。
【図１０】他の電磁放射ビームが、印可されるＸ線に印加さる、コンプトン散乱Ｘ線視覚化装置、画像化装置、または情報プロバイダの別の実施形態の図である。
【図１１】コンプトン散乱Ｘ線視覚化装置、画像化装置、またはコリメータまたは走査遮蔽部を含む情報プロバイダの別の実施形態の図である。
【図１２ａ】特定のタイプの容積測定（volumetric）の視覚化、画像化、または情報提供中に発生する可能性のある、コンプトン散乱Ｘ線視覚化装置、画像化装置、または情報プロバイダの特定の実施形態の動作を示す図である。
【図１２ｂ】特定のタイプの容積測定（volumetric）の視覚化、画像化、または情報提供中に発生する可能性のある、コンプトン散乱Ｘ線視覚化装置、画像化装置、または情報プロバイダの特定の実施形態の動作を示す図である。
【図１３】図１２ａおよび１２ｂに関して記載したような、コンプトン散乱Ｘ線視覚化装置、画像化装置、または情報プロバイダの特定の実施形態を使用して発生する可能性がある、視覚化、画像化または情報提供の一実施形態のフローチャートである。
【図１４】少なくとも対象（例えば、個体）の表面からの、視覚化、画像化、および／または情報を提供するように構成された、コンプトン散乱Ｘ線視覚化装置、画像化装置、または情報プロバイダの一実施形態の図である。
【図１５】第１の所定の深度から第２の所定の深度までの容積内で、視覚化する、画像化する、および／または情報を提供するように構成された、コンプトン散乱Ｘ線視覚化装置、画像化装置、または情報プロバイダの一実施形態の図である。
【図１６】コンプトン散乱Ｘ線視覚化装置、画像化装置、または情報プロバイダの別の実施形態を示す図である。
【図１７】コンプトン散乱Ｘ線視覚化装置、画像化装置、または情報プロバイダのさらに別の実施形態を示す図である。
【図１８】コンプトン散乱Ｘ線視覚化装置、画像化装置、または情報プロバイダの一実施形態によって提供される、視覚化されている、画像化されている、または情報提供されている個体（例えば、人間）の少なくとも一部の図である。
【図１９】図１８に関して記載したような、コンプトン散乱Ｘ線視覚化装置、画像化装置、または情報プロバイダを使用した、コンプトン散乱Ｘ線を視覚化する、画像化する、または情報提供するプロセスのブロック図である。
【図２０】コンプトン散乱Ｘ線視覚化装置、画像化装置、または情報プロバイダの別の実施形態によって視覚化される、画像化される、または情報提供されている、個体の少なくとも一部の図である。
【図２１】図２０に関して記載したような、コンプトン散乱Ｘ線視覚化装置、画像化装置、または情報プロバイダを使用した、別のコンプトン散乱Ｘ線を視覚化する、画像化する、または情報提供するプロセスのブロック図である。
【図２２】歯科医によって使用されるようなコンプトン散乱Ｘ線視覚化装置、画像化装置、または情報プロバイダの一実施形態の図である。
【図２３】コンプトン散乱Ｘ線視覚化装置、画像化装置、または情報プロバイダの内部実施形態（例えば、内視鏡ベース）の図である。
【図２４】視覚化される、画像化されることができる、または提供される情報を有する個体（例えば、人間）の特定の皮膚層および表層の部分断面図である。
【図２５】皮膚異常（例えば、黒色腫）を含む、個体の特定の皮膚および表層の部分断面図である。
【図２６】パーソナル・ディスプレイまたは情報プロバイダ部として構成された少なくとも１つの表示部の一実施形態を含む、コンプトン散乱Ｘ線視覚化装置、画像化装置、または情報プロバイダの別の実施形態を示す図である。
【図２７】グループ・ディスプレイまたは情報プロバイダ部として構成された少なくとも１つの表示部の実施形態を含む、コンプトン散乱Ｘ線視覚化装置、画像化装置、または情報プロバイダの一実施形態を示す図である。
【図２８】コンプトン散乱Ｘ線視覚化装置、画像化装置、または情報プロバイダの柔軟性のある実施形態を示す図である。
【図２９】ユーザによって位置決めすることができるコンプトン散乱Ｘ線視覚化装置、画像化装置、または情報プロバイダの一実施形態を示す図である。
【図３０】コンプトン散乱Ｘ線視覚化装置、画像化装置、または情報プロバイダの別の実施形態を示す図である。
【図３１】コンプトン散乱Ｘ線視覚化装置、画像化装置、または情報プロバイダのさらに別の実施形態を示す図である。
【図３２】コンプトン散乱Ｘ線視覚化装置、画像化装置、または情報プロバイダの動物ベースの一実施形態を示す図である。
【図３３】コンプトン散乱Ｘ線視覚化装置、画像化装置、または情報プロバイダの動物ベースの別の実施形態を示す図である。
【図３４】少なくとも１つのエミッタ部が個体の少なくとも一部に対して少なくとも部分的に外側に配置され、少なくとも１つのコンプトン散乱Ｘ線受信アセンブリが個体の少なくとも一部に対して少なくとも部分的に外側に配置されている、コンプトン散乱Ｘ線視覚化装置、画像化装置、または情報プロバイダの一実施形態を示す図である。
【図３５】少なくとも１つのエミッタ部が個体の少なくとも一部に対して少なくとも部分的に内側に配置され、少なくとも１つのコンプトン散乱Ｘ線受信アセンブリが個体の少なくとも一部に対して少なくとも部分的に外側に配置されている、コンプトン散乱Ｘ線視覚化装置、画像化装置、または情報プロバイダの一実施形態を示す図である。
【図３６】少なくとも１つのエミッタ部が個体の少なくとも一部に対して少なくとも部分的に外側に配置され、少なくとも１つのコンプトン散乱Ｘ線受信アセンブリが個体の少なくとも一部に対して少なくとも部分的に内側に配置されている、コンプトン散乱Ｘ線視覚化装置、画像化装置、または情報プロバイダの一実施形態を示す図である。
【図３７】少なくとも１つのエミッタ部が個体の少なくとも一部に対して少なくとも部分的に内側に配置され、少なくとも１つのコンプトン散乱Ｘ線受信アセンブリが個体の少なくとも一部に対して少なくとも部分的に内側に配置されている、コンプトン散乱Ｘ線視覚化装置、画像化装置、または情報プロバイダの一実施形態を示す図である。
【図３８】情報を出力するように構成された、コンプトン散乱Ｘ線受信アセンブリの別の実施形態を示す図である。
【図３９】工具に取り付けられた、コンプトン散乱Ｘ線受信アセンブリの別の実施形態を示す図である。
【図４０】画像組合せに利用されている、コンプトン散乱Ｘ線視覚化装置、画像化装置、または情報プロバイダの一実施形態を示す図である。
【図４１】飛翔時間測定を行うように構成された、コンプトン散乱Ｘ線視覚化装置、画像化装置、または情報プロバイダの一実施形態の図である。
【図４２】制御または調節機構の一実施形態を含む、コンプトン散乱Ｘ線視覚化装置、画像化装置、または情報プロバイダの別の実施形態を示す図である。
【図４３】制御または調節機構の別の実施形態を含む、コンプトン散乱Ｘ線視覚化装置、画像化装置、または情報プロバイダの別の実施形態を示す図である。
【図４４】制御または調節機構のさらに別の実施形態を含む、コンプトン散乱Ｘ線視覚化装置、画像化装置、または情報プロバイダの別の実施形態を示す図である。
【図４５】制御または調節機構の別の実施形態を含む、コンプトン散乱Ｘ線視覚化装置、画像化装置、または情報プロバイダの別の実施形態を示す図である。
【図４６】図１のコンプトン散乱Ｘ線視覚化装置、画像化装置、または情報プロバイダの特定の実施形態、およびこの開示による他の位置によって行うことができるような、コンプトン深度散乱視覚化、画像化、および情報提供技術の一実施形態のフローチャートである。
【符号の説明】
【０４５１】
８２    個体
９７    視覚化、画像化、または情報提供コントローラ
１００    コンプトン散乱Ｘ線視覚化装置、画像化装置、または情報プロバイダ
１２０    ターゲット電子
１２２    散乱Ｘ線
１２７    矢印
１２８    フィーチャ（feature）
１３２    照明部
１３４    顕微鏡部
１５０    エミッタ部
１５１    コンプトン散乱Ｘ線受信アセンブリ
１５２    検出部
１５４    表示部（ディスプレイ部）
１６８    個体の表面
１７０    視覚化する、画像化する、または情報を提供する深度
１７２    スリット・コリメータ
１７８    走査遮蔽部
３０２    制御または調節機構
３５２    画像化される部分
３６０    黒色腫
３６２    矢印
３７０    表皮
３７２    真皮
５９０    寄与するＸ線、ビーム、または他の電磁放射ビーム
５９２    交差点
８０３    プロセッサ
８０７    メモリ
８０９    回路部
８１１    入出力インターフェース（Ｉ／Ｏ）
８３０    コンデンサ
８３２    陰極
８３４    陽極
８３６    電源
８５０    電子放出先端
８５４    真空部分
８８０    光子発生器
９３４    制御および／または調節部
１０５２    基準
３０１０    枠組み
４２０２    陽極ホイール
４２０４    軸
【図１】
2008302211.tif 000003
【図２】
2008302211.tif 000004
【図３】
2008302211.tif 000005
【図４】
2008302211.tif 000006
【図５】
2008302211.tif 000007
【図６】
2008302211.tif 000008
【図７】
2008302211.tif 000009
【図８】
2008302211.tif 000010
【図９】
2008302211.tif 000011
【図１０】
2008302211.tif 000012
【図１１】
2008302211.tif 000013
【図１２ａ】
2008302211.tif 000014
【図１２ｂ】
2008302211.tif 000015
【図１３】
2008302211.tif 000016
【図１４】
2008302211.tif 000017
【図１５】
2008302211.tif 000018
【図１６】
2008302211.tif 000019
【図１７】
2008302211.tif 000020
【図１８】
2008302211.tif 000021
【図１９】
2008302211.tif 000022
【図２０】
2008302211.tif 000023
【図２１】
2008302211.tif 000024
【図２２】
2008302211.tif 000025
【図２３】
2008302211.tif 000026
【図２４】
2008302211.tif 000027
【図２５】
2008302211.tif 000028
【図２６】
2008302211.tif 000029
【図２７】
2008302211.tif 000030
【図２８】
2008302211.tif 000031
【図２９】
2008302211.tif 000032
【図３０】
2008302211.tif 000033
【図３１】
2008302211.tif 000034
【図３２】
2008302211.tif 000035
【図３３】
2008302211.tif 000036
【図３４】
2008302211.tif 000037
【図３５】
2008302211.tif 000038
【図３６】
2008302211.tif 000039
【図３７】
2008302211.tif 000040
【図３８】
2008302211.tif 000041
【図３９】
2008302211.tif 000042
【図４０】
2008302211.tif 000043
【図４１】
2008302211.tif 000044
【図４２】
2008302211.tif 000045
【図４３】
2008302211.tif 000046
【図４４】
2008302211.tif 000047
【図４５】
2008302211.tif 000048
【図４６】
2008302211.tif 000049
【外国語明細書】
2008302211000001.pdf